(57)【要約】【課題】　本発明は、入力画像に画像処理、例えば鑑賞時に鑑賞画像全体の印象の優劣が決定される階調に関する補正処理を施す際に、有効な処理効果を保ちつつ、かつ、処理の程度の変更や、同じ効果を目的とするが異なる処理内容の処理方法への変更を容易にし、かつ、入力画像や処理が中途の画像の再構成が容易にすることである。【解決手段】　画像調整処理部７０ｂは、メディアに記録された入力色信号と大域輝度信号と詳細輝度信号を光ディスクから取得し（ステップＳ４１）、大域輝度信号に覆い焼き処理を施し（ステップＳ４２）、詳細輝度信号に鮮鋭性強調処理を施し（ステップＳ４３）、各々画像処理を施した変換大域輝度信号と変換詳細輝度信号を加算して変換入力輝度信号を生成し（ステップＳ４５）、さらに画像処理を施した変換入力色信号（ステップＳ４４）と合成処理して鑑賞画像参照データを生成する（ステップＳ４６）。【選択図】　　　　　図６
2004127287.tif 000002
【特許請求の範囲】
【請求項１】
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　少なくとも該大域信号と該詳細信号を前記記録媒体に記録する工程と、を含むことを特徴とする画像記録方法。
【請求項２】
　前記入力画像データに付随する付加情報を取得する工程と、
　取得した前記付加情報に基づいて前記大域信号および前記詳細信号の生成条件を決定する大域・詳細信号生成条件決定工程と、を含むことを特徴とする請求項１に記載の画像記録方法。
【請求項３】
　前記付加情報に基づいてローパスフィルター特性を決定し、決定されたローパスフィルター特性に基づいて前記大域信号と前記詳細信号とを生成することを特徴とする請求項２に記載の画像記録方法。
【請求項４】
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　少なくとも該詳細信号に詳細変換処理を施して変換詳細信号とする工程と、
　該詳細信号と該変換詳細信号を用いて差分詳細信号を生成する工程と、
　少なくとも該大域信号と該変換詳細信号と該差分詳細信号を前記記録媒体に記録する工程と、を含むことを特徴とする画像記録方法。
【請求項５】
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　該大域信号と該詳細信号から鑑賞画像参照データを生成する工程と、
　少なくとも該大域信号と該詳細信号と鑑賞画像参照データを前記記録媒体に記録する工程と、を含むことを特徴とする画像記録方法。
【請求項６】
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　少なくとも詳細信号に詳細変換処理を施して変換詳細信号とする工程と、
　該詳細信号と該変換詳細信号を用いて差分詳細信号を生成する工程と、
　該大域信号と該変換詳細信号から鑑賞画像参照データを生成する工程と、
　少なくとも該大域信号と該変換詳細信号と該差分詳細信号と該鑑賞画像参照データを前記記録媒体に記録する工程と、を含むことを特徴とする画像記録方法。
【請求項７】
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該大域輝度信号と該詳細輝度信号と該入力色信号を前記記録媒体に記録する工程と、を含むことを特徴とする画像記録方法。
【請求項８】
　前記入力画像データに付随する付加情報を取得する工程と、
　取得した前記付加情報に基づいて前記大域輝度信号および前記詳細輝度信号の生成条件を決定する大域・詳細輝度信号生成条件決定工程と、を含むことを特徴とする請求項７に記載の画像記録方法。
【請求項９】
　前記付加情報に基づいてローパスフィルター特性を決定し、決定されたローパスフィルター特性に基づいて前記大域輝度信号と前記詳細輝度信号とを生成することを特徴とする請求項８に記載の画像記録方法。
【請求項１０】
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも詳細輝度信号に詳細変換処理を施して変換詳細輝度信号とする工程と、
　該詳細輝度信号と該変換詳細輝度信号を用いて差分詳細輝度信号を生成する工程と、
　少なくとも該大域輝度信号と該変換詳細輝度信号と該差分詳細輝度信号と該入力色信号を前記記録媒体に記録する工程と、を含むことを特徴とする画像記録方法。
【請求項１１】
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも入力色信号に色変換処理を施して変換入力色信号を生成する工程と、
　該入力色信号と該変換入力色信号から差分入力色信号を生成する工程と、
　少なくとも該大域輝度信号と該詳細輝度信号と該変換入力色信号と該差分入力色信号を前記記録媒体に記録する工程と、を含むことを特徴とする画像記録方法。
【請求項１２】
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　該大域輝度信号と該詳細輝度信号と該入力色信号から鑑賞画像参照データを生成する工程と、
　少なくとも該鑑賞画像参照データと該大域輝度信号と該詳細輝度信号と該入力色信号を前記記録媒体に記録する工程と、を含むことを特徴とする画像記録方法。
【請求項１３】
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該詳細輝度信号に詳細変換処理を施して変換詳細輝度信号とする工程と、
　該詳細輝度信号と該変換詳細輝度信号を用いて差分詳細輝度信号を生成する工程と、
　該大域輝度信号と変換詳細輝度信号と入力色信号から鑑賞画像参照データを生成する工程と、
　少なくとも該鑑賞画像参照データと該大域輝度信号と該変換詳細輝度信号と該差分詳細輝度信号と該入力色信号を前記記録媒体に記録する工程と、を含むことを特徴とする画像記録方法。
【請求項１４】
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該入力色信号に色変換処理を施して変換入力色信号を生成する工程と、
　該入力色信号と該変換入力色信号から差分入力色信号を生成する工程と、
　該大域輝度信号と該詳細輝度信号と該変換入力色信号から鑑賞画像参照データを生成する工程と、
　少なくとも該鑑賞画像参照データと該大域輝度信号と該詳細輝度信号と該変換入力色信号と該差分入力色信号を前記記録媒体に記録する工程と、を含むことを特徴とする画像記録方法。
【請求項１５】
　入力画像データに出力媒体上での鑑賞画像形成のために最適化する画像処理を施して、鑑賞画像参照データを生成するために画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換大域輝度信号と該色変換詳細輝度信号と該色変換入力色信号を前記記録媒体に記録する工程と、を含むことを特徴とする画像記録方法。
【請求項１６】
　前記入力画像データに付随する付加情報を取得する工程と、
　取得した前記付加情報に基づいて前記色変換大域輝度信号および前記色変換詳細輝度信号の生成条件を決定する色変換大域・詳細輝度信号生成条件決定工程と、を含むことを特徴とする請求項１５に記載の画像記録方法。
【請求項１７】
　前記付加情報に基づいてローパスフィルター特性を決定し、決定されたローパスフィルター特性に基づいて前記色変換大域輝度信号と前記色変換詳細輝度信号とを生成することを特徴とする請求項１６に記載の画像記録方法。
【請求項１８】
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換詳細輝度信号に変換処理を施し色変換−変換詳細輝度信号を生成する工程と、
　該色変換詳細輝度信号と該色変換−変換詳細輝度信号から色変換−差分詳細輝度信号を生成する工程と、
　少なくとも該色変換大域輝度信号と該色変換−変換詳細輝度信号と該色変換−差分詳細輝度信号と該色変換入力色信号を前記記録媒体に記録する工程と、を含むことを特徴とする画像記録方法。
【請求項１９】
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　該色変換入力色信号に変換処理を施して色変換−変換入力色信号を生成する工程と、
　該色変換入力色信号と該色変換−変換入力色信号から色変換−差分入力色信号を生成する工程と、
　少なくとも該色変換大域輝度信号と該色変換詳細輝度信号と該色変換−変換入力色信号と該色変換−差分入力色信号を前記記録媒体に記録する工程と、を含むことを特徴とする画像記録方法。
【請求項２０】
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　該色変換大域輝度信号と該色変換詳細輝度信号と該色変換入力色信号から鑑賞画像参照データを生成する工程と、
　少なくとも該鑑賞画像参照データと該色変換大域輝度信号と該色変換詳細輝度信号と該色変換入力色信号を前記記録媒体に記録する工程と、を含むことを特徴とする画像記録方法。
【請求項２１】
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換詳細輝度信号に変換処理を施し色変換−変換詳細輝度信号を生成する工程と、
　該色変換詳細輝度信号と該色変換−変換詳細輝度信号から色変換−差分詳細輝度信号を生成する工程と、
　該色変換大域輝度信号と該色変換−変換詳細輝度信号と該色変換入力色信号から鑑賞画像参照データを生成する工程と、
　少なくとも該鑑賞画像参照データと該色変換大域輝度信号と該色変換−変換詳細輝度信号と該色変換−差分詳細輝度信号と該色変換入力色信号を前記記録媒体に記録する工程と、を含むことを特徴とする画像記録方法。
【請求項２２】
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　該色変換入力色信号に変換処理を施して色変換−変換入力色信号を生成する工程と、
　該色変換入力色信号と該色変換−変換入力色信号から色変換−差分入力色信号を生成する工程と、
　該色変換大域輝度信号と該色変換詳細輝度信号と該色変換−変換入力色信号から鑑賞画像参照データを生成する工程と、
　少なくとも該鑑賞画像参照データと該色変換大域輝度信号と該色変換詳細輝度信号と該色変換−変換入力色信号と該色変換−差分入力色信号を前記記録媒体に記録する工程と、を含むことを特徴とする画像記録方法。
【請求項２３】
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　少なくとも該大域信号に変換処理を施して変換大域信号とする工程と、
　該変換大域信号と該大域信号から差分大域信号を生成する工程と、
　少なくとも該変換大域信号と該詳細信号と該差分大域信号を前記記録媒体に記録する工程と、を含むことを特徴とする画像記録方法。
【請求項２４】
　前記入力画像データに付随する付加情報を取得する工程と、
　取得した前記付加情報に基づいて、少なくとも前記大域信号および前記詳細信号の生成条件を決定する大域・詳細信号決定工程と、を含むことを特徴とする請求項２３に記載の画像記録方法。
【請求項２５】
　前記付加情報に基づいてローパスフィルター特性を決定し、決定されたローパスフィルター特性に基づいて前記大域信号と詳細信号とを生成することを特徴とする請求項２４に記載の画像記録方法。
【請求項２６】
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　少なくとも該大域信号に変換処理を施して変換大域信号とする工程と、
　該変換大域信号と該大域信号から差分大域信号を生成する工程と、
　少なくとも該詳細信号に変換処理を施し変換詳細信号を生成する工程と、
　該詳細信号と該変換詳細信号から差分詳細信号を生成する工程と、
　少なくとも該変換大域信号と該差分大域信号と該変換詳細信号と該差分詳細信号を前記記録媒体に記録する工程と、を含むことを特徴とする画像記録方法。
【請求項２７】
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　少なくとも該大域信号に変換処理を施して変換大域信号とする工程と、
　該変換大域信号と該大域信号から差分大域信号を生成する工程と、
　該変換大域信号と該詳細信号を用いて鑑賞画像参照データを生成する工程と、
　少なくとも該鑑賞画像参照データと該変換大域信号と該差分大域信号と該詳細信号を前記記録媒体に記録する工程と、を含むことを特徴とする画像記録方法。
【請求項２８】
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　少なくとも該大域信号に変換処理を施して変換大域信号とする工程と、
　該変換大域信号と該大域信号から差分大域信号を生成する工程と、
　少なくとも該詳細信号に変換処理を施して変換詳細信号を生成する工程と、
　該詳細信号と該変換詳細信号から差分詳細信号を生成する工程と、
　該変換大域信号と該変換詳細信号を用いて鑑賞画像参照データを生成する工程と、
　少なくとも該鑑賞画像参照データと該変換大域信号と該差分大域信号と該変換詳細信号と該差分詳細信号を前記記録媒体に記録する工程と、を含むことを特徴とする画像記録方法。
【請求項２９】
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該大域輝度信号に変換処理を施して変換大域輝度信号とする工程と、
　該変換大域輝度信号と該大域輝度信号から差分大域輝度信号を生成する工程と、
　少なくとも該変換大域輝度信号と該差分大域輝度信号と該詳細輝度信号と該入力色信号を前記記録媒体に記録する工程と、を含むことを特徴とする画像記録方法。
【請求項３０】
　前記入力画像データに付随する付加情報を取得する工程と、
　取得した前記付加情報に基づいて、少なくとも前記大域輝度信号および前記詳細輝度信号の生成条件を決定する大域・詳細輝度信号生成条件決定工程と、を含むことを特徴とする請求項２９に記載の画像記録方法。
【請求項３１】
　前記付加情報に基づいてローパスフィルター特性を決定し、決定されたローパスフィルター特性に基づいて前記大域輝度信号と詳細輝度信号とを生成することを特徴とする請求項３０に記載の画像記録方法。
【請求項３２】
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該大域輝度信号に変換処理を施して変換大域輝度信号とする工程と、
　該変換大域輝度信号と該大域輝度信号から差分大域輝度信号を生成する工程と、
　少なくとも該詳細輝度信号に変換処理を施して変換詳細輝度信号とする工程と、
　該変換詳細輝度信号と該大域輝度信号から差分詳細輝度信号を生成する工程と、
　少なくとも該変換大域輝度信号と該差分大域輝度信号と該変換詳細輝度信号と該差分詳細輝度信号と該入力色信号を前記記録媒体に記録する工程と、を含むことを特徴とする画像記録方法。
【請求項３３】
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該大域輝度信号に変換処理を施して変換大域輝度信号とする工程と、
　該変換大域輝度信号と該大域輝度信号から差分大域輝度信号を生成する工程と、
　少なくとも該入力色信号に変換処理を施して変換入力色信号とする工程と、
　該変換入力色信号と該入力色信号から差分入力色信号を生成する工程と、
　少なくとも該変換大域輝度信号と該差分大域輝度信号と該詳細輝度信号と該変換入力色信号と該差分入力色信号を前記記録媒体に記録する工程と、を含むことを特徴とする画像記録方法。
【請求項３４】
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該大域輝度信号に変換処理を施して変換大域輝度信号とする工程と、
　該変換大域輝度信号と該大域輝度信号から差分大域輝度信号を生成する工程と、
　少なくとも該変換大域輝度信号と該詳細輝度信号と該入力色信号を用いて鑑賞画像参照データを生成する工程と、
　少なくとも該鑑賞画像参照データと該変換大域輝度信号と該差分大域輝度信号と該該詳細輝度信号と該入力色信号を前記記録媒体に記録する工程と、を含むことを特徴とする画像記録方法。
【請求項３５】
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該大域輝度信号に変換処理を施して変換大域輝度信号とする工程と、
　該変換大域輝度信号と該大域輝度信号から差分大域輝度信号を生成する工程と、
　少なくとも詳細輝度信号に変換処理を施して変換詳細輝度信号とする工程と、
　該変換詳細輝度信号と該大域輝度信号から差分詳細輝度信号を生成する工程と、
　少なくとも該変換大域輝度信号と該変換詳細輝度信号と該入力色信号を用いて鑑賞画像参照データを生成する工程と、
　少なくとも該鑑賞画像参照データと該変換大域輝度信号と該差分大域輝度信号と該変換該詳細輝度信号と該差分詳細輝度信号と該入力色信号を前記記録媒体に記録する工程と、を含むことを特徴とする画像記録方法。
【請求項３６】
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該大域輝度信号に変換処理を施して変換大域輝度信号とする工程と、
　該変換大域輝度信号と該大域輝度信号から差分大域輝度信号を生成する工程と、
　少なくとも該入力色信号に変換処理を施して変換入力色信号とする工程と、
　該変換入力色信号と該入力色信号から差分入力色信号を生成する工程と、
　少なくとも該変換大域輝度信号と該詳細輝度信号と該変換入力色信号を用いて鑑賞画像参照データを生成する工程と、
　少なくとも該変換大域輝度信号と該差分大域輝度信号と該詳細輝度信号と該変換入力色信号と該差分入力色信号を前記記録媒体に記録する工程と、を含むことを特徴とする画像記録方法。
【請求項３７】
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換大域輝度信号に変換処理を施して色変換−変換大域輝度信号とする工程と、
　該色変換大域輝度信号と該色変換−変換大域輝度信号から色変換−差分大域輝度信号を生成する工程と、
　少なくとも該色変換−変換大域輝度信号と該色変換−差分大域輝度信号と該色変換詳細輝度信号と該色変換入力色信号を前記記録媒体に記録する工程と、を含むことを特徴とする画像記録方法。
【請求項３８】
　前記入力画像データに付随する付加情報を取得する工程と、
　取得した前記付加情報に基づいて、少なくとも前記色変換大域輝度信号および前記色変換詳細輝度信号の生成条件を決定する色変換大域・詳細輝度信号生成条件決定工程と、を含むことを特徴とする請求項３７に記載の画像記録方法。
【請求項３９】
　前記付加情報に基づいてローパスフィルター特性を決定し、決定されたローパスフィルター特性に基づいて前記色変換大域輝度信号と色変換詳細輝度信号とを生成することを特徴とする請求項３８に記載の画像記録方法。
【請求項４０】
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換大域輝度信号に変換処理を施して色変換−変換大域輝度信号とする工程と、
　該色変換大域輝度信号と該色変換−変換大域輝度信号から該色変換−差分大域輝度信号を生成する工程と、
　少なくとも該色変換詳細輝度信号に変換処理を施して色変換−変換詳細輝度信号とする工程と、
　該色変換詳細輝度信号と該色変換−変換詳細輝度信号から色変換−差分詳細輝度信号を生成する工程と、
　少なくとも該色変換−変換大域輝度信号と該色変換−差分大域輝度信号と該色変換−変換詳細輝度信号と該色変換−差分詳細輝度信号と該色変換入力色信号を前記記録媒体に記録する工程と、を含むことを特徴とする画像記録方法。
【請求項４１】
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換大域輝度信号に変換処理を施して色変換−変換大域輝度信号とする工程と、
　該色変換大域輝度信号と該色変換−変換大域輝度信号から色変換−差分大域輝度信号を生成する工程と、
　該色変換入力色信号に変換処理を施して色変換−変換入力色信号を生成する工程と、
　該色変換入力色信号と該色変換−変換入力色信号を用いて色変換−差分入力色信号を生成する工程と、
　少なくとも該色変換−変換大域輝度信号と該色変換−差分大域輝度信号と該色変換詳細輝度信号と該色変換−変換入力色信号と該色変換−差分入力色信号を前記記録媒体に記録する工程と、を含むことを特徴とする画像記録方法。
【請求項４２】
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換大域輝度信号に変換処理を施して色変換−変換大域輝度信号とする工程と、
　該色変換大域輝度信号と該色変換−変換大域輝度信号から色変換−差分大域輝度信号を生成する工程と、
　該色変換−変換大域輝度信号と該色変換詳細輝度信号と該色変換入力色信号から鑑賞画像参照データを生成する工程と、
　少なくとも該鑑賞画像参照データと該色変換−変換大域輝度信号と該色変換−差分大域輝度信号と該色変換詳細輝度信号と該色変換入力色信号を前記記録媒体に記録する工程と、を含むことを特徴とする画像記録方法。
【請求項４３】
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換大域輝度信号に変換処理を施して色変換−変換大域輝度信号とする工程と、
　該色変換大域輝度信号と該色変換−変換大域輝度信号から該色変換−差分大域輝度信号を生成する工程と、
　少なくとも該色変換詳細輝度信号に変換処理を施して色変換−変換詳細輝度信号とする工程と、
　該色変換詳細輝度信号と該色変換−変換詳細輝度信号から色変換−差分詳細輝度信号を生成する工程と、
　該色変換−変換大域輝度信号と該色変換−変換詳細輝度信号と該色変換入力色信号から鑑賞画像参照データを生成する工程と、
　少なくとも該鑑賞画像参照データと該色変換−変換大域輝度信号と該色変換−差分大域輝度信号と該色変換−変換詳細輝度信号と該色変換−差分詳細輝度信号と該色変換入力色信号を前記記録媒体に記録する工程と、を含むことを特徴とする画像記録方法。
【請求項４４】
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換大域輝度信号に変換処理を施して色変換−変換大域輝度信号とする工程と、
　該色変換大域輝度信号と該色変換−変換大域輝度信号から色変換−差分大域輝度信号を生成する工程と、
　該色変換入力色信号に変換処理を施して色変換−変換入力色信号を生成する工程と、
　該色変換入力色信号と該色変換−変換入力色信号を用いて色変換−差分入力色信号を生成する工程と、
　該色変換−変換大域輝度信号と該色変換詳細輝度信号と該色変換−変換入力色信号から鑑賞画像参照データを生成する工程と、
　少なくとも該鑑賞画像参照データと該色変換大域輝度信号と該色変換−差分大域輝度信号と該色変換詳細輝度信号と該色変換−変換入力色信号と該色変換−差分入力色信号を前記記録媒体に記録する工程と、を含むことを特徴とする画像記録方法。
【請求項４５】
　前記大域信号は前記入力画像データの低周波成分で構成され、前記詳細信号は前記入力画像データの高周波成分で構成されることを特徴とする請求項１〜６及び請求項２３〜２８の何れか一項に記載の画像記録方法。
【請求項４６】
　前記大域信号は前記入力画像データの低周波成分とエッジ成分で構成され、前記詳細信号は前記入力画像データの高周波成分からエッジ成分を除いた成分で構成されることを特徴とする請求項１〜６及び請求項２３〜２８の何れか一項に記載の画像記録方法。
【請求項４７】
　前記大域信号および／または前記詳細信号は、前記入力画像データに周波数帯域分解処理を施して生成されることを特徴とする請求項１〜６及び請求項２３〜２８の何れか一項に記載の画像記録方法。
【請求項４８】
　前記大域信号および／または前記詳細信号は、前記入力画像データにウェーブレット変換処理を施して生成されることを特徴とする請求項１〜６及び請求項２３〜２８の何れか一項に記載の画像記録方法。
【請求項４９】
　前記大域信号に施される変換処理が、階調変換処理であることを特徴とする請求項２３〜２８の何れか一項に記載の画像記録方法。
【請求項５０】
　前記階調変換処理が非線形変換処理であることを特徴とする請求項４９記載の画像記録方法。
【請求項５１】
　前記大域輝度信号は入力輝度成分の低周波成分で構成され、前記詳細輝度信号は入力輝度成分の高周波成分で構成されることを特徴とする請求項７〜１４及び請求項２９〜３６の何れか一項に記載の画像記録方法。
【請求項５２】
　前記大域輝度信号は入力輝度成分の低周波成分とエッジ成分で構成され、前記詳細輝度信号は入力輝度成分の高周波成分からエッジ成分を除いた成分で構成されることを特徴とする請求項７〜１４及び請求項２９〜３６の何れか一項に記載の画像記録方法。
【請求項５３】
　前記大域輝度信号および／または前記詳細輝度信号は、前記入力画像データに周波数帯域分解処理を施して生成されることを特徴とする請求項７〜１４及び請求項２９〜３６の何れか一項に記載の画像記録方法。
【請求項５４】
　前記大域輝度信号および／または前記詳細輝度信号は、前記入力画像データにウェーブレット変換処理を施して生成されることを特徴とする請求項７〜１４及び請求項２９〜３６の何れか一項に記載の画像記録方法。
【請求項５５】
　前記大域輝度信号に施される変換処理が、階調変換処理であることを特徴とする請求項２９〜３６の何れか一項に記載の画像記録方法。
【請求項５６】
　前記階調変換処理が非線形変換処理であることを特徴とする請求項５５記載の画像記録方法。
【請求項５７】
　前記色変換大域輝度信号は前記色変換入力輝度信号の低周波成分で構成され、前記色変換詳細輝度信号は前記色変換入力輝度信号の高周波成分で構成されることを特徴とする請求項１５〜２２及び請求項３７〜４４の何れか一項に記載の画像記録方法。
【請求項５８】
　前記色変換大域輝度信号は前記色変換入力輝度信号の低周波成分とエッジ成分で構成され、前記色変換詳細輝度信号は前記色変換入力輝度信号の高周波成分からエッジ成分を除いた成分で構成されることを特徴とする請求項１５〜２２及び請求項３７〜４４の何れか一項に記載の画像記録方法。
【請求項５９】
　前記色変換大域輝度信号および／または前記色変換詳細輝度信号は、前記色変換入力輝度信号に周波数帯域分解処理を施して生成されることを特徴とする請求項１５〜２２及び請求項３７〜４４の何れか一項に記載の画像記録方法。
【請求項６０】
　前記色変換大域輝度信号および／または前記色変換詳細輝度信号は、前記色変換入力輝度信号にウェーブレット変換処理を施して生成されることを特徴とする請求項１５〜２２及び請求項３７〜４４の何れか一項に記載の画像記録方法。
【請求項６１】
　前記色変換大域輝度信号に施される変換処理が、階調変換処理であることを特徴とする請求項３７〜４４の何れか一項に記載の画像記録方法。
【請求項６２】
　前記階調変換処理が非線形変換処理であることを特徴とする請求項６１記載の画像記録方法。
【請求項６３】
　前記鑑賞画像参照データが出力装置の特性に依存するものであることを特徴とする請求項１〜６４の何れか一項に記載の画像記録方法。
【請求項６４】
　請求項１〜６４の何れか一項に記載の画像記録方法において、記録する信号またはデータを前記記録媒体に別ファイルとして記録することを特徴とする画像記録方法。
【請求項６５】
　請求項１〜６４の何れか一項に記載の画像記録方法において、記録する信号またはデータを、前記記録媒体内の同一のファイルに記録することを特徴とする画像記録方法。
【請求項６６】
　請求項１〜６４の何れか一項に記載の画像記録方法において、記録する信号またはデータのうち少なくとも一つの信号またはデータをメタデータとして、前記記録媒体内の同一のファイルに記録することを特徴とする画像記録方法。
【請求項６７】
　請求項６４〜６６の何れか一項に記載の画像記録方法において、複数の信号またはデータを同一の記録媒体に記録することを特徴とする画像記録方法。
【請求項６８】
　請求項６４〜６６の何れか一項に記載の画像記録方法において、複数の信号またはデータを異なる記録媒体に記録することを特徴とする画像記録方法。
【請求項６９】
　請求項６４〜６８の何れか一項に記載の画像記録方法において、複数の信号またはデータのうち、少なくともひとつの信号またはデータと、画像の編集作業を行うことが可能なアプリケーションを同一の記録媒体に記録することを特徴とする画像記録方法。
【請求項７０】
　請求項６４〜６９の何れか一項に記載の画像記録方法において、複数の信号またはデータのうち、少なくともひとつの信号またはデータと、画像の編集作業を行うことが可能なアプリケーションを補強することを目的とするファイルを、同一の記録媒体に記録することを特徴とする画像記録方法。
【請求項７１】
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成する生成手段と、
　少なくとも該大域信号と該詳細信号を前記記録媒体に記録する記録手段と、を備えたことを特徴とする画像記録装置。
【請求項７２】
　前記入力画像データに付随する付加情報を取得する手段と、
　取得した前記付加情報に基づいて前記大域信号および前記詳細信号の生成条件を決定する大域・詳細信号生成条件決定手段と、を備えたことを特徴とする請求項７１に記載の画像記録装置。
【請求項７３】
　前記付加情報に基づいてローパスフィルター特性を決定し、決定されたローパスフィルター特性に基づいて前記大域信号と前記詳細信号とを生成することを特徴とする請求項７２に記載の画像記録装置。
【請求項７４】
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成し、少なくとも該詳細信号に詳細変換処理を施して変換詳細信号とするとともに、該詳細信号と該変換詳細信号を用いて差分詳細信号を生成する生成手段と、
　少なくとも該大域信号と該変換詳細信号と該差分詳細信号を前記記録媒体に記録する記録手段と、を備えたことを特徴とする画像記録装置。
【請求項７５】
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成するとともに、該大域信号と該詳細信号から鑑賞画像参照データを生成する生成手段と、
　少なくとも該大域信号と該詳細信号と鑑賞画像参照データを前記記録媒体に記録する記録手段と、を備えたことを特徴とする画像記録装置。
【請求項７６】
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成し、少なくとも詳細信号に詳細変換処理を施して変換詳細信号とし、該詳細信号と該変換詳細信号を用いて差分詳細信号を生成するとともに、該大域信号と該変換詳細信号から鑑賞画像参照データを生成する生成手段と、
　少なくとも該大域信号と該変換詳細信号と該差分詳細信号と該鑑賞画像参照データを前記記録媒体に記録する記録手段と、を備えたことを特徴とする画像記録装置。
【請求項７７】
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成するとともに、該入力輝度信号から大域輝度信号と詳細輝度信号を生成する生成手段と、
　少なくとも該大域輝度信号と該詳細輝度信号と該入力色信号を前記記録媒体に記録する記録手段と、を備えたことを特徴とする画像記録装置。
【請求項７８】
　前記入力画像データに付随する付加情報を取得する手段と、
　取得した前記付加情報に基づいて前記大域輝度信号および前記詳細輝度信号の生成条件を決定する大域・詳細輝度信号生成条件決定手段と、を備えたことを特徴とする請求項７７に記載の画像記録装置。
【請求項７９】
　前記付加情報に基づいてローパスフィルター特性を決定し、決定されたローパスフィルター特性に基づいて前記大域輝度信号と前記詳細輝度信号とを生成することを特徴とする請求項７８に記載の画像記録装置。
【請求項８０】
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも詳細輝度信号に詳細変換処理を施して変換詳細輝度信号とするとともに、該詳細輝度信号と該変換詳細輝度信号を用いて差分詳細輝度信号を生成する生成手段と、
　少なくとも該大域輝度信号と該変換詳細輝度信号と該差分詳細輝度信号と該入力色信号を前記記録媒体に記録する記録手段と、を備えたことを特徴とする画像記録装置。
【請求項８１】
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも入力色信号に色変換処理を施して変換入力色信号を生成するとともに、該入力色信号と該変換入力色信号から差分入力色信号を生成する生成手段と、
　少なくとも該大域輝度信号と該詳細輝度信号と該変換入力色信号と該差分入力色信号を前記記録媒体に記録する記録手段と、を備えたことを特徴とする画像記録装置。
【請求項８２】
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成するとともに、該大域輝度信号と該詳細輝度信号と該入力色信号から鑑賞画像参照データを生成する生成手段と、
　少なくとも該鑑賞画像参照データと該大域輝度信号と該詳細輝度信号と該入力色信号を前記記録媒体に記録する記録手段と、を備えたことを特徴とする画像記録装置。
【請求項８３】
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該詳細輝度信号に詳細変換処理を施して変換詳細輝度信号とし、該詳細輝度信号と該変換詳細輝度信号を用いて差分詳細輝度信号を生成するとともに、該大域輝度信号と変換詳細輝度信号と入力色信号から鑑賞画像参照データを生成する生成手段と、
　少なくとも該鑑賞画像参照データと該大域輝度信号と該変換詳細輝度信号と該差分詳細輝度信号と該入力色信号を前記記録媒体に記録する記録手段と、を備えたことを特徴とする画像記録装置。
【請求項８４】
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該入力色信号に色変換処理を施して変換入力色信号を生成し、該入力色信号と該変換入力色信号から差分入力色信号を生成するとともに、該大域輝度信号と該詳細輝度信号と該変換入力色信号から鑑賞画像参照データを生成する生成手段と、
　少なくとも該鑑賞画像参照データと該大域輝度信号と該詳細輝度信号と該変換入力色信号と該差分入力色信号を前記記録媒体に記録する記録手段と、を備えたことを特徴とする画像記録装置。
【請求項８５】
　入力画像データに出力媒体上での鑑賞画像形成のために最適化する画像処理を施して、鑑賞画像参照データを生成するために画像データを記録媒体に記録する画像記録装置において、
　前記入力画像データに色域変換処理を施した後に色変換入力輝度信号と色変換入力色信号を生成するとともに、該色変換入力輝度信号から色変換大域輝度信号と色変換詳細輝度信号を生成する生成手段と、
　少なくとも該色変換大域輝度信号と該色変換詳細輝度信号と該色変換入力色信号を前記記録媒体に記録する記録手段と、を備えたことを特徴とする画像記録装置。
【請求項８６】
　前記入力画像データに付随する付加情報を取得する取得手段と、
　取得した前記付加情報に基づいて前記色変換大域輝度信号および前記色変換詳細輝度信号の生成条件を決定する色変換大域・詳細輝度信号生成条件決定手段と、を備えたことを特徴とする請求項８５に記載の画像記録装置。
【請求項８７】
　前記付加情報に基づいてローパスフィルター特性を決定し、決定されたローパスフィルター特性に基づいて前記色変換大域輝度信号と前記色変換詳細輝度信号とを生成することを特徴とする請求項８６に記載の画像記録装置。
【請求項８８】
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換詳細輝度信号に変換処理を施し色変換−変換詳細輝度信号を生成するとともに、該色変換詳細輝度信号と該色変換−変換詳細輝度信号から色変換−差分詳細輝度信号を生成する生成手段と、
　少なくとも該色変換大域輝度信号と該色変換−変換詳細輝度信号と該色変換−差分詳細輝度信号と該色変換入力色信号を前記記録媒体に記録する記録手段と、を備えたことを特徴とする画像記録装置。
【請求項８９】
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、該色変換入力色信号に変換処理を施して色変換−変換入力色信号を生成するとともに、該色変換入力色信号と該色変換−変換入力色信号から色変換−差分入力色信号を生成する生成手段と、
　少なくとも該色変換大域輝度信号と該色変換詳細輝度信号と該色変換−変換入力色信号と該色変換−差分入力色信号を前記記録媒体に記録する記録手段と、を備えたことを特徴とする画像記録装置。
【請求項９０】
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成するとともに、該色変換大域輝度信号と該色変換詳細輝度信号と該色変換入力色信号から鑑賞画像参照データを生成する生成手段と、
　少なくとも該鑑賞画像参照データと該色変換大域輝度信号と該色変換詳細輝度信号と該色変換入力色信号を前記記録媒体に記録する記録手段と、を備えたことを特徴とする画像記録装置。
【請求項９１】
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換詳細輝度信号に変換処理を施し色変換−変換詳細輝度信号を生成し、該色変換詳細輝度信号と該色変換−変換詳細輝度信号から色変換−差分詳細輝度信号を生成するとともに、該色変換大域輝度信号と該色変換−変換詳細輝度信号と該色変換入力色信号から鑑賞画像参照データを生成する生成手段と、
　少なくとも該鑑賞画像参照データと該色変換大域輝度信号と該色変換−変換詳細輝度信号と該色変換−差分詳細輝度信号と該色変換入力色信号を前記記録媒体に記録する記録手段と、を備えたことを特徴とする画像記録装置。
【請求項９２】
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、該色変換入力色信号に変換処理を施して色変換−変換入力色信号を生成し、該色変換入力色信号と該色変換−変換入力色信号から色変換−差分入力色信号を生成するとともに、該色変換大域輝度信号と該色変換詳細輝度信号と該色変換−変換入力色信号から鑑賞画像参照データを生成する生成手段と、
　少なくとも該鑑賞画像参照データと該色変換大域輝度信号と該色変換詳細輝度信号と該色変換−変換入力色信号と該色変換−差分入力色信号を前記記録媒体に記録する記録手段と、を備えたことを特徴とする画像記録装置。
【請求項９３】
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成し、少なくとも該大域信号に変換処理を施して変換大域信号とするとともに、該変換大域信号と該大域信号から差分大域信号を生成する生成手段と、
　少なくとも該変換大域信号と該詳細信号と該差分大域信号を前記記録媒体に記録する記録手段と、を備えたことを特徴とする画像記録装置。
【請求項９４】
　前記入力画像データに付随する付加情報を取得する取得手段と、
　取得した前記付加情報に基づいて、少なくとも前記大域信号および前記詳細信号の生成条件を決定する大域・詳細信号生成条件決定手段と、を含むことを特徴とする請求項９３に記載の画像記録装置。
【請求項９５】
　前記付加情報に基づいてローパスフィルター特性を決定し、決定されたローパスフィルター特性に基づいて前記大域信号と詳細信号とを生成することを特徴とする請求項９４に記載の画像記録装置。
【請求項９６】
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成し、少なくとも該大域信号に変換処理を施して変換大域信号とし、該変換大域信号と該大域信号から差分大域信号を生成し、少なくとも該詳細信号に変換処理を施し変換詳細信号を生成するとともに、該詳細信号と該変換詳細信号から差分詳細信号を生成する生成手段と、
　少なくとも該変換大域信号と該差分大域信号と該変換詳細信号と該差分詳細信号を前記記録媒体に記録する記録手段と、を備えたことを特徴とする画像記録装置。
【請求項９７】
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成し、少なくとも該大域信号に変換処理を施して変換大域信号とし、該変換大域信号と該大域信号から差分大域信号を生成するとともに、該変換大域信号と該詳細信号を用いて鑑賞画像参照データを生成する生成手段と、
　少なくとも該鑑賞画像参照データと該変換大域信号と該差分大域信号と該詳細信号を前記記録媒体に記録する記録手段と、を備えたことを特徴とする画像記録装置。
【請求項９８】
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成し、少なくとも該大域信号に変換処理を施して変換大域信号とし、該変換大域信号と該大域信号から差分大域信号を生成し、少なくとも該詳細信号に変換処理を施して変換詳細信号を生成し、該詳細信号と該変換詳細信号から差分詳細信号を生成するとともに、該変換大域信号と該変換詳細信号を用いて鑑賞画像参照データを生成する生成手段と、
　少なくとも該鑑賞画像参照データと該変換大域信号と該差分大域信号と該変換詳細信号と該差分詳細信号を前記記録媒体に記録する記録手段と、を備えたことを特徴とする画像記録装置。
【請求項９９】
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該大域輝度信号に変換処理を施して変換大域輝度信号とするとともに、該変換大域輝度信号と該大域輝度信号から差分大域輝度信号を生成する生成手段と、
　少なくとも該変換大域輝度信号と該差分大域輝度信号と該詳細輝度信号と該入力色信号を前記記録媒体に記録する記録手段と、を備えたことを特徴とする画像記録装置。
【請求項１００】
　前記入力画像データに付随する付加情報を取得する取得手段と、
　取得した前記付加情報に基づいて、少なくとも前記大域輝度信号および前記詳細輝度信号の生成条件を決定する大域・詳細輝度信号生成条件決定手段と、を含むことを特徴とする請求項９９に記載の画像記録装置。
【請求項１０１】
　前記付加情報に基づいてローパスフィルター特性を決定し、決定されたローパスフィルター特性に基づいて前記大域輝度信号と詳細輝度信号とを生成することを特徴とする請求項１００に記載の画像記録装置。
【請求項１０２】
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該大域輝度信号に変換処理を施して変換大域輝度信号とし、該変換大域輝度信号と該大域輝度信号から差分大域輝度信号を生成し、少なくとも該詳細輝度信号に変換処理を施して変換詳細輝度信号とするとともに、該変換詳細輝度信号と該大域輝度信号から差分詳細輝度信号を生成する生成手段と、
　少なくとも該変換大域輝度信号と該差分大域輝度信号と該変換詳細輝度信号と該差分詳細輝度信号と該入力色信号を前記記録媒体に記録する記録手段と、を備えたことを特徴とする画像記録装置。
【請求項１０３】
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該大域輝度信号に変換処理を施して変換大域輝度信号とし、該変換大域輝度信号と該大域輝度信号から差分大域輝度信号を生成し、少なくとも該入力色信号に変換処理を施して変換入力色信号とするとともに、該変換入力色信号と該入力色信号から差分入力色信号を生成する生成手段と、
　少なくとも該変換大域輝度信号と該差分大域輝度信号と該詳細輝度信号と該変換入力色信号と該差分入力色信号を前記記録媒体に記録する記録手段と、を備えたことを特徴とする画像記録装置。
【請求項１０４】
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該大域輝度信号に変換処理を施して変換大域輝度信号とし、該変換大域輝度信号と該大域輝度信号から差分大域輝度信号を生成するとともに、少なくとも該変換大域輝度信号と該詳細輝度信号と該入力色信号を用いて鑑賞画像参照データを生成する生成手段と、
　少なくとも該鑑賞画像参照データと該変換大域輝度信号と該差分大域輝度信号と該該詳細輝度信号と該入力色信号を前記記録媒体に記録する記録手段と、を備えたことを特徴とする画像記録装置。
【請求項１０５】
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該大域輝度信号に変換処理を施して変換大域輝度信号し、該変換大域輝度信号と該大域輝度信号から差分大域輝度信号を生成し、少なくとも詳細輝度信号に変換処理を施して変換詳細輝度信号とし、該変換詳細輝度信号と該大域輝度信号から差分詳細輝度信号を生成するとともに、少なくとも該変換大域輝度信号と該変換詳細輝度信号と該入力色信号を用いて鑑賞画像参照データを生成する生成手段と、
　少なくとも該鑑賞画像参照データと該変換大域輝度信号と該差分大域輝度信号と該変換該詳細輝度信号と該差分詳細輝度信号と該入力色信号を前記記録媒体に記録する記録手段と、を備えたことを特徴とする画像記録装置。
【請求項１０６】
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該大域輝度信号に変換処理を施して変換大域輝度信号とし、該変換大域輝度信号と該大域輝度信号から差分大域輝度信号を生成し、少なくとも該入力色信号に変換処理を施して変換入力色信号とし、該変換入力色信号と該入力色信号から差分入力色信号を生成するとともに、少なくとも該変換大域輝度信号と該詳細輝度信号と該変換入力色信号を用いて鑑賞画像参照データを生成する生成手段と、
　少なくとも該変換大域輝度信号と該差分大域輝度信号と該詳細輝度信号と該変換入力色信号と該差分入力色信号を前記記録媒体に記録する記録手段と、を備えたことを特徴とする画像記録装置。
【請求項１０７】
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とするとともに、該色変換大域輝度信号と該色変換−変換大域輝度信号から色変換−差分大域輝度信号を生成する生成手段と、
　少なくとも該色変換−変換大域輝度信号と該色変換−差分大域輝度信号と該色変換詳細輝度信号と該色変換入力色信号を前記記録媒体に記録する記録手段と、を備えたことを特徴とする画像記録装置。
【請求項１０８】
　前記入力画像データに付随する付加情報を取得する取得手段と、
　取得した前記付加情報に基づいて、少なくとも前記色変換大域輝度信号および前記色変換詳細輝度信号の生成条件を決定する色変換大域・詳細輝度信号生成条件決定手段と、を備えたことを特徴とする請求項１０７に記載の画像記録装置。
【請求項１０９】
　前記付加情報に基づいてローパスフィルター特性を決定し、決定されたローパスフィルター特性に基づいて前記色変換大域輝度信号と色変換詳細輝度信号とを生成することを特徴とする請求項１０８に記載の画像記録装置。
【請求項１１０】
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とし、該色変換大域輝度信号と該色変換−変換大域輝度信号から該色変換−差分大域輝度信号を生成し、少なくとも該色変換詳細輝度信号に変換処理を施して色変換−変換詳細輝度信号とするとともに、該色変換詳細輝度信号と該色変換−変換詳細輝度信号から色変換−差分詳細輝度信号を生成する生成手段と、
　少なくとも該色変換−変換大域輝度信号と該色変換−差分大域輝度信号と該色変換−変換詳細輝度信号と該色変換−差分詳細輝度信号と該色変換入力色信号を前記記録媒体に記録する記録手段と、を備えたことを特徴とする画像記録装置。
【請求項１１１】
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とし、該色変換大域輝度信号と該色変換−変換大域輝度信号から色変換−差分大域輝度信号を生成し、該色変換入力色信号に変換処理を施して色変換−変換入力色信号を生成するとともに、該色変換入力色信号と該色変換−変換入力色信号を用いて色変換−差分入力色信号を生成する生成手段と、
　少なくとも該色変換−変換大域輝度信号と該色変換−差分大域輝度信号と該色変換詳細輝度信号と該色変換−変換入力色信号と該色変換−差分入力色信号を前記記録媒体に記録する記録手段と、を備えたことを特徴とする画像記録装置。
【請求項１１２】
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とし、該色変換大域輝度信号と該色変換−変換大域輝度信号から色変換−差分大域輝度信号を生成するとともに、該色変換−変換大域輝度信号と該色変換詳細輝度信号と該色変換入力色信号から鑑賞画像参照データを生成する生成手段と、
　少なくとも該鑑賞画像参照データと該色変換−変換大域輝度信号と該色変換−差分大域輝度信号と該色変換詳細輝度信号と該色変換入力色信号を前記記録媒体に記録する記録手段と、を備えたことを特徴とする画像記録装置。
【請求項１１３】
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とし、該色変換大域輝度信号と該色変換−変換大域輝度信号から該色変換−差分大域輝度信号を生成し、少なくとも該色変換詳細輝度信号に変換処理を施して色変換−変換詳細輝度信号とし、該色変換詳細輝度信号と該色変換−変換詳細輝度信号から色変換−差分詳細輝度信号を生成するとともに、該色変換−変換大域輝度信号と該色変換−変換詳細輝度信号と該色変換入力色信号から鑑賞画像参照データを生成する生成手段と、
　少なくとも該鑑賞画像参照データと該色変換−変換大域輝度信号と該色変換−差分大域輝度信号と該色変換−変換詳細輝度信号と該色変換−差分詳細輝度信号と該色変換入力色信号を前記記録媒体に記録する記録手段と、を備えたことを特徴とする画像記録装置。
【請求項１１４】
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とし、該色変換大域輝度信号と該色変換−変換大域輝度信号から色変換−差分大域輝度信号を生成し、該色変換入力色信号に変換処理を施して色変換−変換入力色信号を生成し、該色変換入力色信号と該色変換−変換入力色信号を用いて色変換−差分入力色信号を生成するとともに、該色変換−変換大域輝度信号と該色変換詳細輝度信号と該色変換−変換入力色信号から鑑賞画像参照データを生成する生成手段と、
　少なくとも該鑑賞画像参照データと該色変換大域輝度信号と該色変換−差分大域輝度信号と該色変換詳細輝度信号と該色変換−変換入力色信号と該色変換−差分入力色信号を前記記録媒体に記録する記録手段と、を備えたことを特徴とする画像記録装置。
【請求項１１５】
　前記大域信号は前記入力画像データの低周波成分で構成され、前記詳細信号は前記入力画像データの高周波成分で構成されることを特徴とする請求項７１〜７６及び請求項９３〜９８の何れか一項に記載の画像記録装置。
【請求項１１６】
　前記大域信号は前記入力画像データの低周波成分とエッジ成分で構成され、前記詳細信号は前記入力画像データの高周波成分からエッジ成分を除いた成分で構成されることを特徴とする請求項７１〜７６及び請求項９３〜９８の何れか一項に記載の画像記録装置。
【請求項１１７】
　前記生成手段は、前記入力画像データに周波数帯域分解処理を施して前記大域信号および／または前記詳細信号を生成することを特徴とする請求項７１〜７６及び請求項９３〜９８の何れか一項に記載の画像記録装置。
【請求項１１８】
　前記生成手段は、前記入力画像データにウェーブレット変換処理を施して前記大域信号および／または前記詳細信号を生成することを特徴とする請求項７１〜７６及び請求項９３〜９８の何れか一項に記載の画像記録装置。
【請求項１１９】
　前記生成手段により前記大域信号に施される変換処理は、階調変換処理であることを特徴とする請求項９３〜９８の何れか一項に記載の画像記録装置。
【請求項１２０】
　前記階調変換処理は非線形変換処理であることを特徴とする請求項１１９記載の画像記録装置。
【請求項１２１】
　前記大域輝度信号は入力輝度成分の低周波成分で構成され、前記詳細輝度信号は入力輝度成分の高周波成分で構成されることを特徴とする請求項７７〜８４及び請求項９９〜１０６の何れか一項に記載の画像記録装置。
【請求項１２２】
　前記大域輝度信号は入力輝度成分の低周波成分とエッジ成分で構成され、前記詳細輝度信号は入力輝度成分の高周波成分からエッジ成分を除いた成分で構成されることを特徴とする請求項７７〜８４及び請求項９９〜１０６の何れか一項に記載の画像記録装置。
【請求項１２３】
　前記生成手段は、前記入力画像データに周波数帯域分解処理を施して前記大域輝度信号および／または前記詳細輝度信号を生成することを特徴とする請求項７７〜８４及び請求項９９〜１０６の何れか一項に記載の画像記録装置。
【請求項１２４】
　前記生成手段は、前記入力画像データにウェーブレット変換処理を施して前記大域輝度信号および／または前記詳細輝度信号を生成することを特徴とする請求項７７〜８４及び請求項９９〜１０６の何れか一項に記載の画像記録装置。
【請求項１２５】
　前記生成手段により前記大域輝度信号に施される変換処理は、階調変換処理であることを特徴とする請求項９９〜１０６の何れか一項に記載の画像記録装置。
【請求項１２６】
　前記階調変換処理は非線形変換処理であることを特徴とする請求項１２５記載の画像記録装置。
【請求項１２７】
　前記色変換大域輝度信号は前記色変換入力輝度信号の低周波成分で構成され、前記色変換詳細輝度信号は前記色変換入力輝度信号の高周波成分で構成されることを特徴とする請求項８５〜９２及び請求項１０７〜１１４の何れか一項に記載の画像記録装置。
【請求項１２８】
　前記色変換大域輝度信号は前記色変換入力輝度信号の低周波成分とエッジ成分で構成され、前記色変換詳細輝度信号は前記色変換入力輝度信号の高周波成分からエッジ成分を除いた成分で構成されることを特徴とする請求項８５〜９２及び請求項１０７〜１１４の何れか一項に記載の画像記録装置。
【請求項１２９】
　前記生成手段は、前記色変換入力輝度信号に周波数帯域分解処理を施して前記色変換大域輝度信号および／または前記色変換詳細輝度信号を生成することを特徴とする請求項８５〜９２及び請求項１０７〜１１４の何れか一項に記載の画像記録装置。
【請求項１３０】
　前記生成手段は、前記色変換入力輝度信号にウェーブレット変換処理を施して前記色変換大域輝度信号および／または前記色変換詳細輝度信号を生成することを特徴とする請求項８５〜９２及び請求項１０７〜１１４の何れか一項に記載の画像記録装置。
【請求項１３１】
　前記生成手段により前記色変換大域輝度信号に施される変換処理は、階調変換処理であることを特徴とする請求項１０７〜１１４の何れか一項に記載の画像記録装置。
【請求項１３２】
　前記階調変換処理は非線形変換処理であることを特徴とする請求項１３１記載の画像記録装置。
【請求項１３３】
　前記鑑賞画像参照データが出力装置の特性に依存するものであることを特徴とする請求項７１〜１１４の何れか一項に記載の画像記録装置。
【請求項１３４】
　前記記録手段は、記録する信号またはデータを前記記録媒体に別ファイルとして記録することを特徴とする請求項７１〜１１４の何れか一項に記載の画像記録装置。
【請求項１３５】
　前記記録手段は、記録する信号またはデータを、前記記録媒体内の同一のファイルに記録することを特徴とする請求項７１〜１１４の何れか一項に記載の画像記録装置。
【請求項１３６】
　前記記録手段は、記録する信号またはデータのうち少なくとも一つの信号またはデータをメタデータとして、前記記録媒体内の同一のファイルに記録することを特徴とする請求項７１〜１１４の何れか一項に記載の画像記録装置。
【請求項１３７】
　前記記録手段は、複数の信号またはデータを同一の記録媒体に記録することを特徴とする請求項１３４〜１３６の何れか一項に記載の画像記録装置。
【請求項１３８】
　前記記録手段は、複数の信号またはデータを異なる記録媒体に記録することを特徴とする請求項１３４〜１３７の何れか一項に記載の画像記録装置。
【請求項１３９】
　前記記録手段は、複数の信号またはデータのうち、少なくともひとつの信号またはデータと、画像の編集作業を行うことが可能なアプリケーションを同一の記録媒体に記録することを特徴とする請求項１３４〜１３８の何れか一項に記載の画像記録装置。
【請求項１４０】
　前記記録手段は、複数の信号またはデータのうち、少なくともひとつの信号またはデータと、画像の編集作業を行うことが可能なアプリケーションを補強することを目的とするファイルを、同一の記録媒体に記録することを特徴とする請求項１３４〜１３９の何れか一項に記載の画像記録装置。
【請求項１４１】
　入力画像データに出力媒体上での鑑賞画像形成のために最適化する画像処理を施して鑑賞画像参照データを生成する画像処理方法において、
　前記入力画像データから少なくとも大域信号と詳細信号を取得する工程と、
　少なくとも取得した該大域信号と該詳細信号を用いて前記鑑賞画像参照データを生成する工程と、を含むことを特徴とする画像処理方法。
【請求項１４２】
　前記入力画像データに付随する付加情報を取得する工程と、
　取得した前記付加情報に基づいて前記大域信号および前記詳細信号の生成条件を決定する大域・詳細信号生成条件決定工程と、を含むことを特徴とする請求項１４１に記載の画像処理方法。
【請求項１４３】
　前記付加情報に基づいてローパスフィルター特性を決定し、決定されたローパスフィルター特性に基づいて前記大域信号と前記詳細信号とを生成することを特徴とする請求項１４２に記載の画像処理方法。
【請求項１４４】
　入力画像データに出力媒体上での鑑賞画像形成のために最適化する画像処理を施して鑑賞画像参照データを生成する画像処理方法において、
　前記入力画像データから少なくとも大域信号と変換詳細信号と差分詳細信号を取得する工程と、
　少なくとも取得した該大域信号と該変換詳細信号と該差分詳細信号を用いて前記鑑賞画像参照データを生成する工程と、を含むことを特徴とする画像処理方法。
【請求項１４５】
　入力画像データに出力媒体上での鑑賞画像形成のために最適化する画像処理を施して鑑賞画像参照データを生成する画像処理方法において、
　前記入力画像データから少なくとも鑑賞画像参照データと大域信号と詳細信号を取得する工程と、
　少なくとも取得した該鑑賞画像参照データと該大域信号と該詳細信号を用いて改変された鑑賞画像参照データを生成する工程と、を含むことを特徴とする画像処理方法。
【請求項１４６】
　入力画像データに出力媒体上での鑑賞画像形成のために最適化する画像処理を施して鑑賞画像参照データを生成する画像処理方法において、
　前記入力画像データから少なくとも鑑賞画像参照データと大域信号と変換詳細信号と差分詳細信号を取得する工程と、
　少なくとも取得した該鑑賞画像参照データと該大域信号と該変換詳細信号と該差分詳細信号を用いて改変された鑑賞画像参照データを生成する工程と、を含むことを特徴とする画像処理方法。
【請求項１４７】
　入力画像データに出力媒体上での鑑賞画像形成のために最適化する画像処理を施して鑑賞画像参照データを生成する画像処理方法において、
　前記入力画像データから少なくとも大域輝度信号と詳細輝度信号と入力色信号を取得する工程と、
　少なくとも取得した該大域輝度信号と該詳細輝度信号と該入力色信号を用いて前記鑑賞画像参照データを生成する工程と、を含むことを特徴とする画像処理方法。
【請求項１４８】
　前記入力画像データに付随する付加情報を取得する工程と、
　取得した前記付加情報に基づいて前記大域輝度信号および前記詳細輝度信号の生成条件を決定する大域・詳細輝度信号生成条件決定工程と、を含むことを特徴とする請求項１４７に記載の画像処理方法。
【請求項１４９】
　前記付加情報に基づいてローパスフィルター特性を決定し、決定されたローパスフィルター特性に基づいて前記大域輝度信号と前記詳細輝度信号とを生成することを特徴とする請求項１４８に記載の画像処理方法。
【請求項１５０】
　入力画像データに出力媒体上での鑑賞画像形成のために最適化する画像処理を施して鑑賞画像参照データを生成する画像処理方法において、
　前記入力画像データから少なくとも大域輝度信号と変換詳細輝度信号と差分詳細輝度信号と入力色信号を取得する工程と、
　少なくとも取得した該大域輝度信号と該変換詳細輝度信号と該差分詳細輝度信号と該入力色信号を用いて前記鑑賞画像参照データを生成する工程と、を含むことを特徴とする画像処理方法。
【請求項１５１】
　入力画像データに出力媒体上での鑑賞画像形成のために最適化する画像処理を施して鑑賞画像参照データを生成する画像処理方法において、
　前記入力画像データから少なくとも大域輝度信号と詳細輝度信号と変換入力色信号と差分入力色信号を取得する工程と、
　少なくとも取得した該大域輝度信号と該詳細輝度信号と該変換入力色信号と該差分入力色信号を用いて前記鑑賞画像参照データを生成する工程と、を含むことを特徴とする画像処理方法。
【請求項１５２】
　入力画像データに出力媒体上での鑑賞画像形成のために最適化する画像処理を施して鑑賞画像参照データを生成する画像処理方法において、
　前記入力画像データから少なくとも鑑賞画像参照データと大域輝度信号と詳細輝度信号と入力色信号を取得する工程と、
　少なくとも取得した該大域輝度信号と該詳細輝度信号と該入力色信号を用いて、改変された鑑賞画像参照データを生成する工程と、を含むことを特徴とする画像処理方法。
【請求項１５３】
　入力画像データに出力媒体上での鑑賞画像形成のために最適化する画像処理を施して鑑賞画像参照データを生成する画像処理方法において、
　前記入力画像データから少なくとも鑑賞画像参照データと大域輝度信号と変換詳細輝度信号と差分詳細輝度信号と入力色信号を取得する工程と、
　少なくとも取得した該大域輝度信号と該変換詳細輝度信号と該差分詳細輝度信号と該入力色信号を用いて改変された鑑賞画像参照データを生成する工程と、を含むことを特徴とする画像処理方法。
【請求項１５４】
　入力画像データに出力媒体上での鑑賞画像形成のために最適化する画像処理を施して鑑賞画像参照データを生成する画像処理方法において、
　前記入力画像データから少なくとも鑑賞画像参照データと大域輝度信号と詳細輝度信号と変換入力色信号と差分入力色信号を取得する工程と、
　少なくとも取得した該大域輝度信号と該詳細輝度信号と該変換入力色信号と該差分入力色信号を用いて改変された鑑賞画像参照データを生成する工程と、を含むことを特徴とする画像処理方法。
【請求項１５５】
　入力画像データに出力媒体上での鑑賞画像形成のために最適化する画像処理を施して鑑賞画像参照データを生成する画像処理方法において、
　前記入力画像データから少なくとも色変換大域輝度信号と色変換詳細輝度信号と色変換入力色信号を取得する工程と、
　少なくとも取得した該色変換大域輝度信号と該色変換詳細輝度信号と該色変換入力色信号を用いて前記鑑賞画像参照データを生成する工程と、を含むことを特徴とする画像処理方法。
【請求項１５６】
　前記入力画像データに付随する付加情報を取得する工程と、
　取得した前記付加情報に基づいて前記色変換大域輝度信号および前記色変換詳細輝度信号の生成条件を決定する色変換大域・詳細輝度信号生成条件決定工程と、を含むことを特徴とする請求項１５５に記載の画像処理方法。
【請求項１５７】
　前記付加情報に基づいてローパスフィルター特性を決定し、決定されたローパスフィルター特性に基づいて前記色変換大域輝度信号と前記色変換詳細輝度信号とを生成することを特徴とする請求項１５６に記載の画像処理方法。
【請求項１５８】
　入力画像データに出力媒体上での鑑賞画像形成のために最適化する画像処理を施して鑑賞画像参照データを生成する画像処理方法において、
　前記入力画像データから少なくとも色変換大域輝度信号と色変換−変換詳細輝度信号と色変換−差分詳細輝度信号と色変換入力色信号を取得する工程と、
　少なくとも取得した該色変換大域輝度信号と該色変−換変換詳細輝度信号と該色変換−差分詳細輝度信号と該色変換入力色信号を用いて前記鑑賞画像参照データを生成する工程と、を含むことを特徴とする画像処理方法。
【請求項１５９】
　入力画像データに出力媒体上での鑑賞画像形成のために最適化する画像処理を施して鑑賞画像参照データを生成する画像処理方法において、
　前記入力画像データから少なくとも色変換大域輝度信号と色変換詳細輝度信号と色変換変換入力色信号と色変換差分入力色信号を取得する工程と、
　少なくとも取得した該色変換大域輝度信号と該色変換詳細輝度信号と該色変換変換入力色信号と該色変換差分入力色信号を用いて前記鑑賞画像参照データを生成する工程と、を含むことを特徴とする画像処理方法。
【請求項１６０】
　入力画像データに出力媒体上での鑑賞画像形成のために最適化する画像処理を施して鑑賞画像参照データを生成する画像処理方法において、
　前記入力画像データから少なくとも鑑賞画像参照データと色変換大域輝度信号と色変換詳細輝度信号と色変換入力色信号を取得する工程と、
　少なくとも取得した該鑑賞画像参照データと該色変換大域輝度信号と該色変換詳細輝度信号と該色変換入力色信号を用いて改変された鑑賞画像参照データを生成する工程と、を含むことを特徴とする画像処理方法。
【請求項１６１】
　入力画像データに出力媒体上での鑑賞画像形成のために最適化する画像処理を施して鑑賞画像参照データを生成する画像処理方法において、
　前記入力画像データから少なくとも鑑賞画像参照データと色変換大域輝度信号と色変換−変換詳細輝度信号と色変換−差分詳細輝度信号と色変換入力色信号を取得する工程と、
　少なくとも取得した該鑑賞画像参照データと該色変換大域輝度信号と該色変換−変換詳細輝度信号と該色変換−差分詳細輝度信号と該色変換入力色信号を用いて、改変された鑑賞画像参照データを生成する工程と、を含むことを特徴とする画像処理方法。
【請求項１６２】
　入力画像データに出力媒体上での鑑賞画像形成のために最適化する画像処理を施して鑑賞画像参照データを生成する画像処理方法において、
　前記入力画像データから少なくとも鑑賞画像参照データと色変換大域輝度信号と色変換詳細輝度信号と色変換−変換入力色信号と色変換−差分入力色信号を取得する工程と、
　少なくとも取得した該鑑賞画像参照データと該色変換大域輝度信号と該色変換詳細輝度信号と該色変換−変換入力色信号と該色変換−差分入力色信号を用いて改変された鑑賞画像参照データを生成する工程と、を含むことを特徴とする画像処理方法。
【請求項１６３】
　入力画像データに出力媒体上での鑑賞画像形成のために最適化する画像処理を施して鑑賞画像参照データを生成する画像処理方法において、
　前記入力画像データから少なくとも変換大域信号と詳細信号と差分大域信号を取得する工程と、
　少なくとも取得した該変換大域信号と該詳細信号と該差分大域信号を用いて前記鑑賞画像参照データを生成する工程と、を含むことを特徴とする画像処理方法。
【請求項１６４】
　前記入力画像データに付随する付加情報を取得する工程と、
　取得した前記付加情報に基づいて、少なくとも前記大域信号および前記詳細信号の生成条件を決定する大域・詳細信号決定工程と、を含むことを特徴とする請求項１６３に記載の画像処理方法。
【請求項１６５】
　前記付加情報に基づいてローパスフィルター特性を決定し、決定されたローパスフィルター特性に基づいて前記大域信号と詳細信号とを生成することを特徴とする請求項１６４に記載の画像処理方法。
【請求項１６６】
　入力画像データに出力媒体上での鑑賞画像形成のために最適化する画像処理を施して鑑賞画像参照データを生成する画像処理方法において、
　前記入力画像データから少なくとも変換大域信号と差分大域信号と詳細信号と差分詳細信号を取得する工程と、
　少なくとも取得した該変換大域信号と該差分大域信号と該変換詳細信号と該差分詳細信号を用いて前記鑑賞画像参照データを生成する工程と、を含むことを特徴とする画像処理方法。
【請求項１６７】
　入力画像データに出力媒体上での鑑賞画像形成のために最適化する画像処理を施して鑑賞画像参照データを生成する画像処理方法において、
　前記入力画像データから少なくとも鑑賞画像参照データと変換大域信号と差分大域信号と詳細信号を取得する工程と、
　少なくとも取得した該鑑賞画像参照データと該変換大域信号と該差分大域信号と該詳細信号を用いて改変された鑑賞画像参照データを生成する工程と、を含むことを特徴とする画像処理方法。
【請求項１６８】
　入力画像データに出力媒体上での鑑賞画像形成のために最適化する画像処理を施して鑑賞画像参照データを生成する画像処理方法において、
　前記入力画像データから少なくとも鑑賞画像参照データと変換大域信号と差分大域信号と変換詳細信号と差分詳細信号を取得する工程と、
　少なくとも取得した該鑑賞画像参照データと該変換大域信号と該差分大域信号と該詳細信号と該差分詳細信号を用いて、改変された鑑賞画像参照データを生成する工程と、を含むことを特徴とする画像処理方法。
【請求項１６９】
　入力画像データに出力媒体上での鑑賞画像形成のために最適化する画像処理を施して鑑賞画像参照データを生成する画像処理方法において、
　前記入力画像データから少なくとも変換大域輝度信号と差分大域輝度信号と詳細輝度信号と入力色信号を取得する工程と、
　少なくとも取得した該変換大域輝度信号と該差分大域輝度信号と該詳細輝度信号と該入力色信号を用いて、鑑賞画像参照データを生成する工程と、を含むことを特徴とする画像処理方法。
【請求項１７０】
　前記入力画像データに付随する付加情報を取得する工程と、
　取得した前記付加情報に基づいて、少なくとも前記大域輝度信号および前記詳細輝度信号の生成条件を決定する大域・詳細輝度信号生成条件決定工程と、を含むことを特徴とする請求項１６９に記載の画像処理方法。
【請求項１７１】
　前記付加情報に基づいてローパスフィルター特性を決定し、決定されたローパスフィルター特性に基づいて前記大域輝度信号と詳細輝度信号とを生成することを特徴とする請求項１７０に記載の画像処理方法。
【請求項１７２】
　入力画像データに出力媒体上での鑑賞画像形成のために最適化する画像処理を施して鑑賞画像参照データを生成する画像処理方法において、
　前記入力画像データから少なくとも変換大域輝度信号と差分大域輝度信号と変換詳細輝度信号と差分詳細輝度信号と入力色信号を取得する工程と、
　少なくとも取得した該変換大域輝度信号と該差分大域輝度信号と該変換該詳細輝度信号と該差分詳細輝度信号と該入力色信号を用いて、鑑賞画像参照データを生成する工程と、を含むことを特徴とする画像処理方法。
【請求項１７３】
　入力画像データに出力媒体上での鑑賞画像形成のために最適化する画像処理を施して鑑賞画像参照データを生成する画像処理方法において、
　前記入力画像データから少なくとも変換大域輝度信号と差分大域輝度信号と詳細輝度信号と変換入力色信号と差分入力色信号を取得する工程と、
　少なくとも取得した該変換大域輝度信号と該差分大域輝度信号と該詳細輝度信号と該変換入力色信号と該差分入力色信号を用いて、鑑賞画像参照データを生成する工程と、を含むことを特徴とする画像処理方法。
【請求項１７４】
　入力画像データに出力媒体上での鑑賞画像形成のために最適化する画像処理を施して鑑賞画像参照データを生成する画像処理方法において、
　前記入力画像データから少なくとも鑑賞画像参照データと変換大域輝度信号と差分大域輝度信号と詳細輝度信号と入力色信号を取得する工程と、
　少なくとも取得した該鑑賞画像参照データと該変換大域輝度信号と該差分大域輝度信号と該詳細輝度信号と該入力色信号を用いて、改変された鑑賞画像参照データを生成する工程と、を含むことを特徴とする画像処理方法。
【請求項１７５】
　入力画像データに出力媒体上での鑑賞画像形成のために最適化する画像処理を施して鑑賞画像参照データを生成する画像処理方法において、
　前記入力画像データから鑑賞画像参照データと変換大域輝度信号と差分大域輝度信号と変換詳細輝度信号と差分詳細輝度信号と入力色信号を取得する工程と、
　少なくとも取得した該鑑賞画像参照データと該変換大域輝度信号と該差分大域輝度信号と該変換該詳細輝度信号と該差分詳細輝度信号と該入力色信号を用いて、改変された鑑賞画像参照データを生成する工程と、を含むことを特徴とする画像処理方法。
【請求項１７６】
　入力画像データに出力媒体上での鑑賞画像形成のために最適化する画像処理を施して鑑賞画像参照データを生成する画像処理方法において、
　前記入力画像データから少なくとも鑑賞画像参照データと変換大域輝度信号と差分大域輝度信号と詳細輝度信号と変換入力色信号と差分入力色信号を取得する工程と、
　少なくとも取得した該鑑賞画像参照データと該変換大域輝度信号と該差分大域輝度信号と該詳細輝度信号と該変換入力色信号と該差分入力色信号を用いて、改変された鑑賞画像参照データを生成する工程と、を含むことを特徴とする画像処理方法。
【請求項１７７】
　入力画像データに出力媒体上での鑑賞画像形成のために最適化する画像処理を施して鑑賞画像参照データを生成する画像処理方法において、
　前記入力画像データから少なくとも色変換−変換大域輝度信号と色変換−差分大域輝度信号と色変換詳細輝度信号と色変換入力色信号を取得する工程と、
　少なくとも取得した該色変換−変換大域輝度信号と該色変換−差分大域輝度信号と該色変換詳細輝度信号と該色変換入力色信号を用いて、鑑賞画像参照データを生成する工程と、を含むことを特徴とする画像処理方法。
【請求項１７８】
　前記入力画像データに付随する付加情報を取得する工程と、
　取得した前記付加情報に基づいて、少なくとも前記色変換大域輝度信号および前記色変換詳細輝度信号の生成条件を決定する色変換大域・詳細輝度信号生成条件決定工程と、を含むことを特徴とする請求項１７７に記載の画像処理方法。
【請求項１７９】
　前記付加情報に基づいてローパスフィルター特性を決定し、決定されたローパスフィルター特性に基づいて前記色変換大域輝度信号と色変換詳細輝度信号とを生成することを特徴とする請求項１７８に記載の画像処理方法。
【請求項１８０】
　入力画像データに出力媒体上での鑑賞画像形成のために最適化する画像処理を施して鑑賞画像参照データを生成する画像処理方法において、
　前記入力画像データから少なくとも色変換−変換大域輝度信号と色変換−差分大域輝度信号と色変換−変換詳細輝度信号と色変換−差分詳細輝度信号と色変換入力色信号を取得する工程と、
　少なくとも取得した該色変換−変換大域輝度信号と該色変換−差分大域輝度信号と該色変換−変換詳細輝度信号と該色変換−差分詳細輝度信号と該色変換入力色信号を用いて、鑑賞画像参照データを生成する工程と、を含むことを特徴とする画像処理方法。
【請求項１８１】
　入力画像データに出力媒体上での鑑賞画像形成のために最適化する画像処理を施して鑑賞画像参照データを生成する画像処理方法において、
　前記入力画像データから少なくとも色変換−変換大域輝度信号と色変換−差分大域輝度信号と色変換詳細輝度信号と色変換−変換入力色信号と色変換−差分入力色信号を取得する工程と、
　少なくとも取得した該色変換−変換大域輝度信号と該色変換−差分大域輝度信号と該色変換詳細輝度信号と該色変換−変換入力色信号と該色変換−差分入力色信号を用いて、鑑賞画像参照データを生成する工程と、を含むことを特徴とする画像処理方法。
【請求項１８２】
　入力画像データに出力媒体上での鑑賞画像形成のために最適化する画像処理を施して鑑賞画像参照データを生成する画像処理方法において、
　前記入力画像データから少なくとも鑑賞画像参照データと色変換−変換大域輝度信号と色変換−差分大域輝度信号と色変換詳細輝度信号と色変換入力色信号を取得する工程と、
　少なくとも取得した該鑑賞画像参照データと該色変換−変換大域輝度信号と該色変換−差分大域輝度信号と該色変換詳細輝度信号と該色変換入力色信号を用いて、改変された鑑賞画像参照データを生成する工程と、を含むことを特徴とする画像処理方法。
【請求項１８３】
　入力画像データに出力媒体上での鑑賞画像形成のために最適化する画像処理を施して鑑賞画像参照データを生成する画像処理方法において、
　前記入力画像データから少なくとも鑑賞画像参照データと色変換−変換大域輝度信号と色変換−差分大域輝度信号と色変換−変換詳細輝度信号と色変換−差分詳細輝度信号と色変換入力色信号を取得する工程と、
　少なくとも取得した該鑑賞画像参照データと該色変換−変換大域輝度信号と該色変換−差分大域輝度信号と該色変換−変換詳細輝度信号と該色変換−差分詳細輝度信号と該色変換入力色信号を用いて、改変された鑑賞画像参照データを生成する工程と、を含むことを特徴とする画像処理方法。
【請求項１８４】
　入力画像データに出力媒体上での鑑賞画像形成のために最適化する画像処理を施して鑑賞画像参照データを生成する画像処理方法において、
　前記入力画像データから少なくとも鑑賞画像参照データと色変換大域輝度信号と色変換−差分大域輝度信号と色変換詳細輝度信号と色変換−変換入力色信号と色変換−差分入力色信号を取得する工程と、
　少なくとも取得した該鑑賞画像参照データと該色変換大域輝度信号と該色変換−差分大域輝度信号と該色変換詳細輝度信号と該色変換−変換入力色信号と該色変換−差分入力色信号を用いて、改変された鑑賞画像参照データを生成する工程と、を含むことを特徴とする画像処理方法。
【請求項１８５】
　前記鑑賞画像参照データが出力装置の特性に依存するものであることを特徴とする請求項１４１〜１８４の何れか一項に記載の画像処理方法。
【請求項１８６】
　入力画像データに出力媒体上での鑑賞画像形成のために最適化する画像処理を施して鑑賞画像参照データを生成する画像処理装置において、
　前記入力画像データから少なくとも大域信号と詳細信号を取得する取得手段と、
　少なくとも取得した該大域信号と該詳細信号を用いて前記鑑賞画像参照データを生成する生成手段と、を備えたことを特徴とする画像処理装置。
【請求項１８７】
　前記入力画像データに付随する付加情報を取得する手段と、
　取得した前記付加情報に基づいて前記大域信号および前記詳細信号の生成条件を決定する大域・詳細信号生成条件決定手段と、を備えたことを特徴とする請求項１８６に記載の画像処理装置。
【請求項１８８】
　前記付加情報に基づいてローパスフィルター特性を決定し、決定されたローパスフィルター特性に基づいて前記大域信号と前記詳細信号とを生成することを特徴とする請求項１８７に記載の画像処理装置。
【請求項１８９】
　入力画像データに出力媒体上での鑑賞画像形成のために最適化する画像処理を施して鑑賞画像参照データを生成する画像処理装置において、
　前記入力画像データから少なくとも大域信号と変換詳細信号と差分詳細信号を取得する取得手段と、
　少なくとも取得した該大域信号と該変換詳細信号と該差分詳細信号を用いて前記鑑賞画像参照データを生成する生成手段と、を備えたことを特徴とする画像処理装置。
【請求項１９０】
　入力画像データに出力媒体上での鑑賞画像形成のために最適化する画像処理を施して鑑賞画像参照データを生成する画像処理装置において、
　前記入力画像データから少なくとも鑑賞画像参照データと大域信号と詳細信号を取得する取得手段と、
　少なくとも取得した該鑑賞画像参照データと該大域信号と該詳細信号を用いて改変された鑑賞画像参照データを生成する生成手段と、を備えたことを特徴とする画像処理装置。
【請求項１９１】
　入力画像データに出力媒体上での鑑賞画像形成のために最適化する画像処理を施して鑑賞画像参照データを生成する画像処理装置において、
　前記入力画像データから少なくとも鑑賞画像参照データと大域信号と変換詳細信号と差分詳細信号を取得する取得手段と、
　少なくとも取得した該鑑賞画像参照データと該大域信号と該変換詳細信号と該差分詳細信号を用いて改変された鑑賞画像参照データを生成する生成手段と、を備えたことを特徴とする画像処理装置。
【請求項１９２】
　入力画像データに出力媒体上での鑑賞画像形成のために最適化する画像処理を施して鑑賞画像参照データを生成する画像処理装置において、
　前記入力画像データから少なくとも大域輝度信号と詳細輝度信号と入力色信号を取得する取得手段と、
　少なくとも取得した該大域輝度信号と該詳細輝度信号と該入力色信号を用いて前記鑑賞画像参照データを生成する生成手段と、を備えたことを特徴とする画像処理装置。
【請求項１９３】
　前記入力画像データに付随する付加情報を取得する手段と、
　取得した前記付加情報に基づいて前記大域輝度信号および前記詳細輝度信号の生成条件を決定する大域・詳細輝度信号生成条件決定手段と、を備えたことを特徴とする請求項１９２に記載の画像処理装置。
【請求項１９４】
　前記付加情報に基づいてローパスフィルター特性を決定し、決定されたローパスフィルター特性に基づいて前記大域輝度信号と前記詳細輝度信号とを生成することを特徴とする請求項１９３に記載の画像処理装置。
【請求項１９５】
　入力画像データに出力媒体上での鑑賞画像形成のために最適化する画像処理を施して鑑賞画像参照データを生成する画像処理装置において、
　前記入力画像データから少なくとも大域輝度信号と変換詳細輝度信号と差分詳細輝度信号と入力色信号を取得する取得手段と、
　少なくとも取得した該大域輝度信号と該変換詳細輝度信号と該差分詳細輝度信号と該入力色信号を用いて前記鑑賞画像参照データを生成する生成手段と、を備えたことを特徴とする画像処理装置。
【請求項１９６】
　入力画像データに出力媒体上での鑑賞画像形成のために最適化する画像処理を施して鑑賞画像参照データを生成する画像処理装置において、
　前記入力画像データから少なくとも大域輝度信号と詳細輝度信号と変換入力色信号と差分入力色信号を取得する取得手段と、
　少なくとも取得した該大域輝度信号と該詳細輝度信号と該変換入力色信号と該差分入力色信号を用いて前記鑑賞画像参照データを生成する生成手段と、を備えたことを特徴とする画像処理装置。
【請求項１９７】
　入力画像データに出力媒体上での鑑賞画像形成のために最適化する画像処理を施して鑑賞画像参照データを生成する画像処理装置において、
　前記入力画像データから少なくとも鑑賞画像参照データと大域輝度信号と詳細輝度信号と入力色信号を取得する取得手段と、
　少なくとも取得した該大域輝度信号と該詳細輝度信号と該入力色信号を用いて、改変された鑑賞画像参照データを生成する生成手段と、を備えたことを特徴とする画像処理装置。
【請求項１９８】
　入力画像データに出力媒体上での鑑賞画像形成のために最適化する画像処理を施して鑑賞画像参照データを生成する画像処理装置において、
　前記入力画像データから少なくとも鑑賞画像参照データと大域輝度信号と変換詳細輝度信号と差分詳細輝度信号と入力色信号を取得する取得手段と、
　少なくとも取得した該大域輝度信号と該変換詳細輝度信号と該差分詳細輝度信号と該入力色信号を用いて改変された鑑賞画像参照データを生成する生成手段と、を備えたことを特徴とする画像処理装置。
【請求項１９９】
　入力画像データに出力媒体上での鑑賞画像形成のために最適化する画像処理を施して鑑賞画像参照データを生成する画像処理装置において、
　前記入力画像データから少なくとも鑑賞画像参照データと大域輝度信号と詳細輝度信号と変換入力色信号と差分入力色信号を取得する取得手段と、
　少なくとも取得した該大域輝度信号と該詳細輝度信号と該変換入力色信号と該差分入力色信号を用いて改変された鑑賞画像参照データを生成する生成手段と、を備えたことを特徴とする画像処理装置。
【請求項２００】
　入力画像データに出力媒体上での鑑賞画像形成のために最適化する画像処理を施して鑑賞画像参照データを生成する画像処理装置において、
　前記入力画像データから少なくとも色変換大域輝度信号と色変換詳細輝度信号と色変換入力色信号を取得する取得手段と、
　少なくとも取得した該色変換大域輝度信号と該色変換詳細輝度信号と該色変換入力色信号を用いて前記鑑賞画像参照データを生成する生成手段と、を備えたことを特徴とする画像処理装置。
【請求項２０１】
　前記入力画像データに付随する付加情報を取得する手段と、
　取得した前記付加情報に基づいて前記色変換大域輝度信号および前記色変換詳細輝度信号の生成条件を決定する色変換大域・詳細輝度信号生成条件決定手段と、を備えたことを特徴とする請求項２００に記載の画像処理装置。
【請求項２０２】
　前記付加情報に基づいてローパスフィルター特性を決定し、決定されたローパスフィルター特性に基づいて前記色変換大域輝度信号と前記色変換詳細輝度信号とを生成することを特徴とする請求項２０１に記載の画像処理装置。
【請求項２０３】
　入力画像データに出力媒体上での鑑賞画像形成のために最適化する画像処理を施して鑑賞画像参照データを生成する画像処理装置において、
　前記入力画像データから少なくとも色変換大域輝度信号と色変換−変換詳細輝度信号と色変換−差分詳細輝度信号と色変換入力色信号を取得する取得手段と、
　少なくとも取得した該色変換大域輝度信号と該色変−換変換詳細輝度信号と該色変換−差分詳細輝度信号と該色変換入力色信号を用いて前記鑑賞画像参照データを生成する生成手段と、を備えたことを特徴とする画像処理装置。
【請求項２０４】
　入力画像データに出力媒体上での鑑賞画像形成のために最適化する画像処理を施して鑑賞画像参照データを生成する画像処理装置において、
　前記入力画像データから少なくとも色変換大域輝度信号と色変換詳細輝度信号と色変換変換入力色信号と色変換差分入力色信号を取得する取得手段と、
　少なくとも取得した該色変換大域輝度信号と該色変換詳細輝度信号と該色変換変換入力色信号と該色変換差分入力色信号を用いて前記鑑賞画像参照データを生成する生成手段と、を備えたことを特徴とする画像処理装置。
【請求項２０５】
　入力画像データに出力媒体上での鑑賞画像形成のために最適化する画像処理を施して鑑賞画像参照データを生成する画像処理装置において、
　前記入力画像データから少なくとも鑑賞画像参照データと色変換大域輝度信号と色変換詳細輝度信号と色変換入力色信号を取得する取得手段と、
　少なくとも取得した該鑑賞画像参照データと該色変換大域輝度信号と該色変換詳細輝度信号と該色変換入力色信号を用いて改変された鑑賞画像参照データを生成する生成手段と、を備えたことを特徴とする画像処理装置。
【請求項２０６】
　入力画像データに出力媒体上での鑑賞画像形成のために最適化する画像処理を施して鑑賞画像参照データを生成する画像処理装置において、
　前記入力画像データから少なくとも鑑賞画像参照データと色変換大域輝度信号と色変換−変換詳細輝度信号と色変換−差分詳細輝度信号と色変換入力色信号を取得する取得手段と、
　少なくとも取得した該鑑賞画像参照データと該色変換大域輝度信号と該色変換−変換詳細輝度信号と該色変換−差分詳細輝度信号と該色変換入力色信号を用いて、改変された鑑賞画像参照データを生成する生成手段と、を備えたことを特徴とする画像処理装置。
【請求項２０７】
　入力画像データに出力媒体上での鑑賞画像形成のために最適化する画像処理を施して鑑賞画像参照データを生成する画像処理装置において、
　前記入力画像データから少なくとも鑑賞画像参照データと色変換大域輝度信号と色変換詳細輝度信号と色変換−変換入力色信号と色変換−差分入力色信号を取得する取得手段と、
　少なくとも取得した該鑑賞画像参照データと該色変換大域輝度信号と該色変換詳細輝度信号と該色変換−変換入力色信号と該色変換−差分入力色信号を用いて改変された鑑賞画像参照データを生成する生成手段と、を備えたことを特徴とする画像処理装置。
【請求項２０８】
　入力画像データに出力媒体上での鑑賞画像形成のために最適化する画像処理を施して鑑賞画像参照データを生成する画像処理装置において、
　前記入力画像データから少なくとも変換大域信号と詳細信号と差分大域信号を取得する取得手段と、
　少なくとも取得した該変換大域信号と該詳細信号と該差分大域信号を用いて前記鑑賞画像参照データを生成する生成手段と、を備えたことを特徴とする画像処理装置。
【請求項２０９】
　前記入力画像データに付随する付加情報を取得する手段と、
　取得した前記付加情報に基づいて、少なくとも前記大域信号および前記詳細信号の生成条件を決定する大域・詳細信号生成条件決定手段と、を備えたことを特徴とする請求項２０８に記載の画像処理装置。
【請求項２１０】
　前記付加情報に基づいてローパスフィルター特性を決定し、決定されたローパスフィルター特性に基づいて前記大域信号と詳細信号とを生成することを特徴とする請求項２０９に記載の画像処理装置。
【請求項２１１】
　入力画像データに出力媒体上での鑑賞画像形成のために最適化する画像処理を施して鑑賞画像参照データを生成する画像処理装置において、
　前記入力画像データから少なくとも変換大域信号と差分大域信号と詳細信号と差分詳細信号を取得する取得手段と、
　少なくとも取得した該変換大域信号と該差分大域信号と該変換詳細信号と該差分詳細信号を用いて前記鑑賞画像参照データを生成する生成手段と、を備えたことを特徴とする画像処理装置。
【請求項２１２】
　入力画像データに出力媒体上での鑑賞画像形成のために最適化する画像処理を施して鑑賞画像参照データを生成する画像処理装置において、
　前記入力画像データから少なくとも鑑賞画像参照データと変換大域信号と差分大域信号と詳細信号を取得する取得手段と、
　少なくとも取得した該鑑賞画像参照データと該変換大域信号と該差分大域信号と該詳細信号を用いて改変された鑑賞画像参照データを生成する生成手段と、を備えたことを特徴とする画像処理装置。
【請求項２１３】
　入力画像データに出力媒体上での鑑賞画像形成のために最適化する画像処理を施して鑑賞画像参照データを生成する画像処理装置において、
　前記入力画像データから少なくとも鑑賞画像参照データと変換大域信号と差分大域信号と変換詳細信号と差分詳細信号を取得する取得手段と、
　少なくとも取得した該鑑賞画像参照データと該変換大域信号と該差分大域信号と該詳細信号と該差分詳細信号を用いて、改変された鑑賞画像参照データを生成する生成手段と、を備えたことを特徴とする画像処理装置。
【請求項２１４】
　入力画像データに出力媒体上での鑑賞画像形成のために最適化する画像処理を施して鑑賞画像参照データを生成する画像処理装置において、
　前記入力画像データから少なくとも変換大域輝度信号と差分大域輝度信号と詳細輝度信号と入力色信号を取得する取得手段と、
　少なくとも取得した該変換大域輝度信号と該差分大域輝度信号と該詳細輝度信号と該入力色信号を用いて、鑑賞画像参照データを生成する生成手段と、を備えたことを特徴とする画像処理装置。
【請求項２１５】
　前記入力画像データに付随する付加情報を取得する手段と、
　取得した前記付加情報に基づいて、少なくとも前記大域輝度信号および前記詳細輝度信号の生成条件を決定する大域・詳細輝度信号生成条件決定手段と、を備えたことを特徴とする請求項２１４に記載の画像処理装置。
【請求項２１６】
　前記付加情報に基づいてローパスフィルター特性を決定し、決定されたローパスフィルター特性に基づいて前記大域輝度信号と詳細輝度信号とを生成することを特徴とする請求項２１５に記載の画像処理装置。
【請求項２１７】
　入力画像データに出力媒体上での鑑賞画像形成のために最適化する画像処理を施して鑑賞画像参照データを生成する画像処理装置において、
　前記入力画像データから少なくとも変換大域輝度信号と差分大域輝度信号と変換詳細輝度信号と差分詳細輝度信号と入力色信号を取得する取得手段と、
　少なくとも取得した該変換大域輝度信号と該差分大域輝度信号と該変換該詳細輝度信号と該差分詳細輝度信号と該入力色信号を用いて、鑑賞画像参照データを生成する生成手段と、を備えたことを特徴とする画像処理装置。
【請求項２１８】
　入力画像データに出力媒体上での鑑賞画像形成のために最適化する画像処理を施して鑑賞画像参照データを生成する画像処理装置において、
　前記入力画像データから少なくとも変換大域輝度信号と差分大域輝度信号と詳細輝度信号と変換入力色信号と差分入力色信号を取得する取得手段と、
　少なくとも取得した該変換大域輝度信号と該差分大域輝度信号と該詳細輝度信号と該変換入力色信号と該差分入力色信号を用いて、鑑賞画像参照データを生成する生成手段と、を備えたことを特徴とする画像処理装置。
【請求項２１９】
　入力画像データに出力媒体上での鑑賞画像形成のために最適化する画像処理を施して鑑賞画像参照データを生成する画像処理装置において、
　前記入力画像データから少なくとも鑑賞画像参照データと変換大域輝度信号と差分大域輝度信号と詳細輝度信号と入力色信号を取得する取得手段と、
　少なくとも取得した該鑑賞画像参照データと該変換大域輝度信号と該差分大域輝度信号と該詳細輝度信号と該入力色信号を用いて、改変された鑑賞画像参照データを生成する生成手段と、を備えたことを特徴とする画像処理装置。
【請求項２２０】
　入力画像データに出力媒体上での鑑賞画像形成のために最適化する画像処理を施して鑑賞画像参照データを生成する画像処理装置において、
　前記入力画像データから鑑賞画像参照データと変換大域輝度信号と差分大域輝度信号と変換詳細輝度信号と差分詳細輝度信号と入力色信号を取得する取得手段と、
　少なくとも取得した該鑑賞画像参照データと該変換大域輝度信号と該差分大域輝度信号と該変換該詳細輝度信号と該差分詳細輝度信号と該入力色信号を用いて、改変された鑑賞画像参照データを生成する生成手段と、を備えたことを特徴とする画像処理装置。
【請求項２２１】
　入力画像データに出力媒体上での鑑賞画像形成のために最適化する画像処理を施して鑑賞画像参照データを生成する画像処理装置において、
　前記入力画像データから少なくとも鑑賞画像参照データと変換大域輝度信号と差分大域輝度信号と詳細輝度信号と変換入力色信号と差分入力色信号を取得する取得手段と、
　少なくとも取得した該鑑賞画像参照データと該変換大域輝度信号と該差分大域輝度信号と該詳細輝度信号と該変換入力色信号と該差分入力色信号を用いて、改変された鑑賞画像参照データを生成する生成手段と、を備えたことを特徴とする画像処理装置。
【請求項２２２】
　入力画像データに出力媒体上での鑑賞画像形成のために最適化する画像処理を施して鑑賞画像参照データを生成する画像処理装置において、
　前記入力画像データから少なくとも色変換−変換大域輝度信号と色変換−差分大域輝度信号と色変換詳細輝度信号と色変換入力色信号を取得する取得手段と、
　少なくとも取得した該色変換−変換大域輝度信号と該色変換−差分大域輝度信号と該色変換詳細輝度信号と該色変換入力色信号を用いて、鑑賞画像参照データを生成する生成手段と、を備えたことを特徴とする画像処理装置。
【請求項２２３】
　前記入力画像データに付随する付加情報を取得する手段と、
　取得した前記付加情報に基づいて、少なくとも前記色変換大域輝度信号および前記色変換詳細輝度信号の生成条件を決定する色変換大域・詳細輝度信号生成条件決定手段と、を備えたことを特徴とする請求項２２２に記載の画像記録方法。
【請求項２２４】
　前記付加情報に基づいてローパスフィルター特性を決定し、決定されたローパスフィルター特性に基づいて前記色変換大域輝度信号と色変換詳細輝度信号とを生成することを特徴とする請求項２２３に記載の画像処理装置。
【請求項２２５】
　入力画像データに出力媒体上での鑑賞画像形成のために最適化する画像処理を施して鑑賞画像参照データを生成する画像処理装置において、
　前記入力画像データから少なくとも色変換−変換大域輝度信号と色変換−差分大域輝度信号と色変換−変換詳細輝度信号と色変換−差分詳細輝度信号と色変換入力色信号を取得する取得手段と、
　少なくとも取得した該色変換−変換大域輝度信号と該色変換−差分大域輝度信号と該色変換−変換詳細輝度信号と該色変換−差分詳細輝度信号と該色変換入力色信号を用いて、鑑賞画像参照データを生成する生成手段と、を備えたことを特徴とする画像処理装置。
【請求項２２６】
　入力画像データに出力媒体上での鑑賞画像形成のために最適化する画像処理を施して鑑賞画像参照データを生成する画像処理装置において、
　前記入力画像データから少なくとも色変換−変換大域輝度信号と色変換−差分大域輝度信号と色変換詳細輝度信号と色変換−変換入力色信号と色変換−差分入力色信号を取得する取得手段と、
　少なくとも取得した該色変換−変換大域輝度信号と該色変換−差分大域輝度信号と該色変換詳細輝度信号と該色変換−変換入力色信号と該色変換−差分入力色信号を用いて、鑑賞画像参照データを生成する生成手段と、を備えたことを特徴とする画像処理装置。
【請求項２２７】
　入力画像データに出力媒体上での鑑賞画像形成のために最適化する画像処理を施して鑑賞画像参照データを生成する画像処理装置において、
　前記入力画像データから少なくとも鑑賞画像参照データと色変換−変換大域輝度信号と色変換−差分大域輝度信号と色変換詳細輝度信号と色変換入力色信号を取得する取得手段と、
　少なくとも取得した該鑑賞画像参照データと該色変換−変換大域輝度信号と該色変換−差分大域輝度信号と該色変換詳細輝度信号と該色変換入力色信号を用いて、改変された鑑賞画像参照データを生成する生成手段と、を備えたことを特徴とする画像処理装置。
【請求項２２８】
　入力画像データに出力媒体上での鑑賞画像形成のために最適化する画像処理を施して鑑賞画像参照データを生成する画像処理装置において、
　前記入力画像データから少なくとも鑑賞画像参照データと色変換−変換大域輝度信号と色変換−差分大域輝度信号と色変換−変換詳細輝度信号と色変換−差分詳細輝度信号と色変換入力色信号を取得する取得手段と、
　少なくとも取得した該鑑賞画像参照データと該色変換−変換大域輝度信号と該色変換−差分大域輝度信号と該色変換−変換詳細輝度信号と該色変換−差分詳細輝度信号と該色変換入力色信号を用いて、改変された鑑賞画像参照データを生成する生成手段と、を備えたことを特徴とする画像処理装置。
【請求項２２９】
　入力画像データに出力媒体上での鑑賞画像形成のために最適化する画像処理を施して鑑賞画像参照データを生成する画像処理装置において、
　前記入力画像データから少なくとも鑑賞画像参照データと色変換大域輝度信号と色変換−差分大域輝度信号と色変換詳細輝度信号と色変換−変換入力色信号と色変換−差分入力色信号を取得する取得手段と、
　少なくとも取得した該鑑賞画像参照データと該色変換大域輝度信号と該色変換−差分大域輝度信号と該色変換詳細輝度信号と該色変換−変換入力色信号と該色変換−差分入力色信号を用いて、改変された鑑賞画像参照データを生成する生成手段と、を備えたことを特徴とする画像処理装置。
【請求項２３０】
　前記鑑賞画像参照データが出力装置の特性に依存するものであることを特徴とする請求項１８６〜２２９の何れか一項に記載の画像処理装置。
【請求項２３１】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　少なくとも該大域信号と該詳細信号を前記記録媒体に記録する機能と、
　を含むプログラムを記録したことを特徴とする記録媒体。
【請求項２３２】
　前記プログラムは、
　前記入力画像データに付随する付加情報を取得する機能と、
　取得した前記付加情報に基づいて前記大域信号および前記詳細信号の生成条件を決定する機能と、を含むことを特徴とする請求項２３１に記載の記録媒体。
【請求項２３３】
　前記プログラムにおいて、前記付加情報に基づいてローパスフィルター特性が決定され、決定されたローパスフィルター特性に基づいて前記大域信号と前記詳細信号とが生成されることを特徴とする請求項２３２に記載の記録媒体。
【請求項２３４】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　少なくとも該詳細信号に詳細変換処理を施して変換詳細信号とする機能と、
　該詳細信号と該変換詳細信号を用いて差分詳細信号を生成する機能と、
　少なくとも該大域信号と該変換詳細信号と該差分詳細信号を前記記録媒体に記録する機能と、
　を含むプログラムを記録したことを特徴とする記録媒体。
【請求項２３５】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　該大域信号と該詳細信号から鑑賞画像参照データを生成する機能と、
　少なくとも該大域信号と該詳細信号と鑑賞画像参照データを前記記録媒体に記録する機能と、
　を含むプログラムを記録したことを特徴とする記録媒体。
【請求項２３６】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　少なくとも詳細信号に詳細変換処理を施して変換詳細信号とする機能と、
　該詳細信号と該変換詳細信号を用いて差分詳細信号を生成する機能と、
　該大域信号と該変換詳細信号から鑑賞画像参照データを生成する機能と、
　少なくとも該大域信号と該変換詳細信号と該差分詳細信号と該鑑賞画像参照データを前記記録媒体に記録する機能と、
　を含むプログラムを記録したことを特徴とする記録媒体。
【請求項２３７】
　入力画像データに出力媒体上での鑑賞画像形成のために最適化する画像処理を施して、鑑賞画像参照データを生成するための画像データを記録媒体に記録する処理を実行すさせためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該大域輝度信号と該詳細輝度信号と該入力色信号を前記記録媒体に記録する機能と、
　を含むプログラムを記録したことを特徴とする記録媒体。
【請求項２３８】
　前記プログラムは、
　前記入力画像データに付随する付加情報を取得する機能と、
　取得した前記付加情報に基づいて前記大域輝度信号および前記詳細輝度信号の生成条件を決定する機能と、を含むことを特徴とする請求項２３７に記載の記録媒体。
【請求項２３９】
　前記プログラムにおいて、
　前記付加情報に基づいてローパスフィルター特性が決定され、決定されたローパスフィルター特性に基づいて前記大域輝度信号と前記詳細輝度信号とが生成されることを特徴とする請求項２３８に記載の記録媒体。
【請求項２４０】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも詳細輝度信号に詳細変換処理を施して変換詳細輝度信号とする機能と、
　該詳細輝度信号と該変換詳細輝度信号を用いて差分詳細輝度信号を生成する機能と、
　少なくとも該大域輝度信号と該変換詳細輝度信号と該差分詳細輝度信号と該入力色信号を前記記録媒体に記録する機能と、
　を含むプログラムを記録したことを特徴とする記録媒体。
【請求項２４１】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも入力色信号に色変換処理を施して変換入力色信号を生成する機能と、
　該入力色信号と該変換入力色信号から差分入力色信号を生成する機能と、
　少なくとも該大域輝度信号と該詳細輝度信号と該変換入力色信号と該差分入力色信号を前記記録媒体に記録する機能と、
　を含むプログラムを記録したことを特徴とする記録媒体。
【請求項２４２】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　該大域輝度信号と該詳細輝度信号と該入力色信号から鑑賞画像参照データを生成する機能と、
　少なくとも該鑑賞画像参照データと該大域輝度信号と該詳細輝度信号と該入力色信号を前記記録媒体に記録する機能と、
　を含むプログラムを記録したことを特徴とする記録媒体。
【請求項２４３】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該詳細輝度信号に詳細変換処理を施して変換詳細輝度信号とする機能と、
　該詳細輝度信号と該変換詳細輝度信号を用いて差分詳細輝度信号を生成する機能と、
　該大域輝度信号と変換詳細輝度信号と入力色信号から鑑賞画像参照データを生成する機能と、
　少なくとも該鑑賞画像参照データと該大域輝度信号と該変換詳細輝度信号と該差分詳細輝度信号と該入力色信号を前記記録媒体に記録する機能と、
　を含むプログラムを記録したことを特徴とする記録媒体。
【請求項２４４】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該入力色信号に色変換処理を施して変換入力色信号を生成する機能と、
　該入力色信号と該変換入力色信号から差分入力色信号を生成する機能と、
　該大域輝度信号と該詳細輝度信号と該変換入力色信号から鑑賞画像参照データを生成する機能と、
　少なくとも該鑑賞画像参照データと該大域輝度信号と該詳細輝度信号と該変換入力色信号と該差分入力色信号を前記記録媒体に記録する機能と、を含むプログラムを記録したことを特徴とする記録媒体。
【請求項２４５】
　入力画像データに出力媒体上での鑑賞画像形成のために最適化する画像処理を施して、鑑賞画像参照データを生成するために画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号と該色変換詳細輝度信号と該色変換入力色信号を前記記録媒体に記録する機能と、
　を含むプログラムを記録したことを特徴とする記録媒体。
【請求項２４６】
　前記プログラムは、
　前記入力画像データに付随する付加情報を取得する機能と、
　取得した前記付加情報に基づいて前記色変換大域輝度信号および前記色変換詳細輝度信号の生成条件を決定する機能と、を含むことを特徴とする請求項２４５に記載の記録媒体。
【請求項２４７】
　前記プログラムにおいて、前記付加情報に基づいてローパスフィルター特性が決定され、決定されたローパスフィルター特性に基づいて前記色変換大域輝度信号と前記色変換詳細輝度信号とが生成されることを特徴とする請求項２４６に記載の記録媒体。
【請求項２４８】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換詳細輝度信号に変換処理を施し色変換−変換詳細輝度信号を生成する機能と、
　該色変換詳細輝度信号と該色変換−変換詳細輝度信号から色変換−差分詳細輝度信号を生成する機能と、
　少なくとも該色変換大域輝度信号と該色変換−変換詳細輝度信号と該色変換−差分詳細輝度信号と該色変換入力色信号を前記記録媒体に記録する機能と、
　を含むプログラムを記録したことを特徴とする記録媒体。
【請求項２４９】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　該色変換入力色信号に変換処理を施して色変換−変換入力色信号を生成する機能と、
　該色変換入力色信号と該色変換−変換入力色信号から色変換−差分入力色信号を生成する機能と、
　少なくとも該色変換大域輝度信号と該色変換詳細輝度信号と該色変換−変換入力色信号と該色変換−差分入力色信号を前記記録媒体に記録する機能と、
　を含むプログラムを記録したことを特徴とする記録媒体。
【請求項２５０】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　該色変換大域輝度信号と該色変換詳細輝度信号と該色変換入力色信号から鑑賞画像参照データを生成する機能と、
　少なくとも該鑑賞画像参照データと該色変換大域輝度信号と該色変換詳細輝度信号と該色変換入力色信号を前記記録媒体に記録する機能と、
　を含むプログラムを記録したことを特徴とする記録媒体。
【請求項２５１】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換詳細輝度信号に変換処理を施し色変換−変換詳細輝度信号を生成する機能と、
　該色変換詳細輝度信号と該色変換−変換詳細輝度信号から色変換−差分詳細輝度信号を生成する機能と、
　該色変換大域輝度信号と該色変換−変換詳細輝度信号と該色変換入力色信号から鑑賞画像参照データを生成する機能と、
　少なくとも該鑑賞画像参照データと該色変換大域輝度信号と該色変換−変換詳細輝度信号と該色変換−差分詳細輝度信号と該色変換入力色信号を前記記録媒体に記録する機能と、
　を含むプログラムを記録したことを特徴とする記録媒体。
【請求項２５２】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　該色変換入力色信号に変換処理を施して色変換−変換入力色信号を生成する機能と、
　該色変換入力色信号と該色変換−変換入力色信号から色変換−差分入力色信号を生成する機能と、
　該色変換大域輝度信号と該色変換詳細輝度信号と該色変換−変換入力色信号から鑑賞画像参照データを生成する機能と、
　少なくとも該鑑賞画像参照データと該色変換大域輝度信号と該色変換詳細輝度信号と該色変換−変換入力色信号と該色変換−差分入力色信号を前記記録媒体に記録する機能と、
　を含むプログラムを記録したことを特徴とする記録媒体。
【請求項２５３】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　少なくとも該変換大域信号と該詳細信号と該差分大域信号を前記記録媒体に記録する機能と、
　を含むプログラムを記録したことを特徴とする記録媒体。
【請求項２５４】
　前記プログラムは、
　前記入力画像データに付随する付加情報を取得する機能と、
　取得した前記付加情報に基づいて、少なくとも前記大域信号および前記詳細信号の生成条件を決定する機能と、を含むことを特徴とする請求項２５３に記載の記録媒体。
【請求項２５５】
　前記プログラムにおいて、前記付加情報に基づいてローパスフィルター特性が決定され、決定されたローパスフィルター特性に基づいて前記大域信号と詳細信号とが生成されることを特徴とする請求項２５４に記載の記録媒体。
【請求項２５６】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　少なくとも該詳細信号に変換処理を施し変換詳細信号を生成する機能と、
　該詳細信号と該変換詳細信号から差分詳細信号を生成する機能と、
　少なくとも該変換大域信号と該差分大域信号と該変換詳細信号と該差分詳細信号を前記記録媒体に記録する機能と、
　を含むプログラムを記録したことを特徴とする記録媒体。
【請求項２５７】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　該変換大域信号と該詳細信号を用いて鑑賞画像参照データを生成する機能と、
　少なくとも該鑑賞画像参照データと該変換大域信号と該差分大域信号と該詳細信号を前記記録媒体に記録する機能と、
　を含むプログラムを記録したことを特徴とする記録媒体。
【請求項２５８】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　少なくとも該詳細信号に変換処理を施して変換詳細信号を生成する機能と、
　該詳細信号と該変換詳細信号から差分詳細信号を生成する機能と、
　該変換大域信号と該変換詳細信号を用いて鑑賞画像参照データを生成する機能と、
　少なくとも該鑑賞画像参照データと該変換大域信号と該差分大域信号と該変換詳細信号と該差分詳細信号を前記記録媒体に記録する機能と、
　を含むプログラムを記録したことを特徴とする記録媒体。
【請求項２５９】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該変換大域輝度信号と該差分大域輝度信号と該詳細輝度信号と該入力色信号を前記記録媒体に記録する機能と、
　を含むプログラムを記録したことを特徴とする記録媒体。
【請求項２６０】
　前記プログラムは、
　前記入力画像データに付随する付加情報を取得する機能と、
　取得した前記付加情報に基づいて、少なくとも前記大域輝度信号および前記詳細輝度信号の生成条件を決定する機能と、を含むことを特徴とする請求項２５９に記載の記録媒体。
【請求項２６１】
　前記プログラムにおいて、前記付加情報に基づいてローパスフィルター特性が決定され、決定されたローパスフィルター特性に基づいて前記大域輝度信号と詳細輝度信号とが生成されることを特徴とする請求項２６０に記載の記録媒体。
【請求項２６２】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該詳細輝度信号に変換処理を施して変換詳細輝度信号とする機能と、
　該変換詳細輝度信号と該大域輝度信号から差分詳細輝度信号を生成する機能と、
　少なくとも該変換大域輝度信号と該差分大域輝度信号と該変換詳細輝度信号と該差分詳細輝度信号と該入力色信号を前記記録媒体に記録する機能と、
　を含むプログラムを記録したことを特徴とする記録媒体。
【請求項２６３】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該入力色信号に変換処理を施して変換入力色信号とする機能と、
　該変換入力色信号と該入力色信号から差分入力色信号を生成する機能と、
　少なくとも該変換大域輝度信号と該差分大域輝度信号と該詳細輝度信号と該変換入力色信号と該差分入力色信号を前記記録媒体に記録する機能と、
　を含むプログラムを記録したことを特徴とする記録媒体。
【請求項２６４】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該変換大域輝度信号と該詳細輝度信号と該入力色信号を用いて鑑賞画像参照データを生成する機能と、
　少なくとも該鑑賞画像参照データと該変換大域輝度信号と該差分大域輝度信号と該該詳細輝度信号と該入力色信号を前記記録媒体に記録する機能と、
　を含むプログラムを記録したことを特徴とする記録媒体。
【請求項２６５】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも詳細輝度信号に変換処理を施して変換詳細輝度信号とする機能と、
　該変換詳細輝度信号と該大域輝度信号から差分詳細輝度信号を生成する機能と、
　少なくとも該変換大域輝度信号と該変換詳細輝度信号と該入力色信号を用いて鑑賞画像参照データを生成する機能と、
　少なくとも該鑑賞画像参照データと該変換大域輝度信号と該差分大域輝度信号と該変換該詳細輝度信号と該差分詳細輝度信号と該入力色信号を前記記録媒体に記録する機能と、
　を含むプログラムを記録したことを特徴とする記録媒体。
【請求項２６６】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該入力色信号に変換処理を施して変換入力色信号とする機能と、
　該変換入力色信号と該入力色信号から差分入力色信号を生成する機能と、
　少なくとも該変換大域輝度信号と該詳細輝度信号と該変換入力色信号を用いて鑑賞画像参照データを生成する機能と、
　少なくとも該変換大域輝度信号と該差分大域輝度信号と該詳細輝度信号と該変換入力色信号と該差分入力色信号を前記記録媒体に記録する機能と、
　を含むプログラムを記録したことを特徴とする記録媒体。
【請求項２６７】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　少なくとも該色変換−変換大域輝度信号と該色変換−差分大域輝度信号と該色変換詳細輝度信号と該色変換入力色信号を前記記録媒体に記録する機能と、
　を含むプログラムを記録したことを特徴とする記録媒体。
【請求項２６８】
　前記プログラムは、
　前記入力画像データに付随する付加情報を取得する機能と、
　取得した前記付加情報に基づいて、少なくとも前記色変換大域輝度信号および前記色変換詳細輝度信号の生成条件を決定する機能と、を含むことを特徴とする請求項２６７に記載の記録媒体。
【請求項２６９】
　前記プログラムにおいて、前記付加情報に基づいてローパスフィルター特性が決定され、決定されたローパスフィルター特性に基づいて前記色変換大域輝度信号と色変換詳細輝度信号とが生成されることを特徴とする請求項２６８に記載の記録媒体。
【請求項２７０】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から該色変換−差分大域輝度信号を生成する機能と、
　少なくとも該色変換詳細輝度信号に変換処理を施して色変換−変換詳細輝度信号とする機能と、
　該色変換詳細輝度信号と該色変換−変換詳細輝度信号から色変換−差分詳細輝度信号を生成する機能と、
　少なくとも該色変換−変換大域輝度信号と該色変換−差分大域輝度信号と該色変換−変換詳細輝度信号と該色変換−差分詳細輝度信号と該色変換入力色信号を前記記録媒体に記録する機能と、
　を含むプログラムを記録したことを特徴とする記録媒体。
【請求項２７１】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　該色変換入力色信号に変換処理を施して色変換−変換入力色信号を生成する機能と、
　該色変換入力色信号と該色変換−変換入力色信号を用いて色変換−差分入力色信号を生成する機能と、
　少なくとも該色変換−変換大域輝度信号と該色変換−差分大域輝度信号と該色変換詳細輝度信号と該色変換−変換入力色信号と該色変換−差分入力色信号を前記記録媒体に記録する機能と、
　を含むプログラムを記録したことを特徴とする記録媒体。
【請求項２７２】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　該色変換−変換大域輝度信号と該色変換詳細輝度信号と該色変換入力色信号から鑑賞画像参照データを生成する機能と、
　少なくとも該鑑賞画像参照データと該色変換−変換大域輝度信号と該色変換−差分大域輝度信号と該色変換詳細輝度信号と該色変換入力色信号を前記記録媒体に記録する機能と、
　を含むプログラムを記録したことを特徴とする記録媒体。
【請求項２７３】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から該色変換−差分大域輝度信号を生成する機能と、
　少なくとも該色変換詳細輝度信号に変換処理を施して色変換−変換詳細輝度信号とする機能と、
　該色変換詳細輝度信号と該色変換−変換詳細輝度信号から色変換−差分詳細輝度信号を生成する機能と、
　該色変換−変換大域輝度信号と該色変換−変換詳細輝度信号と該色変換入力色信号から鑑賞画像参照データを生成する機能と、
　少なくとも該鑑賞画像参照データと該色変換−変換大域輝度信号と該色変換−差分大域輝度信号と該色変換−変換詳細輝度信号と該色変換−差分詳細輝度信号と該色変換入力色信号を前記記録媒体に記録する機能と、
　を含むプログラムを記録したことを特徴とする記録媒体。
【請求項２７４】
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　該色変換入力色信号に変換処理を施して色変換−変換入力色信号を生成する機能と、
　該色変換入力色信号と該色変換−変換入力色信号を用いて色変換−差分入力色信号を生成する機能と、
　該色変換−変換大域輝度信号と該色変換詳細輝度信号と該色変換−変換入力色信号から鑑賞画像参照データを生成する機能と、
　少なくとも該鑑賞画像参照データと該色変換大域輝度信号と該色変換−差分大域輝度信号と該色変換詳細輝度信号と該色変換−変換入力色信号と該色変換−差分入力色信号を前記記録媒体に記録する機能と、
　を含むプログラムを記録したことを特徴とする記録媒体。
【請求項２７５】
　前記大域信号は前記入力画像データの低周波成分で構成され、前記詳細信号は前記入力画像データの高周波成分で構成されることを特徴とする請求項２３１〜２３６及び請求項２５３〜２５８の何れか一項に記載の記録媒体。
【請求項２７６】
　前記大域信号は前記入力画像データの低周波成分とエッジ成分で構成され、前記詳細信号は前記入力画像データの高周波成分からエッジ成分を除いた成分で構成されることを特徴とする請求項２３１〜２３６及び請求項２５３〜２５８の何れか一項に記載の記録媒体。
【請求項２７７】
　前記大域信号および／または前記詳細信号は、前記入力画像データに周波数帯域分解処理を施して生成することを特徴とする請求項２３１〜２３６及び請求項２５３〜２５８の何れか一項に記載の記録媒体。
【請求項２７８】
　前記大域信号および／または前記詳細信号は、前記入力画像データにウェーブレット変換処理を施して生成することを特徴とする請求項２３１〜２３６及び請求項２５３〜２５８の何れか一項に記載の記録媒体。
【請求項２７９】
　前記大域信号に施す変換処理が、階調変換処理であることを特徴とする請求項２５３〜２５８の何れか一項に記載の記録媒体。
【請求項２８０】
　前記階調変換処理が非線形変換処理であることを特徴とする請求項２７９記載の記録媒体。
【請求項２８１】
　前記大域輝度信号は入力輝度成分の低周波成分で構成され、前記詳細輝度信号は入力輝度成分の高周波成分で構成されることを特徴とする請求項２３７〜２４４及び請求項２５９〜２６６の何れか一項に記載の記録媒体。
【請求項２８２】
　前記大域輝度信号は入力輝度成分の低周波成分とエッジ成分で構成され、前記詳細輝度信号は入力輝度成分の高周波成分からエッジ成分を除いた成分で構成されることを特徴とする請求項２３７〜２４４及び請求項２５９〜２６６の何れか一項に記載の記録媒体。
【請求項２８３】
　前記大域輝度信号および／または前記詳細輝度信号は、前記入力画像データに周波数帯域分解処理を施して生成することを特徴とする請求項２３７〜２４４及び請求項２５９〜２６６の何れか一項に記載の記録媒体。
【請求項２８４】
　前記大域輝度信号および／または前記詳細輝度信号は、前記入力画像データにウェーブレット変換処理を施して生成することを特徴とする請求項２３７〜２４４及び請求項２５９〜２６６の何れか一項に記載の記録媒体。
【請求項２８５】
　前記大域輝度信号に施される変換処理が、階調変換処理であることを特徴とする請求項２５９〜２６６の何れか一項に記載の記録媒体。
【請求項２８６】
　前記階調変換処理が非線形変換処理であることを特徴とする請求項２８５記載の記録媒体。
【請求項２８７】
　前記色変換大域輝度信号は前記色変換入力輝度信号の低周波成分で構成され、前記色変換詳細輝度信号は前記色変換入力輝度信号の高周波成分で構成されることを特徴とする請求項２４５〜２５２及び請求項２６７〜２７４の何れか一項に記載の記録媒体。
【請求項２８８】
　前記色変換大域輝度信号は前記色変換入力輝度信号の低周波成分とエッジ成分で構成され、前記色変換詳細輝度信号は前記色変換入力輝度信号の高周波成分からエッジ成分を除いた成分で構成されることを特徴とする請求項２４５〜２５２及び請求項２６７〜２７４の何れか一項に記載の記録媒体。
【請求項２８９】
　前記色変換大域輝度信号および／または前記色変換詳細輝度信号は、前記色変換入力輝度信号に周波数帯域分解処理を施して生成することを特徴とする請求項２４５〜２５２及び請求項２６７〜２７４の何れか一項に記載の記録媒体。
【請求項２９０】
　前記色変換大域輝度信号および／または前記色変換詳細輝度信号は、前記色変換入力輝度信号にウェーブレット変換処理を施して生成することを特徴とする請求項２４５〜２５２及び請求項２６７〜２７４の何れか一項に記載の記録媒体。
【請求項２９１】
　前記色変換大域輝度信号に施す変換処理が、階調変換処理であることを特徴とする請求項２６７〜２７４の何れか一項に記載の記録媒体。
【請求項２９２】
　前記階調変換処理が非線形変換処理であることを特徴とする請求項２９１記載の画像記録方法。
【請求項２９３】
　前記鑑賞画像参照データが出力装置の特性に依存するものであることを特徴とする請求項２３１〜２７４の何れか一項に記載の記録媒体。
【請求項２９４】
　前記信号またはデータを別ファイルに記録することを特徴とする請求項２３１〜２７４の何れか一項に記載の記録媒体。
【請求項２９５】
　前記信号またはデータを同一のファイルに記録することを特徴とする請求項２３１〜２７４の何れか一項に記載の記録媒体。
【請求項２９６】
　前記信号またはデータのうち少なくとも一つの信号またはデータをメタデータとして同一のファイルに記録することを特徴とする請求項２３１〜２７４の何れか一項に記載の記録媒体。
【請求項２９７】
　複数の前記信号またはデータを同一の記録媒体に記録することを特徴とする請求項２９４〜２９６の何れか一項に記載の記録媒体。
【請求項２９８】
　複数の前記信号またはデータを異なる記録媒体に記録することを特徴とする請求項２９４〜２９６の何れか一項に記載の記録媒体。
【請求項２９９】
　複数の前記信号またはデータのうち、少なくともひとつの信号またはデータと、画像の編集作業を行うことが可能なアプリケーションを同一の記録媒体に記録することを特徴とする請求項２９４〜２９６の何れか一項に記載の記録媒体。
【請求項３００】
　複数の前記信号またはデータのうち、少なくともひとつの信号またはデータと、画像の編集作業を行うことが可能なアプリケーションを補強することを目的とするファイルを、同一の記録媒体に記録することを特徴とする請求項２９４〜２９６の何れか一項に記載の記録媒体。
【請求項３０１】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも大域信号と詳細信号を取得する機能と、
　少なくとも取得した該大域信号と該詳細信号を用いて前記鑑賞画像参照データを生成する機能と、
　を含むプログラムを記録したことを特徴とする記録媒体。
【請求項３０２】
　前記プログラムは、
　前記入力画像データに付随する付加情報を取得する機能と、
　取得した前記付加情報に基づいて前記大域信号および前記詳細信号の生成条件を決定する機能と、を含むことを特徴とする請求項３０１に記載の記録媒体。
【請求項３０３】
　前記プログラムにおいて、前記付加情報に基づいてローパスフィルター特性が決定され、決定されたローパスフィルター特性に基づいて前記大域信号と前記詳細信号とが生成されることを特徴とする請求項３０２に記載の記録媒体。
【請求項３０４】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも大域信号と変換詳細信号と差分詳細信号を取得する機能と、
　少なくとも取得した該大域信号と該変換詳細信号と該差分詳細信号を用いて前記鑑賞画像参照データを生成する機能と、
　を含むプログラムを記録したことを特徴とする記録媒体。
【請求項３０５】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと大域信号と詳細信号を取得する機能と、
　少なくとも取得した該鑑賞画像参照データと該大域信号と該詳細信号を用いて改変された鑑賞画像参照データを生成する機能と、
　を含むプログラムを記録したことを特徴とする記録媒体。
【請求項３０６】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと大域信号と変換詳細信号と差分詳細信号を取得する機能と、
　少なくとも取得した該鑑賞画像参照データと該大域信号と該変換詳細信号と該差分詳細信号を用いて改変された鑑賞画像参照データを生成する機能と、
　を含むプログラムを記録したことを特徴とする記録媒体。
【請求項３０７】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも大域輝度信号と詳細輝度信号と入力色信号を取得する機能と、
　少なくとも取得した該大域輝度信号と該詳細輝度信号と該入力色信号を用いて前記鑑賞画像参照データを生成する機能と、
　を含むプログラムを記録したことを特徴とする記録媒体。
【請求項３０８】
　前記プログラムは、
　前記入力画像データに付随する付加情報を取得する機能と、
　取得した前記付加情報に基づいて前記大域輝度信号および前記詳細輝度信号の生成条件を決定する機能と、を含むことを特徴とする請求項３０７に記載の記録媒体。
【請求項３０９】
　前記プログラムにおいて、前記付加情報に基づいてローパスフィルター特性が決定され、決定されたローパスフィルター特性に基づいて前記大域輝度信号と前記詳細輝度信号とが生成されることを特徴とする請求項３０８に記載の記録媒体。
【請求項３１０】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも大域輝度信号と変換詳細輝度信号と差分詳細輝度信号と入力色信号を取得する機能と、
　少なくとも取得した該大域輝度信号と該変換詳細輝度信号と該差分詳細輝度信号と該入力色信号を用いて前記鑑賞画像参照データを生成する機能と、
　を含むプログラムを記録したことを特徴とする記録媒体。
【請求項３１１】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも大域輝度信号と詳細輝度信号と変換入力色信号と差分入力色信号を取得する機能と、
　少なくとも取得した該大域輝度信号と該詳細輝度信号と該変換入力色信号と該差分入力色信号を用いて前記鑑賞画像参照データを生成する機能と、
　を含むプログラムを記録したことを特徴とする記録媒体。
【請求項３１２】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと大域輝度信号と詳細輝度信号と入力色信号を取得する機能と、
　少なくとも取得した該大域輝度信号と該詳細輝度信号と該入力色信号を用いて、改変された鑑賞画像参照データを生成する機能と、
　を含むプログラムを記録したことを特徴とする記録媒体。
【請求項３１３】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと大域輝度信号と変換詳細輝度信号と差分詳細輝度信号と入力色信号を取得する機能と、
　少なくとも取得した該大域輝度信号と該変換詳細輝度信号と該差分詳細輝度信号と該入力色信号を用いて改変された鑑賞画像参照データを生成する機能と、
　を含むプログラムを記録したことを特徴とする記録媒体。
【請求項３１４】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと大域輝度信号と詳細輝度信号と変換入力色信号と差分入力色信号を取得する機能と、
　少なくとも取得した該大域輝度信号と該詳細輝度信号と該変換入力色信号と該差分入力色信号を用いて改変された鑑賞画像参照データを生成する機能と、
　を含むプログラムを記録したことを特徴とする記録媒体。
【請求項３１５】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも色変換大域輝度信号と色変換詳細輝度信号と色変換入力色信号を取得する機能と、
　少なくとも取得した該色変換大域輝度信号と該色変換詳細輝度信号と該色変換入力色信号を用いて前記鑑賞画像参照データを生成する機能と、
　を含むプログラムを記録したことを特徴とする記録媒体。
【請求項３１６】
　前記プログラムは、
　前記入力画像データに付随する付加情報を取得する機能と、
　取得した前記付加情報に基づいて前記色変換大域輝度信号および前記色変換詳細輝度信号の生成条件を決定する機能と、を含むことを特徴とする請求項３１５に記載の記録媒体。
【請求項３１７】
　前記プログラムにおいて、前記付加情報に基づいてローパスフィルター特性が決定され、決定されたローパスフィルター特性に基づいて前記色変換大域輝度信号と前記色変換詳細輝度信号とが生成されることを特徴とする請求項３１６に記載の記録媒体。
【請求項３１８】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも色変換大域輝度信号と色変換−変換詳細輝度信号と色変換−差分詳細輝度信号と色変換入力色信号を取得する機能と、
　少なくとも取得した該色変換大域輝度信号と該色変−換変換詳細輝度信号と該色変換−差分詳細輝度信号と該色変換入力色信号を用いて前記鑑賞画像参照データを生成する機能と、
　を含むプログラムを記録したことを特徴とする記録媒体。
【請求項３１９】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも色変換大域輝度信号と色変換詳細輝度信号と色変換変換入力色信号と色変換差分入力色信号を取得する機能と、
　少なくとも取得した該色変換大域輝度信号と該色変換詳細輝度信号と該色変換変換入力色信号と該色変換差分入力色信号を用いて前記鑑賞画像参照データを生成する機能と、
　を含むプログラムを記録したことを特徴とする記録媒体。
【請求項３２０】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと色変換大域輝度信号と色変換詳細輝度信号と色変換入力色信号を取得する機能と、
　少なくとも取得した該鑑賞画像参照データと該色変換大域輝度信号と該色変換詳細輝度信号と該色変換入力色信号を用いて改変された鑑賞画像参照データを生成する機能と、
　を含むプログラムを記録したことを特徴とする記録媒体。
【請求項３２１】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと色変換大域輝度信号と色変換−変換詳細輝度信号と色変換−差分詳細輝度信号と色変換入力色信号を取得する機能と、
　少なくとも取得した該鑑賞画像参照データと該色変換大域輝度信号と該色変換−変換詳細輝度信号と該色変換−差分詳細輝度信号と該色変換入力色信号を用いて、改変された鑑賞画像参照データを生成する機能と、
　を含むプログラムを記録したことを特徴とする記録媒体。
【請求項３２２】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと色変換大域輝度信号と色変換詳細輝度信号と色変換−変換入力色信号と色変換−差分入力色信号を取得する機能と、
　少なくとも取得した該鑑賞画像参照データと該色変換大域輝度信号と該色変換詳細輝度信号と該色変換−変換入力色信号と該色変換−差分入力色信号を用いて改変された鑑賞画像参照データを生成する機能と、
　を含むプログラムを記録したことを特徴とする記録媒体。
【請求項３２３】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも変換大域信号と詳細信号と差分大域信号を取得する機能と、
　少なくとも取得した該変換大域信号と該詳細信号と該差分大域信号を用いて前記鑑賞画像参照データを生成する機能と、
　を含むプログラムを記録したことを特徴とする記録媒体。
【請求項３２４】
　前記プログラムは、
　前記入力画像データに付随する付加情報を取得する機能と、
　取得した前記付加情報に基づいて、少なくとも前記大域信号および前記詳細信号の生成条件を決定する機能と、を含むことを特徴とする請求項３２３に記載の記録媒体。
【請求項３２５】
　前記プログラムにおいて、前記付加情報に基づいてローパスフィルター特性が決定され、決定されたローパスフィルター特性に基づいて前記大域信号と詳細信号とが生成されることを特徴とする請求項３２４に記載の記録媒体。
【請求項３２６】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも変換大域信号と差分大域信号と詳細信号と差分詳細信号を取得する機能と、
　少なくとも取得した該変換大域信号と該差分大域信号と該変換詳細信号と該差分詳細信号を用いて前記鑑賞画像参照データを生成する機能と、
　を含むプログラムを記録したことを特徴とする記録媒体。
【請求項３２７】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと変換大域信号と差分大域信号と詳細信号を取得する機能と、
　少なくとも取得した該鑑賞画像参照データと該変換大域信号と該差分大域信号と該詳細信号を用いて改変された鑑賞画像参照データを生成する機能と、
　を含むプログラムを記録したことを特徴とする記録媒体。
【請求項３２８】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと変換大域信号と差分大域信号と変換詳細信号と差分詳細信号を取得する機能と、
　少なくとも取得した該鑑賞画像参照データと該変換大域信号と該差分大域信号と該詳細信号と該差分詳細信号を用いて、改変された鑑賞画像参照データを生成する機能と、
　を含むプログラムを記録したことを特徴とする記録媒体。
【請求項３２９】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも変換大域輝度信号と差分大域輝度信号と詳細輝度信号と入力色信号を取得する機能と、
　少なくとも取得した該変換大域輝度信号と該差分大域輝度信号と該詳細輝度信号と該入力色信号を用いて、鑑賞画像参照データを生成する機能と、
　を含むプログラムを記録したことを特徴とする記録媒体。
【請求項３３０】
　前記プログラムは、
　前記入力画像データに付随する付加情報を取得する機能と、
　取得した前記付加情報に基づいて、少なくとも前記大域輝度信号および前記詳細輝度信号の生成条件を決定する機能と、を含むことを特徴とする請求項３２９に記載の記録媒体。
【請求項３３１】
　前記プログラムにおいて、前記付加情報に基づいてローパスフィルター特性が決定され、決定されたローパスフィルター特性に基づいて前記大域輝度信号と詳細輝度信号とが生成されることを特徴とする請求項３３０に記載の記録媒体。
【請求項３３２】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも変換大域輝度信号と差分大域輝度信号と変換詳細輝度信号と差分詳細輝度信号と入力色信号を取得する機能と、
　少なくとも取得した該変換大域輝度信号と該差分大域輝度信号と該変換該詳細輝度信号と該差分詳細輝度信号と該入力色信号を用いて、鑑賞画像参照データを生成する機能と、
　を含むプログラムを記録したことを特徴とする記録媒体。
【請求項３３３】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも変換大域輝度信号と差分大域輝度信号と詳細輝度信号と変換入力色信号と差分入力色信号を取得する機能と、
　少なくとも取得した該変換大域輝度信号と該差分大域輝度信号と該詳細輝度信号と該変換入力色信号と該差分入力色信号を用いて、鑑賞画像参照データを生成する機能と、
　を含むプログラムを記録したことを特徴とする記録媒体。
【請求項３３４】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと変換大域輝度信号と差分大域輝度信号と詳細輝度信号と入力色信号を取得する機能と、
　少なくとも取得した該鑑賞画像参照データと該変換大域輝度信号と該差分大域輝度信号と該詳細輝度信号と該入力色信号を用いて、改変された鑑賞画像参照データを生成する機能と、
　を含むプログラムを記録したことを特徴とする記録媒体。
【請求項３３５】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから鑑賞画像参照データと変換大域輝度信号と差分大域輝度信号と変換詳細輝度信号と差分詳細輝度信号と入力色信号を取得する機能と、
　少なくとも取得した該鑑賞画像参照データと該変換大域輝度信号と該差分大域輝度信号と該変換該詳細輝度信号と該差分詳細輝度信号と該入力色信号を用いて、改変された鑑賞画像参照データを生成する機能と、
　を含むプログラムを記録したことを特徴とする記録媒体。
【請求項３３６】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと変換大域輝度信号と差分大域輝度信号と詳細輝度信号と変換入力色信号と差分入力色信号を取得する機能と、
　少なくとも取得した該鑑賞画像参照データと該変換大域輝度信号と該差分大域輝度信号と該詳細輝度信号と該変換入力色信号と該差分入力色信号を用いて、改変された鑑賞画像参照データを生成する機能と、
　を含むプログラムを記録したことを特徴とする記録媒体。
【請求項３３７】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも色変換−変換大域輝度信号と色変換−差分大域輝度信号と色変換詳細輝度信号と色変換入力色信号を取得する機能と、
　少なくとも取得した該色変換−変換大域輝度信号と該色変換−差分大域輝度信号と該色変換詳細輝度信号と該色変換入力色信号を用いて、鑑賞画像参照データを生成する機能と、
　を含むプログラムを記録したことを特徴とする記録媒体。
【請求項３３８】
　前記プログラムは、
　前記入力画像データに付随する付加情報を取得する機能と、
　取得した前記付加情報に基づいて、少なくとも前記色変換大域輝度信号および前記色変換詳細輝度信号の生成条件を決定する機能と、を含むことを特徴とする請求項３３７に記載の記録媒体。
【請求項３３９】
　前記プログラムにおいて、前記付加情報に基づいてローパスフィルター特性が決定され、決定されたローパスフィルター特性に基づいて前記色変換大域輝度信号と色変換詳細輝度信号とが生成されることを特徴とする請求項３３８に記載の記録媒体。
【請求項３４０】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも色変換−変換大域輝度信号と色変換−差分大域輝度信号と色変換−変換詳細輝度信号と色変換−差分詳細輝度信号と色変換入力色信号を取得する機能と、
　少なくとも取得した該色変換−変換大域輝度信号と該色変換−差分大域輝度信号と該色変換−変換詳細輝度信号と該色変換−差分詳細輝度信号と該色変換入力色信号を用いて、鑑賞画像参照データを生成する機能と、
　を含むプログラムを記録したことを特徴とする記録媒体。
【請求項３４１】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも色変換−変換大域輝度信号と色変換−差分大域輝度信号と色変換詳細輝度信号と色変換−変換入力色信号と色変換−差分入力色信号を取得する機能と、
　少なくとも取得した該色変換−変換大域輝度信号と該色変換−差分大域輝度信号と該色変換詳細輝度信号と該色変換−変換入力色信号と該色変換−差分入力色信号を用いて、鑑賞画像参照データを生成する機能と、
　を含むプログラムを記録したことを特徴とする記録媒体。
【請求項３４２】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと色変換−変換大域輝度信号と色変換−差分大域輝度信号と色変換詳細輝度信号と色変換入力色信号を取得する機能と、
　少なくとも取得した該鑑賞画像参照データと該色変換−変換大域輝度信号と該色変換−差分大域輝度信号と該色変換詳細輝度信号と該色変換入力色信号を用いて、改変された鑑賞画像参照データを生成する機能と、
　を含むプログラムを記録したことを特徴とする記録媒体。
【請求項３４３】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと色変換−変換大域輝度信号と色変換−差分大域輝度信号と色変換−変換詳細輝度信号と色変換−差分詳細輝度信号と色変換入力色信号を取得する機能と、
　少なくとも取得した該鑑賞画像参照データと該色変換−変換大域輝度信号と該色変換−差分大域輝度信号と該色変換−変換詳細輝度信号と該色変換−差分詳細輝度信号と該色変換入力色信号を用いて、改変された鑑賞画像参照データを生成する機能と、
　を含むプログラムを記録したことを特徴とする記録媒体。
【請求項３４４】
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと色変換大域輝度信号と色変換−差分大域輝度信号と色変換詳細輝度信号と色変換−変換入力色信号と色変換−差分入力色信号を取得する機能と、
　少なくとも取得した該鑑賞画像参照データと該色変換大域輝度信号と該色変換−差分大域輝度信号と該色変換詳細輝度信号と該色変換−変換入力色信号と該色変換−差分入力色信号を用いて、改変された鑑賞画像参照データを生成する機能と、
　を含むプログラムを記録したことを特徴とする記録媒体。
【請求項３４５】
　前記鑑賞画像参照データが出力装置の特性に依存するものであることを特徴とする請求項３０１〜３４４の何れか一項に記載の記録媒体。
【請求項３４６】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　少なくとも該大域信号と該詳細信号を前記記録媒体に記録する機能と、を実現させるためのプログラム。
【請求項３４７】
　前記コンピュータに、
　前記入力画像データに付随する付加情報を取得する機能と、
　取得した前記付加情報に基づいて前記大域信号および前記詳細信号の生成条件を決定する機能と、を実現させるための請求項３４６に記載のプログラム。
【請求項３４８】
　前記付加情報に基づいてローパスフィルター特性が決定され、決定されたローパスフィルター特性に基づいて前記大域信号と前記詳細信号とが生成されることを特徴とする請求項３４７に記載のプログラム。
【請求項３４９】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　少なくとも該詳細信号に詳細変換処理を施して変換詳細信号とする機能と、
　該詳細信号と該変換詳細信号を用いて差分詳細信号を生成する機能と、
　少なくとも該大域信号と該変換詳細信号と該差分詳細信号を前記記録媒体に記録する機能と、を実現させるためのプログラム。
【請求項３５０】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　該大域信号と該詳細信号から鑑賞画像参照データを生成する機能と、
　少なくとも該大域信号と該詳細信号と鑑賞画像参照データを前記記録媒体に記録する機能と、を実現させるためのプログラム。
【請求項３５１】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　少なくとも詳細信号に詳細変換処理を施して変換詳細信号とする機能と、
　該詳細信号と該変換詳細信号を用いて差分詳細信号を生成する機能と、
　該大域信号と該変換詳細信号から鑑賞画像参照データを生成する機能と、
　少なくとも該大域信号と該変換詳細信号と該差分詳細信号と該鑑賞画像参照データを前記記録媒体に記録する機能と、を実現させるためのプログラム。
【請求項３５２】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該大域輝度信号と該詳細輝度信号と該入力色信号を前記記録媒体に記録する機能と、を実現させるためのプログラム。
【請求項３５３】
　前記コンピュータに、
　前記入力画像データに付随する付加情報を取得する機能と、
　取得した前記付加情報に基づいて前記大域輝度信号および前記詳細輝度信号の生成条件を決定する機能と、を実現させることを特徴とする請求項３５２に記載のプログラム。
【請求項３５４】
　前記付加情報に基づいてローパスフィルター特性が決定され、決定されたローパスフィルター特性に基づいて前記大域輝度信号と前記詳細輝度信号とが生成されることを特徴とする請求項３５３に記載のプログラム。
【請求項３５５】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも詳細輝度信号に詳細変換処理を施して変換詳細輝度信号とする機能と、
　該詳細輝度信号と該変換詳細輝度信号を用いて差分詳細輝度信号を生成する機能と、
　少なくとも該大域輝度信号と該変換詳細輝度信号と該差分詳細輝度信号と該入力色信号を前記記録媒体に記録する機能と、を実現させるためのプログラム。
【請求項３５６】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも入力色信号に色変換処理を施して変換入力色信号を生成する機能と、
　該入力色信号と該変換入力色信号から差分入力色信号を生成する機能と、
　少なくとも該大域輝度信号と該詳細輝度信号と該変換入力色信号と該差分入力色信号を前記記録媒体に記録する機能と、を実現させるためのプログラム。
【請求項３５７】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　該大域輝度信号と該詳細輝度信号と該入力色信号から鑑賞画像参照データを生成する機能と、
　少なくとも該鑑賞画像参照データと該大域輝度信号と該詳細輝度信号と該入力色信号を前記記録媒体に記録する機能と、を実現させるためのプログラム。
【請求項３５８】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該詳細輝度信号に詳細変換処理を施して変換詳細輝度信号とする機能と、
　該詳細輝度信号と該変換詳細輝度信号を用いて差分詳細輝度信号を生成する機能と、
　該大域輝度信号と変換詳細輝度信号と入力色信号から鑑賞画像参照データを生成する機能と、
　少なくとも該鑑賞画像参照データと該大域輝度信号と該変換詳細輝度信号と該差分詳細輝度信号と該入力色信号を前記記録媒体に記録する機能と、を実現させるためのプログラム。
【請求項３５９】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該入力色信号に色変換処理を施して変換入力色信号を生成する機能と、
　該入力色信号と該変換入力色信号から差分入力色信号を生成する機能と、
　該大域輝度信号と該詳細輝度信号と該変換入力色信号から鑑賞画像参照データを生成する機能と、
　少なくとも該鑑賞画像参照データと該大域輝度信号と該詳細輝度信号と該変換入力色信号と該差分入力色信号を前記記録媒体に記録する機能と、を実現させるためのプログラム。
【請求項３６０】
　入力画像データに出力媒体上での鑑賞画像形成のために最適化する画像処理を施して、鑑賞画像参照データを生成するために画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号と該色変換詳細輝度信号と該色変換入力色信号を前記記録媒体に記録する機能と、を実現させるためのプログラム。
【請求項３６１】
　前記コンピュータに、
　前記入力画像データに付随する付加情報を取得する機能と、
　取得した前記付加情報に基づいて前記色変換大域輝度信号および前記色変換詳細輝度信号の生成条件を決定する機能と、を実現させることを特徴とする請求項３６０に記載のプログラム。
【請求項３６２】
　前記付加情報に基づいてローパスフィルター特性が決定され、決定されたローパスフィルター特性に基づいて前記色変換大域輝度信号と前記色変換詳細輝度信号とが生成されることを特徴とする請求項３６１に記載のプログラム。
【請求項３６３】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換詳細輝度信号に変換処理を施し色変換−変換詳細輝度信号を生成する機能と、
　該色変換詳細輝度信号と該色変換−変換詳細輝度信号から色変換−差分詳細輝度信号を生成する機能と、
　少なくとも該色変換大域輝度信号と該色変換−変換詳細輝度信号と該色変換−差分詳細輝度信号と該色変換入力色信号を前記記録媒体に記録する機能と、を実現させるためのプログラム。
【請求項３６４】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　該色変換入力色信号に変換処理を施して色変換−変換入力色信号を生成する機能と、
　該色変換入力色信号と該色変換−変換入力色信号から色変換−差分入力色信号を生成する機能と、
　少なくとも該色変換大域輝度信号と該色変換詳細輝度信号と該色変換−変換入力色信号と該色変換−差分入力色信号を前記記録媒体に記録する機能と、を実現させるためのプログラム。
【請求項３６５】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　該色変換大域輝度信号と該色変換詳細輝度信号と該色変換入力色信号から鑑賞画像参照データを生成する機能と、
　少なくとも該鑑賞画像参照データと該色変換大域輝度信号と該色変換詳細輝度信号と該色変換入力色信号を前記記録媒体に記録する機能と、を実現させるためのプログラム。
【請求項３６６】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換詳細輝度信号に変換処理を施し色変換−変換詳細輝度信号を生成する機能と、
　該色変換詳細輝度信号と該色変換−変換詳細輝度信号から色変換−差分詳細輝度信号を生成する機能と、
　該色変換大域輝度信号と該色変換−変換詳細輝度信号と該色変換入力色信号から鑑賞画像参照データを生成する機能と、
　少なくとも該鑑賞画像参照データと該色変換大域輝度信号と該色変換−変換詳細輝度信号と該色変換−差分詳細輝度信号と該色変換入力色信号を前記記録媒体に記録する機能と、を実現させるためのプログラム。
【請求項３６７】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　該色変換入力色信号に変換処理を施して色変換−変換入力色信号を生成する機能と、
　該色変換入力色信号と該色変換−変換入力色信号から色変換−差分入力色信号を生成する機能と、
　該色変換大域輝度信号と該色変換詳細輝度信号と該色変換−変換入力色信号から鑑賞画像参照データを生成する機能と、
　少なくとも該鑑賞画像参照データと該色変換大域輝度信号と該色変換詳細輝度信号と該色変換−変換入力色信号と該色変換−差分入力色信号を前記記録媒体に記録する機能と、を実現させるためのプログラム。
【請求項３６８】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　少なくとも該変換大域信号と該詳細信号と該差分大域信号を前記記録媒体に記録する機能と、を実現させるためのプログラム。
【請求項３６９】
　前記コンピュータに、
　前記入力画像データに付随する付加情報を取得する機能と、
　取得した前記付加情報に基づいて、少なくとも前記大域信号および前記詳細信号の生成条件を決定する機能と、を実現させることを特徴とする請求項３６８に記載のプログラム。
【請求項３７０】
　前記付加情報に基づいてローパスフィルター特性が決定され、決定されたローパスフィルター特性に基づいて前記大域信号と詳細信号とが生成されることを特徴とする請求項３６９に記載のプログラム。
【請求項３７１】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　少なくとも該詳細信号に変換処理を施し変換詳細信号を生成する機能と、
　該詳細信号と該変換詳細信号から差分詳細信号を生成する機能と、
　少なくとも該変換大域信号と該差分大域信号と該変換詳細信号と該差分詳細信号を前記記録媒体に記録する機能と、を実現させるためのプログラム。
【請求項３７２】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　該変換大域信号と該詳細信号を用いて鑑賞画像参照データを生成する機能と、
　少なくとも該鑑賞画像参照データと該変換大域信号と該差分大域信号と該詳細信号を前記記録媒体に記録する機能と、を実現させるためのプログラム。
【請求項３７３】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　少なくとも該詳細信号に変換処理を施して変換詳細信号を生成する機能と、
　該詳細信号と該変換詳細信号から差分詳細信号を生成する機能と、
　該変換大域信号と該変換詳細信号を用いて鑑賞画像参照データを生成する機能と、
　少なくとも該鑑賞画像参照データと該変換大域信号と該差分大域信号と該変換詳細信号と該差分詳細信号を前記記録媒体に記録する機能と、を実現させるためのプログラム。
【請求項３７４】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該変換大域輝度信号と該差分大域輝度信号と該詳細輝度信号と該入力色信号を前記記録媒体に記録する機能と、を実現させるためのプログラム。
【請求項３７５】
　前記コンピュータに、
　前記入力画像データに付随する付加情報を取得する機能と、
　取得した前記付加情報に基づいて、少なくとも前記大域輝度信号および前記詳細輝度信号の生成条件を決定する機能と、を含むことを特徴とする請求項３７４に記載のプログラム。
【請求項３７６】
　前記付加情報に基づいてローパスフィルター特性が決定され、決定されたローパスフィルター特性に基づいて前記大域輝度信号と詳細輝度信号とが生成されることを特徴とする請求項３７５に記載のプログラム。
【請求項３７７】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該詳細輝度信号に変換処理を施して変換詳細輝度信号とする機能と、
　該変換詳細輝度信号と該大域輝度信号から差分詳細輝度信号を生成する機能と、
　少なくとも該変換大域輝度信号と該差分大域輝度信号と該変換詳細輝度信号と該差分詳細輝度信号と該入力色信号を前記記録媒体に記録する機能と、を実現させるためのプログラム。
【請求項３７８】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該入力色信号に変換処理を施して変換入力色信号とする機能と、
　該変換入力色信号と該入力色信号から差分入力色信号を生成する機能と、
　少なくとも該変換大域輝度信号と該差分大域輝度信号と該詳細輝度信号と該変換入力色信号と該差分入力色信号を前記記録媒体に記録する機能と、を実現させるためのプログラム。
【請求項３７９】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該変換大域輝度信号と該詳細輝度信号と該入力色信号を用いて鑑賞画像参照データを生成する機能と、
　少なくとも該鑑賞画像参照データと該変換大域輝度信号と該差分大域輝度信号と該該詳細輝度信号と該入力色信号を前記記録媒体に記録する機能と、を実現させるためのプログラム。
【請求項３８０】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも詳細輝度信号に変換処理を施して変換詳細輝度信号とする機能と、
　該変換詳細輝度信号と該大域輝度信号から差分詳細輝度信号を生成する機能と、
　少なくとも該変換大域輝度信号と該変換詳細輝度信号と該入力色信号を用いて鑑賞画像参照データを生成する機能と、
　少なくとも該鑑賞画像参照データと該変換大域輝度信号と該差分大域輝度信号と該変換該詳細輝度信号と該差分詳細輝度信号と該入力色信号を前記記録媒体に記録する機能と、を実現させるためのプログラム。
【請求項３８１】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該入力色信号に変換処理を施して変換入力色信号とする機能と、
　該変換入力色信号と該入力色信号から差分入力色信号を生成する機能と、
　少なくとも該変換大域輝度信号と該詳細輝度信号と該変換入力色信号を用いて鑑賞画像参照データを生成する機能と、
　少なくとも該変換大域輝度信号と該差分大域輝度信号と該詳細輝度信号と該変換入力色信号と該差分入力色信号を前記記録媒体に記録する機能と、を実現させるためのプログラム。
【請求項３８２】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　少なくとも該色変換−変換大域輝度信号と該色変換−差分大域輝度信号と該色変換詳細輝度信号と該色変換入力色信号を前記記録媒体に記録する機能と、を実現させるためのプログラム。
【請求項３８３】
　前記コンピュータに、
　前記入力画像データに付随する付加情報を取得する機能と、
　取得した前記付加情報に基づいて、少なくとも前記色変換大域輝度信号および前記色変換詳細輝度信号の生成条件を決定する機能と、を実現させるための請求項３８２に記載のプログラム。
【請求項３８４】
　前記付加情報に基づいてローパスフィルター特性が決定され、決定されたローパスフィルター特性に基づいて前記色変換大域輝度信号と色変換詳細輝度信号とが生成されることを特徴とする請求項３８３に記載のプログラム。
【請求項３８５】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から該色変換−差分大域輝度信号を生成する機能と、
　少なくとも該色変換詳細輝度信号に変換処理を施して色変換−変換詳細輝度信号とする機能と、
　該色変換詳細輝度信号と該色変換−変換詳細輝度信号から色変換−差分詳細輝度信号を生成する機能と、
　少なくとも該色変換−変換大域輝度信号と該色変換−差分大域輝度信号と該色変換−変換詳細輝度信号と該色変換−差分詳細輝度信号と該色変換入力色信号を前記記録媒体に記録する機能と、を実現させるためのプログラム。
【請求項３８６】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　該色変換入力色信号に変換処理を施して色変換−変換入力色信号を生成する機能と、
　該色変換入力色信号と該色変換−変換入力色信号を用いて色変換−差分入力色信号を生成する機能と、
　少なくとも該色変換−変換大域輝度信号と該色変換−差分大域輝度信号と該色変換詳細輝度信号と該色変換−変換入力色信号と該色変換−差分入力色信号を前記記録媒体に記録する機能と、を実現させるためのプログラム。
【請求項３８７】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　該色変換−変換大域輝度信号と該色変換詳細輝度信号と該色変換入力色信号から鑑賞画像参照データを生成する機能と、
　少なくとも該鑑賞画像参照データと該色変換−変換大域輝度信号と該色変換−差分大域輝度信号と該色変換詳細輝度信号と該色変換入力色信号を前記記録媒体に記録する機能と、を実現させるためのプログラム。
【請求項３８８】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から該色変換−差分大域輝度信号を生成する機能と、
　少なくとも該色変換詳細輝度信号に変換処理を施して色変換−変換詳細輝度信号とする機能と、
　該色変換詳細輝度信号と該色変換−変換詳細輝度信号から色変換−差分詳細輝度信号を生成する機能と、
　該色変換−変換大域輝度信号と該色変換−変換詳細輝度信号と該色変換入力色信号から鑑賞画像参照データを生成する機能と、
　少なくとも該鑑賞画像参照データと該色変換−変換大域輝度信号と該色変換−差分大域輝度信号と該色変換−変換詳細輝度信号と該色変換−差分詳細輝度信号と該色変換入力色信号を前記記録媒体に記録する機能と、を実現させるためのプログラム。
【請求項３８９】
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　該色変換入力色信号に変換処理を施して色変換−変換入力色信号を生成する機能と、
　該色変換入力色信号と該色変換−変換入力色信号を用いて色変換−差分入力色信号を生成する機能と、
　該色変換−変換大域輝度信号と該色変換詳細輝度信号と該色変換−変換入力色信号から鑑賞画像参照データを生成する機能と、
　少なくとも該鑑賞画像参照データと該色変換大域輝度信号と該色変換−差分大域輝度信号と該色変換詳細輝度信号と該色変換−変換入力色信号と該色変換−差分入力色信号を前記記録媒体に記録する機能と、を実現させるためのプログラム。
【請求項３９０】
　前記大域信号は前記入力画像データの低周波成分で構成され、前記詳細信号は前記入力画像データの高周波成分で構成されることを特徴とする請求項３４６〜３５１及び請求項３６８〜３７３の何れか一項に記載のプログラム。
【請求項３９１】
　前記大域信号は前記入力画像データの低周波成分とエッジ成分で構成され、前記詳細信号は前記入力画像データの高周波成分からエッジ成分を除いた成分で構成されることを特徴とする請求項３４６〜３５１及び請求項３６８〜３７３の何れか一項に記載のプログラム。
【請求項３９２】
　前記大域信号および／または前記詳細信号は、前記入力画像データに周波数帯域分解処理を施して生成することを特徴とする請求項３４６〜３５１及び請求項３６８〜３７３の何れか一項に記載のプログラム。
【請求項３９３】
　前記大域信号および／または前記詳細信号は、前記入力画像データにウェーブレット変換処理を施して生成することを特徴とする請求項３４６〜３５１及び請求項３６８〜３７３の何れか一項に記載のプログラム。
【請求項３９４】
　前記大域信号に施す変換処理が、階調変換処理であることを特徴とする請求項３６８〜３７３の何れか一項に記載のプログラム。
【請求項３９５】
　前記階調変換処理が非線形変換処理であることを特徴とする請求項３９４記載のプログラム。
【請求項３９６】
　前記大域輝度信号は入力輝度成分の低周波成分で構成され、前記詳細輝度信号は入力輝度成分の高周波成分で構成されることを特徴とする請求項３５２〜３５９及び請求項３７４〜３８１の何れか一項に記載のプログラム。
【請求項３９７】
　前記大域輝度信号は入力輝度成分の低周波成分とエッジ成分で構成され、前記詳細輝度信号は入力輝度成分の高周波成分からエッジ成分を除いた成分で構成されることを特徴とする請求項３５２〜３５９及び請求項３７４〜３８１の何れか一項に記載のプログラム。
【請求項３９８】
　前記大域輝度信号および／または前記詳細輝度信号は、前記入力画像データに周波数帯域分解処理を施して生成することを特徴とする請求項３５２〜３５９及び請求項３７４〜３８１の何れか一項に記載のプログラム。
【請求項３９９】
　前記大域輝度信号および／または前記詳細輝度信号は、前記入力画像データにウェーブレット変換処理を施して生成することを特徴とする請求項３５２〜３５９及び請求項３７４〜３８１の何れか一項に記載のプログラム。
【請求項４００】
　前記大域輝度信号に施される変換処理が、階調変換処理であることを特徴とする請求項３７４〜３８１の何れか一項に記載のプログラム。
【請求項４０１】
　前記階調変換処理が非線形変換処理であることを特徴とする請求項４００記載のプログラム。
【請求項４０２】
　前記色変換大域輝度信号は前記色変換入力輝度信号の低周波成分で構成され、前記色変換詳細輝度信号は前記色変換入力輝度信号の高周波成分で構成されることを特徴とする請求項３６０〜３６７及び請求項３８２〜３８９の何れか一項に記載のプログラム。
【請求項４０３】
　前記色変換大域輝度信号は前記色変換入力輝度信号の低周波成分とエッジ成分で構成され、前記色変換詳細輝度信号は前記色変換入力輝度信号の高周波成分からエッジ成分を除いた成分で構成されることを特徴とする請求項３６０〜３６７及び請求項３８２〜３８９の何れか一項に記載のプログラム。
【請求項４０４】
　前記色変換大域輝度信号および／または前記色変換詳細輝度信号は、前記色変換入力輝度信号に周波数帯域分解処理を施して生成することを特徴とする請求項３６０〜３６７及び請求項３８２〜３８９の何れか一項に記載のプログラム。
【請求項４０５】
　前記色変換大域輝度信号および／または前記色変換詳細輝度信号は、前記色変換入力輝度信号にウェーブレット変換処理を施して生成することを特徴とする請求項３６０〜３６７及び請求項３８２〜３８９の何れか一項に記載のプログラム。
【請求項４０６】
　前記色変換大域輝度信号に施す変換処理が、階調変換処理であることを特徴とする請求項３８２〜３８９の何れか一項に記載のプログラム。
【請求項４０７】
　前記階調変換処理が非線形変換処理であることを特徴とする請求項４０６記載のプログラム。
【請求項４０８】
　前記鑑賞画像参照データが出力装置の特性に依存するものであることを特徴とする請求項３４６〜３８９の何れか一項に記載のプログラム。
【請求項４０９】
　前記信号またはデータを別ファイルに記録することを特徴とする請求項３４６〜３８９の何れか一項に記載のプログラム。
【請求項４１０】
　前記信号またはデータを同一のファイルに記録することを特徴とする請求項３４６〜３８９の何れか一項に記載のプログラム。
【請求項４１１】
　前記信号またはデータのうち少なくとも一つの信号またはデータをメタデータとして同一のファイルに記録することを特徴とする請求項３４６〜３８９の何れか一項に記載のプログラム。
【請求項４１２】
　複数の前記信号またはデータを同一の記録媒体に記録することを特徴とする請求項４０９〜４１１の何れか一項に記載のプログラム。
【請求項４１３】
　複数の前記信号またはデータを異なる記録媒体に記録することを特徴とする請求項４０９〜４１１の何れか一項に記載のプログラム。
【請求項４１４】
　複数の前記信号またはデータのうち、少なくともひとつの信号またはデータと、画像の編集作業を行うことが可能なアプリケーションを同一の記録媒体に記録することを特徴とする請求項４０９〜４１１の何れか一項に記載のプログラム。
【請求項４１５】
　複数の前記信号またはデータのうち、少なくともひとつの信号またはデータと、画像の編集作業を行うことが可能なアプリケーションを補強することを目的とするファイルを、同一の記録媒体に記録することを特徴とする請求項４０９〜４１１の何れか一項に記載のプログラム。
【請求項４１６】
　入力画像データに出力媒体上での鑑賞画像形成のために最適化する画像処理を施して鑑賞画像参照データを生成するための処理を実行するためのコンピュータに、
　前記入力画像データから少なくとも大域信号と詳細信号を取得する機能と、
　少なくとも取得した該大域信号と該詳細信号を用いて前記鑑賞画像参照データを生成する機能と、を実現させるためのプログラム。
【請求項４１７】
　前記コンピュータに、
　前記入力画像データに付随する付加情報を取得する機能と、
　取得した前記付加情報に基づいて前記大域信号および前記詳細信号の生成条件を決定する機能と、を実現させるための請求項４１６に記載のプログラム。
【請求項４１８】
　前記付加情報に基づいてローパスフィルター特性が決定され、決定されたローパスフィルター特性に基づいて前記大域信号と前記詳細信号とが生成されることを特徴とする請求項４１７に記載のプログラム。
【請求項４１９】
　入力画像データに出力媒体上での鑑賞画像形成のために最適化する画像処理を施して鑑賞画像参照データを生成するための処理を実行するためのコンピュータに、
　前記入力画像データから少なくとも大域信号と変換詳細信号と差分詳細信号を取得する機能と、
　少なくとも取得した該大域信号と該変換詳細信号と該差分詳細信号を用いて前記鑑賞画像参照データを生成する機能と、を実現させるためのプログラム。
【請求項４２０】
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと大域信号と詳細信号を取得する機能と、
　少なくとも取得した該鑑賞画像参照データと該大域信号と該詳細信号を用いて改変された鑑賞画像参照データを生成する機能と、を実現させるためのプログラム。
【請求項４２１】
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと大域信号と変換詳細信号と差分詳細信号を取得する機能と、
　少なくとも取得した該鑑賞画像参照データと該大域信号と該変換詳細信号と該差分詳細信号を用いて改変された鑑賞画像参照データを生成する機能と、を実現させるためのプログラム。
【請求項４２２】
　入力画像データに出力媒体上での鑑賞画像形成のために最適化する画像処理を施して鑑賞画像参照データを生成するための処理を実行するためのコンピュータに、
　前記入力画像データから少なくとも大域輝度信号と詳細輝度信号と入力色信号を取得する機能と、
　少なくとも取得した該大域輝度信号と該詳細輝度信号と該入力色信号を用いて前記鑑賞画像参照データを生成する機能と、を実現させるためのプログラム。
【請求項４２３】
　前記コンピュータに、
　前記入力画像データに付随する付加情報を取得する機能と、
　取得した前記付加情報に基づいて前記大域輝度信号および前記詳細輝度信号の生成条件を決定する機能と、を実現させるための請求項４２２に記載のプログラム。
【請求項４２４】
　前記付加情報に基づいてローパスフィルター特性が決定され、決定されたローパスフィルター特性に基づいて前記大域輝度信号と前記詳細輝度信号とが生成されることを特徴とする請求項４２３に記載のプログラム。
【請求項４２５】
　入力画像データに出力媒体上での鑑賞画像形成のために最適化する画像処理を施して鑑賞画像参照データを生成するための処理を実行するためのコンピュータに、
　前記入力画像データから少なくとも大域輝度信号と変換詳細輝度信号と差分詳細輝度信号と入力色信号を取得する機能と、
　少なくとも取得した該大域輝度信号と該変換詳細輝度信号と該差分詳細輝度信号と該入力色信号を用いて前記鑑賞画像参照データを生成する機能と、を実現させるためのプログラム。
【請求項４２６】
　入力画像データに出力媒体上での鑑賞画像形成のために最適化する画像処理を施して鑑賞画像参照データを生成するための処理を実行するためのコンピュータに、
　前記入力画像データから少なくとも大域輝度信号と詳細輝度信号と変換入力色信号と差分入力色信号を取得する機能と、
　少なくとも取得した該大域輝度信号と該詳細輝度信号と該変換入力色信号と該差分入力色信号を用いて前記鑑賞画像参照データを生成する機能と、を実現させるためのプログラム。
【請求項４２７】
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと大域輝度信号と詳細輝度信号と入力色信号を取得する機能と、
　少なくとも取得した該大域輝度信号と該詳細輝度信号と該入力色信号を用いて、改変された鑑賞画像参照データを生成する機能と、を実現させるためのプログラム。
【請求項４２８】
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと大域輝度信号と変換詳細輝度信号と差分詳細輝度信号と入力色信号を取得する機能と、
　少なくとも取得した該大域輝度信号と該変換詳細輝度信号と該差分詳細輝度信号と該入力色信号を用いて改変された鑑賞画像参照データを生成する機能と、を実現させるためのプログラム。
【請求項４２９】
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと大域輝度信号と詳細輝度信号と変換入力色信号と差分入力色信号を取得する機能と、
　少なくとも取得した該大域輝度信号と該詳細輝度信号と該変換入力色信号と該差分入力色信号を用いて改変された鑑賞画像参照データを生成する機能と、を実現させるためのプログラム。
【請求項４３０】
　入力画像データに出力媒体上での鑑賞画像形成のために最適化する画像処理を施して鑑賞画像参照データを生成するための処理を実行するためのコンピュータに、
　前記入力画像データから少なくとも色変換大域輝度信号と色変換詳細輝度信号と色変換入力色信号を取得する機能と、
　少なくとも取得した該色変換大域輝度信号と該色変換詳細輝度信号と該色変換入力色信号を用いて前記鑑賞画像参照データを生成する機能と、を実現させるためのプログラム。
【請求項４３１】
　前記コンピュータに、
　前記入力画像データに付随する付加情報を取得する機能と、
　取得した前記付加情報に基づいて前記色変換大域輝度信号および前記色変換詳細輝度信号の生成条件を決定する機能と、を実現させるための請求項４３０に記載のプログラム。
【請求項４３２】
　前記付加情報に基づいてローパスフィルター特性が決定され、決定されたローパスフィルター特性に基づいて前記色変換大域輝度信号と前記色変換詳細輝度信号とが生成されることを特徴とする請求項４３１に記載のプログラム。
【請求項４３３】
　入力画像データに出力媒体上での鑑賞画像形成のために最適化する画像処理を施して鑑賞画像参照データを生成するための処理を実行するためのコンピュータに、
　前記入力画像データから少なくとも色変換大域輝度信号と色変換−変換詳細輝度信号と色変換−差分詳細輝度信号と色変換入力色信号を取得する機能と、
　少なくとも取得した該色変換大域輝度信号と該色変−換変換詳細輝度信号と該色変換−差分詳細輝度信号と該色変換入力色信号を用いて前記鑑賞画像参照データを生成する機能と、を実現させるためのプログラム。
【請求項４３４】
　入力画像データに出力媒体上での鑑賞画像形成のために最適化する画像処理を施して鑑賞画像参照データを生成するための処理を実行するためのコンピュータに、
　前記入力画像データから少なくとも色変換大域輝度信号と色変換詳細輝度信号と色変換変換入力色信号と色変換差分入力色信号を取得する機能と、
　少なくとも取得した該色変換大域輝度信号と該色変換詳細輝度信号と該色変換変換入力色信号と該色変換差分入力色信号を用いて前記鑑賞画像参照データを生成する機能と、を実現させるためのプログラム。
【請求項４３５】
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと色変換大域輝度信号と色変換詳細輝度信号と色変換入力色信号を取得する機能と、
　少なくとも取得した該鑑賞画像参照データと該色変換大域輝度信号と該色変換詳細輝度信号と該色変換入力色信号を用いて改変された鑑賞画像参照データを生成する機能と、を実現させるためのプログラム。
【請求項４３６】
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと色変換大域輝度信号と色変換−変換詳細輝度信号と色変換−差分詳細輝度信号と色変換入力色信号を取得する機能と、
　少なくとも取得した該鑑賞画像参照データと該色変換大域輝度信号と該色変換−変換詳細輝度信号と該色変換−差分詳細輝度信号と該色変換入力色信号を用いて、改変された鑑賞画像参照データを生成する機能と、を実現させるためのプログラム。
【請求項４３７】
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと色変換大域輝度信号と色変換詳細輝度信号と色変換−変換入力色信号と色変換−差分入力色信号を取得する機能と、
　少なくとも取得した該鑑賞画像参照データと該色変換大域輝度信号と該色変換詳細輝度信号と該色変換−変換入力色信号と該色変換−差分入力色信号を用いて改変された鑑賞画像参照データを生成する機能と、を実現させるためのプログラム。
【請求項４３８】
　入力画像データに出力媒体上での鑑賞画像形成のために最適化する画像処理を施して鑑賞画像参照データを生成するための処理を実行するためのコンピュータに、
　前記入力画像データから少なくとも変換大域信号と詳細信号と差分大域信号を取得する機能と、
　少なくとも取得した該変換大域信号と該詳細信号と該差分大域信号を用いて前記鑑賞画像参照データを生成する機能と、を実現させるためのプログラム。
【請求項４３９】
　前記コンピュータに、
　前記入力画像データに付随する付加情報を取得する機能と、
　取得した前記付加情報に基づいて、少なくとも前記大域信号および前記詳細信号の生成条件を決定する機能と、を実現させるための請求項４３８に記載のプログラム。
【請求項４４０】
　前記付加情報に基づいてローパスフィルター特性が決定され、決定されたローパスフィルター特性に基づいて前記大域信号と詳細信号とが生成されることを特徴とする請求項４３９に記載のプログラム。
【請求項４４１】
　入力画像データに出力媒体上での鑑賞画像形成のために最適化する画像処理を施して鑑賞画像参照データを生成するための処理を実行するためのコンピュータに、
　前記入力画像データから少なくとも変換大域信号と差分大域信号と詳細信号と差分詳細信号を取得する機能と、
　少なくとも取得した該変換大域信号と該差分大域信号と該変換詳細信号と該差分詳細信号を用いて前記鑑賞画像参照データを生成する機能と、を実現させるためのプログラム。
【請求項４４２】
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと変換大域信号と差分大域信号と詳細信号を取得する機能と、
　少なくとも取得した該鑑賞画像参照データと該変換大域信号と該差分大域信号と該詳細信号を用いて改変された鑑賞画像参照データを生成する機能と、を実現させるためのプログラム。
【請求項４４３】
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと変換大域信号と差分大域信号と変換詳細信号と差分詳細信号を取得する機能と、
　少なくとも取得した該鑑賞画像参照データと該変換大域信号と該差分大域信号と該詳細信号と該差分詳細信号を用いて、改変された鑑賞画像参照データを生成する機能と、を実現させるためのプログラム。
【請求項４４４】
　入力画像データに出力媒体上での鑑賞画像形成のために最適化する画像処理を施して鑑賞画像参照データを生成するための処理を実行するためのコンピュータに、
　前記入力画像データから少なくとも変換大域輝度信号と差分大域輝度信号と詳細輝度信号と入力色信号を取得する機能と、
　少なくとも取得した該変換大域輝度信号と該差分大域輝度信号と該詳細輝度信号と該入力色信号を用いて、鑑賞画像参照データを生成する機能と、を実現させるためのプログラム。
【請求項４４５】
　前記コンピュータに、
　前記入力画像データに付随する付加情報を取得する機能と、
　取得した前記付加情報に基づいて、少なくとも前記大域輝度信号および前記詳細輝度信号の生成条件を決定する機能とを実現させるための請求項４４４に記載のプログラム。
【請求項４４６】
　前記付加情報に基づいてローパスフィルター特性が決定され、決定されたローパスフィルター特性に基づいて前記大域輝度信号と詳細輝度信号とが生成されることを特徴とする請求項４４５に記載のプログラム。
【請求項４４７】
　入力画像データに出力媒体上での鑑賞画像形成のために最適化する画像処理を施して鑑賞画像参照データを生成するための処理を実行するためのコンピュータに、
　前記入力画像データから少なくとも変換大域輝度信号と差分大域輝度信号と変換詳細輝度信号と差分詳細輝度信号と入力色信号を取得する機能と、
　少なくとも取得した該変換大域輝度信号と該差分大域輝度信号と該変換該詳細輝度信号と該差分詳細輝度信号と該入力色信号を用いて、鑑賞画像参照データを生成する機能と、を実現させるためのプログラム。
【請求項４４８】
　入力画像データに出力媒体上での鑑賞画像形成のために最適化する画像処理を施して鑑賞画像参照データを生成するための処理を実行するためのコンピュータに、
　前記入力画像データから少なくとも変換大域輝度信号と差分大域輝度信号と詳細輝度信号と変換入力色信号と差分入力色信号を取得する機能と、
　少なくとも取得した該変換大域輝度信号と該差分大域輝度信号と該詳細輝度信号と該変換入力色信号と該差分入力色信号を用いて、鑑賞画像参照データを生成する機能と、を実現させるためのプログラム。
【請求項４４９】
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと変換大域輝度信号と差分大域輝度信号と詳細輝度信号と入力色信号を取得する機能と、
　少なくとも取得した該鑑賞画像参照データと該変換大域輝度信号と該差分大域輝度信号と該詳細輝度信号と該入力色信号を用いて、改変された鑑賞画像参照データを生成する機能と、を実現させるためのプログラム。
【請求項４５０】
　入力画像データに出力媒体上での鑑賞画像形成のために最適化する画像処理を施して鑑賞画像参照データを生成するための処理を実行するためのコンピュータに、
　前記入力画像データから鑑賞画像参照データと変換大域輝度信号と差分大域輝度信号と変換詳細輝度信号と差分詳細輝度信号と入力色信号を取得する機能と、
　少なくとも取得した該鑑賞画像参照データと該変換大域輝度信号と該差分大域輝度信号と該変換該詳細輝度信号と該差分詳細輝度信号と該入力色信号を用いて、改変された鑑賞画像参照データを生成する機能と、を実現させるためのプログラム。
【請求項４５１】
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと変換大域輝度信号と差分大域輝度信号と詳細輝度信号と変換入力色信号と差分入力色信号を取得する機能と、
　少なくとも取得した該鑑賞画像参照データと該変換大域輝度信号と該差分大域輝度信号と該詳細輝度信号と該変換入力色信号と該差分入力色信号を用いて、改変された鑑賞画像参照データを生成する機能と、を実現させるためのプログラム。
【請求項４５２】
　入力画像データに出力媒体上での鑑賞画像形成のために最適化する画像処理を施して鑑賞画像参照データを生成するための処理を実行するためのコンピュータに、
　前記入力画像データから少なくとも色変換−変換大域輝度信号と色変換−差分大域輝度信号と色変換詳細輝度信号と色変換入力色信号を取得する機能と、
　少なくとも取得した該色変換−変換大域輝度信号と該色変換−差分大域輝度信号と該色変換詳細輝度信号と該色変換入力色信号を用いて、鑑賞画像参照データを生成する機能と、を実現させるためのプログラム。
【請求項４５３】
　前記コンピュータに、
　前記入力画像データに付随する付加情報を取得する機能と、
　取得した前記付加情報に基づいて、少なくとも前記色変換大域輝度信号および前記色変換詳細輝度信号の生成条件を決定する機能とを実現させるための請求項４５２に記載のプログラム。
【請求項４５４】
　前記付加情報に基づいてローパスフィルター特性が決定され、決定されたローパスフィルター特性に基づいて前記色変換大域輝度信号と色変換詳細輝度信号とが生成されることを特徴とする請求項４５３に記載のプログラム。
【請求項４５５】
　入力画像データに出力媒体上での鑑賞画像形成のために最適化する画像処理を施して鑑賞画像参照データを生成するための処理を実行するためのコンピュータに、
　前記入力画像データから少なくとも色変換−変換大域輝度信号と色変換−差分大域輝度信号と色変換−変換詳細輝度信号と色変換−差分詳細輝度信号と色変換入力色信号を取得する機能と、
　少なくとも取得した該色変換−変換大域輝度信号と該色変換−差分大域輝度信号と該色変換−変換詳細輝度信号と該色変換−差分詳細輝度信号と該色変換入力色信号を用いて、鑑賞画像参照データを生成する機能と、を実現させるためのプログラム。
【請求項４５６】
　入力画像データに出力媒体上での鑑賞画像形成のために最適化する画像処理を施して鑑賞画像参照データを生成するための処理を実行するためのコンピュータに、
　前記入力画像データから少なくとも色変換−変換大域輝度信号と色変換−差分大域輝度信号と色変換詳細輝度信号と色変換−変換入力色信号と色変換−差分入力色信号を取得する機能と、
　少なくとも取得した該色変換−変換大域輝度信号と該色変換−差分大域輝度信号と該色変換詳細輝度信号と該色変換−変換入力色信号と該色変換−差分入力色信号を用いて、鑑賞画像参照データを生成する機能と、を実現させるためのプログラム。
【請求項４５７】
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと色変換−変換大域輝度信号と色変換−差分大域輝度信号と色変換詳細輝度信号と色変換入力色信号を取得する機能と、
　少なくとも取得した該鑑賞画像参照データと該色変換−変換大域輝度信号と該色変換−差分大域輝度信号と該色変換詳細輝度信号と該色変換入力色信号を用いて、改変された鑑賞画像参照データを生成する機能と、を実現させるためのプログラム。
【請求項４５８】
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと色変換−変換大域輝度信号と色変換−差分大域輝度信号と色変換−変換詳細輝度信号と色変換−差分詳細輝度信号と色変換入力色信号を取得する機能と、
　少なくとも取得した該鑑賞画像参照データと該色変換−変換大域輝度信号と該色変換−差分大域輝度信号と該色変換−変換詳細輝度信号と該色変換−差分詳細輝度信号と該色変換入力色信号を用いて、改変された鑑賞画像参照データを生成する機能と、を実現させるためのプログラム。
【請求項４５９】
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと色変換大域輝度信号と色変換−差分大域輝度信号と色変換詳細輝度信号と色変換−変換入力色信号と色変換−差分入力色信号を取得する機能と、
　少なくとも取得した該鑑賞画像参照データと該色変換大域輝度信号と該色変換−差分大域輝度信号と該色変換詳細輝度信号と該色変換−変換入力色信号と該色変換−差分入力色信号を用いて、改変された鑑賞画像参照データを生成する機能と、を実現させるためのプログラム。
【請求項４６０】
　前記鑑賞画像参照データが出力装置の特性に依存するものであることを特徴とする請求項４１６〜４５９の何れか一項に記載のプログラム。
【発明の詳細な説明】
【技術分野】
【０００１】
　本発明は、出力媒体上での最適な鑑賞画像形成のために画像データを記録する画像記録方法及び画像記録装置に関し、入力画像データに対して出力媒体上での最適な鑑賞画像形成のために施される画像処理方法及び画像処理装置に関し、その画像記録や画像処理の各プログラムを記録した記録媒体及びそのプログラムに関する。
【背景技術】
【０００２】
　今日、撮像装置で撮影されたデジタル画像データは、CD−R、フロッピー（登録商標）ディスク、メモリーカードなどの記録デバイスやインターネット経由で配信され、CRT、液晶、プラズマ等のディスプレイモニタや携帯電話の小型液晶モニタの表示デバイスに表示されたり、デジタルプリンタ、インクジェットプリンタ、サーマルプリンタ等の出力デバイスを用いてハードコピー画像としてプリントされるなど、その表示・プリント方法は多種多様化してきている。
【０００３】
　またデジタル画像データを鑑賞用途で表示・出力する際には、鑑賞に使用するディスプレイモニタ上、或いはハードコピー上において所望の画質が得られるように階調調整、輝度調整、カラーバランス調整、鮮鋭性強調に代表される種々の画像処理を施す事が一般に行われており、その画像処理技術の発展には目をみはるものがある。
【０００４】
　こうした画像の表示・プリント方法の多種多様化、画像処理方法の発達を背景に、特に近年では、一般の一個人のユーザーが、デジタルカメラで撮像したデジタル画像や、銀塩カメラで撮像したフィルム画像をスキャナなどの撮像機器でデジタル画像として取得したデジタル画像データに画像処理を施し、加工した画像を出力して鑑賞したり、インターネット上のホームページに掲載したり、ポストカードに印刷して年次の挨拶などに利用するなどして楽しむことが一般的となり、文化として根付いてきた。
【０００５】
　こうした近年の文化的な背景、一般のユーザーが行う画像処理の内容を検討した結果、画像処理を依頼された業者（実際に処理を行うオペレーター）は、顧客が希望する仕上がり状態を細かくは予測できないが、一般ユーザーが自分で処理を施す際には、自分の嗜好に合った目標画像が明確であるため、目標画像に到達するまで画像処理の程度を何度も変更するなどして、画像処理をやり直すケースが多いことが判明した。さらに、一般のユーザーが行う画像処理には、鑑賞時の画像全体の印象を左右する、覆い焼き処理をはじめとする階調変換処理が多いことが判明した。
【０００６】
　また、画像処理の程度を変更するなどして画像処理やり直す場合、同一シーンではあるが処理内容や処理の程度が異なる複数の類似の画像データファイルが生成されるため、画像処理の効果と同時に、画像データの記録方法にも配慮が必要であることが判明した。しかしながら従来における既存の技術は、こうした近年の環境、状況、一般ユーザーの使い勝手に配慮したものではない。
【０００７】
　階調変換処理に関する画像処理技術は昨今、低周波域通過フィルタで入力画像を低周波成分と高周波成分に分離し、各画素位置の低周波成分勾配から同画素における制御信号を算出し、同画素位置の高周波成分に前記制御信号を乗じて高周波成分が主体のテクスチャ信号と、同画素位置の元の値とテクスチャ信号値の差分からなる、低周波成分が主体のペデスタル信号に分離し、前記ペデスタル信号にトーン圧縮処理を施した後に前記テクスチャ信号と加算する技術が開示されている（例えば、特許文献１〜７参照。）。
【０００８】
　同特許に開示されている技術にはトーン圧縮処理を施す際に生じるリンギングを抑制するために、入力画像を２種の信号に分離する分離工程が含まれているが、一般のユーザーを想定した処理のやり直しをその都度実行するケースでは、前記分離工程をやり直しの度に繰り返さねばならず、目標の画像に達するまでの処理負荷が大きく、一般ユーザーへの配慮がなされていない。
【特許文献１】特開２０００−７５８５２号公報
【特許文献２】特開２０００−１８７７２８号公報
【特許文献３】特開２０００−２０７５４６号公報
【特許文献４】特開２０００−２６１８２４号公報
【特許文献５】特開２００１−２１６５１１号公報
【特許文献６】特開２００１−２１６５１２号公報
【特許文献７】特開２００１−２２９３７７号公報
【発明の開示】
【発明が解決しようとする課題】
【０００９】
　本発明は、一般ユーザーが自ら入力画像に画像処理、例えば鑑賞時に鑑賞画像全体の印象の優劣が決定される階調に関する補正処理を施す際に、有効な処理効果を保ちつつ、かつ、処理の程度の変更や、同じ効果を目的とするが異なる処理内容の処理方法への変更を容易にし、かつ、入力画像や処理が中途の画像の再構成が容易に可能となる、画像記録方法、画像記録装置、画像処理方法、画像処理装置、記録媒体及びプログラムを提供することである。
【課題を解決するための手段】
【００１０】
　上記課題を解決するため、請求項１記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　少なくとも該大域信号と該詳細信号を前記記録媒体に記録する工程と、を含むことを特徴としている。
【００１１】
　また、請求項２記載の発明は、請求項１に記載の画像記録方法において、
　前記入力画像データに付随する付加情報を取得する工程と、
　取得した前記付加情報に基づいて前記大域信号および前記詳細信号の生成条件を決定する大域・詳細信号生成条件決定工程と、を含むことを特徴としている。
【００１２】
　また、請求項３に記載の発明は、請求項２に記載の画像記録方法において、前記付加情報に基づいてローパスフィルター特性を決定し、決定されたローパスフィルター特性に基づいて前記大域信号と前記詳細信号とを生成することを特徴としている。
【００１３】
　また、請求項４記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　少なくとも詳細信号に詳細変換処理を施して変換詳細信号とする工程と、
　該詳細信号と該変換詳細信号を用いて差分詳細信号を生成する工程と、
　少なくとも該大域信号と該変換詳細信号と該差分詳細信号を前記記録媒体に記録する工程と、を含むことを特徴としている。
【００１４】
　また、請求項５記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　該大域信号と該詳細信号から鑑賞画像参照データを生成する工程と、
　少なくとも該大域信号と該詳細信号と鑑賞画像参照データを前記記録媒体に記録する工程と、を含むことを特徴としている。
【００１５】
　また、請求項６記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　少なくとも詳細信号に詳細変換処理を施して変換詳細信号とする工程と、
　該詳細信号と該変換詳細信号を用いて差分詳細信号を生成する工程と、
　該大域信号と該変換詳細信号から鑑賞画像参照データを生成する工程と、
　少なくとも該大域信号と該変換詳細信号と該差分詳細信号と該鑑賞画像参照データを前記記録媒体に記録する工程と、を含むことを特徴としている。
【００１６】
　また、請求項７１記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成する生成手段と、
　少なくとも該大域信号と該詳細信号を前記記録媒体に記録する記録手段と、を備えたことを特徴としている。
【００１７】
　また、請求項７２記載の発明は、請求項７１に記載の画像記録装置において、
　前記入力画像データに付随する付加情報を取得する手段と、
　取得した前記付加情報に基づいて前記大域信号および前記詳細信号の生成条件を決定する大域・詳細信号生成条件決定手段と、を備えたことを特徴としている。
【００１８】
　また、請求項７３記載の発明は、請求項７２に記載の画像記録装置において、
　前記付加情報に基づいてローパスフィルター特性を決定し、決定されたローパスフィルター特性に基づいて前記大域信号と前記詳細信号とを生成することを特徴としている。
【００１９】
　また、請求項７４記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成し、少なくとも該詳細信号に詳細変換処理を施して変換詳細信号とするとともに、該詳細信号と該変換詳細信号を用いて差分詳細信号を生成する生成手段と、
　少なくとも該大域信号と該変換詳細信号と該差分詳細信号を前記記録媒体に記録する記録手段と、を備えたことを特徴としている。
【００２０】
　また、請求項７５記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成するとともに、該大域信号と該詳細信号から鑑賞画像参照データを生成する生成手段と、
　少なくとも該大域信号と該詳細信号と鑑賞画像参照データを前記記録媒体に記録する記録手段と、を備えたことを特徴としている。
【００２１】
　また、請求項７６記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成し、少なくとも詳細信号に詳細変換処理を施して変換詳細信号とし、該詳細信号と該変換詳細信号を用いて差分詳細信号を生成するとともに、該大域信号と該変換詳細信号から鑑賞画像参照データを生成する生成手段と、
　少なくとも該大域信号と該変換詳細信号と該差分詳細信号と該鑑賞画像参照データを前記記録媒体に記録する記録手段と、を備えたことを特徴としている。
【００２２】
　また、請求項１４１記載の発明は、
　入力画像データに出力媒体上での鑑賞画像形成のために最適化する画像処理を施して鑑賞画像参照データを生成する画像処理方法において、
　前記入力画像データから少なくとも大域信号と詳細信号を取得する工程と、
　少なくとも取得した該大域信号と該詳細信号を用いて前記鑑賞画像参照データを生成する工程と、を含むことを特徴としている。
【００２３】
　また、請求項１４２記載の発明は、請求項１４１に記載の画像処理方法において、
　前記入力画像データに付随する付加情報を取得する工程と、
　取得した前記付加情報に基づいて前記大域信号および前記詳細信号の生成条件を決定する大域・詳細信号生成条件決定工程と、を含むことを特徴としている。
【００２４】
　また、請求項１４３記載の発明は、請求項１４２に記載の画像処理方法において、
　前記付加情報に基づいてローパスフィルター特性を決定し、決定されたローパスフィルター特性に基づいて前記大域信号と前記詳細信号とを生成することを特徴としている。
【００２５】
　また、請求項１４４記載の発明は、
　入力画像データに出力媒体上での鑑賞画像形成のために最適化する画像処理を施して鑑賞画像参照データを生成する画像処理方法において、
　前記入力画像データから少なくとも大域信号と変換詳細信号と差分詳細信号を取得する工程と、
　少なくとも取得した該大域信号と該変換詳細信号と該差分詳細信号を用いて前記鑑賞画像参照データを生成する工程と、を含むことを特徴としている。
【００２６】
　また、請求項１４５記載の発明は、
　入力画像データに出力媒体上での鑑賞画像形成のために最適化する画像処理を施して鑑賞画像参照データを生成する画像処理方法において、
　前記入力画像データから少なくとも鑑賞画像参照データと大域信号と詳細信号を取得する工程と、
　少なくとも取得した該鑑賞画像参照データと該大域信号と該詳細信号を用いて改変された鑑賞画像参照データを生成する工程と、を含むことを特徴としている。
【００２７】
　また、請求項１４６記載の発明は、
　入力画像データに出力媒体上での鑑賞画像形成のために最適化する画像処理を施して鑑賞画像参照データを生成する画像処理方法において、
　前記入力画像データから少なくとも鑑賞画像参照データと大域信号と変換詳細信号と差分詳細信号を取得する工程と、
　少なくとも取得した該鑑賞画像参照データと該大域信号と該変換詳細信号と該差分詳細信号を用いて改変された鑑賞画像参照データを生成する工程と、を含むことを特徴としている。
【００２８】
　また、請求項１８６記載の発明は、
　入力画像データに出力媒体上での鑑賞画像形成のために最適化する画像処理を施して鑑賞画像参照データを生成する画像処理装置において、
　前記入力画像データから少なくとも大域信号と詳細信号を取得する取得手段と、
　少なくとも取得した該大域信号と該詳細信号を用いて前記鑑賞画像参照データを生成する生成手段と、を備えたことを特徴としている。
【００２９】
　また、請求項１８７記載の発明は、請求項１８６に記載の画像処理装置において。
　前記入力画像データに付随する付加情報を取得する手段と、
　取得した前記付加情報に基づいて前記大域信号および前記詳細信号の生成条件を決定する大域・詳細信号生成条件決定手段と、を備えたことを特徴としている。
【００３０】
　また、請求項１８８記載の発明は、請求項１８７に記載の画像処理装置において、
　前記付加情報に基づいてローパスフィルター特性を決定し、決定されたローパスフィルター特性に基づいて前記大域信号と前記詳細信号とを生成することを特徴としている。
【００３１】
　また、請求項１８９記載の発明は、
　入力画像データに出力媒体上での鑑賞画像形成のために最適化する画像処理を施して鑑賞画像参照データを生成する画像処理装置において、
　前記入力画像データから少なくとも大域信号と変換詳細信号と差分詳細信号を取得する取得手段と、
　少なくとも取得した該大域信号と該変換詳細信号と該差分詳細信号を用いて前記鑑賞画像参照データを生成する生成手段と、を備えたことを特徴としている。
【００３２】
　また、請求項１９０記載の発明は、
　入力画像データに出力媒体上での鑑賞画像形成のために最適化する画像処理を施して鑑賞画像参照データを生成する画像処理装置において、
　前記入力画像データから少なくとも鑑賞画像参照データと大域信号と詳細信号を取得する取得手段と、
　少なくとも取得した該鑑賞画像参照データと該大域信号と該詳細信号を用いて改変された鑑賞画像参照データを生成する生成手段と、を備えたことを特徴としている。
【００３３】
　また、請求項１９１記載の発明は、
　入力画像データに出力媒体上での鑑賞画像形成のために最適化する画像処理を施して鑑賞画像参照データを生成する画像処理装置において、
　前記入力画像データから少なくとも鑑賞画像参照データと大域信号と変換詳細信号と差分詳細信号を取得する取得手段と、
　少なくとも取得した該鑑賞画像参照データと該大域信号と該変換詳細信号と該差分詳細信号を用いて改変された鑑賞画像参照データを生成する生成手段と、を備えたことを特徴としている。
【００３４】
　また、請求項２３１記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　少なくとも該大域信号と該詳細信号を前記記録媒体に記録する機能と、
　を含むプログラムを記録したことを特徴としている。
【００３５】
　また、請求項２３２記載の発明は、請求項２３１に記載の記録媒体において、
　前記プログラムは、
　前記入力画像データに付随する付加情報を取得する機能と、
　取得した前記付加情報に基づいて前記大域信号および前記詳細信号の生成条件を決定する機能と、を含むことを特徴としている。
【００３６】
　また、請求項２３３記載の発明は、請求項２３２に記載の記録媒体において、
　前記プログラムにおいて、前記付加情報に基づいてローパスフィルター特性が決定され、決定されたローパスフィルター特性に基づいて前記大域信号と前記詳細信号とが生成されることを特徴としている。
【００３７】
　また、請求項２３４記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　少なくとも該詳細信号に詳細変換処理を施して変換詳細信号とする機能と、
　該詳細信号と該変換詳細信号を用いて差分詳細信号を生成する機能と、
　少なくとも該大域信号と該変換詳細信号と該差分詳細信号を前記記録媒体に記録する機能と、
　を含むプログラムを記録したことを特徴としている。
【００３８】
　また、請求項２３５記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　該大域信号と該詳細信号から鑑賞画像参照データを生成する機能と、
　少なくとも該大域信号と該詳細信号と鑑賞画像参照データを前記記録媒体に記録する機能と、
　を含むプログラムを記録したことを特徴としている。
【００３９】
　また、請求項２３６記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　少なくとも詳細信号に詳細変換処理を施して変換詳細信号とする機能と、
　該詳細信号と該変換詳細信号を用いて差分詳細信号を生成する機能と、
　該大域信号と該変換詳細信号から鑑賞画像参照データを生成する機能と、
　少なくとも該大域信号と該変換詳細信号と該差分詳細信号と該鑑賞画像参照データを前記記録媒体に記録する機能と、
　を含むプログラムを記録したことを特徴としている。
【００４０】
　また、請求項３０１記載の発明は、
　入力画像データに出力媒体上での鑑賞画像形成のために最適化する画像処理を施して鑑賞画像参照データを生成する処理を実行させるためのプログラムを記録したコンピュータ読み取り可能な記録媒体であって、
　前記入力画像データから少なくとも大域信号と詳細信号を取得する機能と、
　少なくとも取得した該大域信号と該詳細信号を用いて前記鑑賞画像参照データを生成する機能と、
　を含むプログラムを記録したことを特徴としている。
【００４１】
　また、請求項３０２記載の発明は、請求項３０１に記載の記録媒体において、
　前記プログラムは、
　前記入力画像データに付随する付加情報を取得する機能と、
　取得した前記付加情報に基づいて前記大域信号および前記詳細信号の生成条件を決定する機能と、を含むことを特徴としている。
【００４２】
　また、請求項３０３記載の発明は、請求項３０２に記載の記録媒体において、
　前記プログラムにおいて、前記付加情報に基づいてローパスフィルター特性が決定され、決定されたローパスフィルター特性に基づいて前記大域信号と前記詳細信号とが生成されることを特徴としている。
【００４３】
　また、請求項３０４記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも大域信号と変換詳細信号と差分詳細信号を取得する機能と、
　少なくとも取得した該大域信号と該変換詳細信号と該差分詳細信号を用いて前記鑑賞画像参照データを生成する機能と、
　を含むプログラムを記録したことを特徴としている。
【００４４】
　また、請求項３０５記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと大域信号と詳細信号を取得する機能と、
　少なくとも取得した該鑑賞画像参照データと該大域信号と該詳細信号を用いて改変された鑑賞画像参照データを生成する機能と、
　を含むプログラムを記録したことを特徴としている。
【００４５】
　また、請求項３０６記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと大域信号と変換詳細信号と差分詳細信号を取得する機能と、
　少なくとも取得した該鑑賞画像参照データと該大域信号と該変換詳細信号と該差分詳細信号を用いて改変された鑑賞画像参照データを生成する機能と、
　を含むプログラムを記録したことを特徴としている。
【００４６】
　また、請求項３４６記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　少なくとも該大域信号と該詳細信号を前記記録媒体に記録する機能と、を実現させるためのプログラムであることを特徴としている。
【００４７】
　また、請求項３４７記載の発明は、請求項３４６に記載のプログラムにおいて、
　前記コンピュータに、
　前記入力画像データに付随する付加情報を取得する機能と、
　取得した前記付加情報に基づいて前記大域信号および前記詳細信号の生成条件を決定する機能と、を実現させることを特徴としている。
【００４８】
　また、請求項３４８記載の発明は、請求項３４７に記載のプログラムにおいて、
　前記付加情報に基づいてローパスフィルター特性が決定され、決定されたローパスフィルター特性に基づいて前記大域信号と前記詳細信号とが生成されることを特徴としている。
【００４９】
　また、請求項３４９記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　少なくとも該詳細信号に詳細変換処理を施して変換詳細信号とする機能と、
　該詳細信号と該変換詳細信号を用いて差分詳細信号を生成する機能と、
　少なくとも該大域信号と該変換詳細信号と該差分詳細信号を前記記録媒体に記録する機能と、を実現させるためのプログラムであることを特徴としている。
【００５０】
　また、請求項３５０記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　該大域信号と該詳細信号から鑑賞画像参照データを生成する機能と、
　少なくとも該大域信号と該詳細信号と鑑賞画像参照データを前記記録媒体に記録する機能と、を実現させるためのプログラムであることを特徴としている。
【００５１】
　また、請求項３５１記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　少なくとも詳細信号に詳細変換処理を施して変換詳細信号とする機能と、
　該詳細信号と該変換詳細信号を用いて差分詳細信号を生成する機能と、
　該大域信号と該変換詳細信号から鑑賞画像参照データを生成する機能と、
　少なくとも該大域信号と該変換詳細信号と該差分詳細信号と該鑑賞画像参照データを前記記録媒体に記録する機能と、を実現させるためのプログラムであることを特徴としている。
【００５２】
　また、請求項４１６記載の発明は、
　入力画像データに出力媒体上での鑑賞画像形成のために最適化する画像処理を施して鑑賞画像参照データを生成する処理を実行するためのコンピュータに、
　前記入力画像データから少なくとも大域信号と詳細信号を取得する機能と、
　少なくとも取得した該大域信号と該詳細信号を用いて前記鑑賞画像参照データを生成する機能と、を実現させるためのプログラムであることを特徴としている。
【００５３】
　また、請求項４１７記載の発明は、請求項４１６に記載のプログラムにおいて、
　前記コンピュータに、
　前記入力画像データに付随する付加情報を取得する機能と、
　取得した前記付加情報に基づいて前記大域信号および前記詳細信号の生成条件を決定する機能と、を実現させることを特徴としている。
【００５４】
　また、請求項４１８記載の発明は、請求項４１７に記載のプログラムにおいて、
　前記付加情報に基づいてローパスフィルター特性が決定され、決定されたローパスフィルター特性に基づいて前記大域信号と前記詳細信号とが生成されることを特徴としている。
【００５５】
　また、請求項４１９記載の発明は、
　入力画像データに出力媒体上での鑑賞画像形成のために最適化する画像処理を施して鑑賞画像参照データを生成するための処理を実行するためのコンピュータに、
　前記入力画像データから少なくとも大域信号と変換詳細信号と差分詳細信号を取得する機能と、
　少なくとも取得した該大域信号と該変換詳細信号と該差分詳細信号を用いて前記鑑賞画像参照データを生成する機能と、を実現させるためのプログラムであることを特徴としている。
【００５６】
　また、請求項４２０記載の発明は、
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと大域信号と詳細信号を取得する機能と、
　少なくとも取得した該鑑賞画像参照データと該大域信号と該詳細信号を用いて改変された鑑賞画像参照データを生成する機能と、を実現させるためのプログラムであることを特徴としている。
【００５７】
　また、請求項４２１記載の発明は、
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと大域信号と変換詳細信号と差分詳細信号を取得する機能と、
　少なくとも取得した該鑑賞画像参照データと該大域信号と該変換詳細信号と該差分詳細信号を用いて改変された鑑賞画像参照データを生成する機能と、を実現させるためのプログラムであることを特徴としている。
【００５８】
　請求項１〜６記載の画像記録方法及び請求項７１〜７６記載の画像記録装置、請求項１４１〜１４６記載の画像処理方法及び請求項１８６〜１９１記載の画像処理装置、請求項２３１〜２３６記載の記録媒体及び請求項３０１〜３０６記載のプログラム、請求項３４６〜３５１記載の記録媒体及び請求項３３２〜４２１記載のプログラムにより構成される第１の発明群の第１の特徴は、入力画像データから大域信号と詳細信号を生成し、生成された信号のうち少なくとも大域信号を記録媒体に記録することである。
【００５９】
　特に、請求項１、７１記載の画像記録装置、請求項１４１記載の画像処理方法、請求項１８６記載の画像処理装置、請求項２３１、３０１記載の記録媒体、請求項３４６、４１６記載のプログラムにおいて、入力画像データに付随する付加情報を取得し、取得した付加情報に基づいて大域信号と詳細信号の生成条件を決定することが好ましい。
【００６０】
　請求項１〜６記載の画像記録方法及び請求項７１〜７６記載の画像記録装置、請求項１４１〜１４６記載の画像処理方法及び請求項１８６〜１９１記載の画像処理装置、請求項２３１〜２３６記載の記録媒体及び請求項３０１〜３０６記載のプログラム、請求項３４６〜３５１記載の記録媒体及び請求項３３２〜４２１記載のプログラムにより構成される第１の発明群においては、少なくとも大域信号と詳細信号を記録することが好ましい。
【００６１】
　また、少なくとも大域信号と共に、上記詳細信号の変わりに変換詳細信号と差分詳細信号を記録する形態が好ましい。また、少なくとも大域信号、詳細信号と共に、大域信号、詳細信号から生成された鑑賞画像参照データを記録することも好ましく、少なくとも大域信号と変換詳細信号、差分詳細信号と共に、大域信号と変換詳細信号から生成された鑑賞画像参照データを記録することも好ましい。
【００６２】
　また、第1の発明群の第２の特徴は、記録媒体に記録されている少なくとも大域信号と詳細信号を取得し、少なくともこれらを用いて鑑賞画像参照データを生成することである。また、大域信号と共に変換詳細信号と差分詳細信号を取得し、これらを用いて鑑賞画像参照データを生成する形態もも好ましい。
【００６３】
　また、大域信号と詳細信号と共に鑑賞画像参照データを取得し、これらを用いて鑑賞画像参照データを生成する形態も好ましく、大域信号と変換詳細信号と差分詳細信号と共に鑑賞画像参照データを取得し、これらに画像処理を施した上で、取得した鑑賞画像参照データとは画像の状態が異なる、改変された鑑賞画像参照データを生成する形態も好ましい。
【００６４】
　また、第1の発明群における、取得した信号を用いた鑑賞画像参照データの生成方法としては、取得した大域信号と詳細信号にユーザーの意図にそった所定の画像処理を施し、これらを加算して生成する方法が好ましい。大域信号と詳細信号の各々に画像処理を施し、処理済みの信号を加算するのはもちろん、意図に応じて、大域信号と詳細信号のどちらかのみに画像処理を施し、加算することも可能であるのはいうまでもない。
【００６５】
　この方法は、すでに分離された信号を元に画像処理を施すことができるので、ユーザーにとって処理負荷の低い、簡便な処理が実現し、その分離された信号についても、ユーザーが意図する画像処理に直結しやすい性質を個々に有しているので、ユーザーが画像処理を施す際に処理方法の選択がしやすい利点をもつ。また、ユーザーが嗜好に合致するまで繰り返し処理をやり直す際にも、やり直しの都度、新たに分離する手間がないので、処理負荷が低いという大きな利点がある。
【００６６】
　また、大域信号に施す前記画像処理は、画像全体の印象を左右するような補正処理をユーザーが所望する場合に利用価値が高く、例えば、階調変換処理が好ましく、特に次に説明する覆い焼き処理の適用が好ましい。
　例えば、一般ユーザーが頻繁に撮影し、かつ改変が所望されるケースとして、屋外の逆光の中での人物撮影がある。この場合、建物などの背景はとても明るいが、手前に映っている人物は暗く、明暗差が激しい。人物が適当な明るさになるように階調調整すると背景が明るくなりすぎて詳細な構造が確認できなくなり、逆に背景が適当な明るさになるように階調調整すると人物が暗くなり好ましくない。
【００６７】
　このようなケースでは、覆い焼き処理と呼ばれる処理を適用するのが好ましい。覆い焼き処理は、詳細な構造（濃度差）は残したまま、大きな明暗、つまり階調を補正する技術である。本発明は、覆い焼き処理を採用するに適した形態であり、画像全体の明暗は大域信号に含まれ、人物の眼や口、背景の壁の紋様など微細な構造は詳細信号にあらかじめ分離されている。ユーザーが覆い焼き処理の適用を所望したときには、大域信号に所定の係数を乗じるなどの処理を加えることで、覆い焼き処理を施したこととになる。
【００６８】
　なお、大域信号に施す処理は、覆い焼き処理に限定されないことは言うまでもなく、線形変換処理、非線型変換処理、コントラスト補正、露光補償、ダイナミックレンジの変更、など種々の階調変換処理を適用できるが、これに限定されるものではない。また、これらの具体的な技術としては、例えば特開平１１−６８４８６０、特開平８−２９４００６、特開２０００−７５８５２等があげられるが、これらに限定されるものではない。
【００６９】
　詳細信号に施す画像処理は、詳細信号が画像の高周波成分を主とする信号であるため、人物の髪や目、単色の布地の織柄など、画像の詳細な構造を強調したり、ノイズを低減させる補正処理をユーザーが所望する場合に利用価値が高い。例えば、ノイズ除去処理、シャープネス強調処理の適用が好ましい。また、詳細信号を生成する過程において、詳細信号の主たる成分である高周波成分の周波数帯域を調整することによって、ユーザーが所望する周波数帯域で表される詳細な構造やノイズを、強調したり除去することが可能である。ただし、これらの処理に限定するものではない。
【００７０】
　なお、高周波成分を調整する技術は当業者には広く知られており、具体的には例えば、「Ｃ言語で学ぶ実践ディジタル映像処理（オーム社、八木伸行、他　共著」の１７２頁−１８０頁に記載してある技術などがあげられるが、これに限定するものではない。
【００７１】
　また、取得した大域信号と詳細信号の分離状態がユーザーの意図に合致しない場合は、取得した大域信号と詳細信号を加算して入力画像データを再構成し、記録された大域信号と詳細信号の生成方法とは異なる手段で、新たに大域信号と詳細信号を生成しなおした上で、上記と同様に各々所定の画像処理を施した上で加算し、鑑賞画像参照データを生成する方法を選択することも可能である。
【００７２】
　また、大域信号と共に変換詳細信号と差分詳細信号を取得し、取得した大域信号と変換詳細信号と差分詳細信号にユーザーの意図にそった所定の画像処理を施し、これらを加算して鑑賞画像参照データを生成することも好ましい。この形態では、取得した変換詳細信号は、取得する以前に記録媒体に記録された段階で、入力画像データの詳細信号に変更が加えられている。よって、取得した大域信号と変換詳細信号を加算して生成した鑑賞画像参照データは、入力画像データから微細な構造やノイズの状態が変更されたデータである。
【００７３】
　この変更の意図をユーザーがそのまま継承し、鑑賞画像参照データを生成する場合には、大域信号と変換詳細信号を加算し、鑑賞画像参照データを生成すればよい。こうして生成した鑑賞画像参照データがユーザーの嗜好に合致せず、微細な構造やノイズの状態を変更を希望した場合に、特に、この形態の効果は発現し、処理をやり直す際に、再分離をする手間をかけず、前記生成した鑑賞画像参照データと差分詳細信号を用いて異なる状態の鑑賞画像参照データを生成することが可能である。
【００７４】
　例えば、前記ユーザーの嗜好に合致しない鑑賞画像参照データに、所定の係数を乗じた差分詳細信号を加算することで、微細な構造やノイズの状態の変更の程度を、ユーザーの嗜好に合致するまで簡易に調整することができる。
【００７５】
　また、取得した大域信号と詳細信号の分離状態や、詳細信号の変更の（程度ではなく）方法そのものが、ユーザーの意図に合致しない場合は、取得した大域信号と変換詳細信号と差分詳細信号を加算して入力画像データを再構成し、記録された大域信号と詳細信号の生成方法とは異なる手段で、新たに大域信号と詳細信号を生成しなおした上で、大域信号と詳細信号各々に所定の画像処理を施した上で加算し、鑑賞画像参照データを生成する方法を選択することも可能である。
【００７６】
　また、記録されている鑑賞画像参照データを上記に述べた種々の信号と共に取得し、改変された鑑賞画像参照データを生成する形態も好ましい。この形態では、ひとつの鑑賞画像が出発点としてあるので、ユーザーが修正を加えたい内容を把握しやすく、作業を進め易いという利点がある。
【００７７】
　また、取得した鑑賞画像参照データを出発点として、共に取得した大域信号や詳細信号、または変換詳細信号や差分詳細信号などを用いて、ユーザーの嗜好に合致するまで変更を加えることが可能ある。例えば、鑑賞画像参照データに微細な構造の強調やノイズ除去の程度を変更したい場合、所定の係数を乗じた差分詳細信号を鑑賞画像参照データに加算するという、とても平易な作業で、微細な構造の強調やノイズ除去の程度を変更することができる。
【００７８】
　この形態においても、取得した大域信号と詳細信号の分離状態や、詳細信号の変更の（程度ではなく）方法そのものが、ユーザーの意図に合致しない場合は、取得した種々の信号を用いて入力画像データを再構成し、異なる処理方法で画像処理を施すことが可能であり、ユーザーの選択する処理内容の幅が広げることが可能であるのは、先に述べた通りである。
【００７９】
　また、請求項７記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該大域輝度信号と該詳細輝度信号と該入力色信号を前記記録媒体に記録する工程と、を含むことを特徴としている。
【００８０】
　また、請求項８記載の発明は、請求項７に記載の画像記録方法において、
　前記入力画像データに付随する付加情報を取得する工程と、
　取得した前記付加情報に基づいて前記大域輝度信号および前記詳細輝度信号の生成条件を決定する大域・詳細輝度信号生成条件決定工程と、を含むことを特徴としている。
【００８１】
　また、請求項９記載の発明は、請求項８に記載の画像記録方法において、
　前記付加情報に基づいてローパスフィルター特性を決定し、決定されたローパスフィルター特性に基づいて前記大域輝度信号と前記詳細輝度信号とを生成することを特徴としている。
【００８２】
　また、請求項１０記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも詳細輝度信号に詳細変換処理を施して変換詳細輝度信号とする工程と、
　該詳細輝度信号と該変換詳細輝度信号を用いて差分詳細輝度信号を生成する工程と、
　少なくとも該大域輝度信号と該変換詳細輝度信号と該差分詳細輝度信号と該入力色信号を前記記録媒体に記録する工程と、を含むことを特徴としている。
【００８３】
　また、請求項１１記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも入力色信号に色変換処理を施して変換入力色信号を生成する工程と、
　該入力色信号と該変換入力色信号から差分入力色信号を生成する工程と、
　少なくとも該大域輝度信号と該詳細輝度信号と該変換入力色信号と該差分入力色信号を前記記録媒体に記録する工程と、を含むことを特徴としている。
【００８４】
　また、請求項１２記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　該大域輝度信号と該詳細輝度信号と該入力色信号から鑑賞画像参照データを生成する工程と、
　少なくとも該鑑賞画像参照データと該大域輝度信号と該詳細輝度信号と該入力色信号を前記記録媒体に記録する工程と、を含むことを特徴としている。
【００８５】
　また、請求項１３記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該詳細輝度信号に詳細変換処理を施して変換詳細輝度信号とする工程と、
　該詳細輝度信号と該変換詳細輝度信号を用いて差分詳細輝度信号を生成する工程と、
　該大域輝度信号と変換詳細輝度信号と入力色信号から鑑賞画像参照データを生成する工程と、
　少なくとも該鑑賞画像参照データと該大域輝度信号と該変換詳細輝度信号と該差分詳細輝度信号と該入力色信号を前記記録媒体に記録する工程と、を含むことを特徴としている。
【００８６】
　また、請求項１４記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該入力色信号に色変換処理を施して変換入力色信号を生成する工程と、
　該入力色信号と該変換入力色信号から差分入力色信号を生成する工程と、
　該大域輝度信号と該詳細輝度信号と該変換入力色信号から鑑賞画像参照データを生成する工程と、
　少なくとも該鑑賞画像参照データと該大域輝度信号と該詳細輝度信号と該変換入力色信号と該差分入力色信号を前記記録媒体に記録する工程と、を含むことを特徴としている。
【００８７】
　また、請求項７７記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成するとともに、該入力輝度信号から大域輝度信号と詳細輝度信号を生成する生成手段と、
　少なくとも該大域輝度信号と該詳細輝度信号と該入力色信号を前記記録媒体に記録する記録手段と、を備えたことを特徴としている。
【００８８】
　また、請求項７８記載の発明は、請求項７７に記載の画像記録装置において、
　前記入力画像データに付随する付加情報を取得する手段と、
　取得した前記付加情報に基づいて前記大域輝度信号および前記詳細輝度信号の生成条件を決定する大域・詳細輝度信号生成条件決定手段と、を備えたことを特徴としている。
【００８９】
　また、請求項７９記載の発明は、請求項７８に記載の画像記録装置において、
　前記付加情報に基づいてローパスフィルター特性を決定し、決定されたローパスフィルター特性に基づいて前記大域輝度信号と前記詳細輝度信号とを生成することを特徴としている。
【００９０】
　また、請求項８０記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも詳細輝度信号に詳細変換処理を施して変換詳細輝度信号とするとともに、該詳細輝度信号と該変換詳細輝度信号を用いて差分詳細輝度信号を生成する生成手段と、
　少なくとも該大域輝度信号と該変換詳細輝度信号と該差分詳細輝度信号と該入力色信号を前記記録媒体に記録する記録手段と、を備えたことを特徴としている。
【００９１】
　また、請求項８１記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも入力色信号に色変換処理を施して変換入力色信号を生成するとともに、該入力色信号と該変換入力色信号から差分入力色信号を生成する生成手段と、
　少なくとも該大域輝度信号と該詳細輝度信号と該変換入力色信号と該差分入力色信号を前記記録媒体に記録する記録手段と、を備えたことを特徴としている。
【００９２】
　また、請求項８２記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成するとともに、該大域輝度信号と該詳細輝度信号と該入力色信号から鑑賞画像参照データを生成する生成手段と、
　少なくとも該鑑賞画像参照データと該大域輝度信号と該詳細輝度信号と該入力色信号を前記記録媒体に記録する記録手段と、を備えたことを特徴としている。
【００９３】
　また、請求項８３記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該詳細輝度信号に詳細変換処理を施して変換詳細輝度信号とし、該詳細輝度信号と該変換詳細輝度信号を用いて差分詳細輝度信号を生成するとともに、該大域輝度信号と変換詳細輝度信号と入力色信号から鑑賞画像参照データを生成する生成手段と、
　少なくとも該鑑賞画像参照データと該大域輝度信号と該変換詳細輝度信号と該差分詳細輝度信号と該入力色信号を前記記録媒体に記録する記録手段と、を備えたことを特徴としている。
【００９４】
　また、請求項８４記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該入力色信号に色変換処理を施して変換入力色信号を生成し、該入力色信号と該変換入力色信号から差分入力色信号を生成するとともに、該大域輝度信号と該詳細輝度信号と該変換入力色信号から鑑賞画像参照データを生成する生成手段と、
　少なくとも該鑑賞画像参照データと該大域輝度信号と該詳細輝度信号と該変換入力色信号と該差分入力色信号を前記記録媒体に記録する記録手段と、を備えたことを特徴ととしている。
【００９５】
　また、請求項１４７記載の発明は、
　入力画像データに出力媒体上での鑑賞画像形成のために最適化する画像処理を施して鑑賞画像参照データを生成する画像処理方法において、
　前記入力画像データから少なくとも大域輝度信号と詳細輝度信号と入力色信号を取得する工程と、
　少なくとも取得した該大域輝度信号と該詳細輝度信号と該入力色信号を用いて前記鑑賞画像参照データを生成する工程と、を含むことを特徴としている。
【００９６】
　また、請求項１４８記載の発明は、請求項１４７に記載の画像処理方法において、
　前記入力画像データに付随する付加情報を取得する工程と、
　取得した前記付加情報に基づいて前記大域輝度信号および前記詳細輝度信号の生成条件を決定する大域・詳細輝度信号生成条件決定工程と、を含むことを特徴としている。
【００９７】
　また、請求項１４９記載の発明は、請求項１４８に記載の画像処理方法において、
　前記付加情報に基づいてローパスフィルター特性を決定し、決定されたローパスフィルター特性に基づいて前記大域輝度信号と前記詳細輝度信号とを生成することを特徴としている。
【００９８】
　また、請求項１５０記載の発明は、
　入力画像データに出力媒体上での鑑賞画像形成のために最適化する画像処理を施して鑑賞画像参照データを生成する画像処理方法において、
　前記入力画像データから少なくとも大域輝度信号と変換詳細輝度信号と差分詳細輝度信号と入力色信号を取得する工程と、
　少なくとも取得した該大域輝度信号と該変換詳細輝度信号と該差分詳細輝度信号と該入力色信号を用いて前記鑑賞画像参照データを生成する工程と、を含むことを特徴としている。
【００９９】
　また、請求項１５１記載の発明は、
　入力画像データに出力媒体上での鑑賞画像形成のために最適化する画像処理を施して鑑賞画像参照データを生成する画像処理方法において、
　前記入力画像データから少なくとも大域輝度信号と詳細輝度信号と変換入力色信号と差分入力色信号を取得する工程と、
　少なくとも取得した該大域輝度信号と該詳細輝度信号と該変換入力色信号と該差分入力色信号を用いて前記鑑賞画像参照データを生成する工程と、を含むことを特徴としている。
【０１００】
　また、請求項１５２記載の発明は、
　入力画像データに出力媒体上での鑑賞画像形成のために最適化する画像処理を施して鑑賞画像参照データを生成する画像処理方法において、
　前記入力画像データから少なくとも鑑賞画像参照データと大域輝度信号と詳細輝度信号と入力色信号を取得する工程と、
　少なくとも取得した該大域輝度信号と該詳細輝度信号と該入力色信号を用いて、改変された鑑賞画像参照データを生成する工程と、を含むことを特徴としている。
【０１０１】
　また、請求項１５３記載の発明は、
　入力画像データに出力媒体上での鑑賞画像形成のために最適化する画像処理を施して鑑賞画像参照データを生成する画像処理方法において、
　前記入力画像データから少なくとも鑑賞画像参照データと大域輝度信号と変換詳細輝度信号と差分詳細輝度信号と入力色信号を取得する工程と、
　少なくとも取得した該大域輝度信号と該変換詳細輝度信号と該差分詳細輝度信号と該入力色信号を用いて改変された鑑賞画像参照データを生成する工程と、を含むことを特徴としている。
【０１０２】
　また、請求項１５４記載の発明は、
　入力画像データに出力媒体上での鑑賞画像形成のために最適化する画像処理を施して鑑賞画像参照データを生成する画像処理方法において、
　前記入力画像データから少なくとも鑑賞画像参照データと大域輝度信号と詳細輝度信号と変換入力色信号と差分入力色信号を取得する工程と、
　少なくとも取得した該大域輝度信号と該詳細輝度信号と該変換入力色信号と該差分入力色信号を用いて改変された鑑賞画像参照データを生成する工程と、を含むことを特徴としている。
【０１０３】
　また、請求項１９２記載の発明は、
　入力画像データに出力媒体上での鑑賞画像形成のために最適化する画像処理を施して鑑賞画像参照データを生成する画像処理装置において、
　前記入力画像データから少なくとも大域輝度信号と詳細輝度信号と入力色信号を取得する取得手段と、
　少なくとも取得した該大域輝度信号と該詳細輝度信号と該入力色信号を用いて前記鑑賞画像参照データを生成する生成手段と、を備えたことを特徴としている。
【０１０４】
　また、請求項１９３記載の発明は、請求項１９２に記載の画像処理装置において、
　前記入力画像データに付随する付加情報を取得する手段と、
　取得した前記付加情報に基づいて前記大域輝度信号および前記詳細輝度信号の生成条件を決定する大域・詳細輝度信号生成条件決定手段と、を備えたことを特徴としている。
【０１０５】
　また、請求項１９４記載の発明は、請求項１９３に記載の画像処理装置において、
　前記付加情報に基づいてローパスフィルター特性を決定し、決定されたローパスフィルター特性に基づいて前記大域輝度信号と前記詳細輝度信号とを生成することを特徴としている。
【０１０６】
　また、請求項１９５記載の発明は、
　入力画像データに出力媒体上での鑑賞画像形成のために最適化する画像処理を施して鑑賞画像参照データを生成する画像処理装置において、
　前記入力画像データから少なくとも大域輝度信号と変換詳細輝度信号と差分詳細輝度信号と入力色信号を取得する取得手段と、
　少なくとも取得した該大域輝度信号と該変換詳細輝度信号と該差分詳細輝度信号と該入力色信号を用いて前記鑑賞画像参照データを生成する生成手段と、を備えたことを特徴としている。
【０１０７】
　また、請求項１９６記載の発明は、
　入力画像データに出力媒体上での鑑賞画像形成のために最適化する画像処理を施して鑑賞画像参照データを生成する画像処理装置において、
　前記入力画像データから少なくとも大域輝度信号と詳細輝度信号と変換入力色信号と差分入力色信号を取得する取得手段と、
　少なくとも取得した該大域輝度信号と該詳細輝度信号と該変換入力色信号と該差分入力色信号を用いて前記鑑賞画像参照データを生成する生成手段と、を備えたことを特徴としている。
【０１０８】
　また、請求項１９７記載の発明は、
　入力画像データに出力媒体上での鑑賞画像形成のために最適化する画像処理を施して鑑賞画像参照データを生成する画像処理装置において、
　前記入力画像データから少なくとも鑑賞画像参照データと大域輝度信号と詳細輝度信号と入力色信号を取得する取得手段と、
　少なくとも取得した該大域輝度信号と該詳細輝度信号と該入力色信号を用いて、改変された鑑賞画像参照データを生成する生成手段と、を備えたことを特徴としている。
【０１０９】
　また、請求項１９８記載の発明は、
　入力画像データに出力媒体上での鑑賞画像形成のために最適化する画像処理を施して鑑賞画像参照データを生成する画像処理装置において、
　前記入力画像データから少なくとも鑑賞画像参照データと大域輝度信号と変換詳細輝度信号と差分詳細輝度信号と入力色信号を取得する取得手段と、
　少なくとも取得した該大域輝度信号と該変換詳細輝度信号と該差分詳細輝度信号と該入力色信号を用いて改変された鑑賞画像参照データを生成する生成手段と、を備えたことを特徴としている。
【０１１０】
　また、請求項１９９記載の発明は、
　入力画像データに出力媒体上での鑑賞画像形成のために最適化する画像処理を施して鑑賞画像参照データを生成する画像処理装置において、
　前記入力画像データから少なくとも鑑賞画像参照データと大域輝度信号と詳細輝度信号と変換入力色信号と差分入力色信号を取得する取得手段と、
　少なくとも取得した該大域輝度信号と該詳細輝度信号と該変換入力色信号と該差分入力色信号を用いて改変された鑑賞画像参照データを生成する生成手段と、を備えたことを特徴としている。
【０１１１】
　また、請求項２３７記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該大域輝度信号と該詳細輝度信号と該入力色信号を前記記録媒体に記録する機能と、
　を含むプログラムを記録したことを特徴としている。
【０１１２】
　また、請求項２３８記載の発明は、請求項２３７に記載の記録媒体において、
　前記プログラムは、
　前記入力画像データに付随する付加情報を取得する機能と、
　取得した前記付加情報に基づいて前記大域輝度信号および前記詳細輝度信号の生成条件を決定する機能と、を含むことを特徴としている。
【０１１３】
　また、請求項２３９記載の発明は、請求項２３８に記載の記録媒体において、
　前記プログラムにおいて、
　前記付加情報に基づいてローパスフィルター特性が決定され、決定されたローパスフィルター特性に基づいて前記大域輝度信号と前記詳細輝度信号とが生成されることを特徴としている。
【０１１４】
　また、請求項２４０記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも詳細輝度信号に詳細変換処理を施して変換詳細輝度信号とする機能と、
　該詳細輝度信号と該変換詳細輝度信号を用いて差分詳細輝度信号を生成する機能と、
　少なくとも該大域輝度信号と該変換詳細輝度信号と該差分詳細輝度信号と該入力色信号を前記記録媒体に記録する機能と、
　を含むプログラムを記録したことを特徴としている。
【０１１５】
　また、請求項２４１記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも入力色信号に色変換処理を施して変換入力色信号を生成する機能と、
　該入力色信号と該変換入力色信号から差分入力色信号を生成する機能と、
　少なくとも該大域輝度信号と該詳細輝度信号と該変換入力色信号と該差分入力色信号を前記記録媒体に記録する機能と、
　を含むプログラムを記録したことを特徴としている。
【０１１６】
　また、請求項２４２記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　該大域輝度信号と該詳細輝度信号と該入力色信号から鑑賞画像参照データを生成する機能と、
　少なくとも該鑑賞画像参照データと該大域輝度信号と該詳細輝度信号と該入力色信号を前記記録媒体に記録する機能と、
　を含むプログラムを記録したことを特徴としている。
【０１１７】
　また、請求項２４３記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該詳細輝度信号に詳細変換処理を施して変換詳細輝度信号とする機能と、
　該詳細輝度信号と該変換詳細輝度信号を用いて差分詳細輝度信号を生成する機能と、
　該大域輝度信号と変換詳細輝度信号と入力色信号から鑑賞画像参照データを生成する機能と、
　少なくとも該鑑賞画像参照データと該大域輝度信号と該変換詳細輝度信号と該差分詳細輝度信号と該入力色信号を前記記録媒体に記録する機能と、
　を含むプログラムを記録したことを特徴としている。
【０１１８】
　また、請求項２４４記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該入力色信号に色変換処理を施して変換入力色信号を生成する機能と、
　該入力色信号と該変換入力色信号から差分入力色信号を生成する機能と、
　該大域輝度信号と該詳細輝度信号と該変換入力色信号から鑑賞画像参照データを生成する機能と、
　少なくとも該鑑賞画像参照データと該大域輝度信号と該詳細輝度信号と該変換入力色信号と該差分入力色信号を前記記録媒体に記録する機能と、を含むプログラムを記録したことを特徴としている。
【０１１９】
　また、請求項３０７記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも大域輝度信号と詳細輝度信号と入力色信号を取得する機能と、
　少なくとも取得した該大域輝度信号と該詳細輝度信号と該入力色信号を用いて前記鑑賞画像参照データを生成する機能と、
　を含むプログラムを記録したことを特徴としている。
【０１２０】
　また、請求項３０８記載の発明は、請求項３０７に記載の記録媒体において、
　前記プログラムは、
　前記入力画像データに付随する付加情報を取得する機能と、
　取得した前記付加情報に基づいて前記大域輝度信号および前記詳細輝度信号の生成条件を決定する機能と、を含むことを特徴としている。
【０１２１】
　また、請求項３０９記載の発明は、請求項３０８に記載の記録媒体において、
　前記プログラムにおいて、前記付加情報に基づいてローパスフィルター特性が決定され、決定されたローパスフィルター特性に基づいて前記大域輝度信号と前記詳細輝度信号とが生成されることを特徴としている。
【０１２２】
　また、請求項３１０記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも大域輝度信号と変換詳細輝度信号と差分詳細輝度信号と入力色信号を取得する機能と、
　少なくとも取得した該大域輝度信号と該変換詳細輝度信号と該差分詳細輝度信号と該入力色信号を用いて前記鑑賞画像参照データを生成する機能と、
　を含むプログラムを記録したことを特徴としている。
【０１２３】
　また、請求項３１１記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも大域輝度信号と詳細輝度信号と変換入力色信号と差分入力色信号を取得する機能と、
　少なくとも取得した該大域輝度信号と該詳細輝度信号と該変換入力色信号と該差分入力色信号を用いて前記鑑賞画像参照データを生成する機能と、
　を含むプログラムを記録したことを特徴としている。
【０１２４】
　また、請求項３１２記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと大域輝度信号と詳細輝度信号と入力色信号を取得する機能と、
　少なくとも取得した該大域輝度信号と該詳細輝度信号と該入力色信号を用いて、改変された鑑賞画像参照データを生成する機能と、
　を含むプログラムを記録したことを特徴としている。
【０１２５】
　また、請求項３１３記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと大域輝度信号と変換詳細輝度信号と差分詳細輝度信号と入力色信号を取得する機能と、
　少なくとも取得した該大域輝度信号と該変換詳細輝度信号と該差分詳細輝度信号と該入力色信号を用いて改変された鑑賞画像参照データを生成する機能と、
　を含むプログラムを記録したことを特徴としている。
【０１２６】
　また、請求項３１４記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと大域輝度信号と詳細輝度信号と変換入力色信号と差分入力色信号を取得する機能と、
　少なくとも取得した該大域輝度信号と該詳細輝度信号と該変換入力色信号と該差分入力色信号を用いて改変された鑑賞画像参照データを生成する機能と、
　を含むプログラムを記録したことを特徴としている。
【０１２７】
　また、請求項３５２記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該大域輝度信号と該詳細輝度信号と該入力色信号を前記記録媒体に記録する機能と、を実現させるためのプログラムであることを特徴としている。
【０１２８】
　また、請求項３５３記載の発明は、請求項３５２に記載のプログラムにおいて、
　前記コンピュータに、
　前記入力画像データに付随する付加情報を取得する機能と、
　取得した前記付加情報に基づいて前記大域輝度信号および前記詳細輝度信号の生成条件を決定する機能と、を実現させることを特徴としている。
【０１２９】
　また、請求項３５４記載の発明は、請求項３５３に記載のプログラムにおいて、
　前記付加情報に基づいてローパスフィルター特性が決定され、決定されたローパスフィルター特性に基づいて前記大域輝度信号と前記詳細輝度信号とが生成されることを特徴としている。
【０１３０】
　また、請求項３５５記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも詳細輝度信号に詳細変換処理を施して変換詳細輝度信号とする機能と、
　該詳細輝度信号と該変換詳細輝度信号を用いて差分詳細輝度信号を生成する機能と、
　少なくとも該大域輝度信号と該変換詳細輝度信号と該差分詳細輝度信号と該入力色信号を前記記録媒体に記録する機能と、を実現させるためのプログラムであることを特徴としている。
【０１３１】
　また、請求項３５６記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも入力色信号に色変換処理を施して変換入力色信号を生成する機能と、
　該入力色信号と該変換入力色信号から差分入力色信号を生成する機能と、
　少なくとも該大域輝度信号と該詳細輝度信号と該変換入力色信号と該差分入力色信号を前記記録媒体に記録する機能と、を実現させるためのプログラムであることを特徴としている。
【０１３２】
　また、請求項３５７記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　該大域輝度信号と該詳細輝度信号と該入力色信号から鑑賞画像参照データを生成する機能と、
　少なくとも該鑑賞画像参照データと該大域輝度信号と該詳細輝度信号と該入力色信号を前記記録媒体に記録する機能と、を実現させるためのプログラムであることを特徴としている。
【０１３３】
　また、請求項３５８記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該詳細輝度信号に詳細変換処理を施して変換詳細輝度信号とする機能と、
　該詳細輝度信号と該変換詳細輝度信号を用いて差分詳細輝度信号を生成する機能と、
　該大域輝度信号と変換詳細輝度信号と入力色信号から鑑賞画像参照データを生成する機能と、
　少なくとも該鑑賞画像参照データと該大域輝度信号と該変換詳細輝度信号と該差分詳細輝度信号と該入力色信号を前記記録媒体に記録する機能と、を実現させるためのプログラムであることを特徴としている。
【０１３４】
　また、請求項３５９記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該入力色信号に色変換処理を施して変換入力色信号を生成する機能と、
　該入力色信号と該変換入力色信号から差分入力色信号を生成する機能と、
　該大域輝度信号と該詳細輝度信号と該変換入力色信号から鑑賞画像参照データを生成する機能と、
　少なくとも該鑑賞画像参照データと該大域輝度信号と該詳細輝度信号と該変換入力色信号と該差分入力色信号を前記記録媒体に記録する機能と、を実現させるためのプログラムであることを特徴としている。
【０１３５】
　また、請求項４２２記載の発明は、
　入力画像データに出力媒体上での鑑賞画像形成のために最適化する画像処理を施して鑑賞画像参照データを生成するための処理を実行するためのコンピュータに、
　前記入力画像データから少なくとも大域輝度信号と詳細輝度信号と入力色信号を取得する機能と、
　少なくとも取得した該大域輝度信号と該詳細輝度信号と該入力色信号を用いて前記鑑賞画像参照データを生成する機能と、を実現させるためのプログラムであることを特徴としている。
【０１３６】
　また、請求項４２３記載の発明は、請求項４２２に記載のプログラムにおいて、
　前記コンピュータに、
　前記入力画像データに付随する付加情報を取得する機能と、
　取得した前記付加情報に基づいて前記大域輝度信号および前記詳細輝度信号の生成条件を決定する機能と、を実現させることを特徴としている。
【０１３７】
　また、請求項４２４記載の発明は、請求項４２３に記載のプログラムにおいて、
　前記付加情報に基づいてローパスフィルター特性が決定され、決定されたローパスフィルター特性に基づいて前記大域輝度信号と前記詳細輝度信号とが生成されることを特徴としている。
【０１３８】
　また、請求項４２５記載の発明は、
　入力画像データに出力媒体上での鑑賞画像形成のために最適化する画像処理を施して鑑賞画像参照データを生成するための処理を実行するためのコンピュータに、
　前記入力画像データから少なくとも大域輝度信号と変換詳細輝度信号と差分詳細輝度信号と入力色信号を取得する機能と、
　少なくとも取得した該大域輝度信号と該変換詳細輝度信号と該差分詳細輝度信号と該入力色信号を用いて前記鑑賞画像参照データを生成する機能と、を実現させるためのプログラムであることを特徴としている。
【０１３９】
　また、請求項４２６記載の発明は、
　入力画像データに出力媒体上での鑑賞画像形成のために最適化する画像処理を施して鑑賞画像参照データを生成するための処理を実行するためのコンピュータに、
　前記入力画像データから少なくとも大域輝度信号と詳細輝度信号と変換入力色信号と差分入力色信号を取得する機能と、
　少なくとも取得した該大域輝度信号と該詳細輝度信号と該変換入力色信号と該差分入力色信号を用いて前記鑑賞画像参照データを生成する機能と、を実現させるためのプログラムであることを特徴としている。
【０１４０】
　また、請求項４２７記載の発明は、
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと大域輝度信号と詳細輝度信号と入力色信号を取得する機能と、
　少なくとも取得した該大域輝度信号と該詳細輝度信号と該入力色信号を用いて、改変された鑑賞画像参照データを生成する機能と、を実現させるためのプログラムであることを特徴としている。
【０１４１】
　また、請求項４２８記載の発明は、
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと大域輝度信号と変換詳細輝度信号と差分詳細輝度信号と入力色信号を取得する機能と、
　少なくとも取得した該大域輝度信号と該変換詳細輝度信号と該差分詳細輝度信号と該入力色信号を用いて改変された鑑賞画像参照データを生成する機能と、を実現させるためのプログラムであることを特徴としている。
【０１４２】
　また、請求項４２９記載の発明は、
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと大域輝度信号と詳細輝度信号と変換入力色信号と差分入力色信号を取得する機能と、
　少なくとも取得した該大域輝度信号と該詳細輝度信号と該変換入力色信号と該差分入力色信号を用いて改変された鑑賞画像参照データを生成する機能と、を実現させるためのプログラムであることを特徴としている。
【０１４３】
　請求項７〜１４記載の画像記録方法及び請求項７７〜８４記載の画像記録装置、請求項１４７〜１５４記載の画像処理方法及び請求項１９２〜１９９記載の画像処理装置、請求項２３７〜２４４記載の記録媒体及び請求項３０７〜３１４記載のプログラム、請求項３５２〜３５９記載の記録媒体及び請求項４２２〜４２９記載のプログラムにより構成される第２の発明群の第１の特徴は、入力画像データから入力輝度信号と入力色信号を生成し、入力輝度信号から大域輝度信号と詳細輝度信号を生成し、生成された信号のうち少なくとも大域輝度信号と詳細輝度信号と入力色信号をメディアに記録することである。
【０１４４】
　特に、請求項７、７７記載の画像記録装置、請求項１４７記載の画像処理方法、請求項１９２記載の画像処理装置、請求項２３７、３０７記載の記録媒体、請求項３５２、４２２記載のプログラムにおいて、入力画像データに付随する付加情報を取得し、取得した付加情報に基づいて大域輝度信号と詳細輝度信号の生成条件を決定することが好ましい。
【０１４５】
　第２の発明群の主たる要件である大域輝度信号と詳細輝度信号は、第１の発明群の主たる要件である大域信号と詳細信号と、生成の意図を同じくするものである。大域輝度成分と詳細輝度成分は、大域成分と詳細成分の輝度成分に対応する信号であるため、鑑賞時の画像全体の印象を左右する階調の変換処理や、布地の模様や人物のまつ毛など詳細な構造の強調などの補正処理、もしくはノイズ除去処理に際し、大域成分と詳細成分を用いるよりも処理に応じた効果が適切に発現し、有効である。
【０１４６】
　また、第１の発明群では、Ｂ，Ｇ，Ｒ成分の各成分について、輝度成分を抽出し、各々について大域成分と詳細成分に分離し、各成分について処理を施さねばならず、また、処理を施す際にも、ＢＧＲの色バランスを考慮しながら処理条件を決定しなければならず、色化けしやすい欠点がある。それに対し、第２の発明群では、予め入力画像データを輝度成分と色成分にわけたのちに、輝度成分について大域信号と詳細信号に分離し処理を施すため、第１の発明群にくらべ１／３の工数ですみむため処理負荷が低く、色バランスを気にせずに処理をすすめることができるため、簡便性が高い利点を持つ。
【０１４７】
　本第２の発明群においては、少なくとも入力色信号と共に大域輝度信号と詳細輝度信号を記録することが好ましい。また、上記詳細輝度信号の変わりに、変換詳細輝度信号と差分詳細輝度信号を記録することも好ましく、また、上記入力色信号の変わりに、変換入力色信号と差分入力色信号を記録することも好ましい。
【０１４８】
　また、少なくとも入力色信号と大域輝度信号と詳細輝度信号と共に、入力色信号と大域輝度信号と詳細輝度信号を用いて生成される鑑賞画像参照データを記録する形態も好ましく、入力色信号と大域輝度信号と変換詳細輝度信号と差分詳細輝度信号と共に、入力色信号と大域輝度信号と変換詳細輝度信号を用いて生成される鑑賞画像参照データを記録することも好ましく、変換入力色信号と差分入力色信号と大域輝度信号と詳細輝度信号と共に、変換入力色信号と大域輝度信号と詳細輝度信号を用いて生成される鑑賞画像参照データを記録することも好ましく、変換入力色信号と差分入力色信号と大域輝度信号と変換詳細輝度信号と差分詳細輝度信号共に、変換入力色信号と大域輝度信号と変換詳細輝度信号を用いて生成される鑑賞画像参照データを記録することも好ましい。
【０１４９】
　「大域輝度信号」、「詳細輝度信号」とは、上記「大域信号」、「詳細信号」の生成の意図を同じくするものである。「大域輝度信号」とは、入力画像データによって表現されるシーンの内、全体的な明暗の表現を担う信号成分に含まれる輝度成分によって構成されるものであり、「詳細輝度信号」とは、「大域輝度信号」に相対するもので、入力画像に表現されているシーンの内、微細な構造（例えば、単一な色の布地の織柄や、人物の髪や顔のまつ毛、など）の表現を担う信号成分に含まれる輝度成分によって構成される。
【０１５０】
　「大域輝度信号」と「詳細輝度信号」を生成するには、入力画像データから前記「入力輝度信号」と「入力色信号」を生成し、入力画像データから「大域信号」と「詳細信号」を生成する前記の方法と同様の方法で、前記入力輝度信号から生成することが可能であるが。しかし、この方法に限定されるものではなく、入力画像データから大域信号と詳細信号を生成した後に、大域信号と詳細信号の輝度成分を抽出し、大域輝度信号、詳細輝度信号とするなど、種々の方法を用いることができる。
【０１５１】
　「入力輝度信号」と「入力色信号」とは、入力画像データの輝度成分と色成分相当する信号で、入力画像データから輝度成分、色成分を抽出する際には、一般に知られる種々の方法、当業者間で知られる種々の方法を適用して得られる。
【０１５２】
　例えば、入力画像データのＢ・Ｇ・Ｒの３色強度信号を、当業者間で公知のＹＩＱ基底・ＨＳＶ基底・ＹＵＶ基底などに変換するか、あるいはｓＲＧＢやＮＴＳＣなどの規格に基づきＣＩＥ １９３１表色系のＸＹＺ基底・ＣＩＥ １９７６の勧告するＬ＊ａ＊ｂ＊基底・Ｌ＊ｕ＊ｖ＊基底などに変換する操作を施せばよい。
【０１５３】
　本発明における輝度信号と色信号の分離は色彩学的に完全に厳密な変換でなくても充分な効果を発揮するので、たとえば特開昭６３−２６７８３号の明細書の実施例にみらるようなＢＧＲの平均値を輝度信号とし、これに直交する２軸を色情報信号とするような変換も態様として含まれる。逆に、「入力輝度信号」と「入力色信号」を合成して鑑賞画像参照データなどの画像データを生成するには、輝度信号と色信号に上記の変換の逆変換を施して、例えばＢ・Ｇ・Ｒの３色強度信号を生成すればよい。
【０１５４】
　「差分詳細輝度信号」は、第１の発明群における差分詳細信号と、生成の意図を同じくするもので、詳細輝度信号と、詳細輝度信号に詳細変換処理を施して生成される変換詳細輝度信号とから生成され、詳細変換輝度処理の処理内容や処理の程度を意味するものである。差分詳細輝度信号の生成に関しては、詳細輝度信号と変換詳細輝度信号の差分値としてもよく、詳細輝度信号と変換詳細輝度信号の比をとってもよいが、この方法に限定するものではない。
【０１５５】
　「差分入力色信号」は、入力色信号と、入力色信号に処理を施して生成される変換入力色信号とから生成され、処理の処理内容や処理の程度を意味するものである。差分入力色信号の生成に関しては、入力色信号と変換入力色信号の差分値としてもよく、入力色信号と変換入力色信号の比をとってもよいが、この方法に限定するものではない。
【０１５６】
　さらに、第２の発明群の第２の特徴は、少なくとも大域輝度信号と詳細輝度信号と入力色信号を取得し、これらを用いて鑑賞画像参照データを生成することである。上記形態において、詳細輝度信号の変わりに、変換詳細輝度信号と差分詳細輝度信号を取得し、鑑賞画像参照データを生成することも好ましく、入力色信号のかわりに、変換入力色信号と差分入力色信号を取得し、鑑賞画像参照データを生成することも好ましい。
【０１５７】
　また、上記の各々の形態において、さらに、鑑賞画像参照データを共に取得し、これらを用いて、取得した鑑賞画像参照データとは画像の状態が異なる、改変された鑑賞画像参照データを生成することも好ましい。
【０１５８】
　第２の発明群においては、第１の発明群と同様に、すでに分離された信号を元に画像処理を施すことができるので、ユーザーにとって処理負荷の低い簡便な処理が実現し、処理をやり直す際にも、あらたに分離する手間がないので、処理負荷が低い利点があることに加え、大域信号や詳細信号のかわりに、大域信号や詳細信号の輝度成分で構成される大域輝度信号と詳細輝度信号を用いて鑑賞画像参照データを生成するため、より、ユーザーの意図が画像処理に反映させやすく、ユーザーも処理方法を選択しやすい利点がある。
【０１５９】
　第２の発明群における、取得した信号を用いた鑑賞画像参照データの生成方法としては、取得した大域輝度信号と詳細輝度信号と入力色信号にユーザーの意図にそった所定の画像処理を施し、これらを加算して生成する方法が好ましい。大域輝度信号と詳細輝度信号と入力色信号の各々に画像処理を施し、処理済みの信号を加算するのはもちろん、意図に応じて、幾つかにのみ画像処理を施し、加算することも可能であるのはいうまでもない。
【０１６０】
　この方法は、すでに分離された信号を元に画像処理を施すことができるので、ユーザーにとって処理負荷の低い、簡便な処理が実現し、その分離された信号についても、ユーザーが意図する画像処理に直結しやすい性質を個々に有しているので、ユーザーが画像処理そ施す際に処理方法の選択がしやすい利点をもつ。また、ユーザーが嗜好に合致するまで繰り返し処理をやり直す際にも、やり直しの都度、新たに分離する手間がないので、処理負荷が低いという大きな利点があるのは、第１の発明群と同様である。
【０１６１】
　また、取得した大域輝度信号と詳細輝度信号の分離状態がユーザーの意図に合致しない場合は、第1の発明群において、取得した大域信号と詳細信号の分離状態がユーザーの意図に合致しない場合と同様に、取得した大域輝度信号と詳細輝度信号を加算して入力輝度信号を再構成し、記録された大域輝度信号と詳細輝度信号の生成方法とは異なる手段で、新たに大域輝度信号と詳細輝度信号を生成しなおした上で、上記と同様に各々所定の画像処理を施した上で加算し、鑑賞画像参照データを生成する方法を選択することも可能である。
【０１６２】
　さらに、入力輝度信号と入力色信号の分離状態がユーザーの意図に合致しない場合は、取得した入力色信号と上記再構成した入力輝度信号を加算し入力画像データを再構成し、新たに入力色信号と入力輝度信号を生成しなおした上で、上記と同様に各々所定の画像処理を施した上で加算し、鑑賞画像参照データを生成する方法を選択することもまた可能である。
【０１６３】
　また、上記の鑑賞画像参照データの生成において、詳細輝度信号のかわりに変換詳細輝度信号と差分詳細輝度信号を取得し、鑑賞画像参照データを生成する方法も有効である。具体的には、例えば、出発点となる鑑賞画像参照データ（取得しても、取得した大域輝度信号と変換詳細輝度信号と入力色信号を加算して生成してもよい）と、差分詳細輝度信号を用いて、さらには微細な構造の強調やノイズ除去の程度を変更し、よりユーザーの嗜好に合致した鑑賞画像参照データを生成することが可能である。
【０１６４】
　例えば、出発点となる鑑賞画像参照データに所定の係数を乗じた差分詳細輝度信号を加算することで、強調やノイズ除去の程度を変更した鑑賞画像参照データを平易に生成することができる。
　この方法は、第１の発明群で、大域信号と詳細信号を取得し鑑賞画像参照データを生成する際に、詳細信号の変わりに変更詳細信号と差分詳細信号を取得し、鑑賞画像参照データを生成する概念と近似する概念である。
【０１６５】
　また、取得した大域輝度信号と詳細輝度信号の分離状態や、詳細輝度信号の変更の（程度ではなく）方法そのものが、ユーザーの意図に合致しない場合は、取得した大域輝度信号と変換詳細輝度信号と差分詳細輝度信号と入力色信号を加算して入力画像データを再構成することが可能である。
【０１６６】
　また、上記の鑑賞画像参照データの生成において、入力色信号のかわりに変換入力色信号と差分入力色信号を取得し、鑑賞画像参照データを生成する方法も有効である。具体的には、例えば、出発点となる鑑賞画像参照データ（取得しても、取得した大域輝度信号と変換詳細輝度信号と入力色信号を加算して生成するなどしてもよい）と、差分入力色信号を用いて、色味を変更し、よりユーザーの嗜好に合致した鑑賞画像参照データを生成することが可能である。
【０１６７】
　例えば、出発点となる鑑賞画像参照データに所定の係数を乗じた差分入力色信号を加算することで、彩度や明度などを変更した鑑賞画像参照データを平易に生成することができる。
【０１６８】
　また、取得した入力輝度信号と入力色信号の分離状態や、変換入力色信号の変更の（程度ではなく）方法そのものが、ユーザーの意図に合致しない場合は、取得した入力輝度信号と入力色信号を加算して入力画像データを再構成することが可能である。
【０１６９】
　なお、大域輝度信号を用いる画像処理は、第１の発明群の特徴で記載した大域信号を用いる画像処理と同様の処理方法を適用することが好ましく、詳細輝度信号を用いる画像処理は、第１の発明群の特徴で記載した詳細信号を用いる画像処理と同様の処理方法を適用することが好ましい。
【０１７０】
　また、入力色信号に施す色変換処理は、色味を補正もしくは変化させる種々の処理を適用するこちが可能であり、例えば、色バランス補正処理、特定色強調処理、彩度強調処理、色空間の変更処理、フェード修正処理操作、色調回転処理、色ガンマ値変更処理などがあげられるが、これに限定するものではない。
【０１７１】
　また、請求項１５記載の発明は、
　入力画像データに出力媒体上での鑑賞画像形成のために最適化する画像処理を施して、鑑賞画像参照データを生成するために画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換大域輝度信号と該色変換詳細輝度信号と該色変換入力色信号を前記記録媒体に記録する工程と、を含むことを特徴としている。
【０１７２】
　また、請求項１６記載の発明は、請求項１５に記載の画像記録方法において、
　前記入力画像データに付随する付加情報を取得する工程と、
　取得した前記付加情報に基づいて前記色変換大域輝度信号および前記色変換詳細輝度信号の生成条件を決定する色変換大域・詳細輝度信号生成条件決定工程と、を含むことを特徴としている。
【０１７３】
　また、請求項１７記載の発明は、請求項１６に記載の画像記録方法において、
　前記付加情報に基づいてローパスフィルター特性を決定し、決定されたローパスフィルター特性に基づいて前記色変換大域輝度信号と前記色変換詳細輝度信号とを生成することを特徴としている。
【０１７４】
　また、請求項１８記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換詳細輝度信号に変換処理を施し色変換−変換詳細輝度信号を生成する工程と、
　該色変換詳細輝度信号と該色変換−変換詳細輝度信号から色変換−差分詳細輝度信号を生成する工程と、
　少なくとも該色変換大域輝度信号と該色変換−変換詳細輝度信号と該色変換−差分詳細輝度信号と該色変換入力色信号を前記記録媒体に記録する工程と、を含むことを特徴としている。
【０１７５】
　また、請求項１９記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　該色変換入力色信号に変換処理を施して色変換−変換入力色信号を生成する工程と、
　該色変換入力色信号と該色変換−変換入力色信号から色変換−差分入力色信号を生成する工程と、
　少なくとも該色変換大域輝度信号と該色変換詳細輝度信号と該色変換−変換入力色信号と該色変換−差分入力色信号を前記記録媒体に記録する工程と、を含むことを特徴としている。
【０１７６】
　また、請求項２０記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　該色変換大域輝度信号と該色変換詳細輝度信号と該色変換入力色信号から鑑賞画像参照データを生成する工程と、
　少なくとも該鑑賞画像参照データと該色変換大域輝度信号と該色変換詳細輝度信号と該色変換入力色信号を前記記録媒体に記録する工程と、を含むことを特徴としている。
【０１７７】
　また、請求項２１記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換詳細輝度信号に変換処理を施し色変換−変換詳細輝度信号を生成する工程と、
　該色変換詳細輝度信号と該色変換−変換詳細輝度信号から色変換−差分詳細輝度信号を生成する工程と、
　該色変換大域輝度信号と該色変換−変換詳細輝度信号と該色変換入力色信号から鑑賞画像参照データを生成する工程と、
　少なくとも該鑑賞画像参照データと該色変換大域輝度信号と該色変換−変換詳細輝度信号と該色変換−差分詳細輝度信号と該色変換入力色信号を前記記録媒体に記録する工程と、を含むことを特徴としている。
【０１７８】
　また、請求項２２記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　該色変換入力色信号に変換処理を施して色変換−変換入力色信号を生成する工程と、
　該色変換入力色信号と該色変換−変換入力色信号から色変換−差分入力色信号を生成する工程と、
　該色変換大域輝度信号と該色変換詳細輝度信号と該色変換−変換入力色信号から鑑賞画像参照データを生成する工程と、
　少なくとも該鑑賞画像参照データと該色変換大域輝度信号と該色変換詳細輝度信号と該色変換−変換入力色信号と該色変換−差分入力色信号を前記記録媒体に記録する工程と、を含むことを特徴としている。
【０１７９】
　また、請求項８５記載の発明は、
　入力画像データに出力媒体上での鑑賞画像形成のために最適化する画像処理を施して、鑑賞画像参照データを生成するために画像データを記録媒体に記録する画像記録装置において、
　前記入力画像データに色域変換処理を施した後に色変換入力輝度信号と色変換入力色信号を生成するとともに、該色変換入力輝度信号から色変換大域輝度信号と色変換詳細輝度信号を生成する生成手段と、
　少なくとも該色変換大域輝度信号と該色変換詳細輝度信号と該色変換入力色信号を前記記録媒体に記録する記録手段と、を備えたことを特徴としている。
【０１８０】
　また、請求項８６記載の発明は、請求項８５に記載の画像記録装置において、
　前記入力画像データに付随する付加情報を取得する取得手段と、
　取得した前記付加情報に基づいて前記色変換大域輝度信号および前記色変換詳細輝度信号の生成条件を決定する色変換大域・詳細輝度信号生成条件決定手段と、を備えたことを特徴としている。
【０１８１】
　また、請求項８７記載の発明は、請求項８６に記載の画像記録装置において、
　前記付加情報に基づいてローパスフィルター特性を決定し、決定されたローパスフィルター特性に基づいて前記色変換大域輝度信号と前記色変換詳細輝度信号とを生成することを特徴としている。
【０１８２】
　また、請求項８８記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換詳細輝度信号に変換処理を施し色変換−変換詳細輝度信号を生成するとともに、該色変換詳細輝度信号と該色変換−変換詳細輝度信号から色変換−差分詳細輝度信号を生成する生成手段と、
　少なくとも該色変換大域輝度信号と該色変換−変換詳細輝度信号と該色変換−差分詳細輝度信号と該色変換入力色信号を前記記録媒体に記録する記録手段と、を備えたことを特徴としている。
【０１８３】
　また、請求項８９記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、該色変換入力色信号に変換処理を施して色変換−変換入力色信号を生成するとともに、該色変換入力色信号と該色変換−変換入力色信号から色変換−差分入力色信号を生成する生成手段と、
　少なくとも該色変換大域輝度信号と該色変換詳細輝度信号と該色変換−変換入力色信号と該色変換−差分入力色信号を前記記録媒体に記録する記録手段と、を備えたことを特徴としている。
【０１８４】
　また、請求項９０記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成するとともに、該色変換大域輝度信号と該色変換詳細輝度信号と該色変換入力色信号から鑑賞画像参照データを生成する生成手段と、
　少なくとも該鑑賞画像参照データと該色変換大域輝度信号と該色変換詳細輝度信号と該色変換入力色信号を前記記録媒体に記録する記録手段と、を備えたことを特徴としている。
【０１８５】
　また、請求項９１記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換詳細輝度信号に変換処理を施し色変換−変換詳細輝度信号を生成し、該色変換詳細輝度信号と該色変換−変換詳細輝度信号から色変換−差分詳細輝度信号を生成するとともに、該色変換大域輝度信号と該色変換−変換詳細輝度信号と該色変換入力色信号から鑑賞画像参照データを生成する生成手段と、
　少なくとも該鑑賞画像参照データと該色変換大域輝度信号と該色変換−変換詳細輝度信号と該色変換−差分詳細輝度信号と該色変換入力色信号を前記記録媒体に記録する記録手段と、を備えたことを特徴としている。
【０１８６】
　また、請求項９２記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、該色変換入力色信号に変換処理を施して色変換−変換入力色信号を生成し、該色変換入力色信号と該色変換−変換入力色信号から色変換−差分入力色信号を生成するとともに、該色変換大域輝度信号と該色変換詳細輝度信号と該色変換−変換入力色信号から鑑賞画像参照データを生成する生成手段と、
　少なくとも該鑑賞画像参照データと該色変換大域輝度信号と該色変換詳細輝度信号と該色変換−変換入力色信号と該色変換−差分入力色信号を前記記録媒体に記録する記録手段と、を備えたことを特徴としている。
【０１８７】
　また、請求項１５５記載の発明は、
　入力画像データに出力媒体上での鑑賞画像形成のために最適化する画像処理を施して鑑賞画像参照データを生成する画像処理方法において、
　前記入力画像データから少なくとも色変換大域輝度信号と色変換詳細輝度信号と色変換入力色信号を取得する工程と、
　少なくとも取得した該色変換大域輝度信号と該色変換詳細輝度信号と該色変換入力色信号を用いて前記鑑賞画像参照データを生成する工程と、を含むことを特徴としている。
【０１８８】
　また、請求項１５６記載の発明は、請求項１５５に記載の画像処理方法において、
　前記入力画像データに付随する付加情報を取得する工程と、
　取得した前記付加情報に基づいて前記色変換大域輝度信号および前記色変換詳細輝度信号の生成条件を決定する色変換大域・詳細輝度信号生成条件決定工程と、を含むことを特徴としている。
【０１８９】
　また、請求項１５７記載の発明は、請求項１５６に記載の画像処理方法において、
　前記付加情報に基づいてローパスフィルター特性を決定し、決定されたローパスフィルター特性に基づいて前記色変換大域輝度信号と前記色変換詳細輝度信号とを生成することを特徴としている。
【０１９０】
　また、請求項１５８記載の発明は、
　入力画像データに出力媒体上での鑑賞画像形成のために最適化する画像処理を施して鑑賞画像参照データを生成する画像処理方法において、
　前記入力画像データから少なくとも色変換大域輝度信号と色変換−変換詳細輝度信号と色変換−差分詳細輝度信号と色変換入力色信号を取得する工程と、
　少なくとも取得した該色変換大域輝度信号と該色変−換変換詳細輝度信号と該色変換−差分詳細輝度信号と該色変換入力色信号を用いて前記鑑賞画像参照データを生成する工程と、を含むことを特徴としている。
【０１９１】
　また、請求項１５９記載の発明は、
　入力画像データに出力媒体上での鑑賞画像形成のために最適化する画像処理を施して鑑賞画像参照データを生成する画像処理方法において、
　前記入力画像データから少なくとも色変換大域輝度信号と色変換詳細輝度信号と色変換変換入力色信号と色変換差分入力色信号を取得する工程と、
　少なくとも取得した該色変換大域輝度信号と該色変換詳細輝度信号と該色変換変換入力色信号と該色変換差分入力色信号を用いて前記鑑賞画像参照データを生成する工程と、を含むことを特徴としている。
【０１９２】
　また、請求項１６０記載の発明は、
　入力画像データに出力媒体上での鑑賞画像形成のために最適化する画像処理を施して鑑賞画像参照データを生成する画像処理方法において、
　前記入力画像データから少なくとも鑑賞画像参照データと色変換大域輝度信号と色変換詳細輝度信号と色変換入力色信号を取得する工程と、
　少なくとも取得した該鑑賞画像参照データと該色変換大域輝度信号と該色変換詳細輝度信号と該色変換入力色信号を用いて改変された鑑賞画像参照データを生成する工程と、を含むことを特徴としている。
【０１９３】
　また、請求項１６１記載の発明は、
　入力画像データに出力媒体上での鑑賞画像形成のために最適化する画像処理を施して鑑賞画像参照データを生成する画像処理方法において、
　前記入力画像データから少なくとも鑑賞画像参照データと色変換大域輝度信号と色変換−変換詳細輝度信号と色変換−差分詳細輝度信号と色変換入力色信号を取得する工程と、
　少なくとも取得した該鑑賞画像参照データと該色変換大域輝度信号と該色変換−変換詳細輝度信号と該色変換−差分詳細輝度信号と該色変換入力色信号を用いて、改変された鑑賞画像参照データを生成する工程と、を含むことを特徴としている。
【０１９４】
　また、請求項１６２記載の発明は、
　入力画像データに出力媒体上での鑑賞画像形成のために最適化する画像処理を施して鑑賞画像参照データを生成する画像処理方法において、
　前記入力画像データから少なくとも鑑賞画像参照データと色変換大域輝度信号と色変換詳細輝度信号と色変換−変換入力色信号と色変換−差分入力色信号を取得する工程と、
　少なくとも取得した該鑑賞画像参照データと該色変換大域輝度信号と該色変換詳細輝度信号と該色変換−変換入力色信号と該色変換−差分入力色信号を用いて改変された鑑賞画像参照データを生成する工程と、を含むことを特徴としている。
【０１９５】
　また、請求項２００記載の発明は、
　入力画像データに出力媒体上での鑑賞画像形成のために最適化する画像処理を施して鑑賞画像参照データを生成する画像処理装置において、
　前記入力画像データから少なくとも色変換大域輝度信号と色変換詳細輝度信号と色変換入力色信号を取得する取得手段と、
　少なくとも取得した該色変換大域輝度信号と該色変換詳細輝度信号と該色変換入力色信号を用いて前記鑑賞画像参照データを生成する生成手段と、を備えたことを特徴としている。
【０１９６】
　また、請求項２０１記載の発明は、請求項２００に記載の画像処理装置において、
　前記入力画像データに付随する付加情報を取得する手段と、
　取得した前記付加情報に基づいて前記色変換大域輝度信号および前記色変換詳細輝度信号の生成条件を決定する色変換大域・詳細輝度信号生成条件決定手段と、を備えたことを特徴としている。
【０１９７】
　また、請求項２０２記載の発明は、請求項２０１に記載の画像処理装置において、
　前記付加情報に基づいてローパスフィルター特性を決定し、決定されたローパスフィルター特性に基づいて前記色変換大域輝度信号と前記色変換詳細輝度信号とを生成することを特徴としている。
【０１９８】
　また、請求項２０３記載の発明は、
　入力画像データに出力媒体上での鑑賞画像形成のために最適化する画像処理を施して鑑賞画像参照データを生成する画像処理装置において、
　前記入力画像データから少なくとも色変換大域輝度信号と色変換−変換詳細輝度信号と色変換−差分詳細輝度信号と色変換入力色信号を取得する取得手段と、
　少なくとも取得した該色変換大域輝度信号と該色変−換変換詳細輝度信号と該色変換−差分詳細輝度信号と該色変換入力色信号を用いて前記鑑賞画像参照データを生成する生成手段と、を備えたことを特徴としている。
【０１９９】
　また、請求項２０４記載の発明は、
　入力画像データに出力媒体上での鑑賞画像形成のために最適化する画像処理を施して鑑賞画像参照データを生成する画像処理装置において、
　前記入力画像データから少なくとも色変換大域輝度信号と色変換詳細輝度信号と色変換変換入力色信号と色変換差分入力色信号を取得する取得手段と、
　少なくとも取得した該色変換大域輝度信号と該色変換詳細輝度信号と該色変換変換入力色信号と該色変換差分入力色信号を用いて前記鑑賞画像参照データを生成する生成手段と、を備えたことを特徴としている。
【０２００】
　また、請求項２０５記載の発明は、
　入力画像データに出力媒体上での鑑賞画像形成のために最適化する画像処理を施して鑑賞画像参照データを生成する画像処理装置において、
　前記入力画像データから少なくとも鑑賞画像参照データと色変換大域輝度信号と色変換詳細輝度信号と色変換入力色信号を取得する取得手段と、
　少なくとも取得した該鑑賞画像参照データと該色変換大域輝度信号と該色変換詳細輝度信号と該色変換入力色信号を用いて改変された鑑賞画像参照データを生成する生成手段と、を備えたことを特徴としている。
【０２０１】
　また、請求項２０６記載の発明は、
　入力画像データに出力媒体上での鑑賞画像形成のために最適化する画像処理を施して鑑賞画像参照データを生成する画像処理装置において、
　前記入力画像データから少なくとも鑑賞画像参照データと色変換大域輝度信号と色変換−変換詳細輝度信号と色変換−差分詳細輝度信号と色変換入力色信号を取得する取得手段と、
　少なくとも取得した該鑑賞画像参照データと該色変換大域輝度信号と該色変換−変換詳細輝度信号と該色変換−差分詳細輝度信号と該色変換入力色信号を用いて、改変された鑑賞画像参照データを生成する生成手段と、を備えたことを特徴としている。
【０２０２】
　また、請求項２０７記載の発明は、
　入力画像データに出力媒体上での鑑賞画像形成のために最適化する画像処理を施して鑑賞画像参照データを生成する画像処理装置において、
　前記入力画像データから少なくとも鑑賞画像参照データと色変換大域輝度信号と色変換詳細輝度信号と色変換−変換入力色信号と色変換−差分入力色信号を取得する取得手段と、
　少なくとも取得した該鑑賞画像参照データと該色変換大域輝度信号と該色変換詳細輝度信号と該色変換−変換入力色信号と該色変換−差分入力色信号を用いて改変された鑑賞画像参照データを生成する生成手段と、を備えたことを特徴としている。
【０２０３】
　また、請求項２４５記載の発明は、
　入力画像データに出力媒体上での鑑賞画像形成のために最適化する画像処理を施して、鑑賞画像参照データを生成するために画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号と該色変換詳細輝度信号と該色変換入力色信号を前記記録媒体に記録する機能と、
　を含むプログラムを記録したことを特徴としている。
【０２０４】
　また、請求項２４６記載の発明は、請求項２４５に記載の記録媒体において、
　前記プログラムは、
　前記入力画像データに付随する付加情報を取得する機能と、
　取得した前記付加情報に基づいて前記色変換大域輝度信号および前記色変換詳細輝度信号の生成条件を決定する機能と、を含むことを特徴としている。
【０２０５】
　また、請求項２４７記載の発明は、請求項２４６に記載の記録媒体において、
　前記プログラムにおいて、前記付加情報に基づいてローパスフィルター特性が決定され、決定されたローパスフィルター特性に基づいて前記色変換大域輝度信号と前記色変換詳細輝度信号とが生成されることを特徴としている。
【０２０６】
　また、請求項２４８記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換詳細輝度信号に変換処理を施し色変換−変換詳細輝度信号を生成する機能と、
　該色変換詳細輝度信号と該色変換−変換詳細輝度信号から色変換−差分詳細輝度信号を生成する機能と、
　少なくとも該色変換大域輝度信号と該色変換−変換詳細輝度信号と該色変換−差分詳細輝度信号と該色変換入力色信号を前記記録媒体に記録する機能と、
　を含むプログラムを記録したことを特徴としている。
【０２０７】
　また、請求項２４９記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　該色変換入力色信号に変換処理を施して色変換−変換入力色信号を生成する機能と、
　該色変換入力色信号と該色変換−変換入力色信号から色変換−差分入力色信号を生成する機能と、
　少なくとも該色変換大域輝度信号と該色変換詳細輝度信号と該色変換−変換入力色信号と該色変換−差分入力色信号を前記記録媒体に記録する機能と、
　を含むプログラムを記録したことを特徴としている。
【０２０８】
　また、請求項２５０記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　該色変換大域輝度信号と該色変換詳細輝度信号と該色変換入力色信号から鑑賞画像参照データを生成する機能と、
　少なくとも該鑑賞画像参照データと該色変換大域輝度信号と該色変換詳細輝度信号と該色変換入力色信号を前記記録媒体に記録する機能と、
　を含むプログラムを記録したことを特徴としている。
【０２０９】
　また、請求項２５１記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換詳細輝度信号に変換処理を施し色変換−変換詳細輝度信号を生成する機能と、
　該色変換詳細輝度信号と該色変換−変換詳細輝度信号から色変換−差分詳細輝度信号を生成する機能と、
　該色変換大域輝度信号と該色変換−変換詳細輝度信号と該色変換入力色信号から鑑賞画像参照データを生成する機能と、
　少なくとも該鑑賞画像参照データと該色変換大域輝度信号と該色変換−変換詳細輝度信号と該色変換−差分詳細輝度信号と該色変換入力色信号を前記記録媒体に記録する機能と、
　を含むプログラムを記録したことを特徴としている。
【０２１０】
　また、請求項２５２記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　該色変換入力色信号に変換処理を施して色変換−変換入力色信号を生成する機能と、
　該色変換入力色信号と該色変換−変換入力色信号から色変換−差分入力色信号を生成する機能と、
　該色変換大域輝度信号と該色変換詳細輝度信号と該色変換−変換入力色信号から鑑賞画像参照データを生成する機能と、
　少なくとも該鑑賞画像参照データと該色変換大域輝度信号と該色変換詳細輝度信号と該色変換−変換入力色信号と該色変換−差分入力色信号を前記記録媒体に記録する機能と、
　を含むプログラムを記録したことを特徴としている。
【０２１１】
　また、請求項３１５記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも色変換大域輝度信号と色変換詳細輝度信号と色変換入力色信号を取得する機能と、
　少なくとも取得した該色変換大域輝度信号と該色変換詳細輝度信号と該色変換入力色信号を用いて前記鑑賞画像参照データを生成する機能と、
　を含むプログラムを記録したことを特徴としている。
【０２１２】
　また、請求項３１６記載の発明は、請求項３１５に記載の記録媒体において、
　前記プログラムは、
　前記入力画像データに付随する付加情報を取得する機能と、
　取得した前記付加情報に基づいて前記色変換大域輝度信号および前記色変換詳細輝度信号の生成条件を決定する機能と、を含むことを特徴としている。
【０２１３】
　また、請求項３１７記載の発明は、請求項３１６に記載の記録媒体において、
　前記プログラムにおいて、前記付加情報に基づいてローパスフィルター特性が決定され、決定されたローパスフィルター特性に基づいて前記色変換大域輝度信号と前記色変換詳細輝度信号とが生成されることを特徴としている。
【０２１４】
　また、請求項３１８記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも色変換大域輝度信号と色変換−変換詳細輝度信号と色変換−差分詳細輝度信号と色変換入力色信号を取得する機能と、
　少なくとも取得した該色変換大域輝度信号と該色変−換変換詳細輝度信号と該色変換−差分詳細輝度信号と該色変換入力色信号を用いて前記鑑賞画像参照データを生成する機能と、
　を含むプログラムを記録したことを特徴としている。
【０２１５】
　また、請求項３１９記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも色変換大域輝度信号と色変換詳細輝度信号と色変換変換入力色信号と色変換差分入力色信号を取得する機能と、
　少なくとも取得した該色変換大域輝度信号と該色変換詳細輝度信号と該色変換変換入力色信号と該色変換差分入力色信号を用いて前記鑑賞画像参照データを生成する機能と、
　を含むプログラムを記録したことを特徴としている。
【０２１６】
　また、請求項３２０記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと色変換大域輝度信号と色変換詳細輝度信号と色変換入力色信号を取得する機能と、
　少なくとも取得した該鑑賞画像参照データと該色変換大域輝度信号と該色変換詳細輝度信号と該色変換入力色信号を用いて改変された鑑賞画像参照データを生成する機能と、
　を含むプログラムを記録したことを特徴としている。
【０２１７】
　また、請求項３２１記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと色変換大域輝度信号と色変換−変換詳細輝度信号と色変換−差分詳細輝度信号と色変換入力色信号を取得する機能と、
　少なくとも取得した該鑑賞画像参照データと該色変換大域輝度信号と該色変換−変換詳細輝度信号と該色変換−差分詳細輝度信号と該色変換入力色信号を用いて、改変された鑑賞画像参照データを生成する機能と、
　を含むプログラムを記録したことを特徴としている。
【０２１８】
　また、請求項３２２記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと色変換大域輝度信号と色変換詳細輝度信号と色変換−変換入力色信号と色変換−差分入力色信号を取得する機能と、
　少なくとも取得した該鑑賞画像参照データと該色変換大域輝度信号と該色変換詳細輝度信号と該色変換−変換入力色信号と該色変換−差分入力色信号を用いて改変された鑑賞画像参照データを生成する機能と、
　を含むプログラムを記録したことを特徴としている。
【０２１９】
　また、請求項３６０記載の発明は、
　入力画像データに出力媒体上での鑑賞画像形成のために最適化する画像処理を施して、鑑賞画像参照データを生成するために画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号と該色変換詳細輝度信号と該色変換入力色信号を前記記録媒体に記録する機能と、を実現させるためのプログラムであることを特徴としている。
【０２２０】
　また、請求項３６１記載の発明は、請求項３６０に記載のプログラムにおいて、
　前記コンピュータに、
　前記入力画像データに付随する付加情報を取得する機能と、
　取得した前記付加情報に基づいて前記色変換大域輝度信号および前記色変換詳細輝度信号の生成条件を決定する機能と、を実現させることを特徴としている。
【０２２１】
　また、請求項３６２記載の発明は、請求項３６１に記載のプログラムにおいて、
　前記付加情報に基づいてローパスフィルター特性が決定され、決定されたローパスフィルター特性に基づいて前記色変換大域輝度信号と前記色変換詳細輝度信号とが生成されることを特徴としている。
【０２２２】
　また、請求項３６３記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換詳細輝度信号に変換処理を施し色変換−変換詳細輝度信号を生成する機能と、
　該色変換詳細輝度信号と該色変換−変換詳細輝度信号から色変換−差分詳細輝度信号を生成する機能と、
　少なくとも該色変換大域輝度信号と該色変換−変換詳細輝度信号と該色変換−差分詳細輝度信号と該色変換入力色信号を前記記録媒体に記録する機能と、を実現させるためのプログラムであることを特徴としている。
【０２２３】
　また、請求項３６４記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　該色変換入力色信号に変換処理を施して色変換−変換入力色信号を生成する機能と、
　該色変換入力色信号と該色変換−変換入力色信号から色変換−差分入力色信号を生成する機能と、
　少なくとも該色変換大域輝度信号と該色変換詳細輝度信号と該色変換−変換入力色信号と該色変換−差分入力色信号を前記記録媒体に記録する機能と、を実現させるためのプログラムであることを特徴としている。
【０２２４】
　また、請求項３６５記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　該色変換大域輝度信号と該色変換詳細輝度信号と該色変換入力色信号から鑑賞画像参照データを生成する機能と、
　少なくとも該鑑賞画像参照データと該色変換大域輝度信号と該色変換詳細輝度信号と該色変換入力色信号を前記記録媒体に記録する機能と、を実現させるためのプログラムであることを特徴としている。
【０２２５】
　また、請求項３６６記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換詳細輝度信号に変換処理を施し色変換−変換詳細輝度信号を生成する機能と、
　該色変換詳細輝度信号と該色変換−変換詳細輝度信号から色変換−差分詳細輝度信号を生成する機能と、
　該色変換大域輝度信号と該色変換−変換詳細輝度信号と該色変換入力色信号から鑑賞画像参照データを生成する機能と、
　少なくとも該鑑賞画像参照データと該色変換大域輝度信号と該色変換−変換詳細輝度信号と該色変換−差分詳細輝度信号と該色変換入力色信号を前記記録媒体に記録する機能と、を実現させるためのプログラムであることを特徴としている。
【０２２６】
　また、請求項３６７記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　該色変換入力色信号に変換処理を施して色変換−変換入力色信号を生成する機能と、
　該色変換入力色信号と該色変換−変換入力色信号から色変換−差分入力色信号を生成する機能と、
　該色変換大域輝度信号と該色変換詳細輝度信号と該色変換−変換入力色信号から鑑賞画像参照データを生成する機能と、
　少なくとも該鑑賞画像参照データと該色変換大域輝度信号と該色変換詳細輝度信号と該色変換−変換入力色信号と該色変換−差分入力色信号を前記記録媒体に記録する機能と、を実現させるためのプログラムであることを特徴としている。
【０２２７】
　また、請求項４３０記載の発明は、
　入力画像データに出力媒体上での鑑賞画像形成のために最適化する画像処理を施して鑑賞画像参照データを生成するための処理を実行するためのコンピュータに、
　前記入力画像データから少なくとも色変換大域輝度信号と色変換詳細輝度信号と色変換入力色信号を取得する機能と、
　少なくとも取得した該色変換大域輝度信号と該色変換詳細輝度信号と該色変換入力色信号を用いて前記鑑賞画像参照データを生成する機能と、を実現させるためのプログラムであることを特徴としている。
【０２２８】
　また、請求項４３１記載の発明は、請求項４３０に記載のプログラムにおいて、
　前記コンピュータに、
　前記入力画像データに付随する付加情報を取得する機能と、
　取得した前記付加情報に基づいて前記色変換大域輝度信号および前記色変換詳細輝度信号の生成条件を決定する機能と、を実現させることを特徴としている。
【０２２９】
　また、請求項４３２記載の発明は、請求項４３１に記載のプログラムにおいて、
　前記付加情報に基づいてローパスフィルター特性が決定され、決定されたローパスフィルター特性に基づいて前記色変換大域輝度信号と前記色変換詳細輝度信号とが生成されることを特徴としている。
【０２３０】
　また、請求項４３３記載の発明は、
　入力画像データに出力媒体上での鑑賞画像形成のために最適化する画像処理を施して鑑賞画像参照データを生成するための処理を実行するためのコンピュータに、
　前記入力画像データから少なくとも色変換大域輝度信号と色変換−変換詳細輝度信号と色変換−差分詳細輝度信号と色変換入力色信号を取得する機能と、
　少なくとも取得した該色変換大域輝度信号と該色変−換変換詳細輝度信号と該色変換−差分詳細輝度信号と該色変換入力色信号を用いて前記鑑賞画像参照データを生成する機能と、を実現させるためのプログラムであることを特徴としている。
【０２３１】
　また、請求項４３４記載の発明は、
　入力画像データに出力媒体上での鑑賞画像形成のために最適化する画像処理を施して鑑賞画像参照データを生成するための処理を実行するためのコンピュータに、
　前記入力画像データから少なくとも色変換大域輝度信号と色変換詳細輝度信号と色変換変換入力色信号と色変換差分入力色信号を取得する機能と、
　少なくとも取得した該色変換大域輝度信号と該色変換詳細輝度信号と該色変換変換入力色信号と該色変換差分入力色信号を用いて前記鑑賞画像参照データを生成する機能と、を実現させるためのプログラムであることを特徴としている。
【０２３２】
　また、請求項４３５記載の発明は、
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと色変換大域輝度信号と色変換詳細輝度信号と色変換入力色信号を取得する機能と、
　少なくとも取得した該鑑賞画像参照データと該色変換大域輝度信号と該色変換詳細輝度信号と該色変換入力色信号を用いて改変された鑑賞画像参照データを生成する機能と、を実現させるためのプログラムであることを特徴としている。
【０２３３】
　また、請求項４３６記載の発明は、
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと色変換大域輝度信号と色変換−変換詳細輝度信号と色変換−差分詳細輝度信号と色変換入力色信号を取得する機能と、
　少なくとも取得した該鑑賞画像参照データと該色変換大域輝度信号と該色変換−変換詳細輝度信号と該色変換−差分詳細輝度信号と該色変換入力色信号を用いて、改変された鑑賞画像参照データを生成する機能と、を実現させるためのプログラムであることを特徴としている。
【０２３４】
　また、請求項４３７記載の発明は、
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと色変換大域輝度信号と色変換詳細輝度信号と色変換−変換入力色信号と色変換−差分入力色信号を取得する機能と、
　少なくとも取得した該鑑賞画像参照データと該色変換大域輝度信号と該色変換詳細輝度信号と該色変換−変換入力色信号と該色変換−差分入力色信号を用いて改変された鑑賞画像参照データを生成する機能と、を実現させるためのプログラムであることを特徴としている。
【０２３５】
　請求項１５〜２２記載の画像記録方法及び請求項８５〜９２記載の画像記録装置、請求項１５５〜１６２記載の画像処理方法及び請求項２００〜２０７記載の画像処理装置、請求項２４５〜２５２記載の記録媒体及び請求項２５１〜２５６記載のプログラム、請求項３６０〜３６７記載の記録媒体及び請求項４３０〜４３７記載のプログラムにより構成される第３の発明群は、第２の発明群と近似する構成を有しており、第２の発明群において、入力画像データから入力輝度信号と入力色信号を生成する前に、入力画像データに色変換処理を施す点が異なる。
【０２３６】
　画像データは一般的に、種々の色空間上で表現されており、昨今、その色空間はその色域の広さも定義も様々である。すると、ユーザーの希望によっては、入力画像データである撮影画像は色域の広いＲＩＭＭＲＧＢ上に存在する画像であるが、鑑賞参照画像データはｓＲＧＢ上で表現することが所望される状況が想定できる。本第３の発明群は以上のような状況に配慮したものである。
【０２３７】
　入力画像データと鑑賞画像参照データで、存在しうる色空間を変換する場合には、鑑賞画像参照データをユーザーの嗜好に合致させるための画像処理を行う前に、色空間の変換を行うことが好ましい。
【０２３８】
　色域が広い色空間から狭い色空間へ変換する場合、狭い色域の色空間外に存在する信号値については、カラーマッピングもしくはカラークリッピングするなどして、狭い色域の色空間内におさめる変更を加えるため、色味や階調がかわってしまう。よって、色空間の変換を行う前に、つまり広い色域の色空間上で、ユーザーの嗜好に合致するように画像処理を施しても、色空間の変換を行うことで、嗜好に合致が保存されない場合があり、さらなる画像処理の必要性が生じてしまい、ユーザーの処理負荷が増大する。
【０２３９】
　第３の発明群は以上のような状況に配慮したもので、色空間の変換処理を冒頭に配した、第１、２の発明群の形態を構成することで、ユーザーの処理負荷の低減を利点とするものである。
【０２４０】
　第３の発明群の第１の特徴は、入力画像データに色変換処理を施した後に、色変換入力輝度信号と色変換入力色信号を生成し、色変換入力輝度信号から色変換大域輝度信号と色変換詳細輝度信号を生成し、生成された信号のうち少なくとも色変換大域輝度信号と色変換詳細輝度信号と色変換入力色信号をメディアに記録することである。
【０２４１】
　特に、請求項１５、８５記載の画像記録装置、請求項１５５記載の画像処理方法、請求項２００記載の画像処理装置、請求項２４５、３１５記載の記録媒体、請求項３６０、４３０記載のプログラムにおいて、入力画像データに付随する付加情報を取得し、取得した付加情報に基づいて色変換大域輝度信号と色変換詳細輝度信号の生成条件を決定することが好ましい。
【０２４２】
　本第３の発明群においては、少なくとも色変換入力色信号と共に色変換大域輝度信号と色変換詳細輝度信号を記録することが好ましい。また、上記色変換詳細輝度信号の変わりに、色変換−変換詳細輝度信号と色変換−差分詳細輝度信号を記録することも好ましく、また、上記色変換入力色信号の変わりに、色変換−変換入力色信号と差分入力色信号を記録することも好ましい。
【０２４３】
　また、少なくとも色変換入力色信号と色変換大域輝度信号と色変換詳細輝度信号と共に、色変換入力色信号と色変換大域輝度信号と色変換詳細輝度信号を用いて生成される鑑賞画像参照データを記録する形態も好ましく、色変換入力色信号と色変換大域輝度信号と色変換−変換詳細輝度信号と色変換−差分詳細輝度信号と共に、色変換入力色信号と色変換大域輝度信号と色変換−変換詳細輝度信号を用いて生成される鑑賞画像参照データを記録することも好ましく、色変換−変換入力色信号と色変換−差分入力色信号と色変換大域輝度信号と色変換詳細輝度信号と共に、色変換−変換入力色信号と色変換大域輝度信号と色変換詳細輝度信号を用いて生成される鑑賞画像参照データを記録することも好ましく、色変換−変換入力色信号と色変換差分入力色信号と色変換大域輝度信号と色変換−変換詳細輝度信号と色変換−差分詳細輝度信号共に、色変換−変換入力色信号と色変換大域輝度信号と色変換−変換詳細輝度信号を用いて生成される鑑賞画像参照データを記録することも好ましい。
【０２４４】
　「色変換入力輝度信号」と「色変換入力色信号」とは、色変換処理を施した入力画像データの輝度成分と色成分相当する信号で、輝度成分、色成分の抽出に際しては、一般に知られる種々の方法、当業者間で知られる種々の方法を適用して得られる。また、「入力輝度信号」、「入力色信号」とは生成の際にもととなる入力画像データに色変換処理が施されているか否かのみが異なる。
【０２４５】
　「色変換大域輝度信号」、「色変換詳細輝度信号」とは、「大域輝度信号」と「詳細輝度信号」、さらには「大域信号」と「詳細信号」生成の意図を同じくするもので、「大域輝度信号」、「詳細輝度信号」とは、生成の際にもととなる入力画像データに色変換処理が施されているか否かのみが異なる。
【０２４６】
　「色変換大域輝度信号」、「色変換詳細輝度信号」を生成するには、「大域輝度信号」と「詳細輝度信号」を生成するのと同様に、色変換処理が施された入力画像データから前記「色変換入力輝度信号」と「色変換入力色信号」を生成し、入力画像データから「大域信号」と「詳細信号」を生成する前記の方法と同様の方法で、色変換入力輝度信号から生成することが可能であるが、しかし、この方法に限定されるものでない。
【０２４７】
　さらに、第３の発明群の第２の特徴は、少なくとも色変換大域輝度信号と色変換詳細輝度信号と色変換入力色信号を取得し、これらを用いて鑑賞画像参照データを生成することである。
【０２４８】
　上記形態において、色変換詳細輝度信号の変わりに、色変換変換詳細輝度信号と色変換差分詳細輝度信号を取得し、鑑賞画像参照データを生成することも好ましく、色変換入力色信号のかわりに、色変換変換入力色信号と色変換差分入力色信号を取得し、鑑賞画像参照データを生成することも好ましい。
【０２４９】
　また、上記の各々の形態において、さらに、鑑賞画像参照データを共に取得し、これらを用いて、取得した鑑賞画像参照データとは画像の状態が異なる、改変された鑑賞画像参照データを生成することも好ましい。
【０２５０】
　第３の発明群においては、第１、２の発明群と同様に、すでに分離された信号を元に画像処理を施すことができるので、ユーザーにとって処理負荷の低い簡便な処理が実現し、処理をやり直す際にも、あらたに分離する手間がないので、処理負荷が低い利点があることに加え、大域信号や詳細信号のかわりに、色変換大域輝度信号や色変換詳細輝度信号を用いて鑑賞画像参照データを生成するため、よりユーザーの意図が画像処理に反映させやすく、ユーザーも処理方法を選択しやすい利点がある。
【０２５１】
　また、第３の発明群における、取得した信号を用いた鑑賞画像参照データの生成方法としては、取得した色変換大域輝度信号と色変換詳細輝度信号と色変換入力色信号にユーザーの意図にそった所定の画像処理を施し、これらを用いて生成する方法が好ましい。色変換大域輝度信号と色変換詳細輝度信号と色変換入力色信号の各々に画像処理を施し、処理済みの信号を用いて生成するのはもちろん、意図に応じて、幾つかにのみ画像処理を形態も可能であるのはいうまでもない。
【０２５２】
　この方法は、すでに分離された信号を元に画像処理を施すことができるので、ユーザーにとって処理負荷の低い、簡便な処理が実現し、その分離された信号についても、ユーザーが意図する画像処理に直結しやすい性質を個々に有しているので、ユーザーが画像処理そ施す際に処理方法の選択がしやすい利点をもつ。また、ユーザーが嗜好に合致するまで繰り返し処理をやり直す際にも、やり直しの都度、新たに分離する手間がないので、処理負荷が低いという大きな利点があるのは、第１、２の発明群と同様である。
【０２５３】
　また、取得した大域輝度信号と詳細輝度信号の分離状態がユーザーの意図に合致しない場合は、取得した色変換大域輝度信号と色変換詳細輝度信号を加算して色変換入力輝度信号を再構成することも可能である。
【０２５４】
　さらに、色変換入力輝度信号と色変換入力色信号の分離状態がユーザーの意図に合致しない場合は、取得した色変換入力色信号と上記再構成した色変換入力輝度信号を合成し、色変換処理済みの入力画像データを再構成し、新たに色変換入力色信号と色変換入力輝度信号を生成しなおした上で、上記と同様に各々所定の画像処理を施した上で合成し、鑑賞画像参照データを生成する方法を選択することもまた可能である。
【０２５５】
　また、色変換処理の内容や処理結果がユーザーの意図に合致しない場合は、上記再構成した色変換処理済みの入力画像データに、色変換処理の逆変換処理を施し、入力画像データを再構成し、色変換処理を異なる手段で施し、処理をすすめることも可能である。
【０２５６】
　また、上記の鑑賞画像参照データの生成において、色変換詳細輝度信号のかわりに色変換−変換詳細輝度信号と色変換−差分詳細輝度信号を取得し、鑑賞画像参照データを生成する方法も有効であることは、第２の発明群と同様である。
【０２５７】
　また、上記の鑑賞画像参照データの生成において、色変換入力色信号のかわりに色変換−変換入力色信号と色変換−差分入力色信号を取得し、鑑賞画像参照データを生成する方法も有効であることは、第２の発明群と同様である。入力画像データに施す色変換処理とは、入力画像データと鑑賞画像参照データが存在しうる色空間に変更が生じる際に必要となる処理であり、色空間変更処理であり、その方法は当業者には広く公知である。
【０２５８】
　色変換大域輝度信号を用いる画像処理は、第１の発明群の特徴で記載した大域信号を用いる画像処理と同様の処理方法を適用することが好ましく、色変換詳細輝度信号を用いる画像処理は、第１の発明群の特徴で記載した詳細信号を用いる画像処理と同様の処理方法を適用することが好ましく、色変換入力色信号に施す色変換処理は、第１の発明群の特徴で記載した入力色信号を用いる色変換処理と同様の処理方法を適用することが好ましい。
【０２５９】
　大域信号を用いた画像処理、詳細信号を用いた画像処理、入力画像データに施す色変換処理に関しては既に説明を記したが、他にも例えば、捕捉プロセス修正処理（光学収差(焦点ずれ、チルト、周辺収差、コマ収差、非点収差、ひずみおよび色彩収差など)、幾何学効果(遠近修正など)、センサー効果修正、(ＣＦＡ補間、不均等修正およびノイズ低減など)および照明効果(過大露光、不足露光、イルミネーション消失およびレンズフレアなど)）、欠点修正処理（スクラッチ(削除)およびしわ(crease)の低減、ダスト低減、粒子低減、赤目低減、汚れ除去、不適切な表現の除去など）、芸術表現処理（セピア調整、カラーから白黒変換、変形、グラフィクスの作成、など）など、他の種々の画像処理方法を適用することが可能であるが、これに限定されるものではない。
【０２６０】
　また、請求項２３記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　少なくとも該大域信号に変換処理を施して変換大域信号とする工程と、
　該変換大域信号と該大域信号から差分大域信号を生成する工程と、
　少なくとも該変換大域信号と該詳細信号と該差分大域信号を前記記録媒体に記録する工程と、を含むことを特徴としている。
【０２６１】
　また、請求項２４記載の発明は、請求項２３に記載の画像記録方法において、
　前記入力画像データに付随する付加情報を取得する工程と、
　取得した前記付加情報に基づいて、少なくとも前記大域信号および前記詳細信号の生成条件を決定する大域・詳細信号決定工程と、を含むことを特徴としている。
【０２６２】
　また、請求項２５記載の発明は、請求項２４に記載の画像記録方法において、
　前記付加情報に基づいてローパスフィルター特性を決定し、決定されたローパスフィルター特性に基づいて前記大域信号と詳細信号とを生成することを特徴としている。
【０２６３】
　また、請求項２６記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　少なくとも該大域信号に変換処理を施して変換大域信号とする工程と、
　該変換大域信号と該大域信号から差分大域信号を生成する工程と、
　少なくとも該詳細信号に変換処理を施し変換詳細信号を生成する工程と、
　該詳細信号と該変換詳細信号から差分詳細信号を生成する工程と、
　少なくとも該変換大域信号と該差分大域信号と該変換詳細信号と該差分詳細信号を前記記録媒体に記録する工程と、を含むことを特徴としている。
【０２６４】
　また、請求項２７記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　少なくとも該大域信号に変換処理を施して変換大域信号とする工程と、
　該変換大域信号と該大域信号から差分大域信号を生成する工程と、
　該変換大域信号と該詳細信号を用いて鑑賞画像参照データを生成する工程と、
　少なくとも該鑑賞画像参照データと該変換大域信号と該差分大域信号と該詳細信号を前記記録媒体に記録する工程と、を含むことを特徴としている。
【０２６５】
　また、請求項２８記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから大域信号と詳細信号を生成する工程と、
　少なくとも該大域信号に変換処理を施して変換大域信号とする工程と、
　該変換大域信号と該大域信号から差分大域信号を生成する工程と、
　少なくとも該詳細信号に変換処理を施して変換詳細信号を生成する工程と、
　該詳細信号と該変換詳細信号から差分詳細信号を生成する工程と、
　該変換大域信号と該変換詳細信号を用いて鑑賞画像参照データを生成する工程と、
　少なくとも該鑑賞画像参照データと該変換大域信号と該差分大域信号と該変換詳細信号と該差分詳細信号を前記記録媒体に記録する工程と、を含むことを特徴としている。
【０２６６】
　また、請求項９３記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成し、少なくとも該大域信号に変換処理を施して変換大域信号とするとともに、該変換大域信号と該大域信号から差分大域信号を生成する生成手段と、
　少なくとも該変換大域信号と該詳細信号と該差分大域信号を前記記録媒体に記録する記録手段と、を備えたことを特徴としている。
【０２６７】
　また、請求項９４記載の発明は、請求項９３に記載の画像記録装置において、
　前記入力画像データに付随する付加情報を取得する取得手段と、
　取得した前記付加情報に基づいて、少なくとも前記大域信号および前記詳細信号の生成条件を決定する大域・詳細信号生成条件決定手段と、を含むことを特徴としている。
【０２６８】
　また、請求項９５記載の発明は、請求項９４に記載の画像記録装置において、
　前記付加情報に基づいてローパスフィルター特性を決定し、決定されたローパスフィルター特性に基づいて前記大域信号と詳細信号とを生成することを特徴としている。
【０２６９】
　また、請求項９６記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成し、少なくとも該大域信号に変換処理を施して変換大域信号とし、該変換大域信号と該大域信号から差分大域信号を生成し、少なくとも該詳細信号に変換処理を施し変換詳細信号を生成するとともに、該詳細信号と該変換詳細信号から差分詳細信号を生成する生成手段と、
　少なくとも該変換大域信号と該差分大域信号と該変換詳細信号と該差分詳細信号を前記記録媒体に記録する記録手段と、を備えたことを特徴としている。
【０２７０】
　また、請求項９７記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成し、少なくとも該大域信号に変換処理を施して変換大域信号とし、該変換大域信号と該大域信号から差分大域信号を生成するとともに、該変換大域信号と該詳細信号を用いて鑑賞画像参照データを生成する生成手段と、
　少なくとも該鑑賞画像参照データと該変換大域信号と該差分大域信号と該詳細信号を前記記録媒体に記録する記録手段と、を備えたことを特徴としている。
【０２７１】
　また、請求項９８記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから大域信号と詳細信号を生成し、少なくとも該大域信号に変換処理を施して変換大域信号とし、該変換大域信号と該大域信号から差分大域信号を生成し、少なくとも該詳細信号に変換処理を施して変換詳細信号を生成し、該詳細信号と該変換詳細信号から差分詳細信号を生成するとともに、該変換大域信号と該変換詳細信号を用いて鑑賞画像参照データを生成する生成手段と、
　少なくとも該鑑賞画像参照データと該変換大域信号と該差分大域信号と該変換詳細信号と該差分詳細信号を前記記録媒体に記録する記録手段と、を備えたことを特徴としている。
【０２７２】
　また、請求項１６３記載の発明は、
　して鑑賞画像参照データを生成する画像処理方法において、
　前記入力画像データから少なくとも変換大域信号と詳細信号と差分大域信号を取得する工程と、
　少なくとも取得した該変換大域信号と該詳細信号と該差分大域信号を用いて前記鑑賞画像参照データを生成する工程と、を含むことを特徴としている。
【０２７３】
　また、請求項１６４記載の発明は、請求項１６３に記載の画像処理方法において、
　前記入力画像データに付随する付加情報を取得する工程と、
　取得した前記付加情報に基づいて、少なくとも前記大域信号および前記詳細信号の生成条件を決定する大域・詳細信号決定工程と、を含むことを特徴としている。
【０２７４】
　また、請求項１６５記載の発明は、請求項１６４に記載の画像処理方法において、
　前記付加情報に基づいてローパスフィルター特性を決定し、決定されたローパスフィルター特性に基づいて前記大域信号と詳細信号とを生成することを特徴としている。
【０２７５】
　また、請求項１６６記載の発明は、
　入力画像データに出力媒体上での鑑賞画像形成のために最適化する画像処理を施して鑑賞画像参照データを生成する画像処理方法において、
　前記入力画像データから少なくとも変換大域信号と差分大域信号と詳細信号と差分詳細信号を取得する工程と、
　少なくとも取得した該変換大域信号と該差分大域信号と該変換詳細信号と該差分詳細信号を用いて前記鑑賞画像参照データを生成する工程と、を含むことを特徴としている。
【０２７６】
　また、請求項１６７記載の発明は、
　入力画像データに出力媒体上での鑑賞画像形成のために最適化する画像処理を施して鑑賞画像参照データを生成する画像処理方法において、
　前記入力画像データから少なくとも鑑賞画像参照データと変換大域信号と差分大域信号と詳細信号を取得する工程と、
　少なくとも取得した該鑑賞画像参照データと該変換大域信号と該差分大域信号と該詳細信号を用いて改変された鑑賞画像参照データを生成する工程と、を含むことを特徴としている。
【０２７７】
　また、請求項１６８記載の発明は、
　入力画像データに出力媒体上での鑑賞画像形成のために最適化する画像処理を施して鑑賞画像参照データを生成する画像処理方法において、
　前記入力画像データから少なくとも鑑賞画像参照データと変換大域信号と差分大域信号と変換詳細信号と差分詳細信号を取得する工程と、
　少なくとも取得した該鑑賞画像参照データと該変換大域信号と該差分大域信号と該詳細信号と該差分詳細信号を用いて、改変された鑑賞画像参照データを生成する工程と、を含むことを特徴としている。
【０２７８】
　また、請求項２０８記載の発明は、
　入力画像データに出力媒体上での鑑賞画像形成のために最適化する画像処理を施して鑑賞画像参照データを生成する画像処理装置において、
　前記入力画像データから少なくとも変換大域信号と詳細信号と差分大域信号を取得する取得手段と、
　少なくとも取得した該変換大域信号と該詳細信号と該差分大域信号を用いて前記鑑賞画像参照データを生成する生成手段と、を備えたことを特徴としている。
【０２７９】
　また、請求項２０９記載の発明は、請求項２０８に記載の画像処理装置において、
　前記入力画像データに付随する付加情報を取得する手段と、
　取得した前記付加情報に基づいて、少なくとも前記大域信号および前記詳細信号の生成条件を決定する大域・詳細信号生成条件決定手段と、を備えたことを特徴としている。
【０２８０】
　また、請求項２１０記載の発明は、請求項２０９に記載の画像処理装置において、
　前記付加情報に基づいてローパスフィルター特性を決定し、決定されたローパスフィルター特性に基づいて前記大域信号と詳細信号とを生成することを特徴としている。
【０２８１】
　また、請求項２１１記載の発明は、
　入力画像データに出力媒体上での鑑賞画像形成のために最適化する画像処理を施して鑑賞画像参照データを生成する画像処理装置において、
　前記入力画像データから少なくとも変換大域信号と差分大域信号と詳細信号と差分詳細信号を取得する取得手段と、
　少なくとも取得した該変換大域信号と該差分大域信号と該変換詳細信号と該差分詳細信号を用いて前記鑑賞画像参照データを生成する生成手段と、を備えたことを特徴としている。
【０２８２】
　また、請求項２１２記載の発明は、
　入力画像データに出力媒体上での鑑賞画像形成のために最適化する画像処理を施して鑑賞画像参照データを生成する画像処理装置において、
　前記入力画像データから少なくとも鑑賞画像参照データと変換大域信号と差分大域信号と詳細信号を取得する取得手段と、
　少なくとも取得した該鑑賞画像参照データと該変換大域信号と該差分大域信号と該詳細信号を用いて改変された鑑賞画像参照データを生成する生成手段と、を備えたことを特徴としている。
【０２８３】
　また、請求項２１３記載の発明は、
　入力画像データに出力媒体上での鑑賞画像形成のために最適化する画像処理を施して鑑賞画像参照データを生成する画像処理装置において、
　前記入力画像データから少なくとも鑑賞画像参照データと変換大域信号と差分大域信号と変換詳細信号と差分詳細信号を取得する取得手段と、
　少なくとも取得した該鑑賞画像参照データと該変換大域信号と該差分大域信号と該詳細信号と該差分詳細信号を用いて、改変された鑑賞画像参照データを生成する生成手段と、を備えたことを特徴としている。
【０２８４】
　また、請求項２５３記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　少なくとも該変換大域信号と該詳細信号と該差分大域信号を前記記録媒体に記録する機能と、
　を含むプログラムを記録したことを特徴としている。
【０２８５】
　また、請求項２５４記載の発明は、請求項２５３に記載の記録媒体において、
　前記プログラムは、
　前記入力画像データに付随する付加情報を取得する機能と、
　取得した前記付加情報に基づいて、少なくとも前記大域信号および前記詳細信号の生成条件を決定する機能と、を含むことを特徴としている。
【０２８６】
　また、請求項２５５記載の発明は、請求項２５４に記載の記録媒体において、
　前記プログラムにおいて、前記付加情報に基づいてローパスフィルター特性が決定され、決定されたローパスフィルター特性に基づいて前記大域信号と詳細信号とが生成されることを特徴としている。
【０２８７】
　また、請求項２５６記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　少なくとも該詳細信号に変換処理を施し変換詳細信号を生成する機能と、
　該詳細信号と該変換詳細信号から差分詳細信号を生成する機能と、
　少なくとも該変換大域信号と該差分大域信号と該変換詳細信号と該差分詳細信号を前記記録媒体に記録する機能と、
　を含むプログラムを記録したことを特徴としている。
【０２８８】
　また、請求項２５７記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　該変換大域信号と該詳細信号を用いて鑑賞画像参照データを生成する機能と、
　少なくとも該鑑賞画像参照データと該変換大域信号と該差分大域信号と該詳細信号を前記記録媒体に記録する機能と、
　を含むプログラムを記録したことを特徴としている。
【０２８９】
　また、請求項２５８記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　少なくとも該詳細信号に変換処理を施して変換詳細信号を生成する機能と、
　該詳細信号と該変換詳細信号から差分詳細信号を生成する機能と、
　該変換大域信号と該変換詳細信号を用いて鑑賞画像参照データを生成する機能と、
　少なくとも該鑑賞画像参照データと該変換大域信号と該差分大域信号と該変換詳細信号と該差分詳細信号を前記記録媒体に記録する機能と、
　を含むプログラムを記録したことを特徴としている。
【０２９０】
　また、請求項３２３記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも変換大域信号と詳細信号と差分大域信号を取得する機能と、
　少なくとも取得した該変換大域信号と該詳細信号と該差分大域信号を用いて前記鑑賞画像参照データを生成する機能と、
　を含むプログラムを記録したことを特徴としている。
【０２９１】
　また、請求項３２４記載の発明は、請求項３２３に記載の記録媒体において、
　前記プログラムは、
　前記入力画像データに付随する付加情報を取得する機能と、
　取得した前記付加情報に基づいて、少なくとも前記大域信号および前記詳細信号の生成条件を決定する機能と、を含むことを特徴としている。
【０２９２】
　また、請求項３２５記載の発明は、請求項３２４に記載の記録媒体において、
　前記プログラムにおいて、前記付加情報に基づいてローパスフィルター特性が決定され、決定されたローパスフィルター特性に基づいて前記大域信号と詳細信号とが生成されることを特徴としている。
【０２９３】
　また、請求項３２６記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも変換大域信号と差分大域信号と詳細信号と差分詳細信号を取得する機能と、
　少なくとも取得した該変換大域信号と該差分大域信号と該変換詳細信号と該差分詳細信号を用いて前記鑑賞画像参照データを生成する機能と、
　を含むプログラムを記録したことを特徴としている。
【０２９４】
　また、請求項３２７記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと変換大域信号と差分大域信号と詳細信号を取得する機能と、
　少なくとも取得した該鑑賞画像参照データと該変換大域信号と該差分大域信号と該詳細信号を用いて改変された鑑賞画像参照データを生成する機能と、
　を含むプログラムを記録したことを特徴としている。
【０２９５】
　また、請求項３２８記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと変換大域信号と差分大域信号と変換詳細信号と差分詳細信号を取得する機能と、
　少なくとも取得した該鑑賞画像参照データと該変換大域信号と該差分大域信号と該詳細信号と該差分詳細信号を用いて、改変された鑑賞画像参照データを生成する機能と、
　を含むプログラムを記録したことを特徴としている。
【０２９６】
　また、請求項３６８記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　少なくとも該変換大域信号と該詳細信号と該差分大域信号を前記記録媒体に記録する機能と、を実現させるためのプログラムであることを特徴としている。
【０２９７】
　また、請求項３６９記載の発明は、請求項３６８に記載のプログラムにおいて、
　前記コンピュータに、
　前記入力画像データに付随する付加情報を取得する機能と、
　取得した前記付加情報に基づいて、少なくとも前記大域信号および前記詳細信号の生成条件を決定する機能と、を実現させることを特徴としている。
【０２９８】
　また、請求項３７０記載の発明は、請求項３６９に記載のプログラムにおいて、
　前記付加情報に基づいてローパスフィルター特性が決定され、決定されたローパスフィルター特性に基づいて前記大域信号と詳細信号とが生成されることを特徴としている。
【０２９９】
　また、請求項３７１記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　少なくとも該詳細信号に変換処理を施し変換詳細信号を生成する機能と、
　該詳細信号と該変換詳細信号から差分詳細信号を生成する機能と、
　少なくとも該変換大域信号と該差分大域信号と該変換詳細信号と該差分詳細信号を前記記録媒体に記録する機能と、を実現させるためのプログラムであることを特徴としている。
【０３００】
　また、請求項３７２記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　該変換大域信号と該詳細信号を用いて鑑賞画像参照データを生成する機能と、
　少なくとも該鑑賞画像参照データと該変換大域信号と該差分大域信号と該詳細信号を前記記録媒体に記録する機能と、を実現させるためのプログラムであることを特徴としている。
【０３０１】
　また、請求項３７３記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから大域信号と詳細信号を生成する機能と、
　少なくとも該大域信号に変換処理を施して変換大域信号とする機能と、
　該変換大域信号と該大域信号から差分大域信号を生成する機能と、
　少なくとも該詳細信号に変換処理を施して変換詳細信号を生成する機能と、
　該詳細信号と該変換詳細信号から差分詳細信号を生成する機能と、
　該変換大域信号と該変換詳細信号を用いて鑑賞画像参照データを生成する機能と、
　少なくとも該鑑賞画像参照データと該変換大域信号と該差分大域信号と該変換詳細信号と該差分詳細信号を前記記録媒体に記録する機能と、を実現させるためのプログラムであることを特徴としている。
【０３０２】
　また、請求項４３８記載の発明は、
　入力画像データに出力媒体上での鑑賞画像形成のために最適化する画像処理を施して鑑賞画像参照データを生成するための処理を実行するためのコンピュータに、
　前記入力画像データから少なくとも変換大域信号と詳細信号と差分大域信号を取得する機能と、
　少なくとも取得した該変換大域信号と該詳細信号と該差分大域信号を用いて前記鑑賞画像参照データを生成する機能と、を実現させるためのプログラムであることを特徴としている。
【０３０３】
　また、請求項４３９記載の発明は、請求項４３８に記載のプログラムにおいて、
　前記コンピュータに、
　前記入力画像データに付随する付加情報を取得する機能と、
　取得した前記付加情報に基づいて、少なくとも前記大域信号および前記詳細信号の生成条件を決定する機能と、を実現させることを特徴としている。
【０３０４】
　請求項４４０記載の発明は、請求項４３９に記載のプログラムにおいて、
　前記付加情報に基づいてローパスフィルター特性が決定され、決定されたローパスフィルター特性に基づいて前記大域信号と詳細信号とが生成されることを特徴としている。
【０３０５】
　また、請求項４４１記載の発明は、
　入力画像データに出力媒体上での鑑賞画像形成のために最適化する画像処理を施して鑑賞画像参照データを生成するための処理を実行するためのコンピュータに、
　前記入力画像データから少なくとも変換大域信号と差分大域信号と詳細信号と差分詳細信号を取得する機能と、
　少なくとも取得した該変換大域信号と該差分大域信号と該変換詳細信号と該差分詳細信号を用いて前記鑑賞画像参照データを生成する機能と、を実現させるためのプログラムであることを特徴としている。
【０３０６】
　また、請求項４４２記載の発明は、
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと変換大域信号と差分大域信号と詳細信号を取得する機能と、
　少なくとも取得した該鑑賞画像参照データと該変換大域信号と該差分大域信号と該詳細信号を用いて改変された鑑賞画像参照データを生成する機能と、を実現させるためのプログラムであることを特徴としている。
【０３０７】
　また、請求項４４３記載の発明は、
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと変換大域信号と差分大域信号と変換詳細信号と差分詳細信号を取得する機能と、
　少なくとも取得した該鑑賞画像参照データと該変換大域信号と該差分大域信号と該詳細信号と該差分詳細信号を用いて、改変された鑑賞画像参照データを生成する機能と、を実現させるためのプログラムであることを特徴としている。
【０３０８】
　第４の発明群は、請求項２３〜２８記載の画像記録方法及び請求項９３〜９８記載の画像記録装置、請求項１６３〜１６８記載の画像処理方法及び請求項２０８〜２１３記載の画像処理装置、請求項２５３〜２５８記載の記録媒体及び請求項３２３〜３２８記載のプログラム、請求項３６８〜３７３記載の記録媒体及び請求項４３８〜４４３記載のプログラムにより構成される。
【０３０９】
　ユーザーが画像処理を施す際に、画像全体の印象を左右する階調を補正する、階調変換処理を多用することは、先に述べたが、本第４の発明群は、第１の発明群から、この点を配慮して構成されたもので、第１の発明群が大域信号を記録し、または取得して鑑賞画像参照データを生成するのに対して、第４の発明群では、大域信号の変わりに、大域信号に変換処理、例えば階調変換処理を施した変換大域信号と、変換処理の内容や処理の程度を意味する差分大域信号を記録、または取得して鑑賞画像参照データを生成することを特徴としており、この構成をとることで、ユーザーは多用する階調処理を簡便に行うことができる。
【０３１０】
　第４の発明群の第１の特徴は、入力画像データから大域信号と詳細信号を生成し、大域信号に変換処理を施して変換大域信号を生成し、大域信号と変換大域信号から差分大域信号を生成し、少なくとも変換大域信号と差分大域信号と詳細信号を記録することである。
【０３１１】
　特に、請求項２３、９３記載の画像記録装置、請求項１６３記載の画像処理方法、請求項２０８記載の画像処理装置、請求項２５３、３２３記載の記録媒体、請求項３６８、４３８記載のプログラムにおいて、入力画像データに付随する付加情報を取得し、取得した付加情報に基づいて少なくとも大域信号および詳細信号の生成条件決定することが好ましい。
【０３１２】
　また、本第４の発明群においては、少なくとも変換大域信号と差分大域信号と詳細信号を記録することが好ましく、また、上記詳細信号の変わりに、変換詳細信号と差分詳細信号を記録することも好ましく、また、少なくとも変換大域信号と差分大域信号と詳細信号と共に、変換大域信号と詳細信号から生成される鑑賞画像参照データを記録する形態も好ましい。
【０３１３】
　また、少なくとも変換大域信号と差分大域信号と変換詳細信号と差分詳細信号と共に、変換大域信号と変換詳細信号から生成される鑑賞画像参照データを記録する形態も好ましい。
【０３１４】
　「変換大域信号」とは大域信号に変換処理を施し生成される信号であり、
「大域信号に施される変換処理」とは、階調を補正する階調変換処理が好ましく、当業界で知られる種々の方法が適用される。
【０３１５】
　また、「差分大域信号」とは、「大域信号」と「変換大域信号」から生成される信号で、大域信号に施された処理によって生じる影響の内容や度合いを保存することを意図している。生成においては、例えば、「大域信号」と「変換大域信号」の差分をとる方法も簡便であり好ましく、「大域信号」と「変換大域信号」の比をとってもよいが、これに限定するものでない。
【０３１６】
　さらに、第４の発明群の第２の特徴は、少なくとも変換大域輝号と差分大域信号と詳細信号を取得し、これらを用いて鑑賞画像参照データを生成することである。上記形態において、詳細信号のかわりに変換詳細信号と差分詳細信号を取得し、鑑賞画像参照データを生成する形態も好ましく、また、上記の各々の形態において、さらに、鑑賞画像参照データを共に取得し、これらを用いて、取得した鑑賞画像参照データとは画像の状態が異なる、改変された鑑賞画像参照データを新たに生成することも好ましい。
【０３１７】
　第４の発明群においては、第１の発明群と同様に、すでに分離された信号を元に画像処理を施すことができるので、ユーザーにとって処理負荷の低い簡便な処理が実現し、処理をやり直す際にも、あらたに分離する手間がないので、処理負荷が低いことが利点であることはもちろんであるが、さらに、大域信号に対して変換処理を施す際の、処理の内容や程度、もしくは処理の対象に加えられた効果を意味する差分大域信号を利用して、簡便に、処理の程度を変更できる利点が大きい。
【０３１８】
　第４の発明群における、取得した信号を用いた鑑賞画像参照データの生成方法としては、取得した変換大域信号と詳細輝度信号と差分詳細信号に、ユーザーの意図にそった所定の画像処理を施し、これらを加算して生成する方法が好ましい。変換大域信号と詳細輝度信号をそのまま加算して鑑賞画像参照データを生成するのはもちろん、どちらかにのみ所定の画像処理を施して加算し鑑賞画像参照データを生成する形態も可能であることはいうまでもない。
【０３１９】
　また、メディアから取得した鑑賞画像参照データ、もしくは上記の方法で生成した鑑賞画像参照データが、ユーザーの嗜好に合致しない場合、取得してある差分大域信号をもちいて、大域信号にほどされた変換処理の程度を変更することが容易に可能である。具体的には、例えば、鑑賞画像参照データに所定の係数を乗じた差分大域信号を加算すればよい。ユーザーが嗜好に合致するまで繰り返し処理をやり直す際にも、やり直しの都度、新たに分離する手間をかけずに処理の程度を変更できる、この簡便性が本発明の大きな利点である。
【０３２０】
　また、変換大域信号を生成するために大域信号に施した変換処理の方法が、ユーザーの意図に合致しない場合は、上記のように、入力画像データまで再構成せずとも、取得した変換大域信号と差分大域信号を加算するなどして、大域信号を再構成し、新たに、異なる方法で画像処理を施し、新たに変換大域信号と差分大域信号を生成し、処理をすすめることも可能である。
【０３２１】
　また、取得した変換大域信号と差分大域信号のもととなる大域信号と詳細信号の分離状態がユーザーの意図に合致しない場合は、第1の発明群と同様に、取得した大域信号（取得した変換大域信号と差分大域信号を加算するなどして再構成し得られる）と詳細信号を加算して入力信号を再構することも可能である。
【０３２２】
　また、上記の鑑賞画像参照データの生成において、本発明群においても、第１の発明群と同様に、詳細輝度信号のかわりに変換詳細輝度信号と差分詳細輝度信号を取得し、鑑賞画像参照データを生成する形態も好ましい。
【０３２３】
　また、請求項２９記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該大域輝度信号に変換処理を施して変換大域輝度信号とする工程と、
　該変換大域輝度信号と該大域輝度信号から差分大域輝度信号を生成する工程と、
　少なくとも該変換大域輝度信号と該差分大域輝度信号と該詳細輝度信号と該入力色信号を前記記録媒体に記録する工程と、を含むことを特徴としている。
【０３２４】
　また、請求項３０記載の発明は、請求項２９に記載の画像記録方法において、
　前記入力画像データに付随する付加情報を取得する工程と、
　取得した前記付加情報に基づいて、少なくとも前記大域輝度信号および前記詳細輝度信号の生成条件を決定する大域・詳細輝度信号生成条件決定工程と、を含むことを特徴としている。
【０３２５】
　また、請求項３１記載の発明は、請求項３０に記載の画像記録方法において、
　前記付加情報に基づいてローパスフィルター特性を決定し、決定されたローパスフィルター特性に基づいて前記大域輝度信号と詳細輝度信号とを生成することを特徴としている。
【０３２６】
　また、請求項３２記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該大域輝度信号に変換処理を施して変換大域輝度信号とする工程と、
　該変換大域輝度信号と該大域輝度信号から差分大域輝度信号を生成する工程と、
　少なくとも該詳細輝度信号に変換処理を施して変換詳細輝度信号とする工程と、
　該変換詳細輝度信号と該大域輝度信号から差分詳細輝度信号を生成する工程と、
　少なくとも該変換大域輝度信号と該差分大域輝度信号と該変換詳細輝度信号と該差分詳細輝度信号と該入力色信号を前記記録媒体に記録する工程と、を含むことを特徴としている。
【０３２７】
　また、請求項３３記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該大域輝度信号に変換処理を施して変換大域輝度信号とする工程と、
　該変換大域輝度信号と該大域輝度信号から差分大域輝度信号を生成する工程と、
　少なくとも該入力色信号に変換処理を施して変換入力色信号とする工程と、
　該変換入力色信号と該入力色信号から差分入力色信号を生成する工程と、
　少なくとも該変換大域輝度信号と該差分大域輝度信号と該詳細輝度信号と該変換入力色信号と該差分入力色信号を前記記録媒体に記録する工程と、を含むことを特徴としている。
【０３２８】
　また、請求項３４記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該大域輝度信号に変換処理を施して変換大域輝度信号とする工程と、
　該変換大域輝度信号と該大域輝度信号から差分大域輝度信号を生成する工程と、
　少なくとも該変換大域輝度信号と該詳細輝度信号と該入力色信号を用いて鑑賞画像参照データを生成する工程と、
　少なくとも該鑑賞画像参照データと該変換大域輝度信号と該差分大域輝度信号と該該詳細輝度信号と該入力色信号を前記記録媒体に記録する工程と、を含むことを特徴としている。
【０３２９】
　また、請求項３５記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該大域輝度信号に変換処理を施して変換大域輝度信号とする工程と、
　該変換大域輝度信号と該大域輝度信号から差分大域輝度信号を生成する工程と、
　少なくとも詳細輝度信号に変換処理を施して変換詳細輝度信号とする工程と、
　該変換詳細輝度信号と該大域輝度信号から差分詳細輝度信号を生成する工程と、
　少なくとも該変換大域輝度信号と該変換詳細輝度信号と該入力色信号を用いて鑑賞画像参照データを生成する工程と、
　少なくとも該鑑賞画像参照データと該変換大域輝度信号と該差分大域輝度信号と該変換該詳細輝度信号と該差分詳細輝度信号と該入力色信号を前記記録媒体に記録する工程と、を含むことを特徴としている。
【０３３０】
　また、請求項３６記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データから入力輝度信号と入力色信号を生成する工程と、
　該入力輝度信号から大域輝度信号と詳細輝度信号を生成する工程と、
　少なくとも該大域輝度信号に変換処理を施して変換大域輝度信号とする工程と、
　該変換大域輝度信号と該大域輝度信号から差分大域輝度信号を生成する工程と、
　少なくとも該入力色信号に変換処理を施して変換入力色信号とする工程と、
　該変換入力色信号と該入力色信号から差分入力色信号を生成する工程と、
　少なくとも該変換大域輝度信号と該詳細輝度信号と該変換入力色信号を用いて鑑賞画像参照データを生成する工程と、
　少なくとも該変換大域輝度信号と該差分大域輝度信号と該詳細輝度信号と該変換入力色信号と該差分入力色信号を前記記録媒体に記録する工程と、を含むことを特徴としている。
【０３３１】
　また、請求項９９記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該大域輝度信号に変換処理を施して変換大域輝度信号とするとともに、該変換大域輝度信号と該大域輝度信号から差分大域輝度信号を生成する生成手段と、
　少なくとも該変換大域輝度信号と該差分大域輝度信号と該詳細輝度信号と該入力色信号を前記記録媒体に記録する記録手段と、を備えたことを特徴としている。
【０３３２】
　また、請求項１００記載の発明は、請求項９９に記載の画像記録装置において、
　前記入力画像データに付随する付加情報を取得する取得手段と、
　取得した前記付加情報に基づいて、少なくとも前記大域輝度信号および前記詳細輝度信号の生成条件を決定する大域・詳細輝度信号生成条件決定手段と、を含むことを特徴としている。
【０３３３】
　また、請求項１０１記載の発明は、請求項１００に記載の画像記録装置において、
　前記付加情報に基づいてローパスフィルター特性を決定し、決定されたローパスフィルター特性に基づいて前記大域輝度信号と詳細輝度信号とを生成することを特徴としている。
【０３３４】
　また、請求項１０２記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該大域輝度信号に変換処理を施して変換大域輝度信号とし、該変換大域輝度信号と該大域輝度信号から差分大域輝度信号を生成し、少なくとも該詳細輝度信号に変換処理を施して変換詳細輝度信号とするとともに、該変換詳細輝度信号と該大域輝度信号から差分詳細輝度信号を生成する生成手段と、
　少なくとも該変換大域輝度信号と該差分大域輝度信号と該変換詳細輝度信号と該差分詳細輝度信号と該入力色信号を前記記録媒体に記録する記録手段と、を備えたことを特徴としている。
【０３３５】
　また、請求項１０３記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該大域輝度信号に変換処理を施して変換大域輝度信号とし、該変換大域輝度信号と該大域輝度信号から差分大域輝度信号を生成し、少なくとも該入力色信号に変換処理を施して変換入力色信号とするとともに、該変換入力色信号と該入力色信号から差分入力色信号を生成する生成手段と、
　少なくとも該変換大域輝度信号と該差分大域輝度信号と該詳細輝度信号と該変換入力色信号と該差分入力色信号を前記記録媒体に記録する記録手段と、を備えたことを特徴としている。
【０３３６】
　また、請求項１０４記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該大域輝度信号に変換処理を施して変換大域輝度信号とし、該変換大域輝度信号と該大域輝度信号から差分大域輝度信号を生成するとともに、少なくとも該変換大域輝度信号と該詳細輝度信号と該入力色信号を用いて鑑賞画像参照データを生成する生成手段と、
　少なくとも該鑑賞画像参照データと該変換大域輝度信号と該差分大域輝度信号と該該詳細輝度信号と該入力色信号を前記記録媒体に記録する記録手段と、を備えたことを特徴としている。
【０３３７】
　また、請求項１０５記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該大域輝度信号に変換処理を施して変換大域輝度信号し、該変換大域輝度信号と該大域輝度信号から差分大域輝度信号を生成し、少なくとも詳細輝度信号に変換処理を施して変換詳細輝度信号とし、該変換詳細輝度信号と該大域輝度信号から差分詳細輝度信号を生成するとともに、少なくとも該変換大域輝度信号と該変換詳細輝度信号と該入力色信号を用いて鑑賞画像参照データを生成する生成手段と、
　少なくとも該鑑賞画像参照データと該変換大域輝度信号と該差分大域輝度信号と該変換該詳細輝度信号と該差分詳細輝度信号と該入力色信号を前記記録媒体に記録する記録手段と、を備えたことを特徴としている。
【０３３８】
　また、請求項１０６記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データから入力輝度信号と入力色信号を生成し、該入力輝度信号から大域輝度信号と詳細輝度信号を生成し、少なくとも該大域輝度信号に変換処理を施して変換大域輝度信号とし、該変換大域輝度信号と該大域輝度信号から差分大域輝度信号を生成し、少なくとも該入力色信号に変換処理を施して変換入力色信号とし、該変換入力色信号と該入力色信号から差分入力色信号を生成するとともに、少なくとも該変換大域輝度信号と該詳細輝度信号と該変換入力色信号を用いて鑑賞画像参照データを生成する生成手段と、
　少なくとも該変換大域輝度信号と該差分大域輝度信号と該詳細輝度信号と該変換入力色信号と該差分入力色信号を前記記録媒体に記録する記録手段と、を備えたことを特徴としている。
【０３３９】
　また、請求項１６９記載の発明は、
　入力画像データに出力媒体上での鑑賞画像形成のために最適化する画像処理を施して鑑賞画像参照データを生成する画像処理方法において、
　前記入力画像データから少なくとも変換大域輝度信号と差分大域輝度信号と詳細輝度信号と入力色信号を取得する工程と、
　少なくとも取得した該変換大域輝度信号と該差分大域輝度信号と該詳細輝度信号と該入力色信号を用いて、鑑賞画像参照データを生成する工程と、を含むことを特徴としている。
【０３４０】
　また、請求項１７０記載の発明は、請求項１６９に記載の画像処理方法において、
　前記入力画像データに付随する付加情報を取得する工程と、
　取得した前記付加情報に基づいて、少なくとも前記大域輝度信号および前記詳細輝度信号の生成条件を決定する大域・詳細輝度信号生成条件決定工程と、を含むことを特徴としている。
【０３４１】
　また、請求項１７１記載の発明は、請求項１７０に記載の画像処理方法において、
　前記付加情報に基づいてローパスフィルター特性を決定し、決定されたローパスフィルター特性に基づいて前記大域輝度信号と詳細輝度信号とを生成することを特徴としている。
【０３４２】
　また、請求項１７２記載の発明は、
　入力画像データに出力媒体上での鑑賞画像形成のために最適化する画像処理を施して鑑賞画像参照データを生成する画像処理方法において、
　前記入力画像データから少なくとも変換大域輝度信号と差分大域輝度信号と変換詳細輝度信号と差分詳細輝度信号と入力色信号を取得する工程と、
　少なくとも取得した該変換大域輝度信号と該差分大域輝度信号と該変換該詳細輝度信号と該差分詳細輝度信号と該入力色信号を用いて、鑑賞画像参照データを生成する工程と、を含むことを特徴としている。
【０３４３】
　また、請求項１７３記載の発明は、
　入力画像データに出力媒体上での鑑賞画像形成のために最適化する画像処理を施して鑑賞画像参照データを生成する画像処理方法において、
　前記入力画像データから少なくとも変換大域輝度信号と差分大域輝度信号と詳細輝度信号と変換入力色信号と差分入力色信号を取得する工程と、
　少なくとも取得した該変換大域輝度信号と該差分大域輝度信号と該詳細輝度信号と該変換入力色信号と該差分入力色信号を用いて、鑑賞画像参照データを生成する工程と、を含むことを特徴としている。
【０３４４】
　また、請求項１７４記載の発明は、
　入力画像データに出力媒体上での鑑賞画像形成のために最適化する画像処理を施して鑑賞画像参照データを生成する画像処理方法において、
　前記入力画像データから少なくとも鑑賞画像参照データと変換大域輝度信号と差分大域輝度信号と詳細輝度信号と入力色信号を取得する工程と、
　少なくとも取得した該鑑賞画像参照データと該変換大域輝度信号と該差分大域輝度信号と該詳細輝度信号と該入力色信号を用いて、改変された鑑賞画像参照データを生成する工程と、を含むことを特徴としている。
【０３４５】
　また、請求項１７５記載の発明は、
　入力画像データに出力媒体上での鑑賞画像形成のために最適化する画像処理を施して鑑賞画像参照データを生成する画像処理方法において、
　前記入力画像データから鑑賞画像参照データと変換大域輝度信号と差分大域輝度信号と変換詳細輝度信号と差分詳細輝度信号と入力色信号を取得する工程と、
　少なくとも取得した該鑑賞画像参照データと該変換大域輝度信号と該差分大域輝度信号と該変換該詳細輝度信号と該差分詳細輝度信号と該入力色信号を用いて、改変された鑑賞画像参照データを生成する工程と、を含むことを特徴としている。
【０３４６】
　また、請求項１７６記載の発明は、
　入力画像データに出力媒体上での鑑賞画像形成のために最適化する画像処理を施して鑑賞画像参照データを生成する画像処理方法において、
　前記入力画像データから少なくとも鑑賞画像参照データと変換大域輝度信号と差分大域輝度信号と詳細輝度信号と変換入力色信号と差分入力色信号を取得する工程と、
　少なくとも取得した該鑑賞画像参照データと該変換大域輝度信号と該差分大域輝度信号と該詳細輝度信号と該変換入力色信号と該差分入力色信号を用いて、改変された鑑賞画像参照データを生成する工程と、を含むことを特徴としている。
【０３４７】
　また、請求項２１４記載の発明は、
　入力画像データに出力媒体上での鑑賞画像形成のために最適化する画像処理を施して鑑賞画像参照データを生成する画像処理装置において、
　前記入力画像データから少なくとも変換大域輝度信号と差分大域輝度信号と詳細輝度信号と入力色信号を取得する取得手段と、
　少なくとも取得した該変換大域輝度信号と該差分大域輝度信号と該詳細輝度信号と該入力色信号を用いて、鑑賞画像参照データを生成する生成手段と、を備えたことを特徴としている。
【０３４８】
　また、請求項２１５記載の発明は、請求項２１４に記載の画像処理装置において、
　前記入力画像データに付随する付加情報を取得する手段と、
　取得した前記付加情報に基づいて、少なくとも前記大域輝度信号および前記詳細輝度信号の生成条件を決定する大域・詳細輝度信号生成条件決定手段と、を備えたことを特徴としている。
【０３４９】
　また、請求項２１６記載の発明は、請求項２１５に記載の画像処理装置において、
　前記付加情報に基づいてローパスフィルター特性を決定し、決定されたローパスフィルター特性に基づいて前記大域輝度信号と詳細輝度信号とを生成することを特徴としている。
【０３５０】
　また、請求項２１７記載の発明は、
　入力画像データに出力媒体上での鑑賞画像形成のために最適化する画像処理を施して鑑賞画像参照データを生成する画像処理装置において、
　前記入力画像データから少なくとも変換大域輝度信号と差分大域輝度信号と変換詳細輝度信号と差分詳細輝度信号と入力色信号を取得する取得手段と、
　少なくとも取得した該変換大域輝度信号と該差分大域輝度信号と該変換該詳細輝度信号と該差分詳細輝度信号と該入力色信号を用いて、鑑賞画像参照データを生成する生成手段と、を備えたことを特徴としている。
【０３５１】
　また、請求項２１８記載の発明は、
　入力画像データに出力媒体上での鑑賞画像形成のために最適化する画像処理を施して鑑賞画像参照データを生成する画像処理装置において、
　前記入力画像データから少なくとも変換大域輝度信号と差分大域輝度信号と詳細輝度信号と変換入力色信号と差分入力色信号を取得する取得手段と、
　少なくとも取得した該変換大域輝度信号と該差分大域輝度信号と該詳細輝度信号と該変換入力色信号と該差分入力色信号を用いて、鑑賞画像参照データを生成する生成手段と、を備えたことを特徴としている。
【０３５２】
　また、請求項２１９記載の発明は、
　入力画像データに出力媒体上での鑑賞画像形成のために最適化する画像処理を施して鑑賞画像参照データを生成する画像処理装置において、
　前記入力画像データから少なくとも鑑賞画像参照データと変換大域輝度信号と差分大域輝度信号と詳細輝度信号と入力色信号を取得する取得手段と、
　少なくとも取得した該鑑賞画像参照データと該変換大域輝度信号と該差分大域輝度信号と該詳細輝度信号と該入力色信号を用いて、改変された鑑賞画像参照データを生成する生成手段と、を備えたことを特徴としている。
【０３５３】
　また、請求項２２０記載の発明は、
　入力画像データに出力媒体上での鑑賞画像形成のために最適化する画像処理を施して鑑賞画像参照データを生成する画像処理装置において、
　前記入力画像データから鑑賞画像参照データと変換大域輝度信号と差分大域輝度信号と変換詳細輝度信号と差分詳細輝度信号と入力色信号を取得する取得手段と、
　少なくとも取得した該鑑賞画像参照データと該変換大域輝度信号と該差分大域輝度信号と該変換該詳細輝度信号と該差分詳細輝度信号と該入力色信号を用いて、改変された鑑賞画像参照データを生成する生成手段と、を備えたことを特徴としている。
【０３５４】
　また、請求項２２１記載の発明は、
　入力画像データに出力媒体上での鑑賞画像形成のために最適化する画像処理を施して鑑賞画像参照データを生成する画像処理装置において、
　前記入力画像データから少なくとも鑑賞画像参照データと変換大域輝度信号と差分大域輝度信号と詳細輝度信号と変換入力色信号と差分入力色信号を取得する取得手段と、
　少なくとも取得した該鑑賞画像参照データと該変換大域輝度信号と該差分大域輝度信号と該詳細輝度信号と該変換入力色信号と該差分入力色信号を用いて、改変された鑑賞画像参照データを生成する生成手段と、を備えたことを特徴としている。
【０３５５】
　また、請求項２５９記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該変換大域輝度信号と該差分大域輝度信号と該詳細輝度信号と該入力色信号を前記記録媒体に記録する機能と、
　を含むプログラムを記録したことを特徴としている。
【０３５６】
　また、請求項２６０記載の発明は、請求項２５９に記載の記録媒体において、
　前記プログラムは、
　前記入力画像データに付随する付加情報を取得する機能と、
　取得した前記付加情報に基づいて、少なくとも前記大域輝度信号および前記詳細輝度信号の生成条件を決定する機能と、を含むことを特徴としている。
【０３５７】
　また、請求項２６１記載の発明は、請求項２６０に記載の記録媒体において、
　前記プログラムにおいて、前記付加情報に基づいてローパスフィルター特性が決定され、決定されたローパスフィルター特性に基づいて前記大域輝度信号と詳細輝度信号とが生成されることを特徴としている。
【０３５８】
　また、請求項２６２記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該詳細輝度信号に変換処理を施して変換詳細輝度信号とする機能と、
　該変換詳細輝度信号と該大域輝度信号から差分詳細輝度信号を生成する機能と、
　少なくとも該変換大域輝度信号と該差分大域輝度信号と該変換詳細輝度信号と該差分詳細輝度信号と該入力色信号を前記記録媒体に記録する機能と、
　を含むプログラムを記録したことを特徴としている。
【０３５９】
　また、請求項２６３記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該入力色信号に変換処理を施して変換入力色信号とする機能と、
　該変換入力色信号と該入力色信号から差分入力色信号を生成する機能と、
　少なくとも該変換大域輝度信号と該差分大域輝度信号と該詳細輝度信号と該変換入力色信号と該差分入力色信号を前記記録媒体に記録する機能と、
　を含むプログラムを記録したことを特徴としている。
【０３６０】
　また、請求項２６４記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該変換大域輝度信号と該詳細輝度信号と該入力色信号を用いて鑑賞画像参照データを生成する機能と、
　少なくとも該鑑賞画像参照データと該変換大域輝度信号と該差分大域輝度信号と該該詳細輝度信号と該入力色信号を前記記録媒体に記録する機能と、
　を含むプログラムを記録したことを特徴としている。
【０３６１】
　また、請求項２６５記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも詳細輝度信号に変換処理を施して変換詳細輝度信号とする機能と、
　該変換詳細輝度信号と該大域輝度信号から差分詳細輝度信号を生成する機能と、
　少なくとも該変換大域輝度信号と該変換詳細輝度信号と該入力色信号を用いて鑑賞画像参照データを生成する機能と、
　少なくとも該鑑賞画像参照データと該変換大域輝度信号と該差分大域輝度信号と該変換該詳細輝度信号と該差分詳細輝度信号と該入力色信号を前記記録媒体に記録する機能と、
　を含むプログラムを記録したことを特徴としている。
【０３６２】
　また、請求項２６６記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該入力色信号に変換処理を施して変換入力色信号とする機能と、
　該変換入力色信号と該入力色信号から差分入力色信号を生成する機能と、
　少なくとも該変換大域輝度信号と該詳細輝度信号と該変換入力色信号を用いて鑑賞画像参照データを生成する機能と、
　少なくとも該変換大域輝度信号と該差分大域輝度信号と該詳細輝度信号と該変換入力色信号と該差分入力色信号を前記記録媒体に記録する機能と、
　を含むプログラムを記録したことを特徴としている。
【０３６３】
　また、請求項３２９記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも変換大域輝度信号と差分大域輝度信号と詳細輝度信号と入力色信号を取得する機能と、
　少なくとも取得した該変換大域輝度信号と該差分大域輝度信号と該詳細輝度信号と該入力色信号を用いて、鑑賞画像参照データを生成する機能と、
　を含むプログラムを記録したことを特徴としている。
【０３６４】
　また、請求項３３０記載の発明は、請求項３２９に記載の記録媒体において、
　前記プログラムは、
　前記入力画像データに付随する付加情報を取得する機能と、
　取得した前記付加情報に基づいて、少なくとも前記大域輝度信号と前記詳細輝度信号の生成条件を決定する機能と、を含むことを特徴としている。
【０３６５】
　また、請求項３３１記載の発明は、請求項３３０に記載の記録媒体において、
　前記プログラムにおいて、前記付加情報に基づいてローパスフィルター特性が決定され、決定されたローパスフィルター特性に基づいて前記大域輝度信号と詳細輝度信号とが生成されることを特徴としている。
【０３６６】
　また、請求項３３２記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも変換大域輝度信号と差分大域輝度信号と変換詳細輝度信号と差分詳細輝度信号と入力色信号を取得する機能と、
　少なくとも取得した該変換大域輝度信号と該差分大域輝度信号と該変換該詳細輝度信号と該差分詳細輝度信号と該入力色信号を用いて、鑑賞画像参照データを生成する機能と、
　を含むプログラムを記録したことを特徴としている。
【０３６７】
　また、請求項３３３記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも変換大域輝度信号と差分大域輝度信号と詳細輝度信号と変換入力色信号と差分入力色信号を取得する機能と、
　少なくとも取得した該変換大域輝度信号と該差分大域輝度信号と該詳細輝度信号と該変換入力色信号と該差分入力色信号を用いて、鑑賞画像参照データを生成する機能と、
　を含むプログラムを記録したことを特徴としている。
【０３６８】
　また、請求項３３４記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと変換大域輝度信号と差分大域輝度信号と詳細輝度信号と入力色信号を取得する機能と、
　少なくとも取得した該鑑賞画像参照データと該変換大域輝度信号と該差分大域輝度信号と該詳細輝度信号と該入力色信号を用いて、改変された鑑賞画像参照データを生成する機能と、
　を含むプログラムを記録したことを特徴としている。
【０３６９】
　また、請求項３３５記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから鑑賞画像参照データと変換大域輝度信号と差分大域輝度信号と変換詳細輝度信号と差分詳細輝度信号と入力色信号を取得する機能と、
　少なくとも取得した該鑑賞画像参照データと該変換大域輝度信号と該差分大域輝度信号と該変換該詳細輝度信号と該差分詳細輝度信号と該入力色信号を用いて、改変された鑑賞画像参照データを生成する機能と、
　を含むプログラムを記録したことを特徴としている。
【０３７０】
　また、請求項３３６記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと変換大域輝度信号と差分大域輝度信号と詳細輝度信号と変換入力色信号と差分入力色信号を取得する機能と、
　少なくとも取得した該鑑賞画像参照データと該変換大域輝度信号と該差分大域輝度信号と該詳細輝度信号と該変換入力色信号と該差分入力色信号を用いて、改変された鑑賞画像参照データを生成する機能と、
　を含むプログラムを記録したことを特徴としている。
【０３７１】
　また、請求項３７４記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該変換大域輝度信号と該差分大域輝度信号と該詳細輝度信号と該入力色信号を前記記録媒体に記録する機能と、を実現させるためのプログラムであることを特徴している。
【０３７２】
　また、請求項３７５記載の発明は、請求項３７４に記載のプログラムにおいて、
　前記コンピュータに、
　前記入力画像データに付随する付加情報を取得する機能と、
　取得した前記付加情報に基づいて、少なくとも前記大域輝度信号および前記詳細輝度信号の生成条件を決定する機能と、を含むことを特徴としている。
【０３７３】
　また、請求項３７６記載の発明は、請求項３７５に記載のプログラムにおいて、
　前記付加情報に基づいてローパスフィルター特性が決定され、決定されたローパスフィルター特性に基づいて前記大域輝度信号と詳細輝度信号とが生成されることを特徴としている。
【０３７４】
　また、請求項３７７記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該詳細輝度信号に変換処理を施して変換詳細輝度信号とする機能と、
　該変換詳細輝度信号と該大域輝度信号から差分詳細輝度信号を生成する機能と、
　少なくとも該変換大域輝度信号と該差分大域輝度信号と該変換詳細輝度信号と該差分詳細輝度信号と該入力色信号を前記記録媒体に記録する機能と、を実現させるためのプログラムであることを特徴している。
【０３７５】
　また、請求項３７８記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該入力色信号に変換処理を施して変換入力色信号とする機能と、
　該変換入力色信号と該入力色信号から差分入力色信号を生成する機能と、
　少なくとも該変換大域輝度信号と該差分大域輝度信号と該詳細輝度信号と該変換入力色信号と該差分入力色信号を前記記録媒体に記録する機能と、を実現させるためのプログラムであることを特徴している。
【０３７６】
　また、請求項３７９記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該変換大域輝度信号と該詳細輝度信号と該入力色信号を用いて鑑賞画像参照データを生成する機能と、
　少なくとも該鑑賞画像参照データと該変換大域輝度信号と該差分大域輝度信号と該該詳細輝度信号と該入力色信号を前記記録媒体に記録する機能と、を実現させるためのプログラムであることを特徴している。
【０３７７】
　また、請求項３８０記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも詳細輝度信号に変換処理を施して変換詳細輝度信号とする機能と、
　該変換詳細輝度信号と該大域輝度信号から差分詳細輝度信号を生成する機能と、
　少なくとも該変換大域輝度信号と該変換詳細輝度信号と該入力色信号を用いて鑑賞画像参照データを生成する機能と、
　少なくとも該鑑賞画像参照データと該変換大域輝度信号と該差分大域輝度信号と該変換該詳細輝度信号と該差分詳細輝度信号と該入力色信号を前記記録媒体に記録する機能と、を実現させるためのプログラムであることを特徴している。
【０３７８】
　また、請求項３８１記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データから入力輝度信号と入力色信号を生成する機能と、
　該入力輝度信号から大域輝度信号と詳細輝度信号を生成する機能と、
　少なくとも該大域輝度信号に変換処理を施して変換大域輝度信号とする機能と、
　該変換大域輝度信号と該大域輝度信号から差分大域輝度信号を生成する機能と、
　少なくとも該入力色信号に変換処理を施して変換入力色信号とする機能と、
　該変換入力色信号と該入力色信号から差分入力色信号を生成する機能と、
　少なくとも該変換大域輝度信号と該詳細輝度信号と該変換入力色信号を用いて鑑賞画像参照データを生成する機能と、
　少なくとも該変換大域輝度信号と該差分大域輝度信号と該詳細輝度信号と該変換入力色信号と該差分入力色信号を前記記録媒体に記録する機能と、を実現させるためのプログラムであることを特徴している。
【０３７９】
　また、請求項４４４記載の発明は、
　入力画像データに出力媒体上での鑑賞画像形成のために最適化する画像処理を施して鑑賞画像参照データを生成するための処理を実行するためのコンピュータに、
　前記入力画像データから少なくとも変換大域輝度信号と差分大域輝度信号と詳細輝度信号と入力色信号を取得する機能と、
　少なくとも取得した該変換大域輝度信号と該差分大域輝度信号と該詳細輝度信号と該入力色信号を用いて、鑑賞画像参照データを生成する機能と、を実現させるためのプログラムであることを特徴している。
【０３８０】
　また、請求項４４５記載の発明は、請求項４４４に記載のプログラムにおいて、
　前記コンピュータに、
　前記入力画像データに付随する付加情報を取得する機能と、
　取得した前記付加情報に基づいて、少なくとも前記大域輝度信号および前記詳細輝度信号の生成条件を決定する機能とを実現させることを特徴としている。
【０３８１】
　また、請求項４４６記載の発明は、請求項４４５に記載のプログラムにおいて、
　前記付加情報に基づいてローパスフィルター特性が決定され、決定されたローパスフィルター特性に基づいて前記大域輝度信号と詳細輝度信号とが生成されることを特徴としている。
【０３８２】
　また、請求項４４７記載の発明は、
　入力画像データに出力媒体上での鑑賞画像形成のために最適化する画像処理を施して鑑賞画像参照データを生成するための処理を実行するためのコンピュータに、
　前記入力画像データから少なくとも変換大域輝度信号と差分大域輝度信号と変換詳細輝度信号と差分詳細輝度信号と入力色信号を取得する機能と、
　少なくとも取得した該変換大域輝度信号と該差分大域輝度信号と該変換該詳細輝度信号と該差分詳細輝度信号と該入力色信号を用いて、鑑賞画像参照データを生成する機能と、を実現させるためのプログラムであることを特徴している。
【０３８３】
　また、請求項４４８記載の発明は、
　入力画像データに出力媒体上での鑑賞画像形成のために最適化する画像処理を施して鑑賞画像参照データを生成するための処理を実行するためのコンピュータに、
　前記入力画像データから少なくとも変換大域輝度信号と差分大域輝度信号と詳細輝度信号と変換入力色信号と差分入力色信号を取得する機能と、
　少なくとも取得した該変換大域輝度信号と該差分大域輝度信号と該詳細輝度信号と該変換入力色信号と該差分入力色信号を用いて、鑑賞画像参照データを生成する機能と、を実現させるためのプログラムであることを特徴している。
【０３８４】
　また、請求項４４９記載の発明は、
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと変換大域輝度信号と差分大域輝度信号と詳細輝度信号と入力色信号を取得する機能と、
　少なくとも取得した該鑑賞画像参照データと該変換大域輝度信号と該差分大域輝度信号と該詳細輝度信号と該入力色信号を用いて、改変された鑑賞画像参照データを生成する機能と、を実現させるためのプログラムであることを特徴している。
【０３８５】
　また、請求項４５０記載の発明は、
　入力画像データに出力媒体上での鑑賞画像形成のために最適化する画像処理を施して鑑賞画像参照データを生成するための処理を実行するためのコンピュータに、
　前記入力画像データから鑑賞画像参照データと変換大域輝度信号と差分大域輝度信号と変換詳細輝度信号と差分詳細輝度信号と入力色信号を取得する機能と、
　少なくとも取得した該鑑賞画像参照データと該変換大域輝度信号と該差分大域輝度信号と該変換該詳細輝度信号と該差分詳細輝度信号と該入力色信号を用いて、改変された鑑賞画像参照データを生成する機能と、を実現させるためのプログラムであることを特徴している。
【０３８６】
　また、請求項４５１記載の発明は、
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと変換大域輝度信号と差分大域輝度信号と詳細輝度信号と変換入力色信号と差分入力色信号を取得する機能と、
　少なくとも取得した該鑑賞画像参照データと該変換大域輝度信号と該差分大域輝度信号と該詳細輝度信号と該変換入力色信号と該差分入力色信号を用いて、改変された鑑賞画像参照データを生成する機能と、を実現させるためのプログラムであることを特徴している。
【０３８７】
　第５の発明群は、請求項２９〜３６記載の画像記録方法及び請求項９９〜１０６記載の画像記録装置、請求項１６９〜１７６記載の画像処理方法及び請求項２１４〜２２１記載の画像処理装置、請求項２５９〜２６６記載の記録媒体及び請求項３２９〜３３６記載のプログラム、請求項３７４〜３８１記載の記録媒体及び請求項４４４〜４５１記載のプログラムにより構成される。
【０３８８】
　ユーザーが画像処理を施す際に、画像全体の印象を左右する階調を補正する、階調変換処理を多用することは、先に述べたが、第５の発明群は、第２の発明群から、この点を配慮して構成されたものである。
【０３８９】
　第２の発明群が大域信号を記録し、または取得して鑑賞画像参照データを生成するのに対して、第５の発明群では、大域信号の変わりに、大域信号に変換処理、例えば階調変換処理を施した変換大域信号と、変換処理の内容や処理の程度を意味する差分大域信号を記録、または取得して鑑賞画像参照データを生成することを特徴としており、この構成をとることで、ユーザーは多用する階調処理を簡便に行うことができる。
【０３９０】
　第５の発明群の第１の特徴は、入力画像データから入力色信号と入力輝度信号を生成し、入力輝度信号から大域輝度信号と詳細輝度信号を生成し、大域輝度信号に変換処理を施して変換大域輝度信号を生成し、大域輝度信号と変換大域輝度信号から差分大域輝度信号を生成し、少なくとも変換大域輝度信号と差分大域輝度信号と詳細輝度信号と入力色信号を記録することである。
【０３９１】
　特に、請求項２９、９９記載の画像記録装置、請求項１６９記載の画像処理方法、請求項２１４記載の画像処理装置、請求項２５９、３２９記載の記録媒体、請求項３７４、４４４記載のプログラムにおいて、入力画像データに付随する付加情報を取得し、取得した付加情報に基づいて少なくとも大域信号および詳細信号の生成条件を決定することが好ましい。
【０３９２】
　本第５の発明群においては、少なくとも入力色信号と変換大域輝度信号と差分大域輝度信号と詳細輝度信号を記録することが好ましい。また、上記詳細輝度信号の変わりに、変換詳細輝度信号と差分詳細輝度信号を記録することも好ましく、
また、上記入力色信号の変わりに、変換入力色信号と差分入力色信号を記録することも好ましい。
【０３９３】
　また、少なくとも入力色信号と変換大域輝度信号と差分大域輝度信号と詳細輝度信号と共に、入力色信号と変換大域輝度信号と詳細輝度信号を用いて生成される鑑賞画像参照データを記録する形態も好ましく、入力色信号と変換大域輝度信号と差分大域輝度信号と変換詳細輝度信号と差分詳細輝度信号と共に、入力色信号と変換大域輝度信号と変換詳細輝度信号を用いて生成される鑑賞画像参照データを記録することも好ましく、変換入力色信号と差分入力色信号と変換大域輝度信号と差分大域輝度信号と詳細輝度信号と共に、変換入力色信号と変換大域輝度信号と詳細輝度信号を用いて生成される鑑賞画像参照データを記録することも好ましく、変換入力色信号と差分入力色信号と変換大域輝度信号と差分大域輝度信号と変換詳細輝度信号と差分詳細輝度信号共に、変換入力色信号と変換大域輝度信号と変換詳細輝度信号を用いて生成される鑑賞画像参照データを記録することも好ましい。
【０３９４】
　「変換大域輝度信号」とは変換大域信号と、生成の意図を同じくするものであり、大域輝度信号に変換処理を施し生成される信号である。「大域輝度信号に施される変換処理」とは、変換大域信号を生成する際に大域信号に施される変換処理と同様の方法を適用することが可能であり、階調を補正する階調変換処理が好ましく、当業界で知られる種々の方法が適用される。
【０３９５】
　「差分大域輝度信号」とは、差分大域信号と、生成の意図を同じくするものでであり、「大域輝度信号」と「変換輝度大域信号」から生成される信号で、大域輝度信号に施された処理によって生じる影響の内容や度合いを保存することを意図している。生成においては、例えば、「大域輝度信号」と「変換大域輝度信号」の差分をとる方法も簡便であり好ましく、「大域輝度信号」と「変換大域輝度信号」の比をとってもよいが、これに限定するものでない。
【０３９６】
　さらに、第５の発明群の第２の特徴は、少なくとも変換大域輝度信号と差分大域輝度信号と詳細輝度信号と入力色信号を取得し、これらを用いて鑑賞画像参照データを生成することである。上記形態において、詳細輝度信号の変わりに、変換詳細輝度信号と差分詳細輝度信号を取得し、鑑賞画像参照データを生成することも好ましく、入力色信号のかわりに、変換入力色信号と差分入力色信号を取得し、鑑賞画像参照データを生成することも好ましい。また、上記の各々の形態において、さらに、鑑賞画像参照データを共に取得し、これらを用いて、取得した鑑賞画像参照データとは画像の状態が異なる、改変された鑑賞画像参照データを生成することも好ましい。
【０３９７】
　第５の発明群においては、第１の発明群と同様に、すでに分離された信号を元に画像処理を施すことができるので、ユーザーにとって処理負荷の低い簡便な処理が実現し、処理をやり直す際にも、あらたに分離する手間がないので、処理負荷が低い利点があることに加え、大域信号や詳細信号のかわりに、大域信号や詳細信号の輝度成分で構成される大域輝度信号と詳細輝度信号を用いて鑑賞画像参照データを生成するため、よりユーザーの意図が画像処理に反映させやすく、ユーザーも処理方法を選択しやすい点、また、ユーザーが画像処理時に多用する階調処理の程度の変更を所望した際に、差分大域信号を用いて、処理の程度を簡便に変更できる利点がある。
【０３９８】
　これらの複数の利点があいまって、ユーザーの処理負荷を軽減する、処理の選択を容易にする、といった観点において、想像以上の効果が発現することを確認した。
【０３９９】
　第５の発明群における、取得した信号を用いた鑑賞画像参照データの生成方法としては、取得した変換大域輝度信号と差分大域輝度信号と詳細輝度信号と入力色信号にユーザーの意図にそった所定の画像処理を施し、これらを用いて生成する方法が好ましい。取得した個々の信号に画像処理を施し、処理済みの信号を用いて鑑賞画像参照データを生成するのはもちろん、意図に応じて、幾つかにのみ画像処理を施す形態や、画像処理は施さない形態も可能であるのはいうまでもない。
【０４００】
　例えば、変換大域輝度信号と詳細輝度信号をそのまま加算し、入力色信号と合成処理を施し、鑑賞画像参照データを生成してもよく、例えば、変換大域輝度信号と所定の画像処理を施した詳細輝度信号を加算した後に、入力色信号と合成処理を施し、鑑賞画像参照データを生成してもよい。
【０４０１】
　また、メディアから取得した鑑賞画像参照データ、もしくは上記の方法で生成した鑑賞画像参照データが、ユーザーの嗜好に合致しない場合、取得してある差分大域輝度信号をもちいて、大域輝度信号にほどされた変換処理の程度を変更することが容易に可能である。具体的には、例えば、鑑賞画像参照データに所定の係数を乗じた差分大域輝度信号を加算すればよい。ユーザーが嗜好に合致するまで繰り返し処理をやり直す際にも、やり直しの都度、新たに分離する手間をかけずに処理の程度を変更できる、この簡便性が本発明の大きな利点である。
【０４０２】
　また、変換大域輝度信号を生成するために大域輝度信号に施した変換処理の方法が、ユーザーの意図に合致しない場合は、上記のように、入力画像データまで再構成せずとも、取得した変換大域輝度信号と差分大域輝度信号を加算するなどして、大域輝度信号を再構することも可能である。
【０４０３】
　また、取得した大域輝度信号と詳細輝度信号の分離状態がユーザーの意図に合致しない場合は、取得した大域輝度信号と詳細輝度信号を加算して入力輝度信号を再構成することも可能である。また、入力輝度信号と入力色信号の分離状態がユーザーの意図に合致しない場合は、取得した入力色信号と上記再構成した入力輝度信号を加算し入力画像データを再構することもまた可能である。
【０４０４】
　また、上記の鑑賞画像参照データの生成において、本発明群においても、第２の発明群と同様に、詳細輝度信号のかわりに変換詳細輝度信号と差分詳細輝度信号を取得し、鑑賞画像参照データを生成する形態も好ましい。
【０４０５】
　また、上記の鑑賞画像参照データの生成において、本発明群においても、第２の発明群と同様に、入力色信号のかわりに変換入力色信号と差分入力信号を取得し、鑑賞画像参照データを生成する形態も好ましい。
【０４０６】
　また、請求項３７記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換大域輝度信号に変換処理を施して色変換−変換大域輝度信号とする工程と、
　該色変換大域輝度信号と該色変換−変換大域輝度信号から色変換−差分大域輝度信号を生成する工程と、
　少なくとも該色変換−変換大域輝度信号と該色変換−差分大域輝度信号と該色変換詳細輝度信号と該色変換入力色信号を前記記録媒体に記録する工程と、を含むことを特徴としている。
【０４０７】
　また、請求項３８記載の発明は、請求項３７に記載の画像記録方法において、
　前記入力画像データに付随する付加情報を取得する工程と、
　取得した前記付加情報に基づいて、少なくとも前記色変換大域輝度信号および前記色変換詳細輝度信号の生成条件を決定する色変換大域・詳細輝度信号生成条件決定工程と、を含むことを特徴としている。
【０４０８】
　また、請求項３９記載の発明は、請求項３８に記載の画像記録方法において、
　前記付加情報に基づいてローパスフィルター特性を決定し、決定されたローパスフィルター特性に基づいて前記色変換大域輝度信号と色変換詳細輝度信号とを生成することを特徴としている。
【０４０９】
　また、請求項４０記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換大域輝度信号に変換処理を施して色変換−変換大域輝度信号とする工程と、
　該色変換大域輝度信号と該色変換−変換大域輝度信号から該色変換−差分大域輝度信号を生成する工程と、
　少なくとも該色変換詳細輝度信号に変換処理を施して色変換−変換詳細輝度信号とする工程と、
　該色変換詳細輝度信号と該色変換−変換詳細輝度信号から色変換−差分詳細輝度信号を生成する工程と、
　少なくとも該色変換−変換大域輝度信号と該色変換−差分大域輝度信号と該色変換−変換詳細輝度信号と該色変換−差分詳細輝度信号と該色変換入力色信号を前記記録媒体に記録する工程と、を含むことを特徴としている。
【０４１０】
　また、請求項４１記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換大域輝度信号に変換処理を施して色変換−変換大域輝度信号とする工程と、
　該色変換大域輝度信号と該色変換−変換大域輝度信号から色変換−差分大域輝度信号を生成する工程と、
　該色変換入力色信号に変換処理を施して色変換−変換入力色信号を生成する工程と、
　該色変換入力色信号と該色変換−変換入力色信号を用いて色変換−差分入力色信号を生成する工程と、
　少なくとも該色変換−変換大域輝度信号と該色変換−差分大域輝度信号と該色変換詳細輝度信号と該色変換−変換入力色信号と該色変換−差分入力色信号を前記記録媒体に記録する工程と、を含むことを特徴としている。
【０４１１】
　また、請求項４２記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換大域輝度信号に変換処理を施して色変換−変換大域輝度信号とする工程と、
　該色変換大域輝度信号と該色変換−変換大域輝度信号から色変換−差分大域輝度信号を生成する工程と、
　該色変換−変換大域輝度信号と該色変換詳細輝度信号と該色変換入力色信号から鑑賞画像参照データを生成する工程と、
　少なくとも該鑑賞画像参照データと該色変換−変換大域輝度信号と該色変換−差分大域輝度信号と該色変換詳細輝度信号と該色変換入力色信号を前記記録媒体に記録する工程と、を含むことを特徴としている。
【０４１２】
　また、請求項４３記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換大域輝度信号に変換処理を施して色変換−変換大域輝度信号とする工程と、
　該色変換大域輝度信号と該色変換−変換大域輝度信号から該色変換−差分大域輝度信号を生成する工程と、
　少なくとも該色変換詳細輝度信号に変換処理を施して色変換−変換詳細輝度信号とする工程と、
　該色変換詳細輝度信号と該色変換−変換詳細輝度信号から色変換−差分詳細輝度信号を生成する工程と、
　該色変換−変換大域輝度信号と該色変換−変換詳細輝度信号と該色変換入力色信号から鑑賞画像参照データを生成する工程と、
　少なくとも該鑑賞画像参照データと該色変換−変換大域輝度信号と該色変換−差分大域輝度信号と該色変換−変換詳細輝度信号と該色変換−差分詳細輝度信号と該色変換入力色信号を前記記録媒体に記録する工程と、を含むことを特徴としている。
【０４１３】
　また、請求項４４記載の発明は、
　入力画像データに出力媒体上での鑑賞画像形成のために最適化する画像処理を施して、鑑賞画像参照データを生成するための画像データを記録媒体に記録する画像記録方法において、
　前記入力画像データに色域変換処理を施した後に色変換入力輝度信号と色変換入力色信号を生成する工程と、
　該色変換入力輝度信号から色変換大域輝度信号と色変換詳細輝度信号を生成する工程と、
　少なくとも該色変換大域輝度信号に変換処理を施して色変換−変換大域輝度信号とする工程と、
　該色変換大域輝度信号と該色変換−変換大域輝度信号から色変換−差分大域輝度信号を生成する工程と、
　該色変換入力色信号に変換処理を施して色変換−変換入力色信号を生成する工程と、
　該色変換入力色信号と該色変換−変換入力色信号を用いて色変換−差分入力色信号を生成する工程と、
　該色変換−変換大域輝度信号と該色変換詳細輝度信号と該色変換−変換入力色信号から鑑賞画像参照データを生成する工程と、
　少なくとも該鑑賞画像参照データと該色変換大域輝度信号と該色変換−差分大域輝度信号と該色変換詳細輝度信号と該色変換−変換入力色信号と該色変換−差分入力色信号を前記記録媒体に記録する工程と、を含むことを特徴としている。
【０４１４】
　また、請求項１０７記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とするとともに、該色変換大域輝度信号と該色変換−変換大域輝度信号から色変換−差分大域輝度信号を生成する生成手段と、
　少なくとも該色変換−変換大域輝度信号と該色変換−差分大域輝度信号と該色変換詳細輝度信号と該色変換入力色信号を前記記録媒体に記録する記録手段と、を備えたことを特徴としている。
【０４１５】
　また、請求項１０８記載の発明は、請求項１０７に記載の画像記録装置において、
　前記入力画像データに付随する付加情報を取得する取得手段と、
　取得した前記付加情報に基づいて、少なくとも前記色変換大域輝度信号および前記色変換詳細輝度信号の生成条件を決定する色変換大域・詳細輝度信号生成条件決定手段と、を備えたことを特徴としている。
【０４１６】
　また、請求項１０９記載の発明は、請求項１０８に記載の画像記録装置において、
　前記付加情報に基づいてローパスフィルター特性を決定し、決定されたローパスフィルター特性に基づいて前記色変換大域輝度信号と色変換詳細輝度信号とを生成することを特徴としている。
【０４１７】
　また、請求項１１０記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とし、該色変換大域輝度信号と該色変換−変換大域輝度信号から該色変換−差分大域輝度信号を生成し、少なくとも該色変換詳細輝度信号に変換処理を施して色変換−変換詳細輝度信号とするとともに、該色変換詳細輝度信号と該色変換−変換詳細輝度信号から色変換−差分詳細輝度信号を生成する生成手段と、
　少なくとも該色変換−変換大域輝度信号と該色変換−差分大域輝度信号と該色変換−変換詳細輝度信号と該色変換−差分詳細輝度信号と該色変換入力色信号を前記記録媒体に記録する記録手段と、を備えたことを特徴としている。
【０４１８】
　また、請求項１１１記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とし、該色変換大域輝度信号と該色変換−変換大域輝度信号から色変換−差分大域輝度信号を生成し、該色変換入力色信号に変換処理を施して色変換−変換入力色信号を生成するとともに、該色変換入力色信号と該色変換−変換入力色信号を用いて色変換−差分入力色信号を生成する生成手段と、
　少なくとも該色変換−変換大域輝度信号と該色変換−差分大域輝度信号と該色変換詳細輝度信号と該色変換−変換入力色信号と該色変換−差分入力色信号を前記記録媒体に記録する記録手段と、を備えたことを特徴としている。
【０４１９】
　また、請求項１１２記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とし、該色変換大域輝度信号と該色変換−変換大域輝度信号から色変換−差分大域輝度信号を生成するとともに、該色変換−変換大域輝度信号と該色変換詳細輝度信号と該色変換入力色信号から鑑賞画像参照データを生成する生成手段と、
　少なくとも該鑑賞画像参照データと該色変換−変換大域輝度信号と該色変換−差分大域輝度信号と該色変換詳細輝度信号と該色変換入力色信号を前記記録媒体に記録する記録手段と、を備えたことを特徴としている。
【０４２０】
　また、請求項１１３記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とし、該色変換大域輝度信号と該色変換−変換大域輝度信号から該色変換−差分大域輝度信号を生成し、少なくとも該色変換詳細輝度信号に変換処理を施して色変換−変換詳細輝度信号とし、該色変換詳細輝度信号と該色変換−変換詳細輝度信号から色変換−差分詳細輝度信号を生成するとともに、該色変換−変換大域輝度信号と該色変換−変換詳細輝度信号と該色変換入力色信号から鑑賞画像参照データを生成する生成手段と、
　少なくとも該鑑賞画像参照データと該色変換−変換大域輝度信号と該色変換−差分大域輝度信号と該色変換−変換詳細輝度信号と該色変換−差分詳細輝度信号と該色変換入力色信号を前記記録媒体に記録する記録手段と、を備えたことを特徴としている。
【０４２１】
　また、請求項１１４記載の発明は、
　入力画像データに出力媒体上での鑑賞画像形成のために最適化する画像処理を施して、鑑賞画像参照データを生成するための画像データを記録媒体に記録する画像記録装置において、
　前記入力画像データに色域変換処理を施した後に色変換入力輝度信号と色変換入力色信号を生成し、該色変換入力輝度信号から色変換大域輝度信号と色変換詳細輝度信号を生成し、少なくとも該色変換大域輝度信号に変換処理を施して色変換−変換大域輝度信号とし、該色変換大域輝度信号と該色変換−変換大域輝度信号から色変換−差分大域輝度信号を生成し、該色変換入力色信号に変換処理を施して色変換−変換入力色信号を生成し、該色変換入力色信号と該色変換−変換入力色信号を用いて色変換−差分入力色信号を生成するとともに、該色変換−変換大域輝度信号と該色変換詳細輝度信号と該色変換−変換入力色信号から鑑賞画像参照データを生成する生成手段と、
　少なくとも該鑑賞画像参照データと該色変換大域輝度信号と該色変換−差分大域輝度信号と該色変換詳細輝度信号と該色変換−変換入力色信号と該色変換−差分入力色信号を前記記録媒体に記録する記録手段と、を備えたことを特徴としている。
【０４２２】
　また、請求項１７７記載の発明は、
　入力画像データに出力媒体上での鑑賞画像形成のために最適化する画像処理を施して鑑賞画像参照データを生成する画像処理方法において、
　前記入力画像データから少なくとも色変換−変換大域輝度信号と色変換−差分大域輝度信号と色変換詳細輝度信号と色変換入力色信号を取得する工程と、
　少なくとも取得した該色変換−変換大域輝度信号と該色変換−差分大域輝度信号と該色変換詳細輝度信号と該色変換入力色信号を用いて、鑑賞画像参照データを生成する工程と、を含むことを特徴としている。
【０４２３】
　また、請求項１７８記載の発明は、請求項１７７に記載の画像処理方法において、
　前記入力画像データに付随する付加情報を取得する工程と、
　取得した前記付加情報に基づいて、少なくとも前記色変換大域輝度信号および前記色変換詳細輝度信号の生成条件を決定する色変換大域・詳細輝度信号生成条件決定工程と、を含むことを特徴としている。
【０４２４】
　また、請求項１７９記載の発明は、請求項１７８に記載の画像処理方法において、
　前記付加情報に基づいてローパスフィルター特性を決定し、決定されたローパスフィルター特性に基づいて前記色変換大域輝度信号と色変換詳細輝度信号とを生成することを特徴としている。
【０４２５】
　また、請求項１８０記載の発明は、
　入力画像データに出力媒体上での鑑賞画像形成のために最適化する画像処理を施して鑑賞画像参照データを生成する画像処理方法において、
　前記入力画像データから少なくとも色変換−変換大域輝度信号と色変換−差分大域輝度信号と色変換−変換詳細輝度信号と色変換−差分詳細輝度信号と色変換入力色信号を取得する工程と、
　少なくとも取得した該色変換−変換大域輝度信号と該色変換−差分大域輝度信号と該色変換−変換詳細輝度信号と該色変換−差分詳細輝度信号と該色変換入力色信号を用いて、鑑賞画像参照データを生成する工程と、を含むことを特徴としている。
【０４２６】
　また、請求項１８１記載の発明は、
　入力画像データに出力媒体上での鑑賞画像形成のために最適化する画像処理を施して鑑賞画像参照データを生成する画像処理方法において、
　前記入力画像データから少なくとも色変換−変換大域輝度信号と色変換−差分大域輝度信号と色変換詳細輝度信号と色変換−変換入力色信号と色変換−差分入力色信号を取得する工程と、
　少なくとも取得した該色変換−変換大域輝度信号と該色変換−差分大域輝度信号と該色変換詳細輝度信号と該色変換−変換入力色信号と該色変換−差分入力色信号を用いて、鑑賞画像参照データを生成する工程と、を含むことを特徴としている。
【０４２７】
　また、請求項１８２記載の発明は、
　入力画像データに出力媒体上での鑑賞画像形成のために最適化する画像処理を施して鑑賞画像参照データを生成する画像処理方法において、
　前記入力画像データから少なくとも鑑賞画像参照データと色変換−変換大域輝度信号と色変換−差分大域輝度信号と色変換詳細輝度信号と色変換入力色信号を取得する工程と、
　少なくとも取得した該鑑賞画像参照データと該色変換−変換大域輝度信号と該色変換−差分大域輝度信号と該色変換詳細輝度信号と該色変換入力色信号を用いて、改変された鑑賞画像参照データを生成する工程と、を含むことを特徴としている。
【０４２８】
　また、請求項１８３記載の発明は、
　入力画像データに出力媒体上での鑑賞画像形成のために最適化する画像処理を施して鑑賞画像参照データを生成する画像処理方法において、
　前記入力画像データから少なくとも鑑賞画像参照データと色変換−変換大域輝度信号と色変換−差分大域輝度信号と色変換−変換詳細輝度信号と色変換−差分詳細輝度信号と色変換入力色信号を取得する工程と、
　少なくとも取得した該鑑賞画像参照データと該色変換−変換大域輝度信号と該色変換−差分大域輝度信号と該色変換−変換詳細輝度信号と該色変換−差分詳細輝度信号と該色変換入力色信号を用いて、改変された鑑賞画像参照データを生成する工程と、を含むことを特徴としている。
【０４２９】
　また、請求項１８４記載の発明は、
　入力画像データに出力媒体上での鑑賞画像形成のために最適化する画像処理を施して鑑賞画像参照データを生成する画像処理方法において、
　前記入力画像データから少なくとも鑑賞画像参照データと色変換大域輝度信号と色変換−差分大域輝度信号と色変換詳細輝度信号と色変換−変換入力色信号と色変換−差分入力色信号を取得する工程と、
　少なくとも取得した該鑑賞画像参照データと該色変換大域輝度信号と該色変換−差分大域輝度信号と該色変換詳細輝度信号と該色変換−変換入力色信号と該色変換−差分入力色信号を用いて、改変された鑑賞画像参照データを生成する工程と、を含むことを特徴としている。
【０４３０】
　また、請求項２２２記載の発明は、
　入力画像データに出力媒体上での鑑賞画像形成のために最適化する画像処理を施して鑑賞画像参照データを生成する画像処理装置において、
　前記入力画像データから少なくとも色変換−変換大域輝度信号と色変換−差分大域輝度信号と色変換詳細輝度信号と色変換入力色信号を取得する取得手段と、
　少なくとも取得した該色変換−変換大域輝度信号と該色変換−差分大域輝度信号と該色変換詳細輝度信号と該色変換入力色信号を用いて、鑑賞画像参照データを生成する生成手段と、を備えたことを特徴としている。
【０４３１】
　また、請求項２２３記載の発明は、請求項２２２に記載の画像記録方法において、
　前記入力画像データに付随する付加情報を取得する手段と、
　取得した前記付加情報に基づいて、少なくとも前記色変換大域輝度信号および前記色変換詳細輝度信号の生成条件を決定する色変換大域・詳細輝度信号生成条件決定手段と、を備えたことを特徴としている。
【０４３２】
　また、請求項２２４記載の発明は、請求項２２３に記載の画像処理装置において、
　前記付加情報に基づいてローパスフィルター特性を決定し、決定されたローパスフィルター特性に基づいて前記色変換大域輝度信号と色変換詳細輝度信号とを生成することを特徴としている。
【０４３３】
　また、請求項２２５記載の発明は、
　入力画像データに出力媒体上での鑑賞画像形成のために最適化する画像処理を施して鑑賞画像参照データを生成する画像処理装置において、
　前記入力画像データから少なくとも色変換−変換大域輝度信号と色変換−差分大域輝度信号と色変換−変換詳細輝度信号と色変換−差分詳細輝度信号と色変換入力色信号を取得する取得手段と、
　少なくとも取得した該色変換−変換大域輝度信号と該色変換−差分大域輝度信号と該色変換−変換詳細輝度信号と該色変換−差分詳細輝度信号と該色変換入力色信号を用いて、鑑賞画像参照データを生成する生成手段と、を備えたことを特徴としている。
【０４３４】
　また、請求項２２６記載の発明は、
　入力画像データに出力媒体上での鑑賞画像形成のために最適化する画像処理を施して鑑賞画像参照データを生成する画像処理装置において、
　前記入力画像データから少なくとも色変換−変換大域輝度信号と色変換−差分大域輝度信号と色変換詳細輝度信号と色変換−変換入力色信号と色変換−差分入力色信号を取得する取得手段と、
　少なくとも取得した該色変換−変換大域輝度信号と該色変換−差分大域輝度信号と該色変換詳細輝度信号と該色変換−変換入力色信号と該色変換−差分入力色信号を用いて、鑑賞画像参照データを生成する生成手段と、を備えたことを特徴としている。
【０４３５】
　また、請求項２２７記載の発明は、
　入力画像データに出力媒体上での鑑賞画像形成のために最適化する画像処理を施して鑑賞画像参照データを生成する画像処理装置において、
　前記入力画像データから少なくとも鑑賞画像参照データと色変換−変換大域輝度信号と色変換−差分大域輝度信号と色変換詳細輝度信号と色変換入力色信号を取得する取得手段と、
　少なくとも取得した該鑑賞画像参照データと該色変換−変換大域輝度信号と該色変換−差分大域輝度信号と該色変換詳細輝度信号と該色変換入力色信号を用いて、改変された鑑賞画像参照データを生成する生成手段と、を備えたことを特徴としている。
【０４３６】
　また、請求項２２８記載の発明は、
　入力画像データに出力媒体上での鑑賞画像形成のために最適化する画像処理を施して鑑賞画像参照データを生成する画像処理装置において、
　前記入力画像データから少なくとも鑑賞画像参照データと色変換−変換大域輝度信号と色変換−差分大域輝度信号と色変換−変換詳細輝度信号と色変換−差分詳細輝度信号と色変換入力色信号を取得する取得手段と、
　少なくとも取得した該鑑賞画像参照データと該色変換−変換大域輝度信号と該色変換−差分大域輝度信号と該色変換−変換詳細輝度信号と該色変換−差分詳細輝度信号と該色変換入力色信号を用いて、改変された鑑賞画像参照データを生成する生成手段と、を備えたことを特徴としている。
【０４３７】
　また、請求項２２９記載の発明は、
　入力画像データに出力媒体上での鑑賞画像形成のために最適化する画像処理を施して鑑賞画像参照データを生成する画像処理装置において、
　前記入力画像データから少なくとも鑑賞画像参照データと色変換大域輝度信号と色変換−差分大域輝度信号と色変換詳細輝度信号と色変換−変換入力色信号と色変換−差分入力色信号を取得する取得手段と、
　少なくとも取得した該鑑賞画像参照データと該色変換大域輝度信号と該色変換−差分大域輝度信号と該色変換詳細輝度信号と該色変換−変換入力色信号と該色変換−差分入力色信号を用いて、改変された鑑賞画像参照データを生成する生成手段と、を備えたことを特徴としている。
【０４３８】
　また、請求項２６７記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　少なくとも該色変換−変換大域輝度信号と該色変換−差分大域輝度信号と該色変換詳細輝度信号と該色変換入力色信号を前記記録媒体に記録する機能と、
　を含むプログラムを記録したことを特徴としている。
【０４３９】
　また、請求項２６８記載の発明は、請求項２６７に記載の記録媒体において、
　前記プログラムは、
　前記入力画像データに付随する付加情報を取得する機能と、
　取得した前記付加情報に基づいて、少なくとも前記色変換大域輝度信号および前記色変換詳細輝度信号の生成条件を決定する機能と、を含むことを特徴としている。
【０４４０】
　また、請求項２６９記載の発明は、請求項２６８に記載の記録媒体において、
　前記プログラムにおいて、前記付加情報に基づいてローパスフィルター特性が決定され、決定されたローパスフィルター特性に基づいて前記色変換大域輝度信号と色変換詳細輝度信号とが生成されることを特徴としている。
【０４４１】
　また、請求項２７０記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から該色変換−差分大域輝度信号を生成する機能と、
　少なくとも該色変換詳細輝度信号に変換処理を施して色変換−変換詳細輝度信号とする機能と、
　該色変換詳細輝度信号と該色変換−変換詳細輝度信号から色変換−差分詳細輝度信号を生成する機能と、
　少なくとも該色変換−変換大域輝度信号と該色変換−差分大域輝度信号と該色変換−変換詳細輝度信号と該色変換−差分詳細輝度信号と該色変換入力色信号を前記記録媒体に記録する機能と、
　を含むプログラムを記録したことを特徴としている。
【０４４２】
　また、請求項２７１記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　該色変換入力色信号に変換処理を施して色変換−変換入力色信号を生成する機能と、
　該色変換入力色信号と該色変換−変換入力色信号を用いて色変換−差分入力色信号を生成する機能と、
　少なくとも該色変換−変換大域輝度信号と該色変換−差分大域輝度信号と該色変換詳細輝度信号と該色変換−変換入力色信号と該色変換−差分入力色信号を前記記録媒体に記録する機能と、
　を含むプログラムを記録したことを特徴としている。
【０４４３】
　また、請求項２７２記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　該色変換−変換大域輝度信号と該色変換詳細輝度信号と該色変換入力色信号から鑑賞画像参照データを生成する機能と、
　少なくとも該鑑賞画像参照データと該色変換−変換大域輝度信号と該色変換−差分大域輝度信号と該色変換詳細輝度信号と該色変換入力色信号を前記記録媒体に記録する機能と、
　を含むプログラムを記録したことを特徴としている。
【０４４４】
　また、請求項２７３記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から該色変換−差分大域輝度信号を生成する機能と、
　少なくとも該色変換詳細輝度信号に変換処理を施して色変換−変換詳細輝度信号とする機能と、
　該色変換詳細輝度信号と該色変換−変換詳細輝度信号から色変換−差分詳細輝度信号を生成する機能と、
　該色変換−変換大域輝度信号と該色変換−変換詳細輝度信号と該色変換入力色信号から鑑賞画像参照データを生成する機能と、
　少なくとも該鑑賞画像参照データと該色変換−変換大域輝度信号と該色変換−差分大域輝度信号と該色変換−変換詳細輝度信号と該色変換−差分詳細輝度信号と該色変換入力色信号を前記記録媒体に記録する機能と、
　を含むプログラムを記録したことを特徴としている。
【０４４５】
　また、請求項２７４記載の発明は、
　入力画像データに出力媒体上での鑑賞画像形成のために最適化する画像処理を施して、鑑賞画像参照データを生成するための画像データを記録媒体に記録する処理を実行させるためのプログラムを記録したコンピュータ読み取り可能な記録媒体であって、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　該色変換入力色信号に変換処理を施して色変換−変換入力色信号を生成する機能と、
　該色変換入力色信号と該色変換−変換入力色信号を用いて色変換−差分入力色信号を生成する機能と、
　該色変換−変換大域輝度信号と該色変換詳細輝度信号と該色変換−変換入力色信号から鑑賞画像参照データを生成する機能と、
　少なくとも該鑑賞画像参照データと該色変換大域輝度信号と該色変換−差分大域輝度信号と該色変換詳細輝度信号と該色変換−変換入力色信号と該色変換−差分入力色信号を前記記録媒体に記録する機能と、
　を含むプログラムを記録したことを特徴としている。
【０４４６】
　また、請求項３３７記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも色変換−変換大域輝度信号と色変換−差分大域輝度信号と色変換詳細輝度信号と色変換入力色信号を取得する機能と、
　少なくとも取得した該色変換−変換大域輝度信号と該色変換−差分大域輝度信号と該色変換詳細輝度信号と該色変換入力色信号を用いて、鑑賞画像参照データを生成する機能と、
　を含むプログラムを記録したことを特徴としている。
【０４４７】
　また、請求項３３８記載の発明は、請求項３３７に記載の記録媒体において、
　前記プログラムは、
　前記入力画像データに付随する付加情報を取得する機能と、
　取得した前記付加情報に基づいて、少なくとも前記色変換大域輝度信号および前記色変換詳細輝度信号の生成条件を決定する機能と、を含むことを特徴としている。
【０４４８】
　また、請求項３３９記載の発明は、請求項３３８に記載の記録媒体において、
　前記プログラムにおいて、前記付加情報に基づいてローパスフィルター特性が決定され、決定されたローパスフィルター特性に基づいて前記色変換大域輝度信号と色変換詳細輝度信号とが生成されることを特徴としている。
【０４４９】
　また、請求項３４０記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも色変換−変換大域輝度信号と色変換−差分大域輝度信号と色変換−変換詳細輝度信号と色変換−差分詳細輝度信号と色変換入力色信号を取得する機能と、
　少なくとも取得した該色変換−変換大域輝度信号と該色変換−差分大域輝度信号と該色変換−変換詳細輝度信号と該色変換−差分詳細輝度信号と該色変換入力色信号を用いて、鑑賞画像参照データを生成する機能と、
　を含むプログラムを記録したことを特徴としている。
【０４５０】
　また、請求項３４１記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも色変換−変換大域輝度信号と色変換−差分大域輝度信号と色変換詳細輝度信号と色変換−変換入力色信号と色変換−差分入力色信号を取得する機能と、
　少なくとも取得した該色変換−変換大域輝度信号と該色変換−差分大域輝度信号と該色変換詳細輝度信号と該色変換−変換入力色信号と該色変換−差分入力色信号を用いて、鑑賞画像参照データを生成する機能と、
　を含むプログラムを記録したことを特徴としている。
【０４５１】
　また、請求項３４２記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと色変換−変換大域輝度信号と色変換−差分大域輝度信号と色変換詳細輝度信号と色変換入力色信号を取得する機能と、
　少なくとも取得した該鑑賞画像参照データと該色変換−変換大域輝度信号と該色変換−差分大域輝度信号と該色変換詳細輝度信号と該色変換入力色信号を用いて、改変された鑑賞画像参照データを生成する機能と、
　を含むプログラムを記録したことを特徴としている。
【０４５２】
　また、請求項３４３記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと色変換−変換大域輝度信号と色変換−差分大域輝度信号と色変換−変換詳細輝度信号と色変換−差分詳細輝度信号と色変換入力色信号を取得する機能と、
　少なくとも取得した該鑑賞画像参照データと該色変換−変換大域輝度信号と該色変換−差分大域輝度信号と該色変換−変換詳細輝度信号と該色変換−差分詳細輝度信号と該色変換入力色信号を用いて、改変された鑑賞画像参照データを生成する機能と、
　を含むプログラムを記録したことを特徴としている。
【０４５３】
　また、請求項３４４記載の発明は、
　入力画像データに出力媒体上での鑑賞画像形成のために最適化する画像処理を施して鑑賞画像参照データを生成するための処理を実行させるためのプログラムを記録したコンピュータ読み取り可能な記録媒体であって、
　前記入力画像データから少なくとも鑑賞画像参照データと色変換大域輝度信号と色変換−差分大域輝度信号と色変換詳細輝度信号と色変換−変換入力色信号と色変換−差分入力色信号を取得する機能と、
　少なくとも取得した該鑑賞画像参照データと該色変換大域輝度信号と該色変換−差分大域輝度信号と該色変換詳細輝度信号と該色変換−変換入力色信号と該色変換−差分入力色信号を用いて、改変された鑑賞画像参照データを生成する機能と、
　を含むプログラムを記録したことを特徴としている。
【０４５４】
　また、請求項３８２記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　少なくとも該色変換−変換大域輝度信号と該色変換−差分大域輝度信号と該色変換詳細輝度信号と該色変換入力色信号を前記記録媒体に記録する機能と、を実現させるためのプログラムであることを特徴している。
【０４５５】
　また、請求項３８３記載の発明は、請求項３８２に記載のプログラムにおいて、
　前記コンピュータに、
　前記入力画像データに付随する付加情報を取得する機能と、
　取得した前記付加情報に基づいて、少なくとも前記色変換大域輝度信号および前記色変換詳細輝度信号の生成条件を決定する機能と、を実現させることを特徴とする。
【０４５６】
　また、請求項３８４記載の発明は、請求項３８３に記載のプログラムにおいて、
　前記付加情報に基づいてローパスフィルター特性が決定され、決定されたローパスフィルター特性に基づいて前記色変換大域輝度信号と色変換詳細輝度信号とが生成されることを特徴としている。
【０４５７】
　また、請求項３８５記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から該色変換−差分大域輝度信号を生成する機能と、
　少なくとも該色変換詳細輝度信号に変換処理を施して色変換−変換詳細輝度信号とする機能と、
　該色変換詳細輝度信号と該色変換−変換詳細輝度信号から色変換−差分詳細輝度信号を生成する機能と、
　少なくとも該色変換−変換大域輝度信号と該色変換−差分大域輝度信号と該色変換−変換詳細輝度信号と該色変換−差分詳細輝度信号と該色変換入力色信号を前記記録媒体に記録する機能と、を実現させるためのプログラムであることを特徴している。
【０４５８】
　また、請求項３８６記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　該色変換入力色信号に変換処理を施して色変換−変換入力色信号を生成する機能と、
　該色変換入力色信号と該色変換−変換入力色信号を用いて色変換−差分入力色信号を生成する機能と、
　少なくとも該色変換−変換大域輝度信号と該色変換−差分大域輝度信号と該色変換詳細輝度信号と該色変換−変換入力色信号と該色変換−差分入力色信号を前記記録媒体に記録する機能と、を実現させるためのプログラムであることを特徴している。
【０４５９】
　また、請求項３８７記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　該色変換−変換大域輝度信号と該色変換詳細輝度信号と該色変換入力色信号から鑑賞画像参照データを生成する機能と、
　少なくとも該鑑賞画像参照データと該色変換−変換大域輝度信号と該色変換−差分大域輝度信号と該色変換詳細輝度信号と該色変換入力色信号を前記記録媒体に記録する機能と、を実現させるためのプログラムであることを特徴している。
【０４６０】
　また、請求項３８８記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から該色変換−差分大域輝度信号を生成する機能と、
　少なくとも該色変換詳細輝度信号に変換処理を施して色変換−変換詳細輝度信号とする機能と、
　該色変換詳細輝度信号と該色変換−変換詳細輝度信号から色変換−差分詳細輝度信号を生成する機能と、
　該色変換−変換大域輝度信号と該色変換−変換詳細輝度信号と該色変換入力色信号から鑑賞画像参照データを生成する機能と、
　少なくとも該鑑賞画像参照データと該色変換−変換大域輝度信号と該色変換−差分大域輝度信号と該色変換−変換詳細輝度信号と該色変換−差分詳細輝度信号と該色変換入力色信号を前記記録媒体に記録する機能と、を実現させるためのプログラムであることを特徴している。
【０４６１】
　また、請求項３８９記載の発明は、
　入力画像データに出力媒体上での鑑賞画像形成のために最適化する画像処理を施して、鑑賞画像参照データを生成するための画像データを記録媒体に記録する処理を実行するためのコンピュータに、
　前記入力画像データに色域変換処理を施した後に色変換入力輝度信号と色変換入力色信号を生成する機能と、
　該色変換入力輝度信号から色変換大域輝度信号と色変換詳細輝度信号を生成する機能と、
　少なくとも該色変換大域輝度信号に変換処理を施して色変換−変換大域輝度信号とする機能と、
　該色変換大域輝度信号と該色変換−変換大域輝度信号から色変換−差分大域輝度信号を生成する機能と、
　該色変換入力色信号に変換処理を施して色変換−変換入力色信号を生成する機能と、
　該色変換入力色信号と該色変換−変換入力色信号を用いて色変換−差分入力色信号を生成する機能と、
　該色変換−変換大域輝度信号と該色変換詳細輝度信号と該色変換−変換入力色信号から鑑賞画像参照データを生成する機能と、
　少なくとも該鑑賞画像参照データと該色変換大域輝度信号と該色変換−差分大域輝度信号と該色変換詳細輝度信号と該色変換−変換入力色信号と該色変換−差分入力色信号を前記記録媒体に記録する機能と、を実現させるためのプログラムであることを特徴している。
【０４６２】
　また、請求項４５２記載の発明は、
　入力画像データに出力媒体上での鑑賞画像形成のために最適化する画像処理を施して鑑賞画像参照データを生成するための処理を実行するためのコンピュータに、
　前記入力画像データから少なくとも色変換−変換大域輝度信号と色変換−差分大域輝度信号と色変換詳細輝度信号と色変換入力色信号を取得する機能と、
　少なくとも取得した該色変換−変換大域輝度信号と該色変換−差分大域輝度信号と該色変換詳細輝度信号と該色変換入力色信号を用いて、鑑賞画像参照データを生成する機能と、を実現させるためのプログラムであることを特徴している。
【０４６３】
　また、請求項４５３記載の発明は、請求項４５２に記載のプログラムにおいて、
　前記コンピュータに、
　前記入力画像データに付随する付加情報を取得する機能と、
　取得した前記付加情報に基づいて、少なくとも前記色変換大域輝度信号および前記色変換詳細輝度信号の生成条件を決定する機能とを実現させることを特徴としている。
【０４６４】
　また、請求項４５４記載の発明は、請求項４５３に記載のプログラムにおいて、
　前記付加情報に基づいてローパスフィルター特性が決定され、決定されたローパスフィルター特性に基づいて前記色変換大域輝度信号と色変換詳細輝度信号とが生成されることを特徴としている。
【０４６５】
　また、請求項４５５記載の発明は、
　入力画像データに出力媒体上での鑑賞画像形成のために最適化する画像処理を施して鑑賞画像参照データを生成するための処理を実行するためのコンピュータに、
　前記入力画像データから少なくとも色変換−変換大域輝度信号と色変換−差分大域輝度信号と色変換−変換詳細輝度信号と色変換−差分詳細輝度信号と色変換入力色信号を取得する機能と、
　少なくとも取得した該色変換−変換大域輝度信号と該色変換−差分大域輝度信号と該色変換−変換詳細輝度信号と該色変換−差分詳細輝度信号と該色変換入力色信号を用いて、鑑賞画像参照データを生成する機能と、を実現させるためのプログラムであることを特徴している。
【０４６６】
　また、請求項４５６記載の発明は、
　入力画像データに出力媒体上での鑑賞画像形成のために最適化する画像処理を施して鑑賞画像参照データを生成するための処理を実行するためのコンピュータに、
　前記入力画像データから少なくとも色変換−変換大域輝度信号と色変換−差分大域輝度信号と色変換詳細輝度信号と色変換−変換入力色信号と色変換−差分入力色信号を取得する機能と、
　少なくとも取得した該色変換−変換大域輝度信号と該色変換−差分大域輝度信号と該色変換詳細輝度信号と該色変換−変換入力色信号と該色変換−差分入力色信号を用いて、鑑賞画像参照データを生成する機能と、を実現させるためのプログラムであることを特徴している。
【０４６７】
　また、請求項４５７記載の発明は、
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと色変換−変換大域輝度信号と色変換−差分大域輝度信号と色変換詳細輝度信号と色変換入力色信号を取得する機能と、
　少なくとも取得した該鑑賞画像参照データと該色変換−変換大域輝度信号と該色変換−差分大域輝度信号と該色変換詳細輝度信号と該色変換入力色信号を用いて、改変された鑑賞画像参照データを生成する機能と、を実現させるためのプログラムであることを特徴している。
【０４６８】
　また、請求項４５８記載の発明は、
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと色変換−変換大域輝度信号と色変換−差分大域輝度信号と色変換−変換詳細輝度信号と色変換−差分詳細輝度信号と色変換入力色信号を取得する機能と、
　少なくとも取得した該鑑賞画像参照データと該色変換−変換大域輝度信号と該色変換−差分大域輝度信号と該色変換−変換詳細輝度信号と該色変換−差分詳細輝度信号と該色変換入力色信号を用いて、改変された鑑賞画像参照データを生成する機能と、を実現させるためのプログラムであることを特徴している。
【０４６９】
　また、請求項４５９記載の発明は、
　入力画像データに出力媒体上での鑑賞画像形成のために最適化する画像処理を施して鑑賞画像参照データを生成するための処理を実行するためのコンピュータに、
　前記入力画像データから少なくとも鑑賞画像参照データと色変換大域輝度信号と色変換−差分大域輝度信号と色変換詳細輝度信号と色変換−変換入力色信号と色変換−差分入力色信号を取得する機能と、
　少なくとも取得した該鑑賞画像参照データと該色変換大域輝度信号と該色変換−差分大域輝度信号と該色変換詳細輝度信号と該色変換−変換入力色信号と該色変換−差分入力色信号を用いて、改変された鑑賞画像参照データを生成する機能と、を実現させるためのプログラムであることを特徴している。
【０４７０】
　請求項３７〜４４記載の画像記録方法及び請求項１０７〜１１４記載の画像記録装置、請求項１７７〜１８４記載の画像処理方法及び請求項１７６〜１８１記載の画像処理装置、請求項２６７〜２７４記載の記録媒体及び請求項３３７〜３４４記載のプログラム、請求項３８２〜３８９記載の記録媒体及び請求項４５２〜４５９記載のプログラムにより構成される第６群の発明は、第５の発明群と近似する構成を有しており、第５の発明群において、入力画像データから入力輝度信号と入力色信号を生成する前に、入力画像データに色変換処理を施す点が異なる。
【０４７１】
　第６の発明群は、第３の発明群と同様に、色空間の変換が必要である状況に配慮したもので、色空間の変換処理を冒頭に配した、第４、５の発明群の形態を構成することで、ユーザーの処理負荷の低減を利点とするものである。
【０４７２】
　第４，５の発明群では、覆い焼き処理を初めとする階調変換や、鮮鋭性強調処理などを施してから、色空間の変換処理を施さねばならず、ユーザーの嗜好に合致した例えば階調特性を有していても、色空間の変換処理を施すことで、色バランスが崩れてしまう等の欠点がある。また、後に施す色空間の変換処理からの影響を想定して、階調変換などを行い、色空間の変換処理後に、再度補正をしなくてもよいようにするのは、ましてや一般のユーザーには不可能に近い。
【０４７３】
　しかしながら、本第６の発明群では、冒頭に色空間の変換処理を配しているため、色バランスの崩れや色空間の変換処理からの影響を考えずに階調変換処理などの処理をすすめることができるため、処理負荷が格段に低くなる利点がある。
【０４７４】
　第６の発明群の第１の特徴は、入力画像データに色変換処理を施した後に、色変換入力輝度信号と色変換入力色信号を生成し、色変換入力輝度信号から色変換大域輝度信号と色変換詳細輝度信号を生成し、色変換大域輝度信号に変換処理を施して色変換−変換大域輝度信号を生成し、色変換大域輝度信号と色変換−変換大域輝度信号から色変換−差分大域輝度信号を生成し、少なくとも色変換−変換大域輝度信号と色変換−差分大域輝度信号と色変換詳細輝度信号と色変換入力色信号をメディアに記録することである。
【０４７５】
　特に、請求項３７、１０７記載の画像記録装置、請求項１７７記載の画像処理方法、請求項２２２記載の画像処理装置、請求項２６７、３３７記載の記録媒体、請求項３８２、４５２記載のプログラムにおいて、入力画像データに付随する付加情報を取得し、取得した付加情報に基づいて少なくとも色変換大域輝度信号および色変換詳細輝度信号の生成条件を決定することが好ましい。
【０４７６】
　本第６の発明群においては、少なくとも色変換入力色信号と色変換変換大域輝度信号と色変換差分大域輝度信号と色変換詳細輝度信号を記録することが好ましい。また、上記色変換詳細輝度信号の変わりに、色変換変換詳細輝度信号と色変換差分詳細輝度信号を記録することも好ましく、また、上記色変換入力色信号の変わりに、色変換変換入力色信号と色変換差分入力色信号を記録することも好ましい。
【０４７７】
　また、少なくとも色変換入力色信号と色変換−変換大域輝度信号と色変換−差分大域輝度信号と色変換詳細輝度信号と共に、色変換入力色信号と色変換−変換大域輝度信号と色変換詳細輝度信号を用いて生成される鑑賞画像参照データを記録する形態も好ましく、色変換入力色信号と色変換−変換大域輝度信号と色変換−差分大域輝度信号と色変換−変換詳細輝度信号と色変換−差分詳細輝度信号と共に、色変換入力色信号と色変換−変換大域輝度信号と色変換−変換詳細輝度信号を用いて生成される鑑賞画像参照データを記録することも好ましく、色変換−変換入力色信号と色変換−差分入力色信号と色変換−変換大域輝度信号と色変換−差分大域輝度信号と色変換詳細輝度信号と共に、色変換−変換入力色信号と色変換−変換大域輝度信号と色変換詳細輝度信号を用いて生成される鑑賞画像参照データを記録することも好ましく、色変換−変換入力色信号と色変換−差分入力色信号と色変換−変換大域輝度信号と色変換−差分大域輝度信号と色変換−変換詳細輝度信号と色変換−差分詳細輝度信号と共に、色変換−変換入力色信号と色変換−変換大域輝度信号と色変換−変換詳細輝度信号を用いて生成される鑑賞画像参照データを記録することも好ましい。
【０４７８】
　「色変換−変換大域輝度信号」とは変換大域輝度信号、さらには変換大域信号と、生成の意図を同じくするものであり、色変換−大域輝度信号に変換処理を施し生成される信号である。「色変換大域輝度信号に施される変換処理」とは、変換大域信号を生成する際に大域信号に施される変換処理と同様の方法を適用することが可能であり、階調を補正する階調変換処理が好ましく、当業界で知られる種々の方法が適用される。
【０４７９】
　「色変換−差分大域輝度信号」とは、差分大域輝度信号、さらには、差分大域信号と、生成の意図を同じくするものであり、「色変換大域輝度信号」と「色変換−変換輝度大域信号」から生成される信号で、色変換大域輝度信号に施された処理によって生じる影響の内容や度合いを保存することを意図している。生成においては、例えば、「色変換大域輝度信号」と「色変換−変換大域輝度信号」の差分をとる方法も簡便であり好ましく、「大域輝度信号」と「変換大域輝度信号」の比をとってもよいが、これに限定するものでない。
【０４８０】
　さらに、第６の発明群の第２の特徴は、少なくとも色変換−変換大域輝度信号と色変換−差分大域輝度信号と色変換詳細輝度信号と色変換入力色信号を取得し、これらを用いて鑑賞画像参照データを生成することである。上記形態において、色変換詳細輝度信号の変わりに、色変換−変換詳細輝度信号と色変換−差分詳細輝度信号を取得し、鑑賞画像参照データを生成することも好ましく、色変換入力色信号のかわりに、色変換−変換入力色信号と色変換差分入力色信号を取得し、鑑賞画像参照データを生成することも好ましい。また、上記の各々の形態において、さらに、鑑賞画像参照データを共に取得し、これらを用いて、取得した鑑賞画像参照データとは画像の状態が異なる、改変された鑑賞画像参照データを生成することも好ましい。
【０４８１】
　第６の発明群においては、第１の発明群と同様に、すでに分離された信号を元に画像処理を施すことができるので、ユーザーにとって処理負荷の低い簡便な処理が実現し、処理をやり直す際にも、あらたに分離する手間がないので、処理負荷が低い利点があることに加え、大域信号や詳細信号のかわりに、色変換大域輝度信号と色変換詳細輝度信号を用いて鑑賞画像参照データを生成するため、よりユーザーの意図が画像処理に反映させやすく、ユーザーも処理方法を選択しやすい点、また、ユーザーが画像処理時に多用する階調処理の程度の変更を所望した際に、差分大域信号を用いて、処理の程度を簡便に変更できる利点がある。
【０４８２】
　これらの複数の利点があいまって、ユーザーの処理負荷を軽減する、処理の選択を容易にする、といった観点において、想像以上の効果が発現することを確認した。
【０４８３】
　第６の発明群における、取得した信号を用いた鑑賞画像参照データの生成方法としては、取得した色変換−変換大域輝度信号と色変換−差分大域輝度信号と色変換詳細輝度信号と色変換入力色信号にユーザーの意図にそった所定の画像処理を施し、これらを用いて生成する方法が好ましい。
【０４８４】
　取得した個々の信号に画像処理を施し、処理済みの信号を用いて鑑賞画像参照データを生成するのはもちろん、意図に応じて、幾つかにのみ画像処理を施す形態や、画像処理は施さない形態も可能であるのはいうまでもない。例えば、色変換−変換大域輝度信号と色変換詳細輝度信号をそのまま加算し、色変換入力色信号と合成処理を施し、鑑賞画像参照データを生成してもよく、例えば、色変換−変換大域輝度信号と所定の画像処理を施した色変換詳細輝度信号を加算した後に、色変換入力色信号と合成処理を施し、鑑賞画像参照データを生成してもよい。
【０４８５】
　また、メディアから取得した鑑賞画像参照データ、もしくは上記の方法で生成した鑑賞画像参照データが、ユーザーの嗜好に合致しない場合、取得してある色変換差分大域輝度信号をもちいて、色変換大域輝度信号に施された変換処理の程度を変更することが容易に可能である。具体的には、例えば、鑑賞画像参照データに所定の係数を乗じた色変換差分大域輝度信号を加算すればよい。ユーザーが嗜好に合致するまで繰り返し処理をやり直す際にも、やり直しの都度、新たに分離する手間をかけずに処理の程度を変更できる、この簡便性が本発明の大きな利点である。
【０４８６】
　また、色変換−変換大域輝度信号を生成するために大域輝度信号に施した変換処理の方法が、ユーザーの意図に合致しない場合は、上記のように、入力画像データまで再構成せずとも、取得した色変換−変換大域輝度信号と色変換−差分大域輝度信号を加算するなどして、色変換大域輝度信号を再構成することも可能である。
【０４８７】
　また、取得した色変換大域輝度信号と色変換詳細輝度信号の分離状態がユーザーの意図に合致しない場合は、取得した色変換大域輝度信号と色変換詳細輝度信号を加算して色変換入力輝度信号を再構成することも可能である。また、色変換入力輝度信号と色変換入力色信号の分離状態がユーザーの意図に合致しない場合は、取得した色変換入力色信号と上記再構成した色変換入力輝度信号を合成し色変換入力画像データを再構成することもまた可能である。
【０４８８】
　また、上記の鑑賞画像参照データの生成において、本第６の発明群においても、第３の発明群と同様に、色変換詳細輝度信号のかわりに色変換−変換詳細輝度信号と色変換差分詳細輝度信号を取得し、鑑賞画像参照データを生成する形態も好ましい。
【０４８９】
　また、上記の鑑賞画像参照データの生成において、本第６の発明群においても、第３の発明群と同様に、色変換入力色信号のかわりに色変換−変換入力色信号と色変換差分入力信号を取得し、鑑賞画像参照データを生成する形態も好ましい。
【発明の効果】
【０４９０】
　本発明は、近年の画像の表示、プリント方法の多種多様化、画像処理方法の発達、さらには一般ユーザーが画像を加工して楽しむ文化が発達した背景をうけて発案されたものであり、ユーザーが自分の嗜好に合致するまで画像処理を繰り返し行う際の、処理負荷を低減し、処理の内容を技術的な知識が十分でなくても感覚的に簡便に選択でき、かつ、処理の効果も十二分に得られる効果を持つ。
【発明を実施するための最良の形態】
【０４９１】
　本発明を実施するための最良の形態では、入力画像データに、出力媒体上での鑑賞画像形成のために最適化する画像処理を施して、鑑賞画像参照データを生成するために、入力画像データを用いて生成した複数の画像データをメディアに記録し、メディアに記録した複数の画像データを取得し、これらを用いて鑑賞画像参照データを生成することを特徴としている。
【０４９２】
　まず、以下説明する本発明を実施するための最良の形態において用いる技術用語の定義について説明する。
　「生成」とは、本最良の形態の画像記録装置内において作用するプログラム及び処理回路が、電子ファイルを新たに作り出すことである。なお「作成」を同義後として用いることもある。
【０４９３】
　「鑑賞画像参照データ」とは、ＣＲＴ（Cathode Ray Tube）、液晶ディスプレイ、プラズマディスプレイ等の表示デバイスに用いたり、出力デバイスが、銀塩印画紙、インクジェットペーパー、サーマルプリンタ用紙等の出力媒体上のハードコピー画像生成に用いるデジタル画像データを意味する。ＣＲＴ、液晶ディスプレイ、プラズマディスプレイ等の表示デバイス及び銀塩印画紙、インクジェットペーパー、サーマルプリンタ用紙等の出力媒体上において、最適な画像が得られるよう「入力画像データ」には「最適化する画像処理」が施されている。
【０４９４】
　「最適化する画像処理」とは、ＣＲＴ、液晶ディスプレイ、プラズマディスプレイ等の表示デバイス及び銀塩印画紙、インクジェットペーパー、サーマルプリンタ用紙等の出力媒体上において、最適な画像を得る為の処理であり、例えばｓＲＧＢ規格に準拠したＣＲＴディスプレイモニタに表示することを前提とした場合、ｓＲＧＢ規格の色域内で最適な色再現が得られるように処理される。銀塩印画紙への出力を前提とした場合、銀塩印画紙の色域内で最適な色再現が得られるように処理される。また、色域の圧縮の以外にも、１６ｂｉｔから８ｂｉｔへの階調圧縮、出力画素数の低減及び出力デバイスの出力特性(ＬＵＴ：Look Up Table)への対応処理等も含まれる。さらにノイズ抑制、鮮鋭化、カラーバランス調整、彩度調整、或いは覆い焼き処理等の画像処理が行われることは言うまでもない。
【０４９５】
「記録する」とは、「メディア」に「記録する」ことを意味する。「メディア」とは、本最良の形態において生成されるデータや信号の保存に用いる記憶媒体であって、コンパクトフラッシュ（登録商標）、メモリースティック（登録商標）、スマートメディア（登録商標）、マルチメディアカード、ハードディスク、フロッピー（登録商標）ディスク、磁気記憶媒体（ＭＯ）、或いはＣＤ−Ｒなど何れであっても良い。
【０４９６】
　また、記憶媒体に書き込むユニットは、本最良の形態においてデータや信号を生成する装置と一体であっても、コードを介して有線状態で接続された書き込みユニット、通信やインターネットを介して無線状態で接続された独立、或いは遠隔地に設置されたユニットなどの何れの態様であっても良い。「メデイアに記録する」時のファイル形式は、撮像装置固有の形式ではなく、ＴＩＦＦ（Tagged Image File Format）、ＪＰＥＧ（Joint Photographic Experts Group）、Ｅｘｉｆ（Exchangeable Image File Format）などの規格化された汎用のファイル形式で記録されるのが好ましい。
【０４９７】
　「出力媒体」とは、ＣＲＴ、液晶ディスプレイ、プラズマディスプレイ等の表示デバイス及び銀塩印画紙、インクジェットペーパー、サーマルプリンタ用紙等のハードコピー画像生成用の原稿である。
【０４９８】
　「大域信号」とは、入力画像データによって表現されるシーンの内、全体的な明暗の表現を担う信号成分によって構成されるものであり、「詳細信号」とは「大域信号」に相対するもので、入力画像に表現されているシーンの内、微細な構造（例えば、単一な色の布地の織柄や、人物の髪や顔のまつ毛、など）の表現を担う信号成分によって構成される。
【０４９９】
　「大域信号」と「詳細信号」を生成するには、例えば、入力画像データに周波数大域分離処理を施し、入力画像データを低周波成分と高周波成分に分離し、大域信号に低周波成分を、詳細成分に高周波成分を割り当てることで、大域信号と詳細信号を生成することができる。
【０５００】
　周波数大域分離処理は、当業者間で公知の各種の方法、たとえばローパスフィルターやハイパスフィルターを用いて周波数帯域を分離する方法や、フーリエ変換やウエーブレット変換をはじめとする多重解像度変換を行なった後に周波数帯域を分離する方法が挙げられる。計算負荷と設計工数の観点からはディジタルローパスフィルターを用いて周波数帯域の分離する方法が特に好ましい。
【０５０１】
　ここで、ディジタルローパスフィルターを用いた周波数帯域の分離について例を挙げて説明する。一般にディジタルフィルターはｍ行ｎ列のマトリックス走査ウインドウで表現され、このウインドウを画像行列上に順次走査し、走査ウインドウの各セルに設定された係数と対応する画像行列上の信号値との積の和を、走査ウインドウ中央に対応する画像行列セルの新しい信号値とするものである。
【０５０２】
　ローパスディジタルフィルターの場合は、ウインドウ中央セルの係数を最大にし、中心からの距離に応じて周辺部のセルの係数を順次減少させる設定が通常用いられる。中心からの距離に応じて係数を決定する関数は、周波数空間および実空間において局在性の良いものがアーティファクト防止の点で好ましく、たとえば下記の式（１）で示すガウス関数がよく用いられる。
　　ｆ（ｘ）＝ｅｘｐ（−ｘ2／２・SUP>2）・・・（１）
　　ｘ：中心からの距離
【０５０３】
　画像信号にローパスフィルターを適用した場合、空間周波数の高い信号成分ほど減衰量が大きくなる。一般に減衰量が３ｄＢに相当する周波数をカットオフ周波数と呼びフィルター特性の指標とする。例えば、上記のガウス関数をローパスディジタルフィルターの係数設定に使った場合は、上記式（１）のσの値が大きいほどカットオフ周波数が低くなるので、σの値を適当に設定することでフィルターのカットオフ周波数を任意に調整することができる。
【０５０４】
　また、カットオフ周波数を低くするほど、すなわちσの値を大きくするほど、上式ｆ（ｘ）で設定される係数の中心からの距離に応じた減衰度合いが小さくなるので、走査ウインドウのサイズを大きくする必要が生じる。以上、ガウス関数を用いたローパスフィルターを例にとって説明したが、本発明に使用するローパスフィルターはこれに限定される訳ではない。
【０５０５】
　最も単純な例としてはｍ行ｎ列のマトリックス走査ウインドウ内にある画像行列セル全体の単純平均値を走査ウインドウ中央に対応する画像行列セルの新しい信号値とする方法がある。この場合でもカットオフ周波数を低く設定するほど走査ウインドウのサイズを大きくする必要が生じることに変わりはない。
【０５０６】
　また、大域信号に低周波成分とエッジ成分を加算した成分を、詳細成分に高周波成分からエッジ成分を減算した成分を割り当てることも好ましい。低周波成分とエッジ成分を加算した成分及び高周波成分からエッジ成分を減算した成分の生成方法としては、入力画像データを、例えば、上記に記載したよう方法で入力画像データを低周波成分と高周波成分に分離した後、さらに、例えば、入力画像データがデジタル画像データであれば、個々の画素について、個々の画素の周囲の画素のデータを用いて低周波成分の勾配値を求め、勾配値の大小で注目している画素位置がエッジであるか否かの度合いを計数ａ（１〜０。１：平坦部、０：エッジ部）として推定する。
【０５０７】
　個々に注目画素における詳細信号には、高周波成分に前記計数ａを乗じた成分を割り当て、大域信号には、高周波成分に１から前記計数ａを減算して得られた値（＝１−ａ）を乗じた成分と低周波成分を加算した成分を割り当てるか、もしくは、入力画像データの注目画素位置の値から、先に算出した詳細信号の値を減算することで得られた成分を割り当てればよく、例えば、特開２０００−７５８５２、特開２０００−１８７７２８、特開２０００−２０７５４６、特開２０００−２６１８２４、特開２００１−２１６５１１、特開２００１−２１６５１２、特開２００１−２２９３７７に記載されているような方法が適用されるが、この方法に限定されるものではない。
【０５０８】
　「大域信号と詳細信号の生成条件を決定する」とは、例えば、第１の発明群記載の大域信号と詳細信号の代わりに生成する信号（例えば、大域輝度信号と詳細輝度信号（第２の発明群記載）、色変換大域輝度信号と色変換詳細輝度信号（第３の発明群記載）等）を選択し決定する事柄や、大域信号と詳細信号を生成する際の生成処理条件を決定する事柄を意味する。
【０５０９】
　また、「差分詳細信号」とは、詳細信号と、詳細信号に詳細変換処理を施して生成される「変換詳細信号」とから生成され、詳細変換処理の処理内容や処理の程度を意味するものである。差分詳細信号の生成に関しては、詳細信号と変換詳細信号の差分値としてもよく、詳細信号と変換詳細信号の比をとってもよいが、この方法に限定するものではない。
【０５１０】
　本発明における「入力画像データに付随する付加情報」とは、例えば、
・露出時間、シャッタースピード、絞り値（Ｆナンバー）、ＩＳＯ感度、輝度値、被写体距離範囲、光源、ストロボ発光の有無、被写体領域、ホワイトバランス、ズーム倍率、被写体構成、撮影シーンタイプ、ストロボ光源の反射光の量、撮影彩度などの撮影条件設定や、被写体の種類に関する情報、
・ｓＲＧＢ信号に準拠したディスプレイモニタの標準色空間、もしくはその他の色空間で表示することを示す情報や、画素数、画素配列、及び１画素当たりのビット数などの情報で代表される機種依存情報、
・カメラ名称やコード番号などのカメラ種別（機種）、フィルムをスキャニングして画像データを取得した場合にはフィルムスキャナ名称やコード番号などのフィルムスキャナ種別（機種）、など撮像機器や画像データ生成機器に関する情報および、画像の解像度、スキャン解像度などの画像データ生成条件に関する情報、
などが挙げられる。
【０５１１】
　本発明において使用する「入力画像データに付随する付加情報」を取得する方法は、特に制限はなく、種々の方法を利用して良い。
　例えば、ユーザが本発明の態様に命令を与える際に指定を受けたり、撮影画像を表す画像信号に添付された添付情報（タグ情報など）を参照したりする事で当該付加情報を取得することができる。
【０５１２】
　さらに具体的に説明する独自の情報フォーマットや独立の情報ファイル・信号として与えられた情報を参照することで「付加情報」を取得することができるが、より好ましい態様としてはＪＰＥＧ、ＴＩＦＦ、Ｅｘｉｆ等に代表される各種の汎用画像フォーマットに規定されている既存のタグ情報を参照したり、メーカーノートやユーザーノートといった汎用的に利用できる領域を参照し、取得することが好ましい。
【０５１３】
　その他にも、撮影装置から直接、画像処理装置に転送したり、オペレータが画像処理時に入力することで付加情報を取得してもよい。
　また、ネガフィルムやリバーサルフィルムなどの現像済みフィルムに記録された画像をフィルムスキャナで読み込み、画像処理を施す際には、撮影時もしくは現像前に、光学的にもしくは磁気的にフィルムに記録された情報を読み取ることで、付加情報を取得してもよい。
【０５１４】
　以下、図を参照して本発明の最良の形態を詳細に説明する。
　図１〜図３は、本発明を適用した画像記録装置１の一最良の形態を示す図である。
　図１は、本最良の形態における画像記録装置１の外観斜視図である。
　ここでは画像記録装置１として、スキャナ部で原稿を読み取り入力画像データを作成し、本発明における画像記録方法を施す機構を有し、かつ、本発明における画像処理方法を施す機能も有し、さらに本発明における画像記録方法において作成された鑑賞画像参照データ、もしくは本発明における画像処理方法において作成された鑑賞画像参照データを感光材料に露光して現像し、プリントを作成するプリント出力機能をも有する態様が例示されているが、入力画像データを作成する形態に制限はなく、カラーネガフィルム、カラーリバーサルフィルム、白黒ネガフィルム、白黒リバーサルフィルム等、アナログカメラにより記録された写真感光材料の駒画像情報を入力するフィルムスキャナ、銀塩印画紙であるカラーペーパー上に再現された画像情報を入力するフラットベットスキャナを備えていても良い。
【０５１５】
　また、デジタルカメラなどの撮像装置により取得され、コンパクトフラッシュ（登録商標）、メモリースティック、スマートメディア、マルチメディアカード、フロッピー（登録商標）ディスク、光磁気記憶媒体（ＭＯ）、或いはＣＤ−Ｒなど、公知のあらゆる可搬式の「メディア」に保存されたデジタル画像データを読み取る手段、或いはネットワークなどの通信手段を介してデジタル画像データを遠隔地より取得し、ＣＲＴ、液晶ディスプレイ、プラズマディスプレイ等の表示デバイス及び銀塩印画紙、インクジェットペーパー、サーマルプリンタ用紙等のハードコピー画像生成用の原稿など、公知のあらゆる「記憶媒体」に鑑賞画像を形成する処理手段とを備えていても良い。
【０５１６】
　また、プリントを作成する形態においても、限定はなく、インクジェット方式、電子写真方式、感熱方式、昇華方式のプリント作成形態を採用してもよい。また、内蔵もしくは外付けのハードディスクだけでなく、コンパクトフラッシュ（登録商標）、メモリースティック、スマートメディア、マルチメディアカード、フロッピー（登録商標）ディスク、光磁気記憶媒体（ＭＯ）、或いはＣＤ−Ｒなど、公知のあらゆる可搬式の「メディア」に保存する手段を有していてもよい。
【０５１７】
　また、本最良の形態の画像記録装置１においては、上記の態様のように、画像記録装置と画像処理装置が一体化していてもよいし、独立していてもよく、限定されるものではない。本実施形態では、本発明の１形態として、ラボシステムの一部を想定し、画像記録装置と画像処理装置が一体化している装置における本発明の実施形態をを説明するが、本最良の形態が実行されたあと、ユーザーが入力信号を分離した信号を記録したメディアを受け取り、ユーザーが所有するパーソナルコンピュータを始めとする画像処理装置で、本発明を適用し、自分の嗜好に合致するまで、画像処理を繰り返し、簡易に、低い処理負荷で行うことが可能であることはいうまでもなく、本発明を意図するところである。
【０５１８】
　この最良の形態の画像記録装置１は、図１に示すように、本体２の左側面にマガジン装填部３を備え、本体２内には記録媒体である感光材料に露光する露光処理部４と、露光された感光材料を現像処理して乾燥し、プリントを作成するプリント作成部５が備えられ、作成されたプリントは本体２の右側面に設けられたトレー６に排出される。さらに、本体２の内部には、露光処理部４の上方位置に制御部７が備えられている。
【０５１９】
　また、本体２の上部には、ＣＲＴ８が配置されている。このＣＲＴ８がプリントを作成しようとする画像情報の画像を画面に表示する表示手段を構成している。ＣＲＴ８の左側に透過原稿読み込み装置であるところのフィルムスキャナ部９が配置され、右側に反射原稿入力装置１０が配置されている。
【０５２０】
　フィルムスキャナ部９や反射原稿入力装置１０から読み込まれる原稿として写真感光材料があり、この写真感光材料としては、カラーネガフィルム、カラーリバーサルフィルム、白黒ネガフィルム、白黒リバーサルフィルム等が挙げられ、アナログカメラにより撮像した駒画像情報が記録される。フィルムスキャナ部９のフィルムスキャナーでデジタル情報に変換し、駒画像情報とすることができる。また、写真感光材料がカラーペーパーの場合、反射原稿入力装置１０のフラットベットスキャナーで駒画像情報にすることができる。
【０５２１】
　また、本体２の制御部７の位置には、画像読込部１４が設けられている。画像読込部１４にはＰＣカード用アダプタ１４ａ、フロッピー（登録商標）ディスク用アダプタ１４ｂが備えられ、ＰＣカード１３ａやフロッピー（登録商標）ディスク１３ｂが差し込み可能になっている。ＰＣカード１３ａには、デジタルカメラで撮像して複数の駒画像情報が記憶されたメモリを有する。フロッピー（登録商標）ディスク１３ｂには、例えばデジタルカメラで撮像して複数の駒画像情報が記憶される。
【０５２２】
　ＣＲＴ８の前側に操作部１１が配置され、この操作部１１に情報入力手段１２が設けられ、情報入力手段１２は、例えばタッチパネル等で構成される。上記以外の駒画像情報を有する記録媒体としては、マルチメディアカード、メモリーステック、ＭＤデータ、ＣＤ−ＲＯＭ等が挙げられる。
　なお、操作部１１、ＣＲＴ８、フィルムスキャナ部９、反射原稿入力装置１０、画像読込部１４は、本体２に一体的に設けられて装置の構造となっているが、いずれか１つ以上を別体として設けてもよい。
【０５２３】
　さらに、本体２の制御部７の位置には、画像書込部１５が設けられている。画像書込部１５にはＦＤ（フロッピー（登録商標）ディスク）用アダプタ１５ａ、ＭＯ（光磁気記憶媒体）用アダプタ１５ｂ、光ディスク用アダプタ１５ｃが備えられ、ＦＤ１６ａ、ＭＯ１６ｂ、光ディスク１６ｃが差し込み可能になっており、本発明における画像記録方法によって生成されたデータや信号、本発明における画像処理方法によって生成されたデータや信号などの画像情報を画像記録メディアに書き込むことができるようになっている。
【０５２４】
　さらに、制御部７には図示されない通信手段が設けられており、施設内の別のコンピュータやインターネット等を介した遠方のコンピュータから直接、撮像画像を表す画像信号とプリント命令を受信し、所謂ネットワークプリンタ装置として機能することも可能になってする。
　また、本発明における画像記録方法によって生成されたデータや信号をはじめとする画像情報の一部または全て、本発明における画像処理方法によって生成されたデータや信号をはじめとする画像情報の一部または全てを、商業的なサービスの一環として、ユーザーにインターネット等を介して送付する際にも利用することが可能である。
【０５２５】
　図２は、画像記録装置１の機能を示す概略構成図である。
　この図２おいて、画像記録装置１の制御部７は、情報入力手段１２からの指令情報に基づき、フィルムスキャナ部９や反射原稿入力装置１０からの原稿情報の読み込みを行い、画像情報を得てＣＲＴ８に表示する。
　また、画像記録装置１は、データ蓄積手段７１及びテンプレート記憶手段７２を有する。データ蓄積手段７１に画像情報とそれに対応する注文情報（どの駒の画像から何枚プリントを作成するかの情報、プリントサイズの情報等）とを記憶し順次蓄積する。フィルムスキャナ部９からは、アナログカメラにより撮像されたネガフィルムを現像して得られる現像済のネガフィルムＮからの駒画像データが入力され、反射原稿入力装置１０からは駒画像を印画紙に焼き付けて現像処理したプリントＰからの駒画像データが入力される。
【０５２６】
　テンプレート記憶手段７２は、サンプル識別情報Ｄ１、Ｄ２、Ｄ３に対応してサンプル画像データである背景画像、イラスト画像等と合成領域を設定する少なくとも１個のテンプレートのデータが予め記憶されており、オペレータの操作によりセットしてテンプレート記憶手段７２に予め記憶された複数のテンプレートから所定のテンプレートを選択し、駒画像情報は選択されたテンプレートにより合成し、指定されるサンプル識別情報Ｄ１、Ｄ２、Ｄ３に基づいて選択されたサンプル画像データと、注文に基づく画像データ及び／又は文字データとを合成し、指定によるサンプルに基づくプリントを作成する。このテンプレートによる合成は、周知のクロマキー法によって行なわれる。
【０５２７】
　また、制御部７は、画像処理部７０を有し、この画像処理部７０で画像情報を画像処理して露光用画像情報を形成し、露光処理部４に送る。露光処理部４では、感光材料に画像の露光が行われ、この感光材料をプリント作成部５に送り、プリント作成部５で露光された感光材料を現像処理して乾燥し、プリントＰ１、Ｐ２、Ｐ３を作成する。プリントＰ１はサービスサイズ、ハイビジョンサイズ、パノラマサイズ等であり、プリントＰ２はＡ４サイズ、プリントＰ３は名刺サイズのプリントである。
【０５２８】
　この画像記録装置１には、デジタルカメラにより撮像して記憶されたＰＣカード１３ａやフロッピー（登録商標）ディスク１３ｂの駒画像情報を読み出して転送する画像読込部１４が備えられている。この画像読込部１４には、画像転送手段３０としてＰＣカード用アダプタ、フロッピー（登録商標）ディスク用アダプタ等が設けられている。ＰＣカード用アダプタ１４ａにＰＣカード１３ａを差し込み、またはフロッピー（登録商標）ディスク用アダプタ１４ｂにフロッピー（登録商標）ディスク１３ｂを差し込み、ＰＣカード１３ａやフロッピー（登録商標）ディスク１３ｂに記録された駒画像情報を読み取りマイクロコンピュータで構成される制御部７へ転送する。ＰＣカード用アダプタ１４ａとしては、例えばＰＣカードリーダやＰＣカードスロット等が用いられる。
【０５２９】
　この画像記録装置１では、プリントのサンプルを指定するサンプル識別情報Ｄ１、Ｄ２、Ｄ３が操作部１１から入力されるが、サンプル識別情報Ｄ１、Ｄ２、Ｄ３が、プリントのサンプル、または注文シートに記録されているから、ＯＣＲ等の読み取り手段により読み取ることができ、あるいはオペレータがキーボードから入力してもよい。
【０５３０】
　さらに、画像処理部７０には、図示されない通信手段が設けられており、施設内の別のコンピュータやインターネット等を介した遠方のコンピュータから直接、撮像画像を表す画像信号とプリント等の作業命令を受信し、遠隔操作で画像処理を実施したりプリントを作成することも可能になっている。
【０５３１】
　このようにプリントのサンプルを指定するサンプル識別情報Ｄ１に対応してサンプル画像データを記録しておき、プリントのサンプルを指定するサンプル識別情報Ｄ１を入力し、この入力されるサンプル識別情報Ｄ１に基づきサンプル画像データを選択し、この選択されたサンプル画像データと、注文に基づく画像データ及び／又は文字データとを合成し、指定によるサンプルに基づくプリントを作成するから、種々の実物大のサンプルをユーザが実際に手にしてプリントの注文ができ、幅広いユーザの多様な要求に応じることができる。
【０５３２】
　また、第１のサンプルを指定する第１のサンプル識別情報Ｄ２と第１のサンプルの画像データを記憶し、また第２のサンプルを指定する第２のサンプル識別情報Ｄ３と第２のサンプルの画像データを記憶し、指定される第１及び第２のサンプル識別情報Ｄ２、Ｄ３とに基づいて選択されたサンプル画像データと、注文に基づく画像データ及び／又は文字データとを合成し、指定によるサンプルに基づくプリントを作成するから、さらに多種多様の画像を合成することができ、より一層幅広いユーザの多様な要求に応じたプリントを作成することができる。
【０５３３】
　また、画像書込部１５には、画像搬送部３１としてＦＤ用アダプタ１５ａ、ＭＯ用アダプタ１５ｂ、光ディスク用アダプタ１５ｃが備えられ、ＦＤ１６ａ、ＭＯ１６ｂ、光ディスク１６ｃが差し込み可能になっており、本発明における画像記録方法によって生成されたデータや信号や、本発明における画像処理方法によって生成されたデータや信号やなどの画像情報を画像記録メディアに書き込むことができるようになっている。
【０５３４】
　また、画像処理部７０に接続された、図示されない通信手段を用いて、本発明の画像処理を施した後の撮影画像を表す画像信号と付帯するオーダー情報を、施設内の別のコンピュータやインターネット等を介した遠方のコンピュータに対して送付することも可能になっており、また、本発明における画像記録方法によって生成されたデータや信号をはじめとする画像情報の一部または全て、本発明における画像処理方法によって生成されたデータや信号をはじめとする画像情報の一部または全てを、商業的なサービスの一環として、ユーザーにインターネット等を介して送付する際にも利用することが可能である。
【０５３５】
　このように画像記録装置１は、各種デジタルメディアの画像及び画像原稿を分割測光して得られた画像情報を取り込む画像入力手段と、ユーザーが画像処理を施す際に、処理方法の選択が平易になり、かつ、やり直しの都度の処理負荷を軽減させるために、この画像入力手段から取り入れた入力画像データから、大域信号と詳細信号を生成し、これをメディアに記録する記録手段で構成されており、さらには、大域信号と詳細信号に所定の画像処理を施して鑑賞画像参照データを生成する画像処理手段とで構成されており、さらに、生成した鑑賞画像データを表示、またはプリント出力、あるいは画像記録メディアに書き込む画像出力手段を有し、及び通信回線を介して施設内の別のコンピュータやｖ遠方のコンピュータに対して画像信号と付帯するオーダー情報を送信する手段とを有し、さらにはインターネット等を介して生成した大域信号や詳細信号、鑑賞画像参照データをユーザーに送受信する手段とを有する。
【０５３６】
　画像入力手段は、各種デジタルメディアの画像の画像情報を取り込む画像読込部１４、画像原稿を分割測光して得られた画像情報を取り込むフィルムスキャナ部９、反射原稿入力装置１０及び図示されない通信手段から構成され、ユーザーが画像処理を施す際に、処理方法の選択が平易になり、かつ、やり直しの都度の処理負荷を軽減させるために、この画像入力手段から取り入れた入力画像データから、大域信号と詳細信号を生成し、これをメディアに記録する記録手段は、画像処理部７０および、画像記録メディアに書き込む画像書込部１５で構成され、ただし、メディアに記録するかわりに、もしくは併用してユーザーに大域信号と詳細信号をインターネット等を介して送信する場合には、図示されない通信手段もともに構成される。
【０５３７】
　大域信号と詳細信号に所定の画像処理を施して鑑賞画像参照データを生成する画像処理手段は、画像処理部７０に備えられ、また画像出力手段は、画像の表示を行なうＣＲＴ８、プリント出力する露光処理部４及びプリント作成部５、画像記録メディアに書き込む画像書込部１５及び図示されない通信手段から構成されている。
【０５３８】
　次に、図３は、画像処理部７０内の該略構成を示す図である。
　この図７において、フィルムスキャナ部９から入力された画像信号は、フィルムスキャンデータ処理部７０ａにおいて、フィルムスキャナ部９固有の校正操作・ネガ原稿の場合のネガポジ反転・ゴミキズ除去・グレーバランス調整・コントラスト調整・粒状ノイズ除去・鮮鋭化強調などが施され、画像調整処理部７０ｂに送られる。また、フィルムサイズ・ネガポジ種別・フィルムに光学的或いは磁気的に記録された主要被写体に関わる情報・撮影条件に関する情報（例えばＡＰＳの記載情報内容）などが、併せて画像調整処理部７０ｂに送られる。
【０５３９】
　反射原稿入力装置１０から入力された画像信号は、反射原稿スキャンデータ処理部７０ｃにおいて、反射原稿入力装置１０固有の校正操作・ネガ原稿の場合のネガポジ反転・ゴミキズ除去・グレーバランス調整・コントラスト調整・ノイズ除去・鮮鋭化強調などが施され、画像調整処理部７０ｂに送られる。
【０５４０】
　画像転送手段３０及び受信用通信手段３２から入力された画像信号は、画像データ書式解読処理部７０ｄにおいて、その信号のデータ書式に従い必要に応じて圧縮符号の復元・色信号の表現方法の変換等を行ない、画像処理部７０内の演算に適したデータ形式に変換されて画像調整処理部７０ｂに送られる。また、画像信号のＥｘｉｆを一例とするヘッダ情報・タグ情報から撮影情報などが取得された場合には、併せて画像調整処理部７０ｂに送られる。
【０５４１】
　出力画像の大きさについての指定は操作部１１から入力されるが、この他に送信用通信手段３３へ送られた出力画像の大きさについての指定や、画像転送手段３０が取得した画像信号のヘッダ情報・タグ情報に埋め込まれた出力画像の大きさについての指定があった場合には、画像データ書式解読処理部７０ｄが該情報を検出し、画像調整処理部７０ｂへ転送する。
【０５４２】
　画像調整処理部７０ｂでは、テンプレート処理が必要な場合にはテンプレート処理部７０ｅに画像信号を転送しテンプレート処理後の画像信号を再び受け取る。また画像調整処理部７０ｂでは、操作部１１又は制御部７の指令に基づき、フィルムスキャナ部９・反射原稿入力装置１０・画像転送手段３０・受信用通信手段３２・テンプレート処理部７０ｅから受け取った画像信号に対して後述する方法で出力メディア上で画像を観察する際に好ましい印象を与える画像を与えるように画像処理を行ない、ＣＲＴ固有処理部７０ｆ・プリンタ固有処理部７０ｇ・画像データ書式作成処理部７０ｈ・データ蓄積手段７１へ処理済みの画像信号を送出する。
【０５４３】
　ＣＲＴ固有処理部７０ｆでは、画像調整処理部７０ｂから受け取った画像信号に対して、必要に応じて画素数変更・カラーマッチング等の処理を行ない、制御情報等表示が必要な情報と合成した表示用の信号をＣＲＴ８に送出する。
【０５４４】
　プリンタ固有処理部７０ｆでは、必要に応じてプリンタ固有の校正処理・カラーマッチング・画素数変更等を行ない、露光処理部４に画像信号を送出する。本実の形態の画像記録装置１に、更に大判インクジェットプリンタなど、外部プリンタ装置を接続する場合には、接続するプリンタ装置ごとにプリンタ固有処理部７０ｆを設け、適正なプリンタ固有の校正処理・カラーマッチング・画素数変更等を行なうようにする。
【０５４５】
　画像データ書式作成処理部７０ｈにおいては、画像調整処理部７０ｂから受け取った画像信号に対して、必要に応じてＪＰＥＧ、ＴＩＦＦ、Ｅｘｉｆ等に代表される各種の汎用画像フオーマットへの変換を行ない、画像搬送部３１や送信用通信手段３３へ画像信号を転送する。
【０５４６】
　以上の、フィルムスキャンデータ処理部７０ａ・反射原稿スキャンデータ処理部７０ｃ・画像データ書式解読処理部７０ｄ・画像調整処理部７０ｂ・ＣＲＴ固有処理部７０ｆ・プリンタ固有処理部７０ｇ・画像データ書式作成処理部７０ｈという区分は、本最良の形態の画像処理部７０の機能の理解を助ける為に設けた区分であり、必ずしも物理的に独立したデバイスとして実現される必要はなく、たとえば単一のＣＰＵにおけるソフトウエア処理の種類の区分として実現されてもよい。
【０５４７】
　また、これまでの信号やデータを生成する工程や、（ユーザーの嗜好に合致させるために）画像処理を施す工程などで用いられた画像処理の内容（方法や、その程度、使用したパラメータなど）や、生成されたデータや信号の内容（大域信号、詳細信号、鑑賞画像参照データなど）については、画像信号に添付された付加情報（所謂タグ情報など）に付け加えたり、変更を施したり、新たに作成することで記録することが好ましい。
【０５４８】
　こうした付加情報は、独自の情報フォーマットや独立の情報ファイル・信号として添付されているものであるが、より好ましい態様としてはＪＰＥＧ、ＴＩＦＦ、Ｅｘｉｆ等に代表される各種の汎用画像フオーマットに規定されている既存のタグ情報を利用したり、メーカーノートやユーザーノートといった自由に使用できる領域を利用することが挙げられる。記録に関しては、オペレータが手動で入力してもよく、自動的に書き込まれるような環境をプログラムなどを利用して配備してもよい。
【０５４９】
　次に、以下に示す第１〜第６の各最良の形態において図３の画像調整処理部７０ｂにより実行される画像記録処理及び画像処理について、図４〜図２１に示すフローチャートに基づいて説明する。
【０５５０】
［第１の最良の形態］
　図４〜図６は、第１の最良の形態において図３の画像調整処理部７０ｂにより実行される画像記録処理及び画像処理を示すフローチャートである。
　図４は、請求項１に記載の画像記録方法に対応する画像記録処理を示すフローチャートである。
　図４において、はじめに、画像調整処理部７０ｂは、入力画像データを取得し（ステップＳ１）、入力画像データから大域信号と詳細信号を生成し（ステップＳ２）、大域信号と詳細信号を指定メディアとして、例えば、光ディスクに記録する（ステップＳ３）。
【０５５１】
　ここで、ステップＳ２の処理について詳細に説明する。
　入力画像データにローパスフィルタの１種であるガウスフィルタを適用して低周波成分を抽出し、入力画像データから低周波成分を減算して、高周波成分を抽出し、個々の画素について、個々の画素の周囲の画素のデータを用いて低周波成分の勾配値を求め、勾配値の大小で注目している画素位置がエッジであるか否かの度合いを計数ａ（１〜０、１：平坦部、０：エッジ部）として算出し、以下の式（２）、（３）にしたがって大域信号、および詳細信号を生成する。
　低周波成分の勾配値の算出方法、および係数ａの算出方法の詳細は、特開２０００−７５８５２、特開２０００−１８７７２８、特開２０００−２０７５４６、特開２０００−２６１８２４、特開２００１−２１６５１１、特開２００１−２１６５１２、特開２００１−２２９３７７に記載されている。
　詳細信号（ｘ）＝高周波成分（ｘ）ラａ・・・（２）
　大域信号（ｘ）＝低周波成分＋［高周波成分ラ（１−ａ）］・・・（３）
　　ｘ：画像中の画素位置
【０５５２】
　次いで、図５は、請求項１１７に記載の画像処理方法に対応する画像処理を示すフローチャートである。
　上記でステップＳ１で取得した入力画像データは、屋外における建物を背景とし、手前に人物を配した逆光下でのシーンであったため、覆い焼き処理が所望され、さらには人物の目鼻立ちや背景の微細な構造（単色の壁の紋様）をはっきりさせたいという要望があったとする。
【０５５３】
　図５において、はじめに、画像調整処理部７０ｂは、上記ステップＳ３で光ディスクに記録された大域信号と詳細信号を取得し（ステップＳ１１）、大域信号を用いて覆い焼き処理を施し（ステップＳ１２）、詳細信号を用いて鮮鋭性強調処理を施す（ステップＳ１３）。次いで、各々画像処理を施した処理後の大域信号と詳細信号を加算して鑑賞画像参照データを生成する（ステップＳ１４）。
【０５５４】
　覆い焼き処理や鮮鋭性強調処理の方法や程度がユーザーの嗜好に合致しない場合は（ステップＳ１５：ＮＧ）、画像調整処理部７０ｂは、ユーザーによる覆い焼き処理の改定要求（ステップＳ１７：覆い焼き処理）、又は鮮鋭性強調処理の改定要求（ステップＳ１７：鮮鋭性強調処理）に応じて、ステップＳ１２の大域信号の覆い焼き処理、又はステップＳ１３の詳細信号の鮮鋭性強調処理に戻り、処理を再度やり直す。
【０５５５】
　ここで、ステップＳ１２について詳細に説明する。
　この取得した入力画像データのシーンは、上記のように逆光シーンであり、人物と背景の明暗差が大きく、覆い焼き処理が所望されている。覆い焼き処理を施す、つまり、人物の目や背景の微細な構造における明暗差は残しつつ、全体の輝度範囲を適性にするには、人物の目や背景の微細な構造以外の、画像全体の明暗差を表す信号についてダイナミックレンジを圧縮する必要がある。
【０５５６】
　そのためには、すでに入力画像データから分離、生成されている大域信号を用いるのが簡便かつ、効果的である。具体的には、特開平１１−２８４８６０に記載の方法を適用するが、これに限定されるものではなく、特開平８−２９４００６、特開２０００−７５８５２に記載の技術を初めとする当業者で知られる種々の方法を適用することが可能である。
【０５５７】
　また、ステップＳ１３ついて詳細に説明する。
　この取得した入力画像データにシーンに対しては、人物の目鼻立ちをはっきりさせたいという要望があるとする。そこで、微細な構造を表現する役割を担う高周波成分が主たる成分である、詳細信号を用いて、鮮鋭性強調処理を施す。具体的には、以下の式（４）に示すように、各画素位置の詳細信号値Ｔ（ｘ）に、所定の係数ｂ（ｂ＞１）を乗じればよい。
　Ｔ’（ｘ）＝Ｔ（ｘ）ラｂ（ｂ＞１）・・・（４）
【０５５８】
　また、ステップＳ１４について詳細に説明する。
　ステップＳ１２において覆い焼き処理が施された大域信号と、ステップＳ１３において鮮鋭性強調処理が施された詳細信号を、加算することで鮮鋭性処理が施された鑑賞画像参照データを生成することができた。それぞれの処理に適した信号を用いて処理を施したことで、入力画像データに対して効果的な覆い焼き処理が施され、人物と背景の明暗さが自然な雰囲気になり好ましくなった。また、効果的な鮮鋭性処理が施されたことで、人物の目元や髪、背景の壁の紋様が鮮明になった。
【０５５９】
　また、ユーザーの嗜好と合致させるために行った画像処理の作業についても、あらかじめ分離された信号を使用しているため、鑑賞画像参照データが、とても簡便に生成することが可能であった。また、処理の結果がユーザーの嗜好に合致しない場合も、入力画像データから処理を再度行うことなく、分離された各信号を用いて処理を行うことができるので、処理負荷が軽減される効果が発現することを確認した。
【０５６０】
　また、取得した大域信号と詳細信号の分離状態がユーザーの意図に合致しない場合は、図６に示すように、画像調整処理部７０ｂは、記録されたメディアから大域信号と詳細信号を取得し（ステップＳ２１）、その取得した大域信号と詳細信号を加算して入力画像データを再構成し（ステップＳ２２）、再構成された入力画像データを出力することにより（ステップＳ２３）、メディアに記録された大域信号と詳細信号の生成方法とは異なる手段で、新たに大域信号と詳細信号を生成しなおした上で、上記と同様に各々所定の画像処理を施した上で加算し、鑑賞画像参照データを生成する方法を選択することも可能である。
【０５６１】
　また、記録されている鑑賞画像参照データを上記に述べた種々の信号と共に取得し、改変された鑑賞画像参照データを生成する形態も好ましい。この形態では、ひとつの鑑賞画像が出発点としてあるので、ユーザーが修正を加えたい内容を把握しやすく、作業を進め易いという利点がある。
【０５６２】
　また、取得した鑑賞画像参照データを出発点として、共に取得した大域信号や詳細信号、または変換詳細信号や差分詳細信号などを用いて、ユーザーの嗜好に合致するまで変更を加えることが可能ある。例えば、鑑賞画像参照データに微細な構造の強調やノイズ除去の程度を変更したい場合、所定の係数を乗じた差分詳細信号を鑑賞画像参照データに加算するという、とても平易な作業で、微細な構造の強調やノイズ除去の程度を変更することができる。
【０５６３】
　この形態においても、取得した大域信号と詳細信号の分離状態や、詳細信号の変更の（程度ではなく）方法そのものが、ユーザーの意図に合致しない場合は、取得した種々の信号を用いて入力画像データを再構成し、異なる処理方法で画像処理を施すことが可能であり、ユーザーの選択する処理内容の幅が広げることが可能であるのは、先に述べた通りである。
【０５６４】
［第２の最良の形態］
　図７〜図９は、第２の最良の形態において図３の画像調整処理部７０ｂにより実行される画像記録処理及び画像処理を示すフローチャートである。
　図７は、請求項５に記載の画像記録方法に対応する画像記録処理を示すフローチャートである。
　図７において、はじめに、画像調整処理部７０ｂは、入力画像データを取得し（ステップＳ３１）、入力画像データから入力輝度信号と入力色信号を生成し（ステップＳ３２、Ｓ３３）、入力輝度信号から大域輝度信号と詳細輝度信号を、図４のステップＳ２と同様の方法を用いて生成し（ステップＳ３４）、大域輝度信号と詳細輝度信号と入力色信号を指定されたメディアとして、例えば、光ディスクに記録する（ステップＳ３５）。
【０５６５】
　ここで、ステップＳ３２の処理について詳細に説明する。
　入力画像データから入力輝度成分と入力色成分を生成するには、入力画像データのＢｌｕｅ・Ｇｒｅｅｎ・Ｒｅｄの３色強度信号を、下記の式（５）〜（７）にしたがってＹＩＱ基底に変換する処理を施せばよい。
　輝度成分：Ｙ＝０．２９９０＊Ｒｅｄ＋０．５８７０＊Ｇｒｅｅｎ
　　　　　　　　＋０．１１４０＊Ｂｌｕｅ・・・・（５）
　色成分　：Ｉ＝０．５９５９＊Ｒｅｄ−０．２７５０＊Ｇｒｅｅｎ
　　　　　　　　＋０．３２１０＊Ｂｌｕｅ・・・・（６）
　　　　　　Ｑ＝０．２０６５＊Ｒｅｄ−０．４９６９＊Ｇｒｅｅｎ
　　　　　　　　−０．２９０４＊Ｂｌｕｅ・・・・（７）
【０５６６】
　次いで、図８は、請求項１２１に記載の画像処理方法に対応する画像処理を示すフローチャートである。
　上記ステップＳＳ３１で取得した入力画像データは、屋外における建物を背景とし、手前に人物を配した逆光下でのシーンであったため、覆い焼き処理が所望され、さらには人物の目鼻立ちや背景の微細な構造（単色の壁の紋様）をはっきりさせたいという要望があったとする。
【０５６７】
　図８において、はじめに、画像調整処理部７０ｂは、ステップＳ３５で記録された入力色信号と大域輝度信号と詳細輝度信号を光ディスクから取得し（ステップＳ４１）、大域輝度信号を用いて図５のステップＳ１２と同様の方法を用いて覆い焼き処理を施し（ステップＳ４２）、詳細輝度信号を用いて図５のステップＳ１３と同様の方法を用いて鮮鋭性強調処理を施し（ステップＳ４３）、各々画像処理を施した処理済み大域輝度信号と変換詳細輝度信号を加算して変換入力輝度信号を生成し（ステップＳ４５）、さらに画像処理を施した入力色信号（ステップＳ４４）と合成処理して鑑賞画像参照データを生成する（ステップＳ４６）。
【０５６８】
　鑑賞画像参照データに対する覆い焼き処理や鮮鋭性強調処理の方法や程度がユーザーの嗜好に合致しない場合は（ステップＳ４７：ＮＧ）、画像調整処理部７０ｂは、ユーザーによる覆い焼き処理の改定要求（ステップＳ４８：覆い焼き処理）、又は鮮鋭性強調処理の改定要求（ステップＳ４８：鮮鋭性強調処理）に応じて、ステップＳ４２の大域輝度信号の覆い焼き処理、又はステップＳ４３の詳細輝度信号の鮮鋭性強調処理に戻り、処理を再度やり直す。
【０５６９】
　ここで、ステップＳ４２の処理について詳細に説明する。
　入力色信号と、覆い焼き処理がなされた大域輝度信号と鮮鋭性強調処理がなされた詳細輝度信号を加算した信号、つまりは、改変がなされた入力輝度信号を合成するには、図７のステップＳＳ３２で行った変換処理の逆変換を施せばよく、下記の式（８）〜（１０）にしたがって、Ｂｌｕｅ・Ｇｒｅｅｎ・Ｒｅｄの３色強度信号に変換すればよい。
　　Ｒｅｄ＝Ｙ＋０．９４８９＊Ｉ＋０．６５６１＊Ｑ・・・・（８）
　　Ｇｒｅｅｎ＝Ｙ−０．２６４５＊Ｉ−０．６８４７＊Ｑ・・・（９）
　　ＢｌｕｅB＝Ｙ−１．１２７０＊Ｉ＋１．８０５０＊Ｑ・・・（１０）
【０５７０】
　本第２の最良の形態における画像処理においては、取得した信号が、予め、輝度成分と色成分に分離された上で、生成された信号であるので、覆い焼き処理、および鮮鋭性強調処理がより効果的に作用する結果となり、好ましい形態であることが確認された。
【０５７１】
　本第２の最良の形態においては、それぞれの処理に適した、特に輝度成分を抽出した信号を用いて処理を施したことで、入力画像データに対して、大変効果的な覆い焼き処理が施され、人物と背景の明暗さが自然な雰囲気になり、大変好ましくなった。
【０５７２】
　また、輝度成分の信号を使用して鮮鋭性強調処理を施したことで、人物の目元や髪、背景の壁の紋様についても、かなり鮮明になった。また、ユーザーの嗜好と合致させるために行った画像処理の作業についても、あらかじめ分離された信号を使用しているため、また、各信号が輝度成分を抽出して生成したために画像処理の効果が顕著に現われるため、鑑賞画像参照データが、とても簡便に生成することが可能であった。
【０５７３】
　また、処理の結果がユーザーの嗜好に合致しない場合も、入力画像データから処理を再度行うことなく、分離された各信号を用いて処理を行うことができるので、処理負荷が軽減される効果が発現することを確認した。
【０５７４】
　また、取得した大域輝度信号と詳細輝度信号の分離状態がユーザーの意図に合致しない場合は、第1の発明群において、取得した大域信号と詳細信号の分離状態がユーザーの意図に合致しない場合と同様に、図９に示すように、画像調整処理部７０ｂは、記録されたメディアから大域輝度信号と詳細輝度信号と入力色信号を取得し（ステップＳ５１〜Ｓ５４）、取得した大域輝度信号と詳細輝度信号を加算して入力輝度信号を再構成し（ステップＳ５５）、記録された大域輝度信号と詳細輝度信号の生成方法とは異なる手段で、新たに大域輝度信号と詳細輝度信号を生成しなおした上で、上記と同様に各々所定の画像処理を施した上で加算し、鑑賞画像参照データを生成する方法を選択することも可能である。
【０５７５】
　さらに、入力輝度信号と入力色信号の分離状態がユーザーの意図に合致しない場合は、取得した入力色信号と上記再構成した入力輝度信号を加算して入力画像データを再構成し（ステップＳ５６、Ｓ５７）、新たに入力色信号と入力輝度信号を生成しなおした上で、上記と同様に各々所定の画像処理を施した上で加算し、鑑賞画像参照データを生成する方法を選択することもまた可能である。
【０５７６】
　また、上記の鑑賞画像参照データの生成において、詳細輝度信号のかわりに変換詳細輝度信号と差分詳細輝度信号を取得し、鑑賞画像参照データを生成する方法も有効である。具体的には、例えば、出発点となる鑑賞画像参照データ（取得した大域輝度信号と変換詳細輝度信号と入力色信号を加算して生成してもよい）と、差分詳細輝度信号を用いて、さらには微細な構造の強調やノイズ除去の程度を変更し、よりユーザーの嗜好に合致した鑑賞画像参照データを生成することが可能である。
【０５７７】
　例えば、出発点となる鑑賞画像参照データに所定の係数を乗じた差分詳細輝度信号を加算することで、強調やノイズ除去の程度を変更した鑑賞画像参照データを平易に生成することができる。この方法は、第１の発明群で、大域信号と詳細信号を取得し鑑賞画像参照データを生成する際に、詳細信号の変わりに変更詳細信号と差分詳細信号を取得し、鑑賞画像参照データを生成する概念と近似する概念であ。
【０５７８】
　また、取得した大域輝度信号と詳細輝度信号の分離状態や、詳細輝度信号の変更の（程度ではなく）方法そのものが、ユーザーの意図に合致しない場合は、取得した大域輝度信号と変換詳細輝度信号と差分詳細輝度信号と入力色信号を加算して入力画像データを再構成することが可能である。
【０５７９】
　また、上記の鑑賞画像参照データの生成において、入力色信号のかわりに変換入力色信号と差分入力色信号を取得し、鑑賞画像参照データを生成する方法も有効である。具体的には、例えば、出発点となる鑑賞画像参照データ（取得した大域輝度信号と変換詳細輝度信号と入力色信号を加算して生成するなどしてもよい）と、差分入力色信号を用いて、色味を変更し、よりユーザーの嗜好に合致した鑑賞画像参照データを生成することが可能である。
【０５８０】
　例えば、出発点となる鑑賞画像参照データに所定の係数を乗じた差分入力色信号を加算することで、彩度や明度などを変更した鑑賞画像参照データを平易に生成することができる。
【０５８１】
　また、取得した入力輝度信号と入力色信号の分離状態や、変換入力色信号の変更の（程度ではなく）方法そのものが、ユーザーの意図に合致しない場合は、取得した入力輝度信号と入力色信号を加算して入力画像データを再構成することが可能である。
【０５８２】
　なお、大域輝度信号を用いる画像処理は、第１の発明群の特徴で記載した大域信号を用いる画像処理と同様の処理方法を適用することが好ましく、詳細輝度信号を用いる画像処理は、第１の発明群の特徴で記載した詳細信号を用いる画像処理と同様の処理方法を適用することが好ましい。
【０５８３】
　また、入力色信号に施す色変換処理は、色味を補正もしくは変化させる種々の処理を適用するこちが可能であり、例えば、色バランス補正処理、特定色強調処理、彩度強調処理、色空間の変更処理、フェード修正処理操作、色調回転処理、色ガンマ値変更処理などがあげられるが、これに限定するものではない。
【０５８４】
［第３の最良の形態］
　図１０〜図１２は、第３の最良の形態において図３の画像調整処理部７０ｂにより実行される画像記録処理及び画像処理を示すフローチャートである。
　本第３の最良の形態における入力画像データは、撮像画像としてＲＩＭＭＲＧＢ上に生成された画像であったが、色空間をｓＲＧＢに変換し、かつ、屋外における建物を背景とし、手前に人物を配した逆光下でのシーンであったため、覆い焼き処理が所望され、さらには人物の目鼻立ちや背景の微細な構造（単色の壁の紋様）をはっきりさせたいという要望があったものとする。
【０５８５】
　図１０は、請求項１１に記載の画像記録方法に対応する画像記録処理を示すフローチャートである。
　図１０において、はじめに、画像調整処理部７０ｂは、入力画像データを取得し（ステップＳ６１）、その入力画像データに対してＲＩＭＭＲＧＢからｓＲＧＢへの色空間の変換処理（ステップＳ６２）を行った後に、図７のステップＳ３２、Ｓ３３と同様に色変換入力輝度信号と色変換入力色信号を生成し（ステップＳ６３〜Ｓ６５）、色変換入力輝度信号から色変換大域輝度信号と色変換詳細輝度信号を、図４のステップＳ２と同様の方法を用いて生成し（ステップＳ６６）、色変換大域輝度信号と色変換詳細輝度信号と色変換入力色信号を指定されたメディアとして、例えば、光ディスクに記録する（ステップＳ６７）。
【０５８６】
　次いで、図１１は、請求項１２７に記載の画像処理方法に対応する画像処理を示すフローチャートである。
　図１１において、はじめに、画像調整処理部７０ｂは、図１０のステップＳ６７で記録された色変換入力色信号と色変換大域輝度信号と色変換詳細輝度信号を光ディスクから取得し（ステップＳ７１）、色変換大域輝度信号を用いて図５のステップＳ１２と同様の方法を用いて覆い焼き処理を施し（ステップＳ７２）、色変換詳細輝度信号を用いて図５のステップＳ１３と同様の方法を用いて鮮鋭性強調処理を施す（ステップＳ７３）。
【０５８７】
　次いで、画像調整処理部７０ｂは、各々画像処理を施した処理済み色変換大域輝度信号と色変換詳細輝度信号を加算して（ステップＳ７５）、改変された色変換入力輝度信号を出力し（ステップＳ７６）、さらに改変された色変換入力輝度信号と色変換入力色信号と合成処理して（ステップＳ７７）、その鑑賞画像参照データを生成する（ステップＳ７８）。
【０５８８】
　鑑賞画像参照データに対する覆い焼き処理や鮮鋭性強調処理の方法や程度がユーザーの嗜好に合致しない場合は（ステップＳ７９：ＮＧ）、画像調整処理部７０ｂは、ユーザーによる覆い焼き処理の改定要求（ステップＳ８０：覆い焼き処理）、又は鮮鋭性強調処理の改定要求（ステップＳ８０：鮮鋭性強調処理）に応じて、ステップＳ７２の色変換大域輝度信号の覆い焼き処理、又はステップＳ７３の色変換詳細輝度信号の鮮鋭性強調処理に戻り、処理を再度やり直す。
【０５８９】
　第２の最良の形態では処理を施した後に色空間の変換処理を施した場合に比較して、本第３の最良の形態では冒頭に色空間の変換処理を配したことで、処理の負荷が軽減することが確認できた。
　また、本第３の最良の形態では、入力画像データと鑑賞参照画像データの存在し得る色空間が異なるために、色空間の変換処理が必要であったが、本発明にそって記録処理の冒頭に色空間の変換処理を配したことにより、その後に続くユーザーの嗜好に合致させるための補正処理がスムーズに行われる利点が発現した。
【０５９０】
　また、それぞれの処理に適した、特に輝度成分を抽出した信号を用いて覆い焼き処理や鮮鋭性強調処理を施したことにより、入力画像データに対して、大変効果的な覆い焼き処理が施され、人物と背景の明暗さが自然な雰囲気になり、大変好ましくなり、人物の目元や髪、背景の壁の紋様についても、かなり鮮明になった。
【０５９１】
　また、ユーザーの嗜好と合致させるために行った画像処理の作業についても、あらかじめ分離された信号を使用しているため、また、各信号が輝度成分を抽出して生成したために画像処理の効果が顕著に現われるため、鑑賞画像参照データが、とても簡便に生成することが可能であった。また、処理の結果がユーザーの嗜好に合致しない場合も、入力画像データから処理を再度行うことなく、分離された各信号を用いて処理を行うことができるので、処理負荷が軽減される効果が発現することを確認した。
【０５９２】
　さらに、色変換入力輝度信号と色変換入力色信号の分離状態がユーザーの意図に合致しない場合は、図１２に示すように、画像調整処理部７０ｂは、記録メディアから色変換大域輝度信号と色変換詳細輝度信号と色変換入力色信号とを取得し（ステップＳ８１〜Ｓ８４）、色変換大域輝度信号と色変換詳細輝度信号を加算して色変換入力輝度信号を再構成し（ステップＳ８５）、再構成した色変換入力輝度信号に色変換入力色信号を合成処理して、色変換処理済みの入力画像データを再構成し（ステップＳ８６、Ｓ８７）、新たに色変換入力色信号と色変換入力輝度信号を生成しなおした上で、上記と同様に各々所定の画像処理を施した上で合成し、鑑賞画像参照データを生成する方法を選択することもまた可能である。
【０５９３】
　また、色変換処理の内容や処理結果がユーザーの意図に合致しない場合は、上記再構成した色変換処理済みの入力画像データに、色域変換処理の逆変換処理を施し（ステップＳ８８）、入力画像データを再構成し（ステップＳ８９）、色変換処理を異なる手段で施し、処理をすすめることも可能である。
【０５９４】
　また、上記の鑑賞画像参照データの生成において、色変換詳細輝度信号のかわりに色変換−変換詳細輝度信号と色変換−差分詳細輝度信号を取得し、鑑賞画像参照データを生成する方法も有効であることは、第２の発明群と同様である。
【０５９５】
　また、上記の鑑賞画像参照データの生成において、色変換入力色信号のかわりに色変換−変換入力色信号と色変換−差分入力色信号を取得し、鑑賞画像参照データを生成する方法も有効であることは、第２の発明群と同様である。入力画像データに施す色変換処理とは、入力画像データと鑑賞画像参照データが存在しうる色空間に変更が生じる際に必要となる処理であり、色空間変更処理であり、その方法は当業者には広く公知である。
【０５９６】
　色変換大域輝度信号を用いる画像処理は、第１の発明群の特徴で記載した大域信号を用いる画像処理と同様の処理方法を適用することが好ましく、色変換詳細輝度信号を用いる画像処理は、第１の発明群の特徴で記載した詳細信号を用いる画像処理と同様の処理方法を適用することが好ましく、色変換入力色信号に施す色変換処理は、第１の発明群の特徴で記載した入力色信号を用いる色変換処理と同様の処理方法を適用することが好ましい。
【０５９７】
　大域信号を用いた画像処理、詳細信号を用いた画像処理、入力画像データに施す色変換処理に関しては既に説明を記したが、他にも例えば、捕捉プロセス修正処理（光学収差(焦点ずれ、チルト、周辺収差、コマ収差、非点収差、ひずみおよび色彩収差など)、幾何学効果(遠近修正など)、センサー効果修正、(ＣＦＡ補間、不均等修正およびノイズ低減など)および照明効果(過大露光、不足露光、イルミネーション消失およびレンズフレアなど)）、欠点修正処理（スクラッチ(削除)およびしわ(crease)の低減、ダスト低減、粒子低減、赤目低減、汚れ除去、不適切な表現の除去など）、、芸術表現処理（セピア調整、カラーから白黒変換、変形、グラフィクスの作成、など）など、他の種々の画像処理方法を適用することが可能であるが、これに限定されるものではない。
【０５９８】
［第４の最良の形態］
　図１３〜図１５は、第４の最良の形態において図３の画像調整処理部７０ｂにより実行される画像記録処理及び画像処理を示すフローチャートである。
　本第４の最良の形態で取得する入力画像データは、屋外における建物を背景とし、手前に人物を配した逆光下でのシーンであったため、覆い焼き処理が所望され、さらには人物の目鼻立ちや背景の微細な構造（単色の壁の紋様など）をはっきりさせたいという要望があったものとする。
【０５９９】
　図１３は、請求項１７に記載の画像記録方法に対応する画像記録処理を示すフローチャートである。
　図１３において、はじめに、画像調整処理部７０ｂは、入力画像データを取得し（ステップＳ９１）、図４の画像記録処理と同様に入力画像データから大域信号と詳細信号を生成し（ステップＳ９２、Ｓ９３）、図４の画像記録処理と同様に大域信号に覆い焼き処理を施し変換大域信号を生成し(ステップＳ９４、Ｓ９５)、大域信号と変換大域信号の差分をとって差分大域信号を生成し（ステップＳ９６、Ｓ９７）、変換大域信号と差分大域信号と詳細信号を指定メディアとして、例えば、光ディスクに記録する（ステップＳ９８）。
【０６００】
　次いで、図１４は、請求項１３３に記載の画像処理方法に対応する画像処理を示すフローチャートである。
　図１４において、はじめに、画像調整処理部７０ｂは、上記ステップＳ９８で記録された変換大域信号と差分大域信号と詳細信号を取得し（ステップＳ１０１〜Ｓ１０４）、変換大域信号と詳細信号を加算して鑑賞画像参照データを生成する（ステップＳ１０５、Ｓ１０６）。
【０６０１】
　次いで、画像調整処理部７０ｂは、生成した鑑賞画像参照データがユーザーの嗜好に合致するかどうか判断し（ステップＳ１０７）、合致しない場合には（ステップＳ１０７：ＮＧ）、ユーザーによる覆い焼き処理の改定要求（ステップＳ１０８：覆い焼き処理）、又は鮮鋭性強調処理の改定要求（ステップＳ１０８：鮮鋭性強調処理）に応じて、鑑賞画像参照データと差分大域信号を用いて覆い焼き処理の程度を変更し（ステップＳ１０９）、鑑賞画像参照データに所定の係数を乗じた詳細信号を加算して鮮鋭性強調処理の程度を変更し（ステップＳ１１０）、改変された鑑賞画像参照データを生成する（ステップＳ１１１）。
【０６０２】
　さらに、改変された鑑賞画像参照データの覆い焼き処理や鮮鋭性強調処理の方法や程度がユーザーの嗜好に合致しない場合（ステップＳ１１２：ＮＧ）、画像調整処理部７０ｂは、ユーザーによる覆い焼き処理の改定要求（ステップＳ１１３：覆い焼き処理）、又は鮮鋭性強調処理の改定要求（ステップＳ１１３：鮮鋭性強調処理）に応じて、ステップＳ１０９の覆い焼き処理、又はステップＳ１１０の鮮鋭性強調処理に戻り、処理を再度やり直す。
【０６０３】
　本第４の最良の形態では、差分大域信号を用いて、入力画像データから再分離する手間もなく、簡便に、覆い焼き処理の程度を変更でき、処理をユーザーの嗜好に合致するまで何度も繰り返す場合に、ユーザーの処理負荷が大幅に低減されることがわかった。
【０６０４】
　このように、本最良の形態においては、大域信号に施された変換処理の程度を変更することが容易に可能である。具体的には、上記最良の形態で説明したように、鑑賞画像参照データに所定の係数を乗じた差分大域信号を加算すればよく、また、別の方法としては、これは覆い焼き処理と同時に鮮鋭性強調処理の程度も改変する要求があったときに、とくに有効であるが、変換大域信号に所定の係数を乗じた差分大域信号を加算し、覆い焼きの程度が改定された変換大域信号を生成し、この覆い焼きの程度が改定された変換大域信号と、詳細信号に所定の係数を乗じて鮮鋭性強調処理の程度が改変されたところの詳細信号とを加算して、覆い焼きの程度が改定された（加えて鮮鋭性強調処理の程度も改定されている）鑑賞画像参照データを生成する方法も好ましい。
　いずれもユーザーが嗜好に合致するまで繰り返し処理をやり直す際にも、やり直しの都度、新たに分離する手間をかけずに処理の程度を変更でき、この簡便性が本発明の大きな利点である。
【０６０５】
　また、本第４の最良の形態では、それぞれの処理に適した、特に輝度成分を抽出した信号を用いて覆い焼き処理や鮮鋭性処理を施したことにより、入力画像データに対して、大変効果的な覆い焼き処理が施され、人物と背景の明暗さが自然な雰囲気になり、大変好ましくなり、人物の目元や髪、背景の壁の紋様についても、かなり鮮明になったのはもちろんのこと、また、処理の結果がユーザーの嗜好に合致しない場合に、差分大域信号を使用して覆い焼き処理の程度の補正をおこなったが、差分大域信号は覆い焼き処理の効果そのものを意味する信号なので、ひとつ前の効果の１／２の効果をあたえたい、といった感覚的な要望にも、変換大域信号に差分大域信号に１／２を乗じて引算するなどして、応じることができるため、処理負荷がおおいに軽減され、処理作業が驚くほど簡便になった。
【０６０６】
　また、メディアから取得した鑑賞画像参照データ、もしくは上記の方法で生成した鑑賞画像参照データが、ユーザーの嗜好に合致しない場合、図１５に示すように、画像調整処理部７０ｂは、記録メディアから変換大域信号と差分大域信号と詳細信号を取得し（ステップＳ１２１〜Ｓ１２４）、変換大域信号と差分大域信号を加算して大域信号を再構成し（ステップＳ１２５）、再構成した大域信号と詳細信号を加算して（ステップＳ１２６）、入力画像データを再構成（ステップＳ１２７）することも可能である。
【０６０７】
　また、変換大域信号を生成するために大域信号に施した変換処理の方法が、ユーザーの意図に合致しない場合は、上記のように、入力画像データまで再構成せずとも、取得した変換大域信号と差分大域信号を加算するなどして、大域信号を再構成し、新たに、異なる方法で画像処理を施し、新たに変換大域信号と差分大域信号を生成し、処理をすすめることも可能である。
【０６０８】
　また、取得した変換大域信号と差分大域信号のもととなる大域信号と詳細信号の分離状態がユーザーの意図に合致しない場合は、第1の発明群と同様に、取得した大域信号（取得した変換大域信号と差分大域信号を加算するなどして再構成し得られる）と詳細信号を加算して入力信号を再構することも可能である。
【０６０９】
　また、上記の鑑賞画像参照データの生成において、本発明群においても、第１の発明群と同様に、詳細輝度信号のかわりに変換詳細輝度信号と差分詳細輝度信号を取得し、鑑賞画像参照データを生成する形態も好ましい。
【０６１０】
［第５の最良の形態］
　図１６〜図１８は、第５の最良の形態において図３の画像調整処理部７０ｂにより実行される画像記録処理及び画像処理を示すフローチャートである。
　本第５の実の形態における入力画像データは、屋外における建物を背景とし、手前に人物を配した逆光下でのシーンであったため、覆い焼き処理が所望され、さらには人物の目鼻立ちや背景の微細な構造（単色の壁の紋様）をはっきりさせたいという要望があるものとする。
【０６１１】
　図１６は、請求項２１に記載の画像記録方法に対応する画像記録処理を示すフローチャートである。
　図１６において、はじめに、画像調整処理部７０ｂは、入力画像データを取得し（ステップＳ２０１）、図７のステップＳ３２、Ｓ３３と同様に入力画像データから入力輝度信号と入力色信号を生成し（ステップＳ２０２）、入力輝度信号から大域輝度信号と詳細輝度信号を、図７のステップＳ３４と同様の方法を用いて生成し（ステップＳ２０３、Ｓ２０５）、図８のステップＳ４２と同様に大域輝度信号に覆い焼き処理を施して変換大域輝度信号を生成し(ステップＳ２０６、Ｓ２０８)、大域輝度信号と変換大域輝度信号の差分をとって差分大域輝度信号を生成し（ステップＳ２０９、Ｓ２１０）、変換大域輝度信号と差分大域輝度信号と詳細輝度信号と入力色信号を指定メディアとして、例えば、光ディスクに記録する（ステップＳ２０４、Ｓ２０７、Ｓ２１１）。
【０６１２】
　次いで、図１７は、請求項１３７に記載の画像処理方法に対応する画像処理を示すフローチャートである。
　なお、上記ステップＳ２０１で取得した入力画像データは、屋外における建物を背景とし、手前に人物を配した逆光下でのシーンであったため、覆い焼き処理が所望され、さらには人物の目鼻立ちや背景の微細な構造（単色の壁の紋様）をはっきりさせたいという要望があるものとする。
【０６１３】
　図１７において、はじめに、画像調整処理部７０ｂは、記録メディアから差分大域輝度信号と変換大域輝度信号と詳細輝度信号と入力色信号を取得し（ステップＳ２２１〜２２５）、変換大域信号と詳細輝度信号を加算し（ステップＳ２２６）、これと入力色信号を合成処理して鑑賞画像参照データを生成する（ステップＳ２２７）。
【０６１４】
　次いで、画像調整処理部７０ｂは、生成した鑑賞画像参照データがユーザーの嗜好に合致するかどうか判断し（ステップＳ２２８）、合致しない場合は（ステップＳ２２８：ＮＧ）、ユーザーによる覆い焼き処理の改定要求（ステップＳ２２９：覆い焼き処理）、又は鮮鋭性強調処理の改定要求（ステップＳ２２９：鮮鋭性強調処理）に応じて、変換大域輝度信号と差分大域輝度信号を用いて覆い焼き処理の程度を変更した改変された大域輝度信号を生成し（ステップＳ２３０）、鮮鋭性強調処理を施したい場合には、詳細輝度信号に所定の係数（ｂ＞１）を乗じて改変された詳細輝度信号を生成し（ステップＳ２３１）、色味が嗜好に合致しない場合には入力色信号に所定の色変換処理（例えば彩度強調）を施し改変された入力色信号を生成し（ステップＳ２３３）、改変された大域輝度信号と改変された詳細輝度信号を加算して改変された入力輝度信号を生成し（ステップＳ２３２）、この改変された入力輝度信号を、さらに改変された入力色信号と合成し改変された鑑賞画像参照データを生成する（ステップＳ２３４）。
【０６１５】
　こうして得られた改変された鑑賞画像参照データがユーザーの嗜好に合致しない場合は、ステップＳ２３０および／またはステップＳ２３１および/またはステップＳ２３３に戻り、処理を再度やり直す。
【０６１６】
　このように、本最良の形態においては、大域輝度信号に施された変換処理の程度を変更することが容易に可能である。具体的な方法は、上記に説明した方法のほかに、鑑賞画像参照データに所定の係数を乗じた差分大域輝度信号を加算する、などの方法も好ましく、いずれにおいても、ユーザーが嗜好に合致するまで繰り返し処理をやり直す際にも、やり直しの都度、新たに分離する手間をかけずに処理の程度を変更できる、この簡便性が本発明の大きな利点である。
【０６１７】
　本第５の最良の形態では、それぞれの処理に適した、特に輝度成分を抽出した信号を用いて処理を施したことで、入力画像データに対して、大変効果的な覆い焼き処理が施され、人物と背景の明暗さが自然な雰囲気になり、大変好ましくなり、また、輝度成分の信号を使用して鮮鋭性処理を施したことで、人物の目元や髪、背景の壁の紋様についても、かなり鮮明になったのはもちろんであるが、処理の結果がユーザーの嗜好に合致しない場合に、差分大域信号を使用して覆い焼き処理の程度の補正をおこなった。これは、差分大域信号は覆い焼き処理の効果そのものを意味する信号なので、ひとつ前の効果の１／２の効果をあたえたい、といった感覚的な要望にも、変換大域信号に差分大域信号に１／２を乗じて引算するなどして、応じることができるため、処理負荷がおおいに軽減され、処理作業が驚くほど簡便になった。
【０６１８】
　また、メディアから取得した鑑賞画像参照データ、もしくは上記の方法で生成した鑑賞画像参照データが、ユーザーの嗜好に合致しない場合、図１８に示すように、画像調整処理部７０ｂは、記録メディアから変換大域輝度信号と差分大域輝度信号と詳細輝度信号と入力色信号を取得し（ステップＳ２４１〜Ｓ２４５）、変換大域輝度信号と差分大域輝度信号を加算して、大域輝度信号を再構成し（ステップＳ２４６）、この再構成した大域輝度信号と詳細輝度信号を加算して入力輝度信号を再構成し（ステップＳ２４７、Ｓ２４８）、再構成した入力輝度信号と入力色信号を合成処理して（ステップＳ２４９）、入力画像データを再構成することが可能である（ステップＳ２５０）。
【０６１９】
　また、変換大域輝度信号を生成するために大域輝度信号に施した変換処理の方法が、ユーザーの意図に合致しない場合は、上記のように、入力画像データまで再構成せずとも、取得した変換大域輝度信号と差分大域輝度信号を加算するなどして、大域輝度信号を再構成し、異なる変換処理の方法を選択し、実施することも可能である。
【０６２０】
　また、取得した大域輝度信号と詳細輝度信号の分離状態がユーザーの意図に合致しない場合は、取得した大域輝度信号と詳細輝度信号を加算して入力輝度信号を再構成することも可能である。また、入力輝度信号と入力色信号の分離状態がユーザーの意図に合致しない場合は、取得した入力色信号と上記再構成した入力輝度信号を加算し入力画像データを再構成し、異なる方法を選択して分離することも可能である。
【０６２１】
　また、上記の鑑賞画像参照データの生成において、本発明群においても、第２の発明群と同様に、詳細輝度信号のかわりに変換詳細輝度信号と差分詳細輝度信号を取得し、鑑賞画像参照データを生成する形態も好ましい。
【０６２２】
　また、上記の鑑賞画像参照データの生成において、本第５の発明群においても、第２の発明群と同様に、入力色信号のかわりに変換入力色信号と差分入力信号を取得し、鑑賞画像参照データを生成する形態も好ましい。
【０６２３】
［第６の最良の形態］
　図１９〜図２１は、第６の最良の形態において図３の画像調整処理部７０ｂにより実行される画像記録処理及び画像処理を示すフローチャートである。
　本第６の最良の形態における入力画像データは、撮像画像としてＲＩＭＭＲＧＢ上に生成された画像あったが、色空間をｓＲＧＢに変換し、かつ、屋外における建物を背景とし、手前に人物を配した逆光下でのシーンであったため、覆い焼き処理が所望され、さらには人物の目鼻立ちや背景の微細な構造（単色の壁の紋様）をはっきりさせたいという要望があるものとする。
【０６２４】
　図１９は、請求項２７に記載の画像記録方法に対応する画像記録処理を示すフローチャートである。
　図１９において、はじめに、画像調整処理部７０ｂは、入力画像データを取得し（ステップＳ３０１）、この入力画像データにＲＩＭＭＲＧＢからｓＲＧＢへの色空間の変換処理（ステップＳ３０２）を行った後に、図１０のステップＳ６３と同様に入力画像データから色変換入力輝度信号と色変換入力色信号を生成し（ステップＳ３０３〜Ｓ３０５）、色変換入力輝度信号から色変換大域輝度信号と色変換詳細輝度信号を、図１０のステップＳ６６と同様の方法を用いて生成し（ステップＳ３０６〜Ｓ３０８）、図１１のステップＳ７２と同様に色変換大域輝度信号に覆い焼き処理を施して、色変換−変換大域輝度信号を生成し(ステップＳ３０９、Ｓ３１０)、色変換大域輝度信号と色変換−変換大域輝度信号の差分をとって色変換−差分大域輝度信号を生成し（ステップＳ３１１）、色変換−変換大域輝度信号と色変換−差分大域輝度信号と色変換詳細輝度信号と色変換入力色信号を指定メディアとして、例えば、光ディスクに記録する（ステップＳ３１２）。
【０６２５】
　次いで、図２０は、請求項１４３に記載の画像処理方法に対応する画像処理を示すフローチャートである。
　図２０において、はじめに、画像調整処理部７０ｂは、ステップＳ３１２で記録された記録メディアから色変換−変換大域輝度信号と色変換−差分大域輝度信号と色変換詳細輝度信号と色変換入力色信号を取得し（ステップＳ３２１〜Ｓ３２５）、色変換−変換大域信号と色変換詳細信号を加算し（ステップＳ３２６）、これと色変換入力色信号を合成処理して鑑賞画像参照データを生成する（ステップＳ３２７）。
【０６２６】
　次いで、画像調整処理部７０ｂは、生成した鑑賞画像参照データがユーザーの嗜好に合致するかどうか判断し（ステップＳ３２８）、合致しない場合は（ステップＳ３２８：ＮＧ）、ユーザーによる覆い焼き処理の改定要求（ステップＳ３２９：覆い焼き処理）、鮮鋭性強調処理の改定要求（ステップＳ３２９：鮮鋭性強調処理）、又は画像処理要求（ステップＳ３２９：画像処理）に応じて、色変換−変換大域輝度信号と色変換−差分大域輝度信号を用いて覆い焼き処理の程度を変更し改変された色変換大域輝度信号を生成し（ステップＳ３３０）、鮮鋭性強調処理を施したい場合には、色変換詳細輝度信号に所定の係数（ｂ＞１）を乗じて改変された色変換詳細輝度信号を生成し（ステップＳ３３１）、色味が嗜好に合致しない場合には色変換入力色信号に所定の色変換処理（例えば彩度強調）を施し改変された色変換入力色信号を生成する（ステップＳ３３２）。
【０６２７】
　そして、画像調整処理部７０ｂは、改変された色変換大域輝度信号と改変された色変換詳細輝度信号を加算して色変換入力輝度信号を生成し（ステップＳ３３３）、このさら色変換入力輝度信号に改変された色変換入力色信号を合成して改変された鑑賞画像参照データを生成する（ステップＳ３３４）。
【０６２８】
　こうして得られた改変された鑑賞画像参照データがユーザーの嗜好に合致しない場合は、ステップＳ３３０および／またはステップＳ３３１および/またはステップＳ３３２に戻り、処理を再度やり直す。
【０６２９】
　本第６の最良の形態では、入力画像データと鑑賞参照画像データの存在し得る色空間が異なるために、色空間の変換処理が必要であったが、本発明にそって記録処理の冒頭に色空間の変換処理を配したことにより、その後に続くユーザーの嗜好に合致させるための補正処理がスムーズに行われる利点が発現した。
【０６３０】
　また、それぞれの処理に適した、特に輝度成分を抽出した信号を用いて覆い焼き処理や鮮鋭性処理を施したことにより、入力画像データに対して、大変効果的な覆い焼き処理が施され、人物と背景の明暗さが自然な雰囲気になり、大変好ましくなり、人物の目元や髪、背景の壁の紋様についても、かなり鮮明になった。
【０６３１】
　また、処理の結果がユーザーの嗜好に合致しない場合に、色変換差分大域輝度信号を使用して覆い焼き処理の程度の補正をおこなったが、前記信号は覆い焼き処理が処理の対象となる画像に与えた効果の大きさそのものを意味する信号なので、ひとつ前の効果の１／２の効果をあたえたい、といった感覚的な要望にも、変換大域信号に差分大域信号に１／２を乗じて引算するなどして、応じることができるため、処理負荷がおおいに軽減され、処理作業が驚くほど簡便になった。
【０６３２】
　このように、本最良の形態においては、色変換−差分大域輝度信号を用いて、色変換大域輝度信号に施された変換処理の程度を変更することが容易に可能である。具体的な方法は、上記に説明した方法のほかに、鑑賞画像参照データに所定の係数を乗じた色変換−差分大域輝度信号を加算する、などの方法も好ましく、いずれにおいても、ユーザーが嗜好に合致するまで繰り返し処理をやり直す際にも、やり直しの都度、新たに分離する手間をかけずに処理の程度を変更できる、この簡便性が本発明の大きな利点である。
【０６３３】
　また、差分信号をあらかじめ分離された信号を使用しているため、また、各信号が輝度成分を抽出して生成したために画像処理の効果が顕著に現われるため、鑑賞画像参照データが、とても簡便に生成することが可能であった。また、処理の結果がユーザーの嗜好に合致しない場合も、入力画像データから処理を再度行うことなく、分離された各信号を用いて処理を行うことができるので、処理負荷が軽減される効果が発現することを確認した。
【０６３４】
　また、メディアから取得した鑑賞画像参照データ、もしくは上記の方法で生成した鑑賞画像参照データが、ユーザーの嗜好に合致しない場合、図２１に示すように、画像調整処理部７０ｂは、記録メディアから色変換−変換大域輝度信号と色変換−差分大域輝度信号と色変換詳細輝度信号と色変換入力色信号とを取得し（ステップＳ３４１〜Ｓ３４５）、色変換−変換大域輝度信号と色変換−差分大域輝度信号とを加算して、色変換大域輝度信号を再構成し（ステップＳ３４６）、再構成した色変換大域輝度信号と色変換詳細輝度信号とを加算して色変換入力輝度信号を再構成し（ステップＳ３４７、Ｓ３４８）、再構成した色変換入力輝度信号と色変換入力色信号とを合成して再構成した色変換入力画像データを生成し（ステップＳ３５０）、再構成した色変換入力画像データを色変換処理の逆変換処理を施すことにより再構成した入力画像データを生成可能である。
【０６３５】
　また、色変換−変換大域輝度信号を生成するために大域輝度信号に施した変換処理の方法が、ユーザーの意図に合致しない場合は、上記のように、入力画像データまで再構成せずとも、取得した色変換−変換大域輝度信号と色変換−差分大域輝度信号を加算するなどして、色変換大域輝度信号を再構成し、異なる変換処理の方法を選択し、実施することも可能である。
【０６３６】
　また、取得した色変換大域輝度信号と色変換詳細輝度信号の分離状態がユーザーの意図に合致しない場合は、取得した色変換大域輝度信号と色変換詳細輝度信号を加算して色変換入力輝度信号を再構成することも可能である。また、色変換入力輝度信号と色変換入力色信号の分離状態がユーザーの意図に合致しない場合は、取得した色変換入力色信号と上記再構成した色変換入力輝度信号を合成し色変換入力画像データを再構成し、異なる方法を選択して分離することも可能である。
【０６３７】
　また、上記の鑑賞画像参照データの生成において、本第６の発明群においても、第３の発明群と同様に、色変換詳細輝度信号のかわりに色変換−変換詳細輝度信号と色変換−差分詳細輝度信号を取得し、鑑賞画像参照データを生成する形態も好ましい。
【０６３８】
　また、上記の鑑賞画像参照データの生成において、本第６の発明群においても、第３の発明群と同様に、色変換入力色信号のかわりに色変換−変換入力色信号と色変換差分入力信号を取得し、鑑賞画像参照データを生成する形態も好ましい。
【０６３９】
〔第７の最良の形態〕
　次に、第７の最良の形態を図２２および図２３に基づき説明する。第７の最良の形態は、入力画像データに付随する付加情報を取得し、この取得した付加情報に基づいて、例えば、第１の発明群記載の大域信号と詳細信号の代わりに生成する信号（例えば大域輝度信号と詳細輝度信号（第２の発明群記載）、色変換大域輝度信号と色変換詳細輝度信号（第３の発明群記載）等）を選択し決定する事柄や、大域信号と詳細信号を生成する際の生成処理条件を決定する形態について示すものである。
【０６４０】
　以下に具体例をもって説明する。例えば、図２２に示すように、最終的に処理画像データをｓＲＧＢ標準色空間で表現すると前提した場合、入力画像データが表されている色空間情報を付加情報として取得することで、処理の対象となる入力画像データがｓＲＧＢ以外の色空間で表されていれば、大域信号・詳細信号として大域輝度信号・詳細輝度信号ではなく、色変換大域輝度信号・色変換詳細輝度信号を選択することができ、第３の発明群の目的効果を効果的に発現させることができる。
【０６４１】
　逆に、入力画像データがｓＲＧＢ標準色空間であれば、色変換大域輝度信号・色変換詳細輝度信号を採用することは、大域輝度信号・詳細輝度信号を大域信号・詳細信号として選択することで、無駄な処理負荷を負うことなく、本発明の主発明の効果を効果的に発現することができる。
【０６４２】
　また、別の例としては、入力画像データが表されている色空間情報と処理画像データを表現する色空間情報を、入力画像データに付随する付加情報から取得することにより、色変換大域輝度信号・色変換詳細輝度信号を生成する際に実施する色域変換処理の処理条件を設定することが可能である。この場合、入力画像データが表されている色空間情報と処理画像データを表現する色空間情報の一方のみが付加情報から取得することが可能であれば、取得できないもう一方は、別途、付加情報とは異なる情報源から取得すればよい。例えば、入力画像データがsＲＧＢ標準色空間であることを付加情報であるExifのタグ情報から取得し、処理画像データ（鑑賞画像参照データ）を表現する色空間は、例えば、本発明を実施する画像処理装置に付随し鑑賞画像参照データを出力する出力装置・出力媒体の種別（インクジェットプリンタ、昇華型プリンタ、銀塩プリンタ等の種別、またはその機種情報、出力媒体の種別、等々）を、プリンタドライバなどの情報から取得・判別すればよい。出力装置の種別が判別すれば、その出力装置が出力し得る色域の選定が可能となる。
　このように、色変換大域輝度信号・色変換詳細輝度信号を生成する際に実施する色域変換処理の処理条件を設定することにより、出力装置・出力媒体の出力特性に応じた処理画像データ（鑑賞画像参照データ）を提供することができる。
【０６４３】
　また、別の例では、図２３に示すように、入力輝度信号から大域輝度信号と詳細輝度信号を生成する手法の一つとして、入力輝度信号にローパスフィルタを適用し、抽出された低周波帯域成分を大域輝度信号、入力輝度信号から低周波帯域成分を減じて得られる高周波帯域成分を詳細輝度信号とする手法があるが、このケースでは例えば、入力画像データの解像度情報を付加情報として取得し、この付加情報情報に基づいてローパスフィルター特性、つまり、低周波帯域成分や高周波帯域成分の周波数帯域を決定すればよい。同一シーンを撮影した場合でも、被写体に含まれる同じテキスチャが解像度に応じて、異なる周波数特性を持つからである。
【０６４４】
　同様に、先に例示した種々の付加情報を取得し、これに応じて大域信号・詳細信号の生成条件を決定することで本発明の効果を効果的に発現することが可能となる。
【図面の簡単な説明】
【０６４５】
【図１】本発明を適用した一最良の形態における画像記録装置１の外観斜視図である。
【図２】図１の画像記録装置１の機能を示す概略構成図である。
【図３】図２の画像処理部７０内の該略構成を示す図である。
【図４】第１の最良の形態において図３の画像調整処理部７０ｂにより実行される画像記録処理を示すフローチャートである。
【図５】第１の最良の形態において図３の画像調整処理部７０ｂにより実行される画像処理を示すフローチャートである。
【図６】第１の最良の形態において図３の画像調整処理部７０ｂによりにより実行される画像再構成処理を示すフローチャートである。
【図７】第２の最良の形態において図３の画像調整処理部７０ｂにより実行される画像記録処理を示すフローチャートである。
【図８】第２の最良の形態において図３の画像調整処理部７０ｂにより実行される画像処理を示すフローチャートである。
【図９】第２の最良の形態において図３の画像調整処理部７０ｂによりにより実行される画像再構成処理を示すフローチャートである。
【図１０】第３の最良の形態において図３の画像調整処理部７０ｂにより実行される画像記録処理を示すフローチャートである。
【図１１】第３の最良の形態において図３の画像調整処理部７０ｂにより実行される画像処理を示すフローチャートである。
【図１２】第３の最良の形態において図３の画像調整処理部７０ｂによりにより実行される画像再構成処理を示すフローチャートである。
【図１３】第４の最良の形態において図３の画像調整処理部７０ｂにより実行される画像記録処理を示すフローチャートである。
【図１４】第４の最良の形態において図３の画像調整処理部７０ｂにより実行される画像処理を示すフローチャートである。
【図１５】第４の最良の形態において図３の画像調整処理部７０ｂによりにより実行される画像再構成処理を示すフローチャートである。
【図１６】第５の最良の形態において図３の画像調整処理部７０ｂにより実行される画像記録処理を示すフローチャートである。
【図１７】第５の最良の形態において図３の画像調整処理部７０ｂにより実行される画像処理を示すフローチャートである。
【図１８】第５の最良の形態において図３の画像調整処理部７０ｂによりにより実行される画像再構成処理を示すフローチャートである。
【図１９】第６の最良の形態において図３の画像調整処理部７０ｂにより実行される画像記録処理を示すフローチャートである。
【図２０】第６の最良の形態において図３の画像調整処理部７０ｂにより実行される画像処理を示すフローチャートである。
【図２１】第６の最良の形態において図３の画像調整処理部７０ｂによりにより実行される画像再構成処理を示すフローチャートである。
【図２２】第７の最良の形態の一例を説明するフローチャートである。
【図２３】第７の最良の形態の別の例を説明するフローチャートである。
【符号の説明】
【０６４６】
　１　　画像記録装置
　７　　制御部
　８　　ＣＲＴ
　９　　フィルムスキャナ部
１０　　反射原稿入力装置
１１　　操作部
３０　　画像転送手段
３１　　画像搬送部
３２　　受信用通信手段
３３　　送信用通信手段
３４　　外部プリンタ
７０　　画像処理部
７０ａ　フィルムスキャンデータ処理部
７０ｂ　画像調整処理部
７０ｃ　反射原稿スキャンデータ処理部
７０ｄ　画像データ書式解読処理部
７０ｅ　テンプレート処理部
７０ｆ　ＣＲＴ固有処理部
７０ｇ　プリンタ固有処理部
７０ｈ　画像データ書式作成処理部
７１　　データ蓄積手段
７２　　テンプレート記憶手段
【図１】
2004127287.tif 000003
【図２】
2004127287.tif 000004
【図３】
2004127287.tif 000005
【図４】
2004127287.tif 000006
【図５】
2004127287.tif 000007
【図６】
2004127287.tif 000008
【図７】
2004127287.tif 000009
【図８】
2004127287.tif 000010
【図９】
2004127287.tif 000011
【図１０】
2004127287.tif 000012
【図１１】
2004127287.tif 000013
【図１２】
2004127287.tif 000014
【図１３】
2004127287.tif 000015
【図１４】
2004127287.tif 000016
【図１５】
2004127287.tif 000017
【図１６】
2004127287.tif 000018
【図１７】
2004127287.tif 000019
【図１８】
2004127287.tif 000020
【図１９】
2004127287.tif 000021
【図２０】
2004127287.tif 000022
【図２１】
2004127287.tif 000023
【図２２】
2004127287.tif 000024
【図２３】
2004127287.tif 000025